(57)【要約】  物品（通信装置）に関する情報を提供するＴＶ等の表示装置における種々の設定の簡素化を可能にする通信装置を提供する。赤外線通信路でＴＶ（４５）と接続されたＲＦ−ＩＤリーダライタ（４６）との間で近接無線通信を行うＲＦ−ＩＤ（４７）を有する撮影装置（１）であって、近接無線通信用のアンテナ（２１）と、リーダライタ（４６）から供給される入力信号を、受信するデータ受信部（１０５）と、少なくとも通信装置を特定するための識別情報であるＵＩＤ部（７５）と、当該ＵＩＤ部（７５）を参照してＴＶ（４５）によって実行される動作プログラム（１１６）とを記憶する不揮発性の第２メモリ（５２）と、入力信号に応じて、ＵＩＤ部（７５）および動作プログラム（１１６）を、アンテナ（２１）を介してリーダライタ（４６）に送信するデータ転送部（１０８）とを備え、送信されたＵＩＤ部（７５）および動作プログラム（１１６）は、リーダライタ（４６）を介してＴＶ（４５）に転送される。
2009084243.tif 000002
【特許請求の範囲】
【請求項１】
通信路で機器と接続されたリーダ装置との間で近接無線通信を行う通信装置であって、
前記近接無線通信用のアンテナ部と、
前記リーダ装置から供給される入力信号を、前記アンテナ部を介して受信する受信部と、
少なくとも前記通信装置を特定するための識別情報と、当該識別情報を参照して前記機器によって実行されるプログラムとを記憶する不揮発性のメモリ部と、
前記受信部で受信された入力信号に応じて、前記メモリ部に記憶された前記識別情報および前記プログラムを、前記アンテナ部を介して前記リーダ装置に送信する送信部とを備え、
前記送信部から送信された前記識別情報および前記プログラムは、前記送信部から、前記アンテナ部、前記リーダ装置および前記通信路を介して、前記機器に転送される
通信装置。
【請求項２】
前記プログラムは、前記機器が備える仮想マシンによって実行されるプログラムである請求項１記載の通信装置。
【請求項３】
前記プログラムは、スクリプト形式のプログラムである請求項２記載の通信装置。
【請求項４】
前記プログラムは、実行形式のプログラムである請求項２記載の通信装置。
【請求項５】
前記プログラムは、前記機器が、通信ネットワークを介して通信するサーバ機器へ接続するための情報を含む請求項２記載の通信装置。
【請求項６】
前記プログラムは、前記機器が有する固有情報に依存して、接続する前記サーバ機器を変更するステップを含む請求項２記載の通信装置。
【請求項７】
前記固有情報は、前記機器に設定されている言語コードである請求項６記載の通信装置。
【請求項８】
前記識別情報は、前記通信装置を一意に識別する通信用機器固有識別情報である請求項２記載の通信装置。
【請求項９】
前記通信用装置固有識別情報は、ＭＡＣ（Ｍｅｄｉａ  Ａｃｃｅｓｓ  Ｃｏｎｔｒｏｌ）アドレス、あるいはＭＡＣアドレスに相当する情報である請求項８記載の通信装置。
【請求項１０】
前記通信装置は、無線ＬＡＮのアクセスポイント機器であり、
前記通信用装置固有識別情報は、ＳＳＩＤ（Ｓｅｒｖｉｃｅ  Ｓｅｔ  Ｉｄｅｎｔｉｆｉｅｒ）、あるいはＳＳＩＤに相当する情報である請求項８記載の通信装置。
【請求項１１】
前記プログラムは、前記通信用機器固有識別情報を用いて、前記通信装置と通信ネットワークを介して論理的な接続を可能とするための認証プログラムである請求項８記載の通信装置。
【請求項１２】
前記通信装置は、さらに、前記プログラムを生成または更新するプログラム生成部を備える請求項２記載の通信装置。
【請求項１３】
前記プログラム生成部は、前記プログラムとして、前記機器が、通信ネットワークを介して通信するサーバ機器へ接続するためのサーバ接続プログラムを生成または更新する請求項１２記載の通信装置。
【請求項１４】
前記サーバ接続プログラムは、前記リーダ装置を介して前記機器が有する固有情報に依存して、接続する前記サーバ機器を変更する処理を含む請求項１３記載の通信装置。
【請求項１５】
前記固有情報は、前記機器に設定されている言語コードである請求項１４記載の通信装置。
【請求項１６】
前記通信装置は、さらに、前記通信装置の使用状況を検出し、前記使用状況に応じて使用状況情報を生成する使用状況検出部を有し、
前記プログラム生成部は、前記使用状況検出部で生成した前記使用状況情報を表示するためのプログラムを生成する請求項１２記載の通信装置。
【請求項１７】
前記使用状況検出部は、前記通信装置の動作に関する不具合を検出し、
前記使用状況情報は、少なくとも前記不具合の発生している前記通信装置内の場所を特定するための情報を含む請求項１６記載の通信装置。
【請求項１８】
前記使用状況検出部は、前記通信装置の動作に関した電力消費量を検出し、
前記使用状況情報は、少なくとも前記電力消費量を示した情報を含む請求項１６記載の通信装置。
【請求項１９】
前記プログラムは、
前記機器の持つ能力を判定するステップと、
前記判定ステップの結果に応じて、実行する処理を変更するステップと
を含む請求項２記載の通信装置。
【請求項２０】
前記通信装置は、
前記アンテナを介して電力が供給される第１電源と、第１電源とは異なる第２電源とを備え、
少なくとも前記第１電源で、前記アンテナ部、前記受信部、前記メモリ部、前記送信部を動作させる動作モードを持つ請求項２記載の通信装置。
【請求項２１】
前記受信部は、前記リーダ装置から送信される特定動作を指示する情報を受信し、
前記通信装置は、さらに、前記受信手段で受信した前記特定動作を指示する情報に従って、前記メモリ部に記憶された情報を書き換えるメモリ書き換え部を有し、
前記送信部は、前記メモリ書き換え部によって書き換えられた情報を前記リーダ装置に送信する請求項２記載の通信装置。
【請求項２２】
前記通信装置は、さらに、
撮像することによって画像データを生成する撮像処理部と、
前記生成した前記画像データを一次記憶する画像記憶部と、
少なくとも前記生成した画像データの一部又は全てを特定する画像状況情報と、前記画像記憶部に一次記憶した前記画像データを、通信ネットワークを介してアップロードする先となる画像サーバを特定するサーバ情報とを記憶する管理情報記憶部と、
前記管理情報記憶部に記憶された前記画像状況情報と前記サーバ情報とに従って、前記画像サーバから前記画像データをダウンロードするためのプログラムを生成または更新するプログラム生成部とを有し、
前記メモリ部は、前記プログラム生成部が生成または更新した前記プログラムを記憶し、
前記送信部は、前記リーダ装置に、前記メモリ部に記憶した前記画像状況情報、前記サーバ情報および前記プログラムを送信する請求項２記載の通信装置。
【請求項２３】
前記通信装置は、
前記アンテナを介して電力が供給される第１電源と、第１電源とは異なる第２電源を備え、
少なくとも前記第１電源で、前記アンテナ部、前記受信部、前記メモリ部、前記送信部を動作させるモードを持つ請求項２２記載の通信装置。
【請求項２４】
前記画像状況情報は、画像撮像日時と、画像撮影枚数、最終画像送信日時、画像送信枚数および最終画像撮影日時の少なくともいずれかとを含む請求項２３記載の通信装置。
【請求項２５】
機器と、前記機器と通信路で接続されたリーダ装置と、前記リーダ装置と近接無線通信を行う通信装置を備える通信システムであって、
前記通信装置は、
前記近接無線通信用のアンテナ部と、
前記リーダ装置から供給される入力信号を、前記アンテナ部を介して受信する受信部と、
少なくとも前記通信装置を特定するための識別情報と、当該識別情報を参照して前記機器によって実行されるプログラムとを記憶する不揮発性のメモリ部と、
前記受信部で受信された入力信号に応じて、前記メモリ部に記憶された前記識別情報および前記プログラムを、前記アンテナ部を介して前記リーダ装置に送信する送信部とを備え、
前記リーダ装置は、前記送信部から送信されてきた前記識別情報および前記プログラムを受信して前記機器に転送し、
前記機器は、前記リーダ装置から転送されてきた前記識別情報および前記プログラムを受信し、受信した前記プログラムを実行する
通信システム。
【請求項２６】
前記リーダ装置と前記機器とは、赤外線による通信路で接続され、
前記リーダ装置は、前記機器を遠隔操作するためのコントローラに内蔵されている
請求項２５記載の通信システム。
【請求項２７】
画面を有する機器と、前記機器と通信路で接続されたリーダ装置と、前記リーダ装置と近接無線通信を行う通信装置を備える通信システムにおいて、前記通信装置に関する画像を前記機器に提示する画像提示方法であって、
前記通信装置と前記リーダ装置とが、前記近接無線通信による通信が可能な位置まで接近したことを検知する検知ステップと、
前記接近が検知されると、前記通信装置に記憶されていた、当該通信装置の識別情報、および、当該識別情報を参照して前記機器によって実行されるプログラムを、前記通信装置から前記近接無線通信を介して前記リーダ装置に転送し、さらに、前記リーダ装置から前記通信路を介して前記機器に転送する転送ステップと、
前記機器が、転送されてきた前記識別情報を参照しながら前記プログラムを実行することで、前記画面に前記通信装置に関する画像を表示する表示ステップと
を含む画像提示方法。
【請求項２８】
さらに、前記通信装置が画像を取得し、取得した画像を、通信ネットワークを介して、画像サーバにアップロードするアップロードステップを含み、
前記表示ステップでは、通信ネットワークを介して、前記画像サーバから、前記識別情報に対応づけられた画像をダウンロードし、前記画面に表示する
請求項２７記載の画像提示方法。
【請求項２９】
通信装置の識別情報とともに当該通信装置内に保存されるプログラムであって、
前記通信装置との間で近接無線通信を行う機器が備える仮想マシンによって実行されるコードで記述され、
通信ネットワークで接続されたサーバ装置にアクセスするステップと、
アクセスした前記サーバ装置に保存された画像のうち、前記識別情報に対応する画像を前記サーバ装置からダウンロードするステップと、
ダウンロードした画像を表示するステップと
を含むプログラム。
【発明の詳細な説明】
【技術分野】
【０００１】
本発明はリーダ装置を備える機器との近接無線通信を行う通信装置等に関する。
【背景技術】
【０００２】
近年インターネットによるサービスは普及の一途をたどっている。ニュースや、天気予報、映画情報など、企業が作成するコンテンツのみならず、ユーザが作成したテキスト情報や、画像や、動画等をサーバで管理することで、いつでもインターネット経由でこれらのコンテンツを享受することができるといったサービスも、急速に増えつつある。【０００３】
写真共有サービスはこのようなサービスの１つである。ユーザは自身が撮影した写真をサーバへアップロードし、その後、インターネット経由で、ＰＣ等からアクセスすることで、いつでも自分が撮影した画像を閲覧することが可能となる。【０００４】
写真をサーバへアップロードする手段に関しては、デジタルカメラやメモリカードに無線ＬＡＮ機能を持たせ、撮影した画像をアップロードする手続きを容易にするために、撮影した画像を簡易な手続きで直接サーバへ自動的にアップロードする製品が最近、登場している。【０００５】
またサーバへアップロードした画像をダウンロードして閲覧する方法としては、インターネットに接続可能なＴＶを操作してサーバへアクセスし、ユーザＩＤやパスワードを入力する等のログイン処理を行い、サーバから画像を取得するＴＶの発売が開始されている。【０００６】
しかし、これらのダウンロードの処理は従来のパソコンのインタフェース技術を踏襲していたため操作性は改善されていなかった。最近、市販が開始されたインターネット機能搭載ＴＶは、数十回リモコンのボタンを押さないと写真等のデータをダウンロードすることができない。しかも手続きが複雑でマニュアルを見ないと操作できない。若い人やパソコン習熟者にとっては障壁が高くないかもしれない。しかし比較的高度な技術を要するため、中高年層や一般女性層にとっては煩雑で煩わしく、パソコンの操作に慣れていないユーザがこのようなサービスを享受するのは困難である。このような操作面の課題に対して、改善策が検討されてきた。しかし、これらの技術は従来のパソコンの操作方法の枠を超えていないため、操作性は大きく改善されていない。【０００７】
特許文献１では、サーバに繋がった表示装置はＲＦ−ＩＤリーダを持ち、物品はＲＦ−ＩＤのタグを持ち、ＲＦ−ＩＤの中の書き換え不可能のメモリに物品ＩＤ（ＵＩＤ）情報を持つ。サーバには、物品ＩＤ（ＵＩＤ）とユーザの顔写真等の画像が紐づけられたデータベースがある。物品をＲＦ−ＩＤのリーダに近づけるとＵＩＤが読まれ、そのＵＩＤに対応した画像をデータベースから取り出し、ユーザの顔写真等の画像を表示装置に表示させることにより、その持ち主が分かるという技術が開示されている。
【特許文献１】特開２００５−６３４２７号公報
【発明の開示】
【発明が解決しようとする課題】
【０００８】
ここで、前述した写真共有サービスをテレビによって享受するシステムを考えると、ＴＶは一般的にリモコンによって操作を行うため、サーバサーバへのアクセスやユーザＩＤやパスワードの入力は非常に煩雑であるという課題を有している。【０００９】
特許文献１では、表示装置にＲＦ−ＩＤを、物品にＲＦ−ＩＤを装備することで容易に物品の所有者の顔写真等の画像データを表示できる技術に関して開示されているが、物品のＲＦ−ＩＤには、ＵＩＤが記録されているのみで、ＴＶ端末とタグとがサーバへアクセスすることを簡易化するための情報をやりとりし、操作の手順を単純化するものではない。物品のＲＦ−ＩＤには、ＵＩＤしか記録されていないため、物品によって、接続するサーバが違う場合には、ＩＤと関連した画像情報を取得することができないという課題を有している。【００１０】
また、上記特許文献１の技術では、ＲＦ−ＩＤを装備した物品の個体ごと、種類ごと、あるいは、応用システムごとに、対応するアプリケーションプログラム（画像をダウンロードするためのプログラム等）をＴＶ端末が備える必要がある。そのために、ＴＶ端末は、多くの種類のアプリケーションプログラムを保持しておく必要があり、そのための記憶装置を必要とするだけでなく、プログラムの改訂等の保守が煩雑になるという問題もある。【００１１】
本発明は、前述の課題を解決するものであり、画像をサーバへアップロードし、アップロードされた画像を、ＴＶを用いて閲覧する場合などのケース、つまり、物品（通信装置）に関する情報を提供するＴＶ等の表示装置における種々の設定を簡易化することを可能にする通信装置等を提供することを目的とする。
【課題を解決するための手段】
【００１２】
上記目的を達成するために、本発明に係る通信装置は、通信路で機器と接続されたリーダ装置との間で近接無線通信を行う通信装置であって、前記近接無線通信用のアンテナ部と、前記リーダ装置から供給される入力信号を、前記アンテナ部を介して受信する受信部と、少なくとも前記通信装置を特定するための識別情報と、当該識別情報を参照して前記機器によって実行されるプログラムとを記憶する不揮発性のメモリ部と、前記受信部で受信された入力信号に応じて、前記メモリ部に記憶された前記識別情報および前記プログラムを、前記アンテナ部を介して前記リーダ装置に送信する送信部とを備え、前記送信部から送信された前記識別情報および前記プログラムは、前記送信部から、前記アンテナ部、前記リーダ装置および前記通信路を介して、前記機器に転送されることを特徴とする。【００１３】
これにより、通信装置内には、機器で実行されるプログラムが内蔵され、その通信装置とリーダ装置とが接近すると、通信装置内のプログラム等がリーダ装置を介して機器に転送され、機器において実行される。よって、通信装置をリーダ装置に接近させるだけで、その通信装置（あるいは、識別情報）に依存した処理が機器で行われ、物品（通信装置）に関する情報を提供するＴＶ等の表示装置における種々の設定が簡易化される。たとえば、カメラで撮影した画像をサーバにアップロードしておき、そのカメラをＴＶに近づけるだけで、そのカメラで撮った画像がＴＶにダウンロードされ、表示される。【００１４】
なお、本発明は、カメラ等の通信装置単体として実現できるだけでなく、機器と、前記機器と通信路で接続されたリーダ装置と、前記リーダ装置と近接無線通信を行う通信装置を備える通信システムであって、前記通信装置は、前記近接無線通信用のアンテナ部と、前記リーダ装置から供給される入力信号を、前記アンテナ部を介して受信する受信部と、少なくとも前記通信装置を特定するための識別情報と、当該識別情報を参照して前記機器によって実行されるプログラムとを記憶する不揮発性のメモリ部と、前記受信部で受信された入力信号に応じて、前記メモリ部に記憶された前記識別情報および前記プログラムを、前記アンテナ部を介して前記リーダ装置に送信する送信部とを備え、前記リーダ装置は、前記送信部から送信されてきた前記識別情報および前記プログラムを受信して前記機器に転送し、前記機器は、前記リーダ装置から転送されてきた前記識別情報および前記プログラムを受信し、受信した前記プログラムを実行する通信システムとして実現することもできる。【００１５】
また、本発明は、画面を有する機器と、前記機器と通信路で接続されたリーダ装置と、前記リーダ装置と近接無線通信を行う通信装置を備える通信システムにおいて、前記通信装置に関する画像を前記機器に提示する画像提示方法であって、前記通信装置と前記リーダ装置とが、前記近接無線通信による通信が可能な位置まで接近したことを検知する検知ステップと、前記接近が検知されると、前記通信装置に記憶されていた、当該通信装置の識別情報、および、当該識別情報を参照して前記機器によって実行されるプログラムを、前記通信装置から前記近接無線通信を介して前記リーダ装置に転送し、さらに、前記リーダ装置から前記通信路を介して前記機器に転送する転送ステップと、前記機器が、転送されてきた前記識別情報を参照しながら前記プログラムを実行することで、前記画面に前記通信装置に関する画像を表示する表示ステップとを含む画像提示方法として実現したり、通信装置の識別情報とともに当該通信装置内に保存されるプログラムであって、前記通信装置との間で近接無線通信を行う機器が備える仮想マシンによって実行されるコードで記述され、通信ネットワークで接続されたサーバ装置にアクセスするステップと、アクセスした前記サーバ装置に保存された画像のうち、前記識別情報に対応する画像を前記サーバ装置からダウンロードするステップと、ダウンロードした画像を表示するステップとを含むプログラム、あるいは、そのようなプログラムが記録されたＣＤ−ＲＯＭ等のコンピュータ読み取り可能な記録媒体として実現することもできる。
【発明の効果】
【００１６】
本発明に係る通信装置によれば、物品（通信装置）に関する情報を提供するＴＶ等の表示装置における種々の設定が簡素化される。たとえば、ユーザは撮影した画像をサーバへアップロードする処理や、ＴＶによってサーバから画像を閲覧するといった処理を煩雑な手続きを行うことなく簡易に行うことが可能となる。
【図面の簡単な説明】
【００１７】
【図１】図１は、本発明の実施形態１における撮影装置の全体システム図である。
【図２】図２は、本発明の実施形態１における撮影装置の外観図である。
【図３】図３は、本発明の実施形態１における撮影装置のブロック図である。
【図４】図４は、本発明の実施形態１における撮影装置の第２メモリの構図である。
【図５】図５は、本発明の実施形態１における撮影装置の第２メモリの構図である。
【図６】図６は、本発明の実施形態１における撮影装置の画像表示方法指示情報の構成図である。
【図７】図７は、本発明の実施形態１における撮影装置のカバーとＴＶの動作のフローチャート図である。
【図８】図８は、本発明の実施形態１における撮影装置のカバーとＴＶの動作のフローチャート図である。
【図９】図９は、本発明の実施形態１における撮影装置のカバーとＴＶの動作のフローチャート図である。
【図１０】図１０は、本発明の実施形態１における撮影装置のカバーとＴＶの動作のフローチャート図である。
【図１１】図１１は、本発明の実施形態１における撮影装置のカバーとＴＶの動作のフローチャート図である。
【図１２】図１２は、本発明の実施形態１における撮影装置のカバーとＴＶの動作のフローチャート図である。
【図１３】図１３は、本発明の実施形態１における撮影装置のカバーとＴＶの動作のフローチャート図である。
【図１４】図１４は、本発明の実施形態１における撮影装置のカバーとＴＶの動作のフローチャート図である。
【図１５】図１５は、本発明の実施形態１における撮影装置のカバーとＴＶの動作のフローチャート図である。
【図１６】図１６は、本発明の実施形態１における撮影装置のカバーとＴＶの動作のフローチャート図である。
【図１７】図１７は、本発明の実施形態１における撮影装置のカバーとＴＶの動作のフローチャート図である。
【図１８】図１８は、本発明の実施形態１における撮影装置のカバーとＴＶの動作のフローチャート図である。
【図１９】図１９は、本発明の実施形態１における撮影装置のカバーとＴＶの動作のフローチャート図である。
【図２０】図２０は、本発明の実施形態１における撮影装置のカバーとＴＶの動作のフローチャート図である。
【図２１】図２１は、本発明の実施形態１における撮影装置のカバーとＴＶの動作のフローチャート図である。
【図２２】図２２は、本発明の実施形態１における撮影装置とＴＶの表示方法を示す図である。
【図２３】図２３は、動作プログラムを格納する撮影装置のＲＦ−ＩＤ部、テレビに付随するリモコン、テレビのブロック図である。
【図２４】図２４は、ＲＦ−ＩＤに格納された動作プログラムを転送および実行する処理のフローチャートである。
【図２５】図２５は、画像のダウンロードおよびスライドショーを行う動作プログラムの記述の一例である。
【図２６】図２６は、言語コードに応じて動作プログラムの処理を変更するテレビと、プログラムを格納するサーバのブロック図である。
【図２７】図２７は、言語コードに応じて動作プログラムの処理を変更する処理のフローチャートである。
【図２８】図２８は、撮影装置１とＴＶ４５が無線ＬＡＮを含むホームネットワーク６５００の構成図である。
【図２９】図２９は、ＲＦ−ＩＤを用いない認証方法の一例である。
【図３０】図３０は、ＲＦ−ＩＤを用いた認証方法の一例である。
【図３１】図３１は、端末を近接させることが困難な場合の認証方法の一例である。
【図３２】図３２は、カメラ側動作の一例を示すフローチャートである。
【図３３】図３３は、ＴＶ側動作の一例を示すフローチャートである。
【図３４】図３４は、ＴＶで実行される動作プログラムを生成する撮影装置１の第１処理部、第２メモリ部のブロック図である。
【図３５】図３５は、第１処理部のプログラム生成部７００５の動作を示したフローチャートである。
【図３６】図３６は、プログラム生成部７００５で生成したプログラムの一例のフローチャートである。
【図３７】図３７は、撮影装置１の使用状況を表示する動作プログラムを生成する撮影装置１の第１処理部、第２メモリ部のブロック図である。
【図３８】図３８は、撮影装置１で生成したプログラムを外部機器で実行する場合のユースケースである。
【図３９】図３９は、撮影装置１で生成したプログラムを表示機能付きリモコンで実行する場合のシーケンスである。
【図４０】図４０は、本発明の実施形態２におけるカメラのアップロード手順を示すフローチャートである。
【図４１】図４１は、本発明の実施形態２におけるカメラのアップロード手順を示すフローチャートである。
【図４２】図４２は、本発明の実施形態１におけるカメラのアップロード手順を示すフローチャートである。
【図４３】図４３は、本発明の実施形態２におけるカメラのＲＦ−ＩＤ部の動作手順を示すフローチャートである。
【図４４】図４４は、本発明の実施形態２におけるＴＶの構成図である。
【図４５】図４５は、本発明の実施形態２におけるカメラとＴＶのＲＦ−ＩＤ通信の動作を示したフローチャートである。
【図４６】図４６は、図４５の詳細フローチャートである。
【図４７】図４７は、カメラとＴＶのＲＦ−ＩＤ通信のデータフォーマットである。
【図４８】図４８は、電子カタログ表示システムの概要図である。
【図４９】図４９は、電子カタログサーバ情報入力機の構成図である。
【図５０】図５０は、電子カタログサーバ情報入力機の処理の手順を示すフローチャートである。
【図５１】図５１は、電子カタログ通知カードのＲＦ−ＩＤの構成図である。
【図５２】図５２は、電子カタログを表示するＴＶの構成図である。
【図５３】図５３は、電子カタログサーバの構成図である。
【図５４】図５４は、電子カタログサーバの処理の手順を示すフローチャートである。
【図５５】図５５は、電子カタログを表示するＴＶの処理の手順を示すフローチャートである。
【図５６】図５６は、電子カタログの画面表示を示す図である。
【図５７】図５７は、顧客属性データベースのデータ構造を示す図である。
【図５８】図５８は、電子カタログデータベースのデータ構造を示す図である。
【図５９】図５９は、ＲＦ−ＩＤ付葉書郵送システムの概要図である。
【図６０】図６０は、ＲＦ−ＩＤ付葉書郵送システムのＴＶの構成図である。
【図６１】図６１は、ＲＦ−ＩＤ付葉書郵送システムの画像選択操作の画面表示を示す図である。
【図６２】図６２は、ＲＦ−ＩＤ付葉書郵送システムの画像サーバの処理の手順を示すフローチャートである。
【図６３】図６３は、本発明の実施形態５におけるシステム構成図である。
【図６４】図６４は、本発明の実施形態５における郵送物の固定情報の例を示す図である。
【図６５】図６５は、本発明の実施形態５における撮影装置の画像サーバへの関連づけのフローチャート図である。
【図６６】図６６は、本発明の実施形態５における撮影装置の中継サーバへの登録のフローチャート図である。
【図６７】図６７は、二次元コード付き郵送物の例を示す図である。
【図６８】図６８は、本発明の実施形態５における撮影装置の二次元バーコードを利用した処理のフローチャート図である。
【図６９】図６９は、本発明の実施形態５におけるテレビジョンのフローチャート図である。
【図７０】図７０は、本発明の実施形態５における中継サーバのフローチャート図である。
【図７１】図７１は、本発明の実施形態６における画像送信側構成の概略図である。
【図７２】図７２は、本発明の実施形態６における画像受信側構成の概略図である。
【図７３】図７３は、本発明の実施形態６における画像送信側テレビジョンの動作フロー図である。
【図７４】図７４は、本発明の実施形態６における画像受信側テレビジョンの動作フロー図である。
【図７５】図７５は、本発明の実施形態６の他の一例における画像送信側テレビジョンの動作フロー図である。
【図７６】図７６は、本発明の実施形態６における郵送物メモリ部の記録情報の一例を示す構成図である。
【図７７】図７７は、本発明のレコーダの構成図である。
【図７８】図７８は、本発明のＲＦ−ＩＤカードの構成図である。
【図７９】図７９は、サーバに設定情報を登録する手順に関するフローチャートである。
【図８０】図８０は、サーバに登録された設定情報の構成である。
【図８１】図８１は、ＲＦ−ＩＤカードに登録された機器操作情報の構成である。
【図８２】図８２は、ＲＦ−ＩＤカードでレコーダの設定情報を更新する手順に関するフローチャートである。
【図８３】図８３は、サーバから設定情報を取得する手順に関するフローチャートである。
【図８４】図８４は、レコーダで使用するＲＦ−ＩＤカードに登録された機器操作情報の構成である。
【図８５】図８５は、カーナビで使用するＲＦ−ＩＤカードに登録された機器操作情報の構成である。
【図８６】図８６は、ＴＶ等のリモコンにＲＦ−ＩＤリーダを搭載した場合の本発明の実施の形態における構成図である。
【図８７】図８７は、同実施の形態におけるフローチャートである。
【符号の説明】
【００１８】
１  撮影装置
３  電源スイッチ
６  レンズ
６ａ  表示部
２０  第１アンテナ
２１  第２アンテナ
２２  アンテナカバー
３０  撮像部
３１  映像処理部
３２  記録再生部
３３  第３メモリ
３４  ＩＣカード
３５  第１処理部
３６  暗号部
３７  通信部
３８  送信部
４０  インターネット
４２  サーバ
４５  ＴＶ
４６  ＲＦ−ＩＤリーダライタ
４７  ＲＦ−ＩＤ部
５１  記録再生部
５２  第２メモリ
９０  ＵＲＬ生成部
９１  第２電源部
９５  第２処理部
１００  電池
１０１  第１電源部
１０２  第３電源部
１０５  データ受信部
１０６  記録部
１０７  再生部
１０８  データ転送部
１１０  表示部（ＴＶ）
１１１  メディア識別情報
１１５  サービス内容識別情報
１１６  動作プログラム
１１７  動作プログラムが記録されているサーバ上のディレクトリ情報
１１８  動作プログラム選択情報
１１９  動作プログラム存在識別子
１２０  画像表示方法指示情報が記録されているサーバ上のディレクトリ情報
１２１  画像表示方法指示情報がサーバ上に存在するかの識別子
１２２  表示順序識別子
１２３  全画像表示識別子
１２４  特定ディレクトリの一部の画像情報
１２５  一覧表示識別子
１２６  スライドショー識別子
１２７  画質優先
１２８  速度優先
１２９  表示音声のディレクトリ
１３０  表示音声のディレクトリ
１３１  一部画像
１３２  特定使用者の画像
１３３  特定使用者のパスワード
１３４  画像の入ったディレクトリ
１３５  カメラの機種情報
１３６  強制印刷命令
１３７  印刷対象の画像データのディレクトリ
１３８  ＴＶのＲＦ−ＩＤリーダライタのアンテナ
１３９  ハガキ
１４０  カメラのアイコン
１４１  ハガキのアイコン
１４２  空白画像
１４３  実画像
１７０  起動部
１７１  通信部
１７２  電源検知部
１７３  変調部
１７４  第１メモリ
１７５  変調切り替え部
５００  電子カタログサーバ情報入力機
５０２  電子カタログ通知カード
５０４  ＲＦ−ＩＤリーダ部
５０６  電子カタログサーバ
５０７  電子カタログデータベース
５０８  顧客属性データベース
５２０  キー入力受付部
５２１  ＲＦ−ＩＤ送信入力受付部
５７３  ＵＲＬ生成部
５８４  画像選択部
５８８  ユーザ情報入力部
５８９  操作モード判定部
６０１  顧客属性データ取得部
６０２  電子カタログデータ取得部
６５０  電子カタログ表示画面
６５１  商品データ
６５２  フォーカス表示された電子カタログ操作選択肢
８００  プリンタ
８０１  ＲＦ−ＩＤ付葉書
８１０  葉書送付先情報入力部
８２０  葉書登録画像を選択する表示画面
８２１  葉書印刷画像を選択する表示画面
８２２  葉書挿入メッセージを入力する表示画面
８２３  葉書送付先情報を入力する表示画面
８２４  葉書送付確定を確認する表示画面
８２５  サムネイル画像
８２６  選択中のサムネイル画像
８２７  リモコン
２０００  レコーダ
２００１  チューナ
２００２  入力信号処理部
２００３  出力信号処理部
２００４  システム制御部
２００５  メモリ
２００６  操作入力部
２００７  通信部
２００８  ＨＤＤ
２００９  光ディスクドライブ
２０１０  バス
２０１１  設定情報処理部
２０１２  レコーダＩＤ
２０１３  設定情報
２１００  ＲＦ−ＩＤカード
２１０１  メモリ
２１０２  処理部
２１０３  機器操作情報
２１０４  操作機器識別情報
２１０５  対象機器情報
２１０６  操作指示情報
２１０７  通信情報
２１０９、２１１０、２１１１  操作指示情報データ
２１１２  ＵＲＬ
２１１３  ログインＩＤ
２１１４  パスワード
２２５０  設定情報
２２６０  指示内容情報
２２６１  指示対象情報
２２６２  通信実施情報
２５６０  画像サーバ
２５６１  インターネット
２５６２  撮影装置
２５６３  テレビジョン装置
２５６４  郵送物
２５６５  ＲＦ−ＩＤ
３００１  郵送物
３００２  ＲＦ−ＩＤ部
３００３  メモリ部
３０４５  テレビジョン
３０４６  ＲＦ−ＩＤリーダライタ
３０４７  表示部
５５０１  無線アンテナ
５５０２  通信可能装置検索部
５５０３  受信部
５５０４  復号部
５５０５  ＵＲＬ生成部
５５０６  通信部
５５０７  送信部
５５０８  通信インタフェース
５５０９  受信部
５５１０  データ処理部
５５１１  メモリ部
５５１２  表示部
５５１３  ＣＰＵ
５９４０  撮影装置１からサーバ４２に撮影画像をアップロードする場合のデータフォーマット
５９５０  撮影装置１とＴＶ４５のＲＦ−ＩＤ通信のデータフォーマット
６００５  テレビのプログラム実行環境
６００６  サーバ接続命令
６００７  ダウンロード完了時の処理設定命令
６００８  ダウンロード命令
６００９  ダウンロード完了時命令
６０１０  スライドショー表示命令
６５１２  無線通信装置
６５２０  表示機能付きリモコン
６５２１  無線通信送信部
６５２２  ＲＦ−ＩＤリーダ
６５２３  表示装置
６５２４  入力装置
６５２５  プログラム実行バーチャルマシン
６５３０  表示機能無しリモコン
６５３１  無線通信送信部
６５３２  ＲＦ−ＩＤリーダ
６５３３  入力装置
６５３４  ＬＥＤ
６５３５  メモリ
７０００  強制表示命令格納部
７００１  フォーマット識別情報格納部
７００２  プログラム記憶部
７００３  第２メモリ読み出し部
７００４  ＵＲＬ生成部
７００５  プログラム生成部
７００６  プログラム部品記憶部
７００７  プログラム書き込み部
７００８  製造番号格納部
７００９  言語コード格納部
７０１０  プログラム実行バーチャルマシン
７０２０  使用状況検出部
７０２１  不具合検出部
７０２２  使用電力検出部
【発明を実施するための最良の形態】
【００１９】
以下、本発明に係る通信装置、通信システム、画像提示方法およびプログラムについて、図面を参照しながら詳細に説明する。【００２０】
（実施の形態１）
本発明の実施の形態１について述べる。図１は本発明の概念図を示す。ここには、撮影装置（カメラ）１、ＴＶ（テレビジョン）４５およびサーバ４２から構成される通信システムが示されている。本図において、左側は撮影時の状況を示し、右側は撮影した画像を再生する時の状況を示す。【００２１】
撮影装置１は、本発明に係る通信装置の一例（ここでは、デジタルカメラ）であり、撮影時に関連する構成要素として、第１電源部１０１と、映像処理部３１と、第１のアンテナ２０と、第１処理部３５と、メディア識別情報１１１、撮影画像状況情報６０およびサーバ特定情報４８を記憶する第２メモリ５２と、ＲＦ−ＩＤのアンテナ２１とを備える。また、この撮影装置１は、再生時に関連する構成要素として、第１電源部１０１と、第１メモリ１７４と、電源検知部１７２と、起動部１７０と、メディア識別情報１１１、撮影画像状況情報６０およびサーバ特定情報５８を記憶する第２メモリ５２と、第２処理部９５と、変調部１７９と、通信部１７１と、第２電源部９１と、ＲＦ−ＩＤのアンテナ２１とを備える。【００２２】
ＴＶ４５は、リーダ装置を通信路で接続された機器の一例であり、具体的には、撮影装置１で撮影された画像データを表示するのに使用されるテレビ受像機であり、表示部１１０と、ＲＦ−ＩＤリーダライタ４６とを備える。【００２３】
サーバ４２は、撮影装置１からアップロードされる画像データを保存するとともに、その画像データをＴＶ４５にダウンロードするコンピュータであり、データ５０を保持するための記憶装置を備える。【００２４】
景色などの被写体を撮影した場合、映像処理部３１により撮影データに変換された画像データは通信が可能な条件下では、無線ＬＡＮ、ＷｉＭＡＸ用の第１アンテナ２０を用いてアクセスポイントに無線で送られ、インターネットを介して、予め設定したサーバ４２の中のデータ５０として記録される。【００２５】
この時、第１処理部３５は、撮影した画像データの撮影画像状況情報６０をＲＦ−ＩＤ４７の第２メモリ５２に記録する。この撮影画像状況情報６０の中には、画像撮像日時と、画像撮影枚数、最終画像送信日時、画像送信枚数および最終画像撮影日時の少なくともいずれかと、アップロードされた画像、もしくは、アップロードされていない画像、最終撮影番号等が記録される。【００２６】
また、サーバ４２にアップロードしたデータ５０を特定するためのＵＲＬを生成する。この情報画像データにアクセスするためのサーバ特定情報４８が第２メモリ５２の中に第１処理部３５により記録される。また、このＲＦ−ＩＤが内蔵されているシステムが、カメラかカードかハガキか等を識別するためのメディア識別情報１１１も第２メモリ５２に記録されている。【００２７】
第２メモリ５２はカメラの主電源（電池等の第１電源部１０１）が入っているときは、カメラの主電源により動作する。カメラの主電源が入っていなくても、ＲＦ−ＩＤのアンテナ２１に外部のＲＦ−ＩＤリーダライタから、電力が供給されるので、電池等の電源を持たない第２電源部９１が電圧を調整し、ＲＦ−ＩＤ回路部の第２メモリを含めた各ブロックに電力を供給し、それによって、第２メモリのデータを記録再生し、そのデータを送受信することができるようになる。なお、第２電源部９１は、整流回路等からなり、第２アンテナ２１で受信した電波から電力を作り出す回路である。第２メモリ５２は主電源のオンオフにかかわらず、第２処理部９５から読み書きでき、主電源がオンの場合は第１処理部３５から読み書きできるように構成されている。つまり、第２メモリ５２は、不揮発メモリから構成されるともに、第１処理部３５と第２処理部９５の双方から読み書きできる。【００２８】
この撮影装置１を旅行等の撮影が終了した後、再生する場合は、図１の右側の再生時に示すように、撮影装置１をＴＶ４５のＲＦ−ＩＤリーダライタ４６に近づける。すると、ＲＦ−ＩＤリーダライタ４６によりアンテナ２１を介して、ＲＦ−ＩＤ４７に電力が供給され第２電源部９１により、撮影装置１の主電源（第１電源部１０１）がオフであってもＲＦ−ＩＤ４７の各部に電源が供給される。第２処理部９５により第２メモリ５２の撮影画像状況情報６０とサーバ特定情報５８が読み出されアンテナ２１を介してＴＶ４５に送られる。ＴＶ側はサーバ特定情報５８に基づきＵＲＬを生成し、サーバ４２のデータ５０の画像データをダウンロードし、画像のサムネイル等を表示部１１０に表示する。撮影画像状況情報６０によりアップロードされていない撮影画像があると判断された場合は、その旨を表示部１１０に表示するとともに、場合により撮影装置１を起動させ、アップロードされていない画像データをサーバ４２へアップロードさせる。【００２９】
図２の（ａ）と図２の（ｂ）と図２の（ｃ）は、本発明の撮影装置１の外観の正面図と背面図と右側面図を示す。【００３０】
図２の（ｃ）に示すように右側面には、無線ＬＡＮ用のアンテナ２０とＲＦ−ＩＤ用のアンテナ２１が内蔵され、電波非遮蔽材料からなるアンテナカバー２２がとりつけられている。ＲＦ−ＩＤは１３．５ＭＨｚで無線ＬＡＮは２．５ＧＨｚであり、同波数が大きく異なり互いに干渉することがない。このため２つのアンテナ２０、２１を図２の（ｃ）に示すように、外部から見て、重なるように構成する。これにより設置面積を小さくできるため、撮影装置を小型化することができるという効果が得られる。また２つのアンテナのアンテナカバー２２を、図２の（ｃ）に示すように一つにまとめることができるため電波非遮蔽材料部を最小にできる。プラスチック等の電波非遮蔽材料は金属に比べると強度が低いため、この材料を最小にすることによりボディの強度の低下を軽減できるという効果がある。レンズ６と電源スイッチ３もある。２〜１６は後で説明する。【００３１】
図３は撮影装置１のブロック図を示す。【００３２】
撮像部３０から得られた画像データは、映像処理部３１を介して記録再生部３２に送られ、第３メモリ３３に記録される。このデータは脱着可能なＩＣカード３４に記録される。【００３３】
これらの処理は、ＣＰＵ等の第１処理部３５により指示される。撮影された写真や動画等の画像データは暗号部３６と通信部３７の送信部３８と第１アンテナ２０により無線ＬＡＮやＷｉＭＡＺ等の無線でアクセスポイント等に送られ、インターネット４０を介してサーバ４２に送られる。つまり、写真等の画像データがアップロードされる。【００３４】
通信状態が悪い場合や近くにアクセスポイントや基地局がない等の理由で、一部の画像データがアップロードできない場合がある。この場合、サーバ４２にアップロードされた画像と、まだアップロードされていない画像が混在する。この場合、サーバ４２の画像のデータと撮影した画像のデータに差異が生ずる。詳しくは後でするが、本発明の場合、ＴＶ４５等に付いているＲＦ−ＩＤリーダライタ４６で、撮影装置１のＲＦ−ＩＤ４７の第２メモリ５２のサーバ特定情報４８等を読みとり、このデータを用いてサーバ４２のＵＲＬ等を生成し、このＵＲＬを用いてＴＶ４５からサーバ４２にアクセスし、撮影装置１がアップロードしたファイルやフォルダ等のデータ５０にアクセスし、撮影装置１で撮影した画像のうちアップロードした画像をダウンロードしＴＶ４５に表示させる方式をとっている。【００３５】
もし、実際撮影した画像の一部もしくは全部がサーバ４２のデータ５０の画像データの中にアップロードされていないと、ＴＶ４５にダウンロードした場合、実際に撮影した画像の一部がＴＶ４５で視聴できないという課題が発生することが考えられる。【００３６】
この課題を解決するため、本発明では、第１処理部３５の撮影画像の状況データを記録再生部５１により第２メモリ５２の撮影画像状況情報５５にアップロード状況等を記録する。【００３７】
図４を用いて詳細に説明する。第２メモリ５２には、サーバ４２の画像データとカメラが撮影した画像データが一致しているか、言いかえると、同期しているかを示す同期情報５６が記録される。本発明では、ＴＶ４５が第２アンテナ２１を介して、第２メモリ５２の中の撮影画像状況情報５５を読みとる。このためサーバのデータ５０に不足した画像がないかどうかを即座に確認できる。もし、未アップロードの画像があるときはその結果をＴＶ４５の表示部に表示し、視聴者に「画像のアップロードをして下さい」の表示を出すか、ＲＦ−ＩＤのアンテナ２１経由でカメラに命令を出し、起動部１７０に起動信号を送り強制的に撮影装置１の第１電源部１０１を起動させ、撮影装置１の第１メモリ１７４等の中の未アップロード画像を無線ＬＡＮ、もしくは有線ＬＡＮ、もしくはＲＦ−ＩＤ用の第２アンテナ２１等を介してサーバ４２にアップロードさせる。【００３８】
ＲＦ−ＩＤのアンテナ２１経由の場合は伝送量が小さいため、元の画像データをそのまま、送ろうとするとアップロードと画像の表示に時間がかかり使用者に不快感を与える。これを避けるために、本発明では、アンテナ２１経由の場合、未アップロード画像のサムネイル画像を送る。これにより、見かけ上のアップロード時間や表示時間を短縮でき、使用者に不快感を与えることを軽減できる。現在のＨＦ帯のＲＦ−ＩＤでは数百ｋｂｐｓの伝送量の場合が多いが、４倍速も検討されている。この場合、数Ｍｂｐｓを実現できる可能性がある。未アップロード画像のサムネイル画像データを送れば、１秒間に数十枚の画像を送ることができる。一覧表示の場合は一般ユーザが容認できる時間内に未アップロード画像を含めた全画像をＴＶに表示させることができるという効果がある。この方法は一つの現実的な方法といえる。【００３９】
このように撮影装置を強制的に起動させ未アップロード画像を送る場合、無線ＬＡＮ、ＲＦ−ＩＤのアンテナ２１、有線ＬＡＮの内、最も速度が速く、安定している経路を用いてアップロードやＴＶへの表示を行う。第２アンテナ２１に信号を送る通信部１７１は第２アンテナ２１を介して外部から電源供給を受ける状況においては低速の変調方式を用いて通信を行うが、第１電源部１０１等から電源供給を受けられる状況においては必要に応じて、変調方式をＱＰＳＫ、１６ＱＡＮ、６４ＱＡＮ等の信号点数の多い変調方式に切り替え伝送を高速化させ未アップロードの画像データを短時間でアップロードする。なお、電源検知部１７２により第１電源等の余力が少ない事や外部電源が非接続であること等を検出すると第１電源部１０１からの電力供給を止め、変調方式切り替え部１７５により通信部１７１の変調方式を信号点数の少ない変調方式や、伝送レートの少ない変調方式に切り替える。このことにより第１電源部１０１の規定値以下の容量低下を未然に防ぐことができる。【００４０】
また、別の電力対策として、電力に余裕が無い場合は第２処理部９５や通信部１７１等は第２アンテナ２１を介してＴＶ４５のＲＦ−ＩＤリーダライタ４６に電力増加要求信号を送り支援を要求する。これに応えてＲＦ−ＩＤリーダライタは送信電力をＲＦ−ＩＤ読み取り時の電力の規定値より多い値に増加させる。ＲＦ−ＩＤ側はアンテナ２１を介して受ける供給電力量が増加するので、通信部１７１もしくは第１処理部３５へ電力を供給することができる。この方法により、第１電源部１０１の電池１００の電力量がへることがなくなる。もしくは電池１００がなくても送信作業を実質的に無限に継続できるという効果がある。【００４１】
また別の方法として、図３のアップロード画像データ情報６０を用いてもよい。アップロードした画像の情報６１、例えば、写真番号等を記録する。この情報をハッシュした情報６２を用いてもよい。この場合、情報量が減るという効果がある。【００４２】
このデータを用いると、ＴＶ４５がこのデータを読みとり、カメラの撮影した画像の情報と比較することにより、未アップロードの画像の情報を得ることができる。【００４３】
別の方法として、未アップロード画像データの存在識別情報６３を用いることができる。未アップロード画像データが存在するかどうかの存在識別子６４により未アップロード画像の有無を知らせることができるので、第２メモリ５２の情報を大幅に削減することができる。【００４４】
未アップロード画像の枚数６５でもよい。この場合、ＴＶ４５に読みとらせることができるため、アップロードが必要な枚数を視聴者に知らせることができる。この場合、枚数に加えて、データ容量を撮影画像状況情報５５として記録しておくと、未アップロード画像をアップロードするための予測時間をより正確にＴＶ４５に表示させることができる。【００４５】
また、未アップロード画像情報をハッシュした情報６７を用いてもよい。【００４６】
また、第２メモリ５２に最後に撮影した時間６８を記録することにより後にＴＶ４５から読み出しサーバ４２に接続したときにサーバ４２の最終アップロードした画像の撮影日と比べることにより簡易的に未アップロード画像の有無を判定することができる。また、古い順から画像番号を付与していく方式において撮影した画像の最終番号６９のみを記録していくことにより、サーバにアップロードされた画像の最後の画像番号と照合することにより未アップロード画像があるかどうかの情報を得ることができる。また、撮影した画像の情報７０、例えば、撮影した画像の画像番号の全てを第２メモリ５２に記録しておく。すると、後でサーバ４２にアクセスした時にサーバ４２にアップロードされた画像データと比較することにより未アップロードデータがあるかどうかを判断できる。この場合、撮影した画像情報をハッシュした情報７１を用いることによりデータを圧縮できる。【００４７】
第２メモリ５２のほかの情報として、ＲＦ−ＩＤのＵＩＤ７５、カメラＩＤ部７６、メディア識別情報１１１が記録されている。これらはカメラの主電源（時計のバックアップ等のサブ電源を除く）が入っていなくても、ＴＶ４５から第２アンテナ２１を介して読みとられ、カメラやユーザの識別や機器の認証に使われる。海外旅行等から帰ってきた時はバッテリの充電量が少ない場合が多いが本発明の場合、バッテリがなくても動作し情報を送るため利便性に優れている。メディア識別情報１１１はＲＦ−ＩＤを内蔵した機器、もしくは、メディアが、カメラ、ビデオ、ハガキ、カード、携帯電話であるかを示す識別子等が入っている。ＴＶ４５側では、この識別子により機器、メディアを特定できるため、画面上にカメラやハガキのマークやアイコンを、後述する図２２に示すように表示させたり、識別情報に応じて処理を変更することができる。【００４８】
また、画像表示方法指示情報７７が記録されているが、例えば、図５の一覧表示７８がＯＮの場合は、ＴＶ４５のＲＦ−ＩＤリーダライタ４６に第２アンテナ２１を近づけた時に写真等のサムネイルの画像データを一覧表示させる。【００４９】
スライドショー７９がＯＮの時はＴＶ４５に画像データを新しい順、もしくは古い順から１枚ずつ、次々と表示させる。【００５０】
第２メモリ５２の図の下部には、サーバ特定情報４８の記録領域が設けられている。【００５１】
これにより、カメラ操作者の好みに合った表示方法でＴＶ画面に表示される。【００５２】
この中にはサーバＵＲＬを生成するための元情報となるサーバＵＲＬ生成情報８０があり、サーバアドレス情報８１やユーザ識別情報８２を記録するための領域が設けられており、具体的にはログインＩＤ８３等が記録される。また、パスワード８４を記録するための領域があり、場合により暗号化されたパスワード８５が記録される。これらのデータは撮影装置１の内部やＲＦ−ＩＤ４７の内部、もしくは、カメラの内部、もしくは、ＴＶ４５側に設けられたＵＲＬ生成部９０によりサーバ４２の中の、この撮影装置、もしくは、ユーザに対応する画像データ群にアクセスするためのＵＲＬが生成される。このＵＲＬ生成部９０がＲＦ−ＩＤ４７の中にある時は第２電源部９１により電源供給される。【００５３】
また、ＵＲＬ９２を作成して直接、第２メモリ５２に記録してもよい。【００５４】
この第２メモリ５２のデータはＲＦ−ＩＤ側の第２処理部９５とカメラ側の第１処理部３５のどちらからでもデータを読める点が特長となる。【００５５】
従って、ＴＶ４５がカメラのＲＦ−ＩＤ４７を読みにいった場合は、アップロード状況情報やサーバアドレスやログインＩＤ、パスワードが瞬時に得られるためのサーバ４２の中のこのカメラに対応する画像データをダウンロードしてＴＶ４５に高速に表示できるという効果がある。【００５６】
この場合、撮影装置１の主電源が入っていなくても、ＲＦ−ＩＤリーダライタから電源が第２電源部９１に供給されるため動作するという効果がある。従って、撮影装置１の電池１００の電力が減らない。【００５７】
図３に戻ると、電池１００から第１電源部１０１は電力の供給を受け、カメラの各部に電源を供給する。しかし、休止状態においては第３電源部１０２により、時計１０３等に微弱な電源を供給する。場合によっては第２メモリ５２の一部のメモリにバックアップ電力を供給する。【００５８】
ＲＦ−ＩＤ４７は第２アンテナからの電力を受け、第２電源部９１を動作させ、第２処理部９５かデータ受信部１０５、記録部１０６、再生部１０７、データ転送部１０８（通信部１７１）や第２メモリ５２を動作させる。【００５９】
このためカメラの休止状態においては全く電力を消費しないため、カメラの電池１００を永く持たせることができる。【００６０】
カメラ、カード側の処理とＴＶ、ＲＦ−ＩＤリーダライタ側の処理を図７のフローチャートを用いて述べる。【００６１】
図７のステップ１５０ａで主電源がＯＦＦの時、ステップ１５０ｂで主電源ＯＦＦ時のＲＦ−ＩＤリーダライタの起動設定がされているかをチェックし、Ｙｅｓならステップ１５０ｃでＲＦ−ＩＤリーダライタ４６をＯＮにして、ステップ１５０ｅでＲＦ−ＩＤリーダライタの省電力モードに入る。【００６２】
ステップ１５０ｆではアンテナ部のインピーダンス等を測定もしくは近接センサの測定をして、ステップ１５０ｇでＲＦ−ＩＤをＲＦ−ＩＤリーダライタのアンテナに近づけると、ステップ１５０ｇで近接もしくは接触したかを検知した場合は、ステップ１５０ｈでアンテナに電力の出力を開始し、ステップ１５０ｋで第２電源がＯＮし、第２処理部が動作開始し、ステップ１５０ｍで交信を開始する。【００６３】
ステップ１５０で受信すると、図８のステップ１５１ａで相互認証を開始し、ステップ１５１ｆで相互認証を開始し、ステップ１５１ｂ、１５１ｇで相互認証がＯＫなら、ステップ１５１ｄで第２メモリのデータを読み出し、ステップ１５１ｅで第２メモリのデータを送信し、ステップ１５１ｉでＲＦ−ＩＤリーダライタは第２メモリのデータを受信し、ステップ１５１ｊで第２メモリの識別情報等が正しいかをチェックし、ＯＫならステップ１５１ｍでＴＶ４５側に自動電源ＯＮの識別情報ありかを見て、Ｙｅｓならステップ１５１ｒでＴＶの主電源がＯＦＦかをチェックして、ＯＦＦならば図９のステップ１５２ａでＴＶの主電源をＯＮして、ステップ１５２ｂで第２メモリ５２に強制表示命令がある場合は、ステップ１５２ｄでＴＶの入力信号をＲＦ−ＩＤの画面表示信号に切りかえるとともに、ステップ１５２ｅでフォーマット識別情報を読み、ステップ１５２ｆでフォーマット識別情報に応じて第２メモリを読み出し、データフォーマットを変えて該当するデータを読み、ステップ１５２ｇで第２メモリ部に「パスワード要求フラグ」がある場合はステップ１５２ｈで第２メモリの「パスワード入力不要のＴＶのＩＤ」を読み、ステップ１５２ｉで自機のＴＶのＩＤと「パスワード入力不要のＴＶのＩＤ」が一致しない時は、ステップ１５２ｑで第２メモリからパスワードを読み、ステップ１５２ｖでパスワードの暗号を復号し、ステップ１５２ｓでパスワードを送信する。なお、ステップ１５２ｑ、１５２ｒ、１５２ｓはサーバ４２が保持するデータ５０としてサーバ４２が備える記憶装置にパスワードを記録しても良い。【００６４】
ステップ１５２ｊでパスワードを入手、ステップ１５２ｋでパスワード入力画面を表示し、ステップ１５２ｍで入力されたパスワードが正しいかをチェックする。この作業はサーバ４２で行ってもよい。ＯＫならＲＦ−ＩＤの第２メモリの情報やプログラムに基づく表示を行う。【００６５】
図１０のステップ１５３ａで、第２メモリのＲＦ−ＩＤのメディア識別情報１１１がカメラならステップ１５３ｂでカメラのアイコン（文字）をＴＶの表示部に表示し、カメラでなかったらステップ１５３ｃで、郵便ハガキならステップ１５３ｄで郵便ハガキのアイコンを表示部に表示し、ステップ１５３ｅでＩＣカードであることがわかれば、ステップ１５３ｆでＩＣカードのアイコンを表示部に表示し、ステップ１５３ｇで携帯電話であることがわかれば、携帯電話のアイコンをＴＶ画面の角に表示させる。【００６６】
図１１のステップ１５４ａ、１５４ｉでサーバもしくは第２メモリからサービス内容識別情報を読みとり、ステップ１５４ｃで画像表示サービスか、ステップ１５４ｂでダイレクトメール等のハガキサービスか、ステップ１５４ｄで広告サービスか、をチェックし、ステップ１５４ｆと１５４ｊで第２メモリからサーバ特定情報４８を得て、もし第２メモリにＵＲＬ９２がない場合はステップ１５４ｈと１５４ｋに進み、サーバアドレス情報８１とユーザ識別情報８２を得て、図１２のステップ１５５ａ、１５５ｐでは第２メモリから暗号化されたパスワードを得て、ステップ１５５ｂで復号されたパスワードを得て、ステップ１５５ｃで上記情報からＵＲＬを生成して、第２メモリにＵＲＬ９２がある場合も含めてステップ１５５ｄで通信部とインターネットを介してＵＲＬのサーバにアクセス、ステップ１５５ｋでサーバ４２と接続開始して、ステップ１５５ｑで動作プログラム存在識別子１１９を読み、ステップ１５５ｅで動作プログラム存在識別子が有りか、ステップ１５５ｆで複数の動作プログラムもある場合は、ステップ１５５ｒで動作プログラム選択情報１１８を読み、ステップ１５５ｇで動作プログラム選択情報が設定されている場合は、ステップ１５５ｈで特定の動作プログラムのディレクトリ情報を選択し、ステップ１５５ｓで第２メモリの動作プログラムのサーバ上のディレクトリ情報１１７を読み、ステップ１５５ｉでサーバ上の特定ディレクトリの動作プログラムにアクセスし、ステップ１５５ｍで動作プログラムを送出もしくはサーバ上で稼動させ、ステップ１５５ｊで動作プログラムの稼動を開始（ＴＶ側もしくはサーバ側）させ、図１３のステップ１５６ａで画像利用サービスかをチェックし、Ｙｅｓならステップ１５６ｂで未アップロード画像データの確認作業を開始する。【００６７】
ステップ１５６ｉで未アップロードデータ存在識別子６４を読み、ステップ１５６ｃで未アップロードデータ存在識別子６４がＯＮの場合は、ステップ１５６ｄで未アップロード画像の枚数６６とデータ容量６５を読み、ステップ１５６ｅで未アップロード画像の枚数６６を表示し、未アップロードデータ容量６５からデータのアップロード予測時間をＴＶの表示部に表示し、ステップ１５６ｆで、もしカメラ側が自動画像アップロード可能状態にある場合は、ステップ１５６ｇでカメラを起動し、第１アンテナ２０もしくは第２アンテナ２１等を介して、無線もしくは、接点による有線で、サーバに未アップロードデータをアップロードし、完了すると図１４のステップ１５７ａへ進み、ステップ１５７ａで課金プログラムがあるかをチェックし、Ｎｏの場合はステップ１５７ｎで図６の画像表示方法指示情報の識別子１２１を読み、ステップ１５７ｂで画像表示方法識別情報がサーバにあるかをチェックし、Ｙｅｓならステップ１５７ｐで画像表示方法指示情報が記録されているサーバ上のディレクトリ情報１２０を読み出し、ステップ１５７ｃでＵＩＤ等に対応した画像表示方法指示情報が記録されているサーバ上のディレクトリ情報１２０を読み、ステップ１５７ｄでサーバ上の画像表示方法指示情報をサーバから得て、ステップ１５７ｆへ進む。【００６８】
ステップ１５７ｂがＮｏの場合はステップ１５７ｅに進み、画像表示方法指示情報をカメラより得て、ステップ１５７ｆに進む。【００６９】
ステップ１５７ｆでは画像表示方法指示情報に基づいて表示を開始、ステップ１５７ｇで全画像表示識別子１２３を読み、ステップ１５７ｇで全画像表示ならステップ１５７ｒで全画像を表示し、Ｎｏならステップ１５７ｓの特定ディレクトリ１２４の一部画像をステップ１５７ｈで表示し、ステップ１５７ｉで一覧表示識別子１２５ならステップ１５７ｔの表示順序識別子１２２を読み、ステップ１５７ｊで表示順序識別子に基づき、日付順、アップロード順に表示し、ステップ１５７ｖでスライドショー識別子１２６を読み、ステップ１５７ｋでＯＫならステップ１５７ｍで表示順序識別子１２２に基づき表示を行い、第２メモリから画質優先１２７を読み出し、図１５のステップ１５８ａで表示方法が画質優先でない場合はステップ１５８ｑで速度優先１２８かどうかをチェックし、ステップ１５８ｂで速度優先ならステップ１５８ｃで表示音声サーバにあるかを調べ、ステップ１５８ｓで音声のサーバのディレクトリ１３０を調べ、ステップ１５８ａで表示音声のサーバ上のディレクトリにアクセスし音声を出力させる。【００７０】
ステップ１５８ｅで優先表示画像が全画像でないならステップ１５８ｆで一部画像を選び、ステップ１５８ｖまたはステップ１５８ｗで特定ディレクトリ１２４の情報を入手（ステップ１５８ｇ）し、ステップ１５８ｈで特定ディレクトリの画像を表示する。ステップ１５８ｉのように全画像表示してもよい。ステップ１５８ｊで表示が完了すると、ステップ１５８ｋで「別の画像をみるか」の表示をして、Ｙｅｓの場合はステップ１５８ｍで別のディレクトリの画像のメニューを表示する。【００７１】
図１６のステップ１５９ａで特定使用者の画像を要求されると、ステップ１５９ｍで特定使用者全画像１３２のデータと特定使用者のパスワード１３３を得て、ステップ１５９ｂで特定使用者のパスワードを要求して、ステップ１５９ｃで正しければ、ステップ１５９ｐで画像リストが入ったファイルのディレクトリ情報１３４を読み、ステップ１５９ｄで特定使用者の画像リストが入ったディレクトリをアクセスし、ステップ１５９ｒでサーバの特定ディレクトリから画像データをダウンロードし、ステップ１５９ｅで特定使用者の画像を表示する。【００７２】
ステップ１５９ｆで色補正ルーチンを開始し、ステップ１５９ｇでカメラＩＤとカメラＩＤ部７６からカメラ機種情報を読み出し、ステップ１５９ｈと１５９ｔでカメラ機種の特性データをサーバからダウンロードする。次に、ステップ１５９ｉ、１５９ｕでＴＶの特性データをダウンロードする。ステップ１５９ｗでデータを演算し補正データを得る。ステップ１５９ｊでカメラとＴＶの特性データに基づき表示部の色や明るさを補正して、ステップ１５９ｋで正しい色と明るさで表示する。【００７３】
図１７のステップ１６０ａで強制印刷命令がＯＮであって、ステップ１６０ｂでカメラが近接した端末がプリンタ、もしくはプリンタに接続されている端末である場合は、ステップ１６０ｃで各画像データ毎のカメラ機種情報とプリンタの機種名を入手し、ステップ１６０ｄでサーバの各情報より補正データを算出し補正し、ステップ１６０ｐで印刷対象の画像データの入ったディレクトリ情報１３７を得て、ステップ１６０ｅで印刷対象の画像データ（ファイル名）が記録されたディレクトリのアドレスを用いてサーバにアクセスし、ステップ１６０ｍで特定のディレクトリの画像データを送出し、ステップ１６０ｆで印刷画像データを得て、ステップ１６０ｇで印刷し、ステップ１６０ｈで印刷を完了する。ステップ１６０ｉで１回印刷を完了したことを示す識別子を各画像データに記録し、ステップ１６０ｎでサーバ上で印刷した画像データに印刷完了識別子を付与する。【００７４】
次に、メディア（カメラ、ハガキ等）側のメモリに記録機能がない場合の実施の形態を述べる。【００７５】
図８の丸３、丸４、丸５からつながっている。まず、ＴＶ側では図１８のステップ１６１ａでＴＶの主電源をＯＮにし、ステップ１６１ｋで第２メモリからＵＩＤを読み、ステップ１６１ｂでＵＩＤを入手し、ステップ１６１ｍでサーバ特定情報４８を得て、ステップ１６１ｃでサーバのディレクトリにアクセスし、ステップ１６１ｄでこのＵＩＤに対応したサービスの最終サーバを検索する。ステップ１６１ｅで最終サーバがある場合はステップ１６１ｇで最終サーバにアクセスし、ＵＩＤリストから使用者のＩＤとパスワードとサービス名を読み出し、もしステップ１６１ｈでパスワードを要求する場合はステップ１６１ｉで正しいかどうか判定し、図１９のステップ１６２ａで写真やビデオのサービスかをチェックし、Ｙｅｓならステップ１６２ｂで前記ＵＩＤに関連づけられているサーバの特定ディレクトリの中から対応する課金等のプログラムや表示する画像データのアドレスやファイル名を含むリストと画像表示指示情報や強制表示命令や強制印刷命令やカメラＩＤを読み出し、これらのデータや手順に応じて表示や印刷作業を自動的に行う。【００７６】
必要に応じてパスワード入力を要求し、ステップ１６２ｃで特定の画像を印刷したい場合はステップ１６２ｄで印刷したい特定の画像データを前記ＵＩＤに対応するサーバ上、もしくはＴＶの印刷ディレクトリに加え、ステップ１６２ｅでＴＶにプリンタが接続されているか、単独のプリンタがあるかをチェックし、Ｙｅｓの場合はステップ１６２ｆでプリンタのＲＦ−ＩＤリーダライタにこのハガキ等のメディアのＲＦ−ＩＤ部を接近させると図２０のステップ１６３ａでプリンタは、前記メディアのＵＩＤを読み込み、図の修正サーバ上の前記印刷ディレクトリから印刷すべき画像データもしくは画像データの場所を読み出し、その画像データを印刷させ、ステップ１６３ｂで印刷が完了し、終了する。【００７７】
図１９の２３に続くステップ１６３ｉの次のステップ１６３ｂでショッピングサービスの場合はステップ１６３ｅで認証が正しいかチェックし、正しい場合はステップ１６３ｆで前記ＵＩＤに関連づけられているショッピング・課金プログラムをサーバから読み出し、プログラムを実行し、ステップ１６３ｇでプログラムが完了すると終了する。【００７８】
次にハガキに内覧されたＲＦ−ＩＤのデータをＲＦ−ＩＤリーダなしで読みとる方法を述べる。【００７９】
図２１のステップ１６４ａではハガキ等のメディアに付着もしくは内蔵されているとともに中継サーバのＵＲＬ情報が記録されている第２のＲＦ−ＩＤの外の面にはＵＩＤと中継サーバの第１ＵＲＬを特定するデータが２次元バーコードで印刷され表示されている。【００８０】
ステップ１６４ｂでは主サーバとの通信機能をもつとともに第１のＲＦ−ＩＤ部を待ち、この中に主サーバの第１ＵＲＬ情報が記録されているカメラがあり、このカメラの撮影部により、前記２次元バーコードを光学的に読みとり、第２のＲＦ−ＩＤのＵＩＤと中継サーバの第２ＵＲＬを特定するデータに変換する。【００８１】
ステップ１６４ｃで上記変換したデータをカメラのメモリに記録する。【００８２】
ステップ１６４ｄではカメラで撮影した画像から特定の画像群を選び、主サーバ上の特定の第１ディレクトリに記録する。同時に第２ＵＲＬの中継サーバ上の特定の第２ディレクトリに主サーバの第１ＵＲＬ情報とともに第１ディレクトリ情報をアップロードする。特定の第２ＲＦ−ＩＤのＵＩＤを前記第２ディレクトリに関連づけるための情報を前記第２ＵＲＬの中継サーバにアップロードし、ステップ１６４ｅでハガキ等のメディアを特定者に郵送する。【００８３】
ステップ１６４ｆでハガキを受けとった者がハガキのＲＦ−ＩＤ部をＴＶ等のＲＦ−ＩＤリーダ部に近づけ、中継サーバの第２ＵＲＬとハガキのＵＩＤを得る。【００８４】
ステップ１６４ｇでは第２ＵＲＬの中継サーバにアクセスし、前記ＵＩＤに関連づけられた第２ディレクトリの中のプログラムもしくは、かつ特定の画像データが記録されている主サーバの第１ＵＲＬと第１ディレクトリ情報を取り出し、主サーバから画像データをダウンロードし、ＴＶ画面上に表示する。この場合、一般的に商品やハガキに印刷されている、サーバ情報を記録した二次元バーコードを本発明の撮影装置の撮像部により読み取り、二次元バーコードの情報をデジタルデータとして、ＲＦ−ＩＤ部の第２メモリに記録し、ＴＶのＲＦ−ＩＤリーダにこのデータを読み取らせることにより、二次元バーコード用の光学センサのないＴＶでも間接的に二次元バーコードのデータを読み取り、サーバ等に自動的にアクセスすることができる。【００８５】
図２２（ａ）はＴＶ４５のＲＦ−ＩＤのアンテナ１３８に撮影装置１を近づけた時の表示状態を示す。【００８６】
撮影装置１をアンテナ１３８に近づけると、前述のようにカメラであることを認識するためのカメラのアイコン１４０を表示する。【００８７】
次に、未アップロードの画像が何枚（例：５枚）あるかわかるので５枚の空白画像１４２ａ、１４２ｂ、１４２ｃ、１４２ｄ、１４２ｅをカメラのアイコン１４０から出てきたが如く表示させる。【００８８】
このことにより、「モノから情報」への「タンジブル」な画像が表示されるため、ユーザが、より自然な感覚で画像をみることができる。【００８９】
データがサーバにある実画像は１４３ａ、１４３ｂ、１４３ｃのように、同様にタンジブルに表示される。【００９０】
図２２（ｂ）はハガキ１３９にＲＦ−ＩＤが埋めこまれている場合を示す。ＴＶ４５のＲＦ−ＩＤリーダライタ４６により、ハガキの属性情報が読みこまれるため、図に示すようにＴＶ４５の左下の角にハガキのアイコン１４１が表示され、図２２（ａ）と同様にサーバの画像やメニュー画面がタンジブルに表示される。【００９１】
以下に、図４の中で示された動作プログラム１１６を、撮影装置１のＲＦ−ＩＤ４７の通信対象となる機器である図３のＴＶ４５に送信し、このＲＦ−ＩＤ部の通信対象となる機器が、送信されたプログラムを実行する処理の詳細について説明する。【００９２】
図２３は、撮影装置１のＲＦ−ＩＤ４７の通信対象となる機器が、送信されたプログラムを実行する処理の行うブロック図である。本図には、撮影装置１の一部（ＲＦ−ＩＤ４７、第２アンテナ２１）、ＴＶ（テレビジョン）４５、および、ＴＶ４５のリモコン８２７から構成される通信システムが図示されている。ここで、撮影装置１は、赤外線通信路でＴＶ４５と接続されたＲＦ−ＩＤリーダライタ４６との間で近接無線通信を行うＲＦ−ＩＤ４７を有するカメラであって、近接無線通信用のアンテナ２１と、ＲＦ−ＩＤリーダライタ４６から供給される入力信号を、アンテナ２１を介して受信するデータ受信部１０５と、少なくとも通信装置を特定するための識別情報であるＵＩＤ部７５と、当該ＵＩＤ部７５を参照してＴＶ４５によって実行される動作プログラム１１６とを記憶する不揮発性の第２メモリ５２と、データ受信部１０５で受信された入力信号に応じて、第２メモリ５２に記憶されたＵＩＤ部７５および動作プログラム１１６を、アンテナ２１を介してＲＦ−ＩＤリーダライタ４６に送信するデータ転送部１０８とを備え、データ転送部１０８から送信されたＵＩＤ部７５および動作プログラム１１６は、データ転送部１０８から、アンテナ２１、ＲＦ−ＩＤリーダライタ４６および赤外線通信路を介して、ＴＶ４５に転送される点に特徴を有する。以下、各構成要素を詳細に説明する。【００９３】
撮影装置１のＲＦ−ＩＤ４７は、第２メモリ５２を有し、第２メモリ５２は、ＲＦ−ＩＤ部の通信対象となるＴＶ４５で動作する動作プログラム１１６を格納している。つまり、この動作プログラム１１６は、撮影装置１の識別情報を参照してＴＶ４５で実行されるプログラムの一例であり、例えば、後述するように、Ｊａｖａ（登録商標）等の実行形式プログラム、あるいは、Ｊａｖａ（登録商標）スクリプト等のスクリプト形式の仮想マシン用プログラムである。【００９４】
ＲＦ−ＩＤ４７の再生部は、第２メモリ５２から撮影装置１に固有のＵＩＤやＵＲＬを含むサーバ特定情報などの動作プログラムを実行するために必要な情報であるデータを、動作プログラム１１６とともに読み出し、データ転送部１０８および第２アンテナ２１を介してＴＶ４５の遠隔操作を行うリモコン８２７のＲＦ−ＩＤリーダライタ４６に送信される。【００９５】
リモコン８２７のＲＦ−ＩＤリーダライタ４６は、撮影装置１のＲＦ−ＩＤ４７から送信されたデータと動作プログラムを受信し、ＲＦ−ＩＤ記憶部６００１に記憶する。【００９６】
また、リモコン８２７のリモコン信号生成部６００２は、撮影装置１のＲＦ−ＩＤ４７から送信されてＲＦ−ＩＤ記憶部６００１に記録されたデータと動作プログラムを、現在リモコン用の通信に広く利用されている赤外線方式等のリモコン信号に変換する。【００９７】
リモコン信号送信部６００３は、リモコン信号生成部６００２で生成された動作プログラムを含むリモコン信号をＴＶ４５に対して送信する。【００９８】
ＴＶ４５のリモコン信号受信部６００４は、リモコン８２７から送信されたリモコン信号を受信し、プログラム実行部６００５は、例えば、Ｊａｖａ（登録商標）等の仮想マシンであり、復号部５５０４を介してリモコン信号から、撮影装置１のＲＦ−ＩＤ４７から送信されたデータと動作プログラムを取得し、動作プログラムを実行する。【００９９】
図２４では、動作プログラムとして「撮影装置１の識別情報（ここでは、ＵＩＤ）を参照して、画像サーバから画像データをダウンロードし、スライドショー形式で画像を表示する」という動作を実行する処理の流れを示す。【０１００】
リモコンを撮影装置１に近づけると、まず、撮影装置１のＲＦ−ＩＤ４７にリモコンのＲＦ−ＩＤリーダライタ４６からＲＦ−ＩＤの通信を介して電源が供給され、第２メモリ５２から、機器固有のＵＩＤ７５、画像サーバのＵＲＬ４８、動作プログラム１１６が読み出される（Ｓ６００１）。読み出したＵＩＤ、画像サーバＵＲＬ、動作プログラムは、データ転送部１０８および第２アンテナ２１によって、リモコン８２７に向けて送信される（Ｓ６００２）。ここで、動作プログラムは、図２５で示すように、サーバ接続命令６００６、ダウンロード命令６００８、スライドショー表示命令６０１０、ダウンロード完了時の処理設定命令６００７、ダウンロード完了時命令６００９で構成される。【０１０１】
リモコン８２７では、ＲＦ−ＩＤリーダライタ４６で撮影装置１から送信されたＵＩＤ、画像サーバＵＲＬ、動作プログラムを受信し（Ｓ６００３およびＳ６００４）、受信が完了すると、ＵＩＤ、画像サーバＵＲＬ、動作プログラムをＲＦ−ＩＤ記憶部６００１に記憶する（Ｓ６００５）とともに、ＵＩＤ、画像サーバＵＲＬ、動作プログラムをリモコン信号として赤外線方式で送信できる形式に変換しておく（Ｓ６００６）。そして、ユーザがリモコン８２７上で所定の操作入力を行い、リモコン信号を送信する指示を受け付けた場合（Ｓ６００７）、ＵＩＤ、画像サーバＵＲＬ、動作プログラムを含むリモコン信号をリモコン信号送信部から送信する（Ｓ６００８）。つまり、リモコン８２７は、通常のリモコンとしての機能のほかに、内蔵するＲＦ−ＩＤリーダライタ４６によって、撮影装置１からＴＶ４５に向けて、ＵＩＤ、画像サーバＵＲＬおよび動作プログラムを転送する中継器として機能する。【０１０２】
次に、ＴＶ４５では、リモコン８２７から送信されたリモコン信号を受信し（Ｓ６００９）、復号部でリモコン信号に含まれるＵＩＤ、画像サーバＵＲＬ、動作プログラムを取得する（Ｓ６０１０）。そして、プログラム実行部６００５が、ＵＩＤ、画像サーバＵＲＬを使用して動作プログラムを実行する（Ｓ６０１１〜６０１５）。動作プログラムは、まず画像サーバＵＲＬを用いて通信ネットワーク上の画像サーバ４２と接続を確立する（Ｓ６０１２および図２５の６００６）。そして撮像機器に固有の情報であるＵＩＤを用いて特定の撮像機器で撮影された画像データを、画像サーバ４２の記憶装置に保持された画像データ５０の中から選択し、テレビにダウンロードする（Ｓ６０１３、Ｓ６０１４および図２５の６００８）。つまり、ＵＩＤは、画像サーバ４２が保持する画像データのうち、ＵＩＤが示す撮影装置１に対応づけられた画像データを選択するために用いられる。画像のダウンロードが完了すると、画像をスライドショー形式で順次表示していく（Ｓ６０１５および図２５の６００７、６００９、６０１０）。図２５の６００７は画像ダウンロード完了時の処理を設定する命令であり、図２５では、画像ダウンロード完了時の処理として命令６００９を設定している。さらに、処理６００９の中で画像のスライドショー表示を実行する処理６０１０をコールしている。【０１０３】
なお、図２３および図２４では、リモコン８２７を介して動作プログラムや動作プログラムが使用するデータを撮影装置１からＴＶ４５に転送したが、リモコン８２７のＲＦ−ＩＤリーダライタ４６についてはテレビが備える構成であってもよい。つまり、ＲＦ−ＩＤリーダライタ４６がＴＶに内蔵されていてもよい。言い換えると、リーダ装置と機器とを接続する通信路は、赤外線等の無線通信路であってもよいし、有線の信号ケーブルであってもよい。【０１０４】
なお、上述の動作例では、ＵＩＤは、画像サーバ４２が保持する画像データから撮影装置１に対応する画像データを選択するために用いられたが、画像データが置かれている画像サーバを特定するのに用いられてもよい。たとえば、複数の画像サーバが存在する通信システムにおいて、ＵＩＤと、そのＵＩＤが示す撮影装置の画像データが保存されている画像サーバとが対応づけられている場合には、そのＵＩＤを参照して画像サーバのＵＲＬを決定するように動作プログラムを作成しておくことで、動作プログラムを実行したＴＶ４５は、ＵＩＤを参照することで、複数の画像サーバから当該ＵＩＤに対応づけられた画像サーバを特定し、その画像サーバから画像データをダウンロードすることができる。【０１０５】
また、撮影装置１を特定する識別情報としては、ＵＩＤに限られず、撮影装置１のシリアル番号、製造番号、ＭＡＣ（Ｍｅｄｉａ  Ａｃｃｅｓｓ  Ｃｏｎｔｒｏｌ）アドレス、ＭＡＣアドレスに相当する情報（ＩＰアドレス等）、あるいは、撮影装置１が無線ＬＡＮのアクセスポイントとしての機能を備える場合には、ＳＳＩＤ（Ｓｅｒｖｉｃｅ  Ｓｅｔ  Ｉｄｅｎｔｉｆｉｅｒ）、ＳＳＩＤに相当する情報であってもよい。さらに、上述の第２メモリ５２では、撮影装置１を特定する識別情報（ＵＩＤ７５）は、動作プログラム１１６とは別個に格納されていたが、動作プログラム１１６の中に格納（記述）されていてもよい。【０１０６】
なお、リモコン信号（つまり、リーダ装置と機器とを接続する通信路）は赤外線方式を使用すると説明したが、これに限定されるものではなく、例えば、Ｂｌｕｅｔｏｏｔｈなどの無線通信方式であってもよい。一般的に赤外線通信よりも高速な無線通信方式を用いることで、動作プログラム等の転送に必要な時間を短縮することができる。【０１０７】
なお、動作プログラムは図２５で示した書式のプログラムだけではなく、他のプログラミング言語でもよい。例えば、Ｊａｖａ（登録商標）で動作プログラムを記述すれば、Ｊａｖａ（登録商標）ＶＭと呼ばれるプログラム実行環境は汎用性が高いため、多様な機器での動作プログラムの実行が容易になる。また、Ｊａｖａ（登録商標）Ｓｃｒｉｐｔに代表されるスクリプト形式の小さい記憶容量に記憶できるコンパクトなプログラミング言語で記述すれば、第２メモリ５２で示されるＲＦ−ＩＤの記憶容量が小さい場合でも動作プログラムをＲＦ−ＩＤ内部に格納することができる。また、テレビのようなプログラム実行環境を備える機器の処理負荷を軽減するために、動作プログラムは図２５で示したようなソースコードとしてではなく、コンパイル等の処理を施した実行形式のプログラムであってもよい。【０１０８】
さらに図２６と図２７を用いて、ＲＦ−ＩＤリーダを備える表示装置の固有情報に応じて、プログラムの動作を変更する処理の詳細について説明する。【０１０９】
図２６で示すＴＶ４５は言語コード保持部６０１３を備え、プログラム実行部６００５は、リモコン信号として受信した動作プログラムがサーバ４２に接続する処理を行う場合に、言語コード保持部６０１３から言語コードを読み出して、言語コードに対応するサーバ４２に接続し、そのサーバ４２からサーバプログラムをダウンロードし、さらにダウンロードしたサーバプログラムを実行する。例えば言語コードが日本語であれば日本語に対応した処理を含むプログラム記憶部６０１１を備えるサーバ４２に接続し、そのプログラム記憶部６０１１から取得したサーバプログラムをテレビ上で実行する。すなわち、図２３で説明したような撮影装置１のＲＦ−ＩＤ４７に格納された動作プログラムは、サーバ４２への接続だけを実行し、それ以外の画像を表示するといった処理の実行には、サーバからダウンロードしたサーバプログラムを使用する。【０１１０】
このような処理の流れを図２７で説明する。撮影装置１のＲＦ−ＩＤ４７から動作プログラムや動作プログラムに必要なデータをテレビが受信する処理は図２４で説明した処理と同様である。ここで、ＴＶ４５がリモコン信号として受信したサーバ特定情報は、英語に対応したサーバ４２を示すサーバアドレスと日本語に対応したサーバ４２を示すサーバアドレスの２種類を含み、テレビがリモコン信号として受信した動作プログラムは、図２５の６００６で示したサーバへの接続命令が記述されているものとする。【０１１１】
ＴＶ４５の実行環境は、ＴＶ４５の言語コードを取得し（Ｓ６０１６）、言語コードが日本語であればサーバ特定情報の中から日本語に対応した処理を含むプログラム記憶部６０１１を備えるサーバのサーバアドレスを選択し（Ｓ６０１７、Ｓ６０１８）、言語コードが日本語でなければサーバ特定情報の中から英語に対応した処理を含むプログラム記憶部６０１１を備えるサーバのサーバアドレスを選択する（Ｓ６０１７、Ｓ６０１９）。次に選択したサーバアドレスを用いてサーバ４２に接続し（Ｓ６０２１）、サーバ４２からサーバプログラムをダウンロードする（Ｓ６０２２、Ｓ６０２３）。取得したサーバプログラムはテレビのプログラム実行環境（例えば、仮想マシン）で実行される（Ｓ６０２４）。【０１１２】
なお、図２６と図２７では言語コードの使用について説明したが、製造番号やシリアル番号のように、表示装置が販売および／または設置されている国を示す情報であってもよい。【０１１３】
図２８に撮影装置１とＴＶ４５が無線ＬＡＮやＰｏｗｅｒ  Ｌｉｎｅ  Ｃｏｍｍｕｎｉｃａｔｉｏｎ（以下、ＰＬＣ）などを用いてホームネットワーク６５００を構成している場合を示す。撮影装置１とＴＶ４５が無線ＬＡＮを通して直接通信が可能な直接通信部６５０１、６５０２を保有する場合には、撮影装置１は画像をインターネット上のサーバを介さずにＴＶ４５に送信することが可能となる。すなわち、撮影装置１自身がサーバの役割を兼ねることができる。しかし、無線ＬＡＮなどのホームネットワーク６５００で用いられるいくつかの通信媒体は他者に容易に傍受可能であるという特性をもつ。そのため、安全なデータ通信を行うためには相互に認証し、暗号化されたデータをやりとりする必要がある。例えば、現在の無線ＬＡＮ機器ではアクセスポイントを認証端末とし、認証してほしい端末の画面上に接続可能なアクセスポイントをすべて表示し、ユーザにアクセスポイントを選択させ、ＷＥＰキーを入力することによって暗号化された通信を行っている。しかし、一般のユーザにとってはこの処理は煩雑である。また、ＴＶなどの家電機器に無線ＬＡＮが内蔵された場合には、認証することが可能な端末が多数存在することになる。集合住宅などでは隣家の端末とも通信可能であるため、ユーザが認証端末を選択するということ自体が困難となる。例えば隣家で同機種のＴＶ６５０３を使用していた場合には、画面に表示される情報からユーザが自宅のＴＶ４５を識別するのは極めて困難である。【０１１４】
本発明ではこの課題を解決することが可能となる。本発明ではＲＦ−ＩＤを用いて、認証処理を行う。具体的には、上記動作プログラムとして、撮影装置１のＲＦ−ＩＤ部４７の第２メモリ５２にＭＡＣアドレス５８を含んだ認証プログラムを格納し、ＴＶ４５のＲＦ−ＩＤリーダライタ４６に近づけることによって、ＴＶ４５に認証プログラムを受け渡す。認証プログラムにはＭＡＣアドレスと共に、認証用の暗号鍵と認証コマンドが含まれており、ＲＦ−ＩＤ４７より渡された情報に認証コマンドが含まれていると認識したＴＶ４５は認証処理を行う。ＲＦ−ＩＤ４７の通信部１７１は物理的に近接させない限り通信ができないため、宅内では傍受することが極めて困難である。また、物理的に近づけることにより情報の受け渡しを行うため、隣家のＴＶ６５０３やＤＶＤレコーダ６５０４などの宅内の他の機器と間違った認証を行うことを回避することが可能となる。【０１１５】
図２９にＲＦ−ＩＤを用いない場合の認証方法の一例について示す。ユーザはカメラやＤＶＤレコーダなどの認証したい端末のＭＡＣアドレスと各端末の認証用の暗号鍵６５１１を入力する。入力されたＴＶ４５は入力されたＭＡＣアドレスを持つ端末に向かって、チャレンジ６５１３といわれる適当なメッセージを送信する。チャレンジを受信した撮影装置１はチャレンジメッセージ６５１３を認証用暗号鍵６５１１を用いて暗号化し、チャレンジを送信してきた端末であるＴＶ４５に向かって返信する。返信を受けたＴＶ４５は入力された認証用暗号鍵６５１１を用いてチャレンジを複合する。これによって、認証用暗号鍵６５１１の正当性を確認し、ユーザのミスや悪意を持ったユーザの介在を防いでいる。次に、データ用の暗号鍵６５１２ａを認証用の暗号鍵６５１１を用いて暗号化し、撮影装置１に向けて送信する。これにより、ＴＶ４５と撮影装置１間で暗号化されたデータ通信が可能となる。さらに、ＤＶＤレコーダ６５０４や他の機器（６５０５、６５０６）とも同様の処理を行い、共通のデータ暗号鍵６５１２ａを持つことにより、ホームネットワークにつながるすべての機器間で暗号化された通信ができるようになる。【０１１６】
図３０にＲＦ−ＩＤを用いた場合の認証方法について示す。ＲＦ−ＩＤを用いた認証処理では、認証プログラム６５２１ａを撮影装置１内で作成し、カメラのＲＦ−ＩＤ４７からＴＶのＲＦ−ＩＤ部４６に受け渡す。認証プログラム６５２１ａには認証コマンドと、カメラのＭＡＣアドレスとカメラの認証用暗号鍵が含まれている。認証コマンドを受けたＴＶはＲＦ−ＩＤよりカメラのＭＡＣアドレスと認証用暗号鍵を取り出し、データ用の暗号鍵を認証用暗号鍵により暗号化し、指定されたＭＡＣアドレスに対して送信する。この送信は無線ＬＡＮデバイスを用いて行われる。ＲＦ−ＩＤを用いた認証の場合には、機械的に行われるため、ユーザの入力ミスは発生しない。また、ＴＶ４５に接近するという動作が必要なことから悪意のあるユーザによる介在を回避することが可能となる。そのため、チャレンジなどの前処理動作を省略することが可能となる。さらに、物理的に近接させるという動作はユーザにどの端末とどの端末を認証させたかという事を容易に認識させることが可能となる。なお、認証用暗号鍵を認証プログラムに含まない場合には、一般の公開鍵認証と同様の手法を用いて認証処理を行ってもよい。また、通信デバイスは無線ＬＡＮではなくＰＬＣやＥｔｈｅｒｎｅｔ（登録商標）などのホームネットワークを構成するデバイスであればなんでもよい。また、ＭＡＣアドレスはホームネットワーク内で用いられる通信端末を識別することができる固有識別情報であればなんでもよい。【０１１７】
図３１に各端末を近接させることが困難な場合のＲＦ−ＩＤを用いた認証方法について示す。冷蔵庫とＴＶなどのように、双方ともに移動させることが困難な端末の場合には、ＲＦ−ＩＤを用いて直接認証プログラムを受け渡すことはきわめて難しい。このような場合に、本発明ではリモコン６５３１などの端末に付属する装置を用いて認証プログラム情報を中継してもらってもよい。具体的には、リモコン６５３１に内蔵したＲＦ−ＩＤリーダライタで冷蔵庫に内蔵したＲＦ−ＩＤのプログラムを読み出し、リモコン６５３１のメモリに記憶させ、ユーザによって移動リモコン６５３１を移動させる。リモコン６５３１をＴＶ４５に近づけると、リモコン６５３１のメモリ内に記憶したプログラムをＴＶのＲＦ−ＩＤに転送する。なお、リモコンからＴＶへの転送はＲＦ−ＩＤではなく、赤外線やＺｉｇＢｅｅなどのリモコン自身に元から内蔵されている通信手段を用いてもよい。すでに通信の安全性を確定された媒体であればなんでもよい。【０１１８】
図３２にカメラ（撮影装置１）側動作のフローチャートを示す。カメラは認証モードになると、認証用の暗号鍵を作成し、タイマを設定する（Ｓ６５４１）。次に、ＲＦ−ＩＤメモリ部に自身のＭＡＣアドレスと作成した認証鍵と認証コマンドを書き込む（Ｓ６５４２）。ユーザによって、ＴＶのＲＦ−ＩＤにカメラのＲＦ−ＩＤが近づけられると、カメラのＲＦ−ＩＤメモリ内のＴＶのＲＦ−ＩＤに転送する（Ｓ６５４３）。最初に設定されたタイマ時間内に応答が返ってきた場合には（Ｓ６５４４）、応答内に含まれる暗号化されたデータ用の暗号鍵を認証用暗号鍵を用いて復号する（Ｓ６５４５）。データ用暗号鍵を用いて他の機器と通信を行い（Ｓ６５４６）、データ通信が可能であった場合には（Ｓ６５４７）、認証処理を終了する。データが正しく復号できなかった場合には、認証エラーを表示し、処理を終了（Ｓ６５４８）する。また、タイマ時間内にＴＶよりの応答がなかった場合には、認証モードを解除（Ｓ６５４９）し、タイムアウトエラーを表示する（Ｓ６５５０）。【０１１９】
図３３にＴＶ４５側動作のフローチャートを示す。ＲＦ−ＩＤ部より受信した情報に認証コマンドが含まれるかどうかを判断（Ｓ６５６０）する。認証コマンドが含まれない場合には、受信した情報に応じた処理を実行する（Ｓ６５６１）。認証コマンドが含まれる場合には、ＲＦ−ＩＤ部より受信した情報が認証プログラムであるとし、認証プログラム内に存在する認証用暗号鍵を用いて自身の持つデータ用暗号鍵を暗号化する（Ｓ６５６２）。さらに、認証プログラム内に指定されたＭＡＣアドレスに対して暗号化済みのデータ用暗号鍵を送信する（Ｓ６５６３）。【０１２０】
以下に、図３にて説明した撮影装置１が、ＴＶ４５にて動作可能なプログラムを生成または更新し、データ送信部１７３から、ＴＶ４５にプログラムを送信し、ＴＶ４５にてプログラムを実行する形態について図面を用いて詳細に説明する。【０１２１】
図３４は、本形態における撮影装置１の第１処理部３５と第２メモリ５２のブロック図であり、第１処理部３５は、第２メモリ読み出し部７００２、ＵＲＬ生成部７００４、プログラム生成部７００５、プログラム部品記憶部７００６およびプログラム書き込み部７００７によって構成される。【０１２２】
第２メモリ読み出し部７００２は、記録再生部５１を通して、第２メモリ５２に記憶されている情報を読み出す部分である。【０１２３】
ＵＲＬ生成部７００４は、第２メモリ読み出し部７００２を介して、第２メモリ５２から、ＵＩＤ７５、サーバ特定情報４８、撮影画像状況情報５５および画像表示方法指示情報７７を読み出し、これらの情報から、画像がアップロードされているサーバ４２のアドレスであるＵＲＬを生成する。【０１２４】
ＵＩＤ７５は、撮影装置１を識別するための識別情報であり、撮影装置１台ごとにユニークな番号である。ＵＲＬ生成部７００４で生成されるＵＲＬには、ＵＩＤが含まれており、例えば、画像をアップロードする画像サーバ４２においてＵＩＤ毎にユニークなディレクトリに画像ファイルを保存するなどして、撮影装置１台ごとに異なるＵＲＬアドレスを生成することができる。【０１２５】
サーバ特定情報４８は、画像がアップロードされているサーバを特定するためのサーバ名であり、ＤＮＳ（Ｄｏｍａｉｎ  Ｎａｍｅ  Ｓｅｒｖｅｒ）を介することによって、サーバ４２のＩＰアドレスが判定でき、サーバ４２に接続することができる。よって、サーバ特定情報４８も、生成するＵＲＬに含まれる。【０１２６】
画像表示方法指示情報７７は、オプションとして、一覧表示７８、スライドショー表示７９などを選択できる情報である。ＵＲＬ生成部７００４は、この画像表示方法指示情報７７に基づいてＵＲＬを決定する。すなわち、一覧表示７８であるか、スライドショー表示７９であるかを示すＵＲＬを生成することによって、画像サーバは、ＵＲＬに基づいて、一覧表示を行うか、スライドショー表示を行うかを決定することができる。【０１２７】
以上のように、本ＵＲＬ生成部７００４は、第２メモリ５２に記憶されているＵＩＤ７５、サーバ特定情報４８、撮影画像状況情報５５および画像表示方法指示情報７７などから画像を視聴するための画像サーバへのＵＲＬを生成して、生成したＵＲＬをプログラム生成部７００５に出力する。【０１２８】
プログラム生成部７００５は、ＵＲＬ生成部７００４にて生成したＵＲｌと、第２メモリ５２に記憶されている強制表示命令７０００、強制印刷命令１３６およびフォーマット識別情報７００１によって、ＴＶ４５にて動作可能なプログラムを生成する部分である。なお、プログラム生成部７００５は、新たな動作プログラムの生成方法として、上述した情報に基づいて新たな動作プログラムを生成することもできるし、既に生成した動作プログラムを更新することで新たな動作プログラムを生成することもできる。【０１２９】
プログラム生成部７００５で生成するプログラムは、ＴＶ４５にて動作可能なプログラムであり、ＴＶ４５の図示しないシステムコントローラで動作可能なように、前記システムコントローラ用の機械語にコンパイルしている必要がある。この場合は、本プログラム生成部７００５内に、コンパイラを持っており、生成したプログラムを実行形式のプログラムに変換される。【０１３０】
一方、一般的なＪＡＶＡ（登録商標）スクリプトのように、テキスト形式（スクリプト）のプログラムであってもＴＶ４５に搭載されたブラウザによって実行されるプログラムである場合には、上記のコンパイラは必要ない。【０１３１】
プログラム生成部７００５に入力されるＵＲＬは、画像が記録されている画像サーバへの接続するためのＵＲＬであり、本プログラム生成部７００５は、ＵＲＬを用いてサーバへの接続プログラムを生成または更新する。【０１３２】
また、強制表示命令７０００は、ＴＶ４５にて例えば通常の放送波による番組を視聴中に、本撮影装置１の第２アンテナ２１から、ＴＶ４５のＲＦ−ＩＤリーダライタ４６とが通信可能になった場合に、画像サーバから画像情報を表示するためのブラウザ視聴モードに、ＴＶ４５を自動的に設定するオプションであり、本オプションが選択されている場合には、ＴＶ４５にて強制表示されるためのプログラムを生成する。【０１３３】
また、強制印刷命令１３６は、ＴＶ４５にて例えば通常の放送波による番組を視聴中に、本撮影装置１の第２アンテナ２１から、ＴＶ４５のＲＦ−ＩＤリーダライタ４６とが通信可能になった場合に、画像サーバに保存されている画像データを、ＴＶ４５に接続されている図示しないプリンタから自動的に印刷するオプションであり、本オプションが選択されている場合には、ＴＶ４５にて強制印刷されるための印刷用プログラムを生成する。【０１３４】
また、フォーマット識別情報７００１は、表示するためのフォーマット情報であり、本プログラム生成部７００５は、フォーマット情報の中の言語コード最適サイト選択のオプションが選択されていると、ＴＶ４５に設定されている言語コードによって、サーバに接続するＵＲＬを選択するためのプログラムを生成する。例えば、フォーマット情報の中の言語コード最適サイト選択のオプションが選択されている場合は、ＴＶ４５の言語コードが日本語である場合には、接続するＵＲＬとして、日本語のサイトを選択し、言語コードが日本語以外の場合は、接続するＵＲＬとして、英語のサイトを選択して接続するためのプログラムを生成する。従って、前記のＵＲＬ生成部７００４は、フォーマット情報の中の言語コード最適サイト選択のオプションが選択されている場合、日本語サイト用のＵＲＬと英語サイト用のＵＲＬの２つのＵＲＬを生成して、本プログラム生成部７００５に出力する。【０１３５】
プログラム部品記憶部７００６は、プログラム生成部７００５にてプログラムを生成するためのプログラムコマンド情報が記憶されている。本プログラム部品記憶部７００６に記憶されているプログラム部品は、一般的なライブラリやＡＰＩであってもいい。プログラム生成部７００５は、サーバへの接続コマンドを生成する場合、プログラム部品記憶部からサーバ接続コマンドである“Ｃｏｎｎｅｃｔ”に、ＵＲＬ生成部７００４で生成したＵＲＬをつなぎ合わせることによって、ＵＲＬに記述されたサーバに接続するための接続プログラムを生成または更新する。【０１３６】
プログラム書き込み部７００７は、プログラム生成部７００５で生成したプログラムを、第２メモリ部に書き込むためのインタフェースである。【０１３７】
プログラム書き込み部７００７から出力されるプログラムは、記録再生部５１を介して、第２メモリ５２のプログラム記憶部７００２に記憶する。【０１３８】
本撮影装置１のＲＦ−ＩＤ部が、ＴＶ４５に接続されているＲＦ−ＩＤリーダライタ４６に通信可能に接近した場合、再生部によって第２メモリ５２のプログラム記憶部７００２からプログラムを読み出し、データ転送部１０８、第２アンテナ２１を介して、プログラムを示す送信信号をＲＦ−ＩＤリーダライタ４６に送信する。送信された送信信号は、ＲＦ−ＩＤリーダライタ４６を介してＴＶ４５にて受信される。ＴＶ４５は、受信したプログラムを実行する。【０１３９】
また、ＴＶ４５には、製造番号７００８、言語コード７００９およびプログラム実行バーチャルマシン７０１０が存在する。【０１４０】
製造番号７００８は、ＴＶ４５の製造番号であり、これによってＴＶ４５が製造された日時、場所、製造ライン、製造者などが判定可能な情報である。【０１４１】
言語コード７００９は、ＴＶ４５に設定されているメニュー表示などに利用する言語コードであり、予め設定されている以外に、ユーザによって切り替えることも可能である。【０１４２】
プログラム実行バーチャルマシン７０１０は、受信するプログラムを実行するための仮想マシンであり、ハードウェアで構成されている場合もソフトウェアで構成されている場合も両方とも有効である。例えば、本プログラム実行バーチャルマシンは、ＪＡＶＡ（登録商標）バーチャルマシンで構成される。ＪＡＶＡ（登録商標）バーチャルマシンは定義された命令セットを実行するスタック型やインタプリタ型の仮想マシンである。このバーチャルマシンを搭載することによって、撮影装置１のプログラム生成部７００５で生成されたプログラムは、その実行プラットフォームを選ぶことはなくなり、どんなプラットフォームでも実行可能なプログラムを生成することが可能となる。【０１４３】
図３５は、撮影装置１のプログラム生成部７００５の動作を示したフローチャートである。【０１４４】
まず、本プログラム生成部７００５は、生成プログラム情報を初期化する（Ｓ７０００）。【０１４５】
次に、第２メモリ５２に記憶されているサーバ特定情報４８を用いて、ＵＲＬ生成部７００４で生成したＵＲＬを用いて、サーバ４２への接続コマンドを生成する。接続コマンドを生成するためには、プログラム部品記憶部７００６から、サーバ接続コマンド用の命令セット（例えば、図中の“Ｃｏｎｎｅｃｔ”）を選択して、ＵＲＬと組み合わせることによってサーバ接続プログラム（例えば、“Ｃｏｎｎｅｃｔ（ＵＲＬ）”）を生成する。【０１４６】
次に、第２メモリ５２の強制表示命令７０００を確認して、強制表示命令がＯＮかどうかを判定する（Ｓ７００１）。ＯＮになっている場合には、プログラム部品記憶部７００６から強制表示プログラム用の命令セットを呼び出し、強制表示コマンドを生成する（Ｓ７００２）。生成したコマンドは、プログラムに追加される（Ｓ７００４）。【０１４７】
一方、強制表示命令がＯＮではない場合には、強制表示コマンドを生成することはない。【０１４８】
次に、第２メモリ５２の強制印刷命令がＯＮに設定されているかを判定する（Ｓ７００５）。ＯＮになっている場合には、サーバに記憶されている画像ファイルを強制的に印刷するための印刷コマンドを生成する（Ｓ７００６）。生成されたコマンドはプログラムに追加される（Ｓ７００７）。【０１４９】
次に、第２メモリ５２の画像表示方法指示情報７７を確認し一覧表示７８がＯＮに設定されているかを判定する（Ｓ７００８）。ＯＮになっている場合には、サーバに記憶されている画像ファイルを一覧表示させるための一覧表示コマンドを生成する（Ｓ７００９）。生成されたコマンドはプログラムに追加される（Ｓ７０１０）。【０１５０】
次に、第２メモリ５２の画像表示方法指示情報７７を確認しスライドショー７９がＯＮに設定されているかを判定する（Ｓ７０１１）。ＯＮになっている場合には、サーバに記憶されている画像ファイルをスライドショー表示させるためのスライドショーコマンドを生成する（Ｓ７０１２）。生成されたコマンドはプログラムに追加される（Ｓ７０１３）。【０１５１】
以上のように、本撮影装置１のプログラム生成部７００５は、第２メモリ５２に設定された内容に基づいて、プログラム部品記憶部７００６に記憶されているプログラム生成用の命令コマンドセットを利用して、ＴＶ４５で画像表示させるためのプログラムを生成する。【０１５２】
なお、本実施の形態では、強制表示命令、強制印刷命令、一覧表示、スライドショーの場合で説明したがこれに限られない。例えば生成するプログラムとして、強制表示命令コマンドを生成する場合には、プログラムを実行する装置において、表示機器、表示機能があるかどうかの判定プログラムを挿入して、表示機器、表示機能がある場合のみ実行されるようにすれば、プログラムを実行する機器側の混乱をなくすプログラムを生成することができる。強制印刷命令コマンドの場合も同様である。強制印刷命令コマンドを実行する機器に印刷機能を持っていたり、印刷機能を持つ機器が接続されているかを判定するコマンドを挿入して、持っている場合にのみ、強制印刷命令コマンドを実行させるようにしたほうがよい。【０１５３】
次に、本撮影装置１におけるプログラム生成部７００５で生成または更新するプログラムについて説明する。【０１５４】
図３６は、本プログラム生成部７００５で生成するプログラムの処理の流れを示したフローチャートであり、本プログラムは、本撮影装置１の第２アンテナ２１を介して送信され、受信する本撮影装置１とは異なる機器が実行するプログラムである。本実施形態では、本撮影装置１とは異なる機器は、ＴＶ４５であり、ＲＦ−ＩＤリーダライタ４６で受信したプログラムをＴＶ４５の図示しないコントローラ（あるいは、仮想マシン）によって実行される。【０１５５】
本プログラムは、まず、ＴＶ４５に設定されている言語コードを、ＴＶ４５の固有情報として読み出す（Ｓ７０２０）。言語コードは、ＴＶ４５のメニュー表示などのときに使用する言語コードであり、ユーザが設定したものである。【０１５６】
次に、言語コードに設定された言語を判定する。本実施形態では、まず、言語コードが日本語であるかどうかを判定する（Ｓ７０２１）。言語コードが日本語であると判定された場合には、プログラム中のサーバへの接続コマンドのうち、日本語サイト用の接続コマンドを選択する（Ｓ７０２２）。一方、言語コードが日本語でないと判定された場合には、本プログラム中の英語サイトへの接続コマンドを選択する（Ｓ７０２３）。本実施形態では、言語コードが日本語であるかどうかのみを判定して、それぞれ日本語サイトへ接続するか、英語サイトへ接続するかを選択する形態を説明したが、２種類以上の言語コードにも対応できるよう、それぞれの言語コードに対応した接続プログラムを具備しておけば、２種類以上の言語コードへ対応することが可能となって、ユーザの利便性を向上させることができる。次に、選択した接続コマンドに従って、接続コマンド中に記されたＵＲＬに接続する（Ｓ７０２４）。【０１５７】
次に、接続コマンド中に記されたＵＲＬへ接続が成功したかどうかを判定する（Ｓ７０２５）。接続に失敗した場合には、ＴＶ４５の表示部に、接続に失敗したことを示す警告表示を行う（Ｓ７０２７）。一方、接続に成功した場合には、サーバに記憶されている画像ファイルをスライドショー表示させるためのコマンドを実行して、サーバに記憶されている画像ファイルをスライドショー表示させる（Ｓ７０２６）。【０１５８】
なお、本実施形態では、動作プログラムが画像をスライドショー表示させるためのプログラムである場合について説明したが、本発明に係る動作プログラムはこの限りではない。一覧表示や強制表示、強制印刷を行うプログラムでもいい。強制表示させるプログラムの場合には、サーバに記憶された画像ファイルを表示する設定に自動的に変更するためのステップがコマンドとして挿入される。これによって、ユーザは、ＴＶ４５の設定を手動で変更する手間を省いて、画像サーバからの画像ファイルを表示することができる。また、強制印刷の場合には、ＴＶ４５の設定を自動的に印刷可能なモードに切り替えるコマンドが挿入される。また、強制印刷、強制表示の場合には、それぞれ、印刷機能を有しているかの判定コマンド、表示機能を有しているかの判定コマンドを挿入することによって、印刷機能のない機器で強制印刷コマンドが実行されることがないようにすることが必要である。さらに、本発明に係る動作プログラムは、他のプログラムを導くための接続プログラムであってもよい。たとえば、ブートローダーのように、他のプログラムをロードして実行させるためのローダー・プログラムであってもよい。【０１５９】
以上のように、本実施の形態で開示した発明の特徴は、ＲＦ−ＩＤ通信手段（データ転送部１０８、第２アンテナ２１など）を有している機器である撮影装置１の第１処理部３５の中に、プログラム生成部７００５を有していることである。また、プログラム生成部７００５で生成または更新するプログラムは、ＲＦ−ＩＤを有する通信機器である本実施形態の撮影装置１以外の機器で実行されることも特徴である。【０１６０】
従来、ＲＦ−ＩＤを搭載する機器は、ＲＦ−ＩＤ通信部から自身が持つＩＤ情報（タグ情報）を他の機器（例えば本実施形態のＴＶ４５）に転送して、他の機器では、ＩＤ情報（タグ情報）に応じて、ＲＦ−ＩＤを持つそれぞれの機器でユニークな動作プログラムを他の機器の中に用意する必要があった。従って、ＲＦ−ＩＤを持った新しい商品が登場した場合には、その新しい商品に対応した動作プログラムを入手してインストールして実行するか、対応できない危機であるとして排除するしかなかった。また、動作プログラムのインストールには、専門的な知識が求められ、誰もが簡単に行えるものでもない。従って、ＲＦ−ＩＤを持つ機器が多数世に送り出されれば、本実施形態のＴＶ４５のような他の機器は陳腐化して、ユーザの財産価値を損ねるという問題がある。【０１６１】
本実施形態で説明した発明の開示によれば、ＲＦ−ＩＤを持った機器が、プログラム生成部７００５を有しており、ＴＶ４５などの他の機器には、ＩＤ情報（タグ情報）ではなく、プログラムを送信する。ＴＶ４５などの他の機器では、受信したプログラムを実行することによって、予めＲＦ−ＩＤを持つ機器毎に対応する動作プログラムを具備する必要がなくなり、例え、新しいＲＦ−ＩＤを持つ機器が登場した場合においても、新たなプログラムをインストールする必要がなくなり、ユーザ利便性を格段に向上させることができる。【０１６２】
よって、ＲＦ−ＩＤを装備した物品の個体ごと、種類ごと、あるいは、応用システムごとに、対応するアプリケーションプログラムをＴＶ等の端末が備えておく必要がなくなる。よって、ＴＶ等の端末は、多くの種類のアプリケーションプログラムを保持するための記憶装置を備える必要がなくなるとともに、端末が保持するプログラムの改訂等の保守も不要となる。【０１６３】
また、本プログラム生成部７００５が生成するプログラムはＪＡＶＡ（登録商標）言語のような実行プラットフォームを選ばないプログラムが有用である。よって、プログラムを実行するＴＶ４５のような機器にＪＡＶＡ（登録商標）の仮想マシンを用意することだけで、どのような機器のプログラムであっても実行することができる。【０１６４】
また、本発明のプログラム生成部７００５は、予め第２メモリ５２のプログラム記憶部７００３に記憶されているプログラムを更新する機能を有していてもよい。プログラムを更新する場合においても、プログラムを生成するのと同様の効果を有するためである。また、本プログラム生成部７００５で、生成または更新するプログラムは、ＴＶ４５にてプログラムを実行する場合に使用するデータの生成または更新であってもよい。通常、プログラムは、付随する初期設定データなどを有し、そのデータによって動作するモードを切り替えたり、フラグ設定をしたりするので、データを生成または更新する場合でも、プログラムを生成または更新するのと同様であり、本発明の範疇である。なぜなら、プログラムを実行するに当たって、そのモード切替などのパラメータをデータとして保持して読み出すのか、プログラム内部に埋め込んで実行させるかは設計事項であるためである。従って、本発明のプログラム生成部７００５で生成または更新するプログラムは、同時に前記プログラムが使用するパラメータ列などのデータも同時に生成することもできる。生成するパラメータとしては、第２メモリ５２に記憶されている強制表示命令７０００、強制印刷命令１３６、画像表示方法指示情報７７あるいはフォーマット識別情報７００１などに基づいて生成されるデータである。【０１６５】
次に、本発明におけるＲＦ−ＩＤを持った通信機器である撮影装置１の第２メモリ５２および第１処理部の特徴的な構成と動作を説明する。本実施形態では、ＲＦ−ＩＤをもった通信機器である本撮影装置１が、動作に関した不具合を検出したり、電力使用状況を検出したりする使用状況検出部を第１処理部３５に持ち、検出した使用状況を本撮影装置とは異なる機器であるＴＶ４５に表示させるためのプログラムを生成する形態について説明する。【０１６６】
図３７は、本発明の撮影装置１の第２メモリ５２、第１処理部３５の特徴的な構成を示したブロック図である。【０１６７】
第２メモリ５２は、ＵＩＤ７５、サーバ特定情報４８、カメラＩＤ部１３５およびプログラム記憶部７００２を持つ。【０１６８】
ＵＩＤ７５は、本撮影装置１を識別可能な機器一台毎に異なるシリアル番号である。【０１６９】
サーバ特定情報４８は、本撮影装置１の通信部３７から撮影した画像データをサーバ４２に送信する、サーバを特定する情報であり、サーバアドレスや保存ディレクトリ、ログインアカウント、ログインパスワードなどを含んでいる。【０１７０】
カメラＩＤ部１３５は、本撮影装置１の製造番号、製造年月日、製造元、製造ライン情報、製造場所などが記録されるとともに、本撮影装置１の機種を特定するためのカメラ機種情報も含んでいる。【０１７１】
第１処理部３５は、第２メモリ読み出し部７００２、使用状況検出部７０２０、プログラム生成部７００５、プログラム部品記憶部７００６およびプログラム書き込み部７００５で構成される。【０１７２】
第２メモリ読み出し部は、第２メモリ５２に記憶されている内容を記録再生部５１と介して読み出す部分である。本実施形態では、第２メモリ５２から、ＵＩＤ７５、サーバ特定情報４８、カメラＩＤ部１３５を読み出して、プログラム生成部７００５に出力する。なお、本第２メモリ読み出し部７００２は、後に説明する使用状況検出部７０２０からの読み出し信号が出力された時点で、第２メモリ５２から上記内容を読み出す。【０１７３】
使用状況検出部７０２０は、本撮影装置１を構成する機能単位毎に、その使用状況を検出する部分である。また、本撮影装置１を構成する機能単位毎に動作不具合を確認するセンシング部を有しており、各機能単位のセンシング部でのセンシング結果を本使用状況検出部７０２０に入力される。例えば、撮像部３０からは、撮像部の撮像動作に関する不具合が認められるかどうか（機能しているかどうか、本使用状況検出部からの呼びかけに対して正しく応答しているか）、映像処理部３１からは、撮像部３０が撮像した画像データのデータ処理において不具合が認められるかどうか（機能しているかどうか、本使用状況検出部からの呼びかけに対して正しく応答しているか）、第１電源部１０１からは、バッテリの電圧レベル、トータルの電力使用量が入力され、通信部３７からは、サーバとの接続に成功しているか、インターネットへの接続ができているか（機能しているかどうか、本使用状況検出部からの呼びかけに対して正しく応答しているか）、表示部６ａからは表示処理に不具合はないか、呼びかけに対して正しく応答しているか、機能しているかといった各機能単位毎に不具合情報や電池寿命、電力消費量が入力される。本使用状況検出部７０２０では、機能単位毎から送られてくる上記のようなステータス情報を元に、内部の不具合検出部７０２１で、機能単位毎に機能動作に対する不具合があるかどうかを判定して、不具合が認められる場合には、不具合箇所を特定する情報、不具合内容を特定する情報をプログラム生成部７００５に出力する。また、本使用状況検出部７０２０は、内部に使用電力検出部７０２２を持っており、電源部からのトータル使用電力情報に基づいて使用電力情報を生成してプログラム生成部７００５に出力する。【０１７４】
プログラム生成部７００５は、使用状況検出部７０２０からの不具合内容を特定する情報や使用電力情報をＴＶ４５で表示するためのプログラムを生成する。プログラム生成は、プログラムを構成するための命令セットがプログラム部品記憶部７００６に予め記憶されているので、不具合や電力消費量を表示するための表示コマンド（図３７では“ｄｉｓｐｌａｙ”）と、不具合箇所を特定する情報、不具合内容を特定する情報を表示するためのプログラムを生成する。なお、前述の電力消費量は、二酸化炭素の排出量に変換し、二酸化炭素排出量を表示するプログラムとして生成しても良い。【０１７５】
プログラム生成部７００５で生成したプログラムは、プログラム書き込み部７００７を介して、第２メモリ５２のプログラム記憶部７００２に記憶される。【０１７６】
第２メモリ５２のプログラム記憶部７００２に記憶されているプログラムは、データ転送部１０８を介して、第２アンテナ２１から、ＴＶ４５のＲＦ−ＩＤリーダライタ４６に送信される。【０１７７】
ＴＶ４５では、受信したプログラムを、プログラム実行バーチャルマシン７０１０にて実行される。【０１７８】
以上の構成によれば、撮影装置１の使用における使用状況検出部７０２０によって検知された不具合や使用状況情報をＴＶ４５にて表示するためのプログラムを第１処理部３５内のプログラム生成部７００５にて生成し、ＴＶ４５に送信して、ＴＶ４５にて撮影装置１の不具合情報や使用状況情報を表示する。これによって、ＴＶ４５では、撮影装置１などの機器に依存した複数のプログラムをインストールすることなく、ユーザに不具合情報や使用状況情報を表示することが可能となる。【０１７９】
従来システムでは、ＴＶ４５内に、撮影装置やビデオカメラ、電動歯ブラシ、体重計などの機器毎に、簡単な液晶ディスプレーなどの表示機能を用意して、その表示機能に不具合情報や使用状況情報を表示していた。従って、表示能力の低い表示機能しか搭載できず、不具合情報を記号列やエラーコードで表示することしかできなかった。従って、ユーザは、不具合情報などが出力されると、取扱説明書を紐解き、どのようなエラーであるかを判断する必要があった。しかしながら、一部のユーザは、取扱説明書を紛失したりして、インターネットのウェブサイトから情報を知りえた。【０１８０】
しかしながら、本発明のシステムにおいては、撮影装置１などの装置毎に検知した不具合情報を表示するための本撮影装置とは異なる表示能力の高い機器であるＴＶ４５で実行可能な不具合報告表示プログラムを生成することができ、上記のような問題を解消することができる。【０１８１】
以下に、図３にて説明した撮影装置１が生成したプログラムが、ＴＶ４５を含む複数の機器にて動作する形態について図面を用いて詳細に説明する。【０１８２】
図３８は、本形態において、撮影装置１が生成したプログラムが、複数の機器で実行される様子を示したものであり、撮影装置１、ＴＶ４５、表示機能付きリモコン６５２０、表示機能無しリモコン６５３０によって構成される。【０１８３】
ＴＶ４５は、前記ＲＦ−ＩＤリーダライタ４６、無線通信装置６５１２から構成される。無線通信装置６５１２は、例えば、現在多くの家電のリモコンで利用されている一般的な赤外線通信装置や、Ｂｌｕｅｔｏｏｔｈ（ブルートゥース）やＺｉｇＢｅｅ（ジグビー）と呼ばれる、電波を用いた家電向け短距離無線通信装置などである。【０１８４】
表示機能付きリモコン６５２０は、ＴＶ４５の無線通信装置６５１２に対して信号を送信するための送信部６５２１、映像を表示するための表示装置６５２３、ユーザからのキー入力を受け付ける入力装置６５２４、ＲＦ−ＩＤ４７と通信するためのＲＦ−ＩＤリーダ６５２２、ＲＦ−ＩＤリーダ６５２２で受信したプログラムを格納するためのメモリ６５２６、ＲＦ−ＩＤリーダ６５２２で受信したプログラムを実行するための仮想マシンであるプログラム実行バーチャルマシン６５２５から構成される。例えば、近年の携帯電話は赤外線通信機能やＢｌｕｅｔｏｏｔｈ、ＲＦ−ＩＤリーダ、液晶画面、キー入力部、ＪＡＶＡ（登録商標）バーチャルマシンなどを保持する、表示機能付きリモコンの一例である。表示装置６５２３と入力装置６５２４は、液晶画面と複数の文字入力ボタンであっても良いし、タッチパネル液晶のように一体となっていてもよい。【０１８５】
表示機能無しリモコン６５３０は、ＴＶ４５の無線通信装置６５１２に対して信号を送信するための送信部６５２１、ボタンなどの、ユーザからの入力を受け付ける入力装置６５３３、ＲＦ−ＩＤ４７と通信するためのＲＦ−ＩＤリーダ６５３２、ＲＦ−ＩＤリーダ６５３２から受信したデータを一時的に格納するメモリ６５３５から構成される。【０１８６】
表示機能無しリモコン６５３０は、現在多くのＴＶに付属した一般的なリモコンに、ＲＦ−ＩＤリーダを内蔵した機器などが考えられる。【０１８７】
本形態では、撮影装置１で生成したプログラムを、ＴＶ４５のＲＦ−ＩＤリーダライタ４６を介することにより直接ＴＶ４５に送信し、ＴＶ４５でプログラムを実行する第１のケース、撮影装置１で生成したプログラムを、表示機能無しリモコン６５３０を介することにより間接的にＴＶ４５に送信し、ＴＶ４５でプログラムを実行する第２のケース、撮影装置１で生成したプログラムを、表示機能有りリモコン６５２０を介することにより間接的にＴＶ４５に送信し、ＴＶ４５でプログラムを実行する第３のケース、撮影装置１で生成したプログラムを、表示機能有りリモコン６５２０に送信し、表示機能有りリモコン６５２０でプログラムを実行する第４のケースが考えられ、ユーザは４つのケースを選択的に実行する。【０１８８】
ここで第１のケースは、実施の形態１ですでに述べているため説明を省略する。【０１８９】
下記に、第２〜第４のケースに関して、詳細を説明する。【０１９０】
第２のケースは、一般的なＴＶリモコンのように、液晶パネルなどのグラフィカルな表示装置を持たない表示機能無しリモコン６５３０を介して、撮影装置１で生成したプログラムをＴＶ４５で実行するケースである。【０１９１】
ユーザが、ＲＦ−ＩＤ４７をＲＦ−ＩＤリーダ６５３２に近接させた場合、ＲＦ−ＩＤリーダ６５３２は、撮影装置１で生成されたプログラムを読み出し、メモリ６５３５に保持する。【０１９２】
次に、ユーザが入力装置６５３３を押下すると、送信部６５３１からＴＶ４５の無線通信装置６５１２に対して、メモリ６５３５に保持されていたプログラムが送信され、ＴＶ４５上のプログラム実行バーチャルマシン７０１０でプログラムが実行される。無線通信装置６５１２が指向性を持つ赤外線通信装置の場合、ユーザは表示機能無しリモコン６５３０を対応するＴＶ４５に向けた状態で入力装置６５３３を押下する。無線通信装置６５１２が指向性を持たないＢｌｕｅｔｏｏｔｈやＺｉｇＢｅｅなどの短距離無線通信装置であった場合は、事前にペアリングされているＴＶ４５に対して、プログラムが送信される。短距離無線通信装置の場合は、ユーザが入力装置６５３３を押下しなくとも、ＲＦ−ＩＤリーダ６５３２がＲＦ−ＩＤ４７からプログラムを読み込んだ時点で、自動的にペアリングされたＴＶ４５に読み込んだプログラムを送信してもよい。【０１９３】
また、表示機能無しリモコン６５３０は、ＲＦ−ＩＤリーダ６５３２で読み込んだデータをメモリ６５３５に保持していることをユーザに通知するための表示装置、例えばＬＥＤ６５３４を構成要素に持ち、ＲＦ−ＩＤリーダ６５３２からメモリ６５３５にプログラムを読み込んだ際にＬＥＤ６５３４を点灯させ、ユーザが入力装置６５３３を押下し、ＴＶ４５にプログラムを送信完了した際にＬＥＤ６５３４を消灯させてもよい。これにより、表示機能無しリモコンがプログラムを保持していることをユーザに明確に通知することが可能となる。ＬＥＤ６５３４は、単体のＬＥＤであってもよいし、入力装置６５３３と一体となっていてもよい。【０１９４】
第２のケースでは、ユーザとＴＶ４５の位置が離れていた場合であっても、手元の表示機能無しリモコン６５３０を利用することにより、ＴＶ４５上でプログラムを実行することが可能となる。【０１９５】
第３、第４のケースは、例えばスマートフォンと呼ばれる高機能な携帯電話のように、表示機能付きリモコン６５２０がプログラム実行バーチャルマシンを持っている場合に、撮影装置１で生成したプログラムを表示機能付きリモコン上で実行することも、ＴＶ４５にプログラムを送信することによりＴＶ４５上でプログラムを実行することも、ユーザが選択できるようにする場合の例である。【０１９６】
ユーザが、ＲＦ−ＩＤ４７をＲＦ−ＩＤリーダ６５２２に近接させた場合、ＲＦ−ＩＤリーダ６５２２は、撮影装置１で生成されたプログラムを読み出し、メモリ６５３５に保持する。【０１９７】
次に、表示機能付きリモコン６５２０の動作を、図３９のフローチャートを用いて、詳細に説明する。【０１９８】
まず、ＲＦ−ＩＤリーダ６５２２で読み出したプログラムが、プログラム実行バーチャルマシン６５２５に転送され、実行される（Ｓ６６０１）。【０１９９】
次に、リモコン６５２０が表示デバイスを持つか否かを判定する（Ｓ６６０２）。リモコン６５２０が表示機能を持っていない場合（Ｓ６６０２でＮ）は、送信部６５２１を用いてプログラムをＴＶ４５に送信し、処理を終える。この場合、プログラムはＴＶ４５上で実行される。【０２００】
リモコンが表示機能を持っている場合（Ｓ６６０２でＹ）、リモコンと送信先のＴＶ４５とがペアリングされているか否かを判定する（Ｓ６６０３）。リモコン６５２０とＴＶ４５がペアリングされていない場合（Ｓ６６０３でＮ）は、リモコン６５２０の表示装置６５２３を用いてプログラムの続きが実行される。リモコン６５２０とＴＶ４５がペアリングされている場合（Ｓ６６０３でＹ）は、ユーザに選択を促すため、表示装置６５２３に「ＴＶに表示しますか？リモコンで表示しますか？」というダイアログ・メッセージを表示する（Ｓ６６０４）。【０２０１】
次に、入力装置６５２４からのユーザ入力を受け付け（Ｓ６６０５）、ユーザがＴＶに表示を選択したか否かを判定する（Ｓ６６０６）。ユーザがＴＶ４５で表示することを選択した場合（Ｓ６６０６でＹ）、送信部６５２１を用いてプログラムをＴＶ４５に送信し、処理を終える。この場合、プログラムはＴＶ４５上で実行される。ユーザがリモコンで表示することを選択した場合（Ｓ６６０６でＮ）、リモコン６５２０の表示装置６５２３を用いて、プログラムの続きが実行される（Ｓ６６０７）。【０２０２】
また、上記で示したプログラムの続きとは、前述した、撮影装置１のバッテリ状態、不具合状態、取扱説明書の表示などであり、本実施の形態に制限されるものではないことは当然である。【０２０３】
以上の構成によれば、撮影装置１で生成したプログラムが、表示機能付きリモコン機器に送信され、表示機能付きリモコンの能力を判定し、リモコン上でプログラムの続きをどの機器で実行するか否かが決定される。これによって、リモコン自身に複数の機器に対応したプログラムをインストールしておく必要がなく、ユーザは好みの形態でプログラムを実行することが可能となる。【０２０４】
また、本実施の形態においては、リモコンの表示機能の有無、ペアリング状態を判定条件として説明したが、これらに限るものではない。通信能力、音声・映像再生能力、入力デバイス、出力デバイスなど、機器の持ちうる能力に従ってどのような判定をプログラムが行ったとしても良い。【０２０５】
また、本実施の形態においては、表示機能無しリモコン６５３０が、１つのＲＦ−ＩＤ（ここでは撮影装置１）を読み取る毎にＴＶ４５に情報を送信する例を示したが、リモコンで２つ以上のＲＦ−ＩＤを読み取った後で、読み取ったデータをＴＶ４５にまとめて送信するとしても良い。これにより、例えばＲＦ−ＩＤ付心拍数計とＲＦ−ＩＤ付き万歩計（登録商標）それぞれの情報をリモコンで順番に取得し、その後でまとめてＴＶ４５に情報を送信し、歩行履歴と心拍数履歴をひとつのグラフとしてＴＶ４５に表示するといった事が可能となる。もしも心拍数計と万歩計（登録商標）それぞれにプログラムが格納されていた場合、ＴＶ４５が実行するプログラムの選択は、最後に読み出された機器のプログラムとしても良いし、ユーザが選択するとしても良い。また、プログラムで実行する機能を選択するとしても良い。また、表示機能付きリモコン６５２０においても、同様に、２つ以上のＲＦ−ＩＤを読み取った後で、リモコン６５２０上の表示装置を用いて、複数のＲＦ−ＩＤから読み出した情報をまとめて表示するとしても良いことは言うまでもない。【０２０６】
以上、説明してきたように、ＲＦ−ＩＤの記憶領域がデータだけでなく、機器の動作を記述したプログラムを保持することにより、従来では機器の動作を変更するために必要であったプログラムの変更や更新が大幅に容易なものとなり、多数の新機能の追加や連携機器の増加にも対応が可能である。また、ＲＦ−ＩＤを用いた近接通信は、近づけるというユーザにわかりやすい操作であるので、従来はボタンやメニューを操作して面倒であった機器操作も簡単にすることができ、複雑な機器の動作を使いやすくすることができる。【０２０７】
（実施の形態２）
次に、本発明に係る通信システムの具体的な動作、つまり、カメラで取得した画像をアップロードしておき、その後に、簡単な操作で、その画像をＴＶにダウンロードして表示する通信システムについて、実施の形態２として、説明する。通信システムの全体構成は、実施の形態１と同様である。【０２０８】
図４０に、カメラ（撮影装置１）が写真をアップロードする一連手続きのフロー図を示す。カメラはまず画像を撮影すると（ステップＳ５１０１）、撮影画像を第３メモリに保存し（ステップＳ５１０２）、第２メモリ情報の更新処理を行う（ステップＳ５１０３）。この更新情報については後述する。次に通信部によってインターネットに接続可能かどうかを判断し（ステップＳ５１０４）、接続可能であれば、ＵＲＬの作成処理を行う（ステップＳ５１０５）。この処理の詳細は後述する。ＵＲＬを作成後、カメラは撮影画像のアップロードを行い（ステップＳ５１０６）、アップロードが完了すると、通信部の切断処理を行い（ステップＳ５１０７）、終了する。アップロード処理の詳細は後述する。【０２０９】
ステップＳ５１０３の第２メモリ情報の更新処理はサーバ４２へアップロードした写真と、アップロードしていない写真の識別情報をサーバ４２とカメラの間で共有するために利用される。アップロード処理Ｓ５１０５の動作は例えばｃａｓｅ１〜ｃａｓｅ４の動作が挙げられる。【０２１０】
第２メモリの最後に撮影した時間６８を記録しておき、撮影画像を第３メモリに保存後、第２メモリの最後に撮影した時間６８を更新する方法がある（ステップＳ５１１１）。【０２１１】
アップロードした時刻とカメラの最終撮影時刻を比較することで、サーバ４２とカメラの間でアップロードした写真の識別情報を共有することが可能となる。【０２１２】
また、撮影した画像に対応してサーバ４２への撮影した画像に対応して、サーバ４２への未アップロード画像データの存在識別子６４を生成し第２メモリに記憶するという方法でも同等の効果を得ることができる（ステップＳ５１２１）。【０２１３】
また、未アップロード画像情報をハッシュした情報６７を第２メモリに記憶しても良い（ステップＳ５１３１）。これによって、第２メモリに保存する情報量が少なくなり、メモリの節約に繋がる。【０２１４】
また、撮影画像に時系列的に画像番号を生成して、第２メモリの画像の最終番号６９を更新してもよい（ステップＳ５１４１）。これにより、カメラの時刻が正確でない場合でも、サーバ４２とカメラの間のアップロード写真に関する同期を取ることが可能となる。【０２１５】
図４１に、ステップＳ５１０５のＵＲＬ作成処理の詳細を示す。カメラは、第２メモリからサーバアドレス情報８１、ログインＩＤ８３、パスワード８４等を含むサーバ特定情報４８を読み出し（ステップＳ５２０１）、ＵＲＬを生成する（ステップＳ５２０２）。【０２１６】
図４２にステップＳ５１０６のアップロード処理の詳細を示す。【０２１７】
それぞれのｃａｓｅは図４０で示された、第２メモリ情報の更新処理に対応している。【０２１８】
ｃａｓｅ１では、カメラはサーバ４２から、サーバ４２への最終アップロード時間を受信すると（ステップＳ５２１１）、最終アップロード時刻と、最後に撮影した時刻を比較する（ステップＳ５２１１２）。最後に撮影した時刻が最終アップロード時刻より大きい、すなわち、最終アップロードした後に撮影した画像がある場合は、サーバ４２からの最終アップロード時刻以降に撮影された画像をサーバ４２にアップロードする（ステップＳ５２１３）。【０２１９】
ｃａｓｅ２では、カメラは、第２メモリから、未アップロード画像データ存在識別子６４を確認し（ステップＳ５２３１）、未アップロードの存在を確認する（ステップＳ５２３２）。未アップロード画像が存在している場合、未アップロード画像をサーバ４２へアップロードし（ステップＳ５２３３）、第２メモリのアップロードした画像の情報６７を更新する（ステップＳ５２３４）。【０２２０】
ｃａｓｅ３では、カメラは、まず第２メモリから未アップロード画像情報をハッシュした情報６７を確認し（ステップＳ５３０１）、第２メモリから未アップロード画像情報をハッシュした情報６７はＮＵＬＬをハッシュした情報と同じかどうかを判断する（ステップＳ５３０２）。同じでない場合、サーバ４２にアップロードされていない画像があると判断し、第３メモリに記録され、サーバ４２にアップロードされていない画像をアップロードする（ステップＳ５３０３）。【０２２１】
ｃａｓｅ４では、カメラは、サーバ４２から最終アップロード画像の番号を受信する（ステップＳ５３１１）。次に、第２メモリの画像の最終番号６９と同じかどうかを判断し（ステップＳ５３１２）、同じでない場合、サーバ４２からの固有ＩＤより新しい固有ＩＤを持つ画像データをアップロードする（ステップＳ５３１３）。【０２２２】
図４３は、撮影装置１とＴＶ４５とのＲＦ−ＩＤ近接通信を行う処理を示したフロー図である。【０２２３】
まず、撮影装置１に内蔵されている第２アンテナ２１は、ＴＶ４５のＲＦ−ＩＤリーダライタ４６からのポーリングによる微弱無線電力を受信して、第２電源部９１で動作するＲＦ−ＩＤ４７を起動する（Ｓ５４０１）。【０２２４】
ステップＳ５４０１で微弱電力を受信して起動した撮影装置１のＲＦ−ＩＤ４７は、ＴＶ４５のＲＦ−ＩＤリーダライタ４６のポーリングに応答を行う（ステップＳ５４０２）。【０２２５】
ステップＳ５４０２でポーリング応答を行った後、撮影装置１のＲＦ−ＩＤ４７とＴＶ４５のＲＦ−ＩＤリーダライタ部が互いに正規の装置であるかどうかの認証と、撮影装置１とＴＶ４５間でセキュアな情報通信を行うための暗号鍵の鍵シェアリング動作を含んだ相互認証を行う（ステップＳ５４０３）。この相互認証は、楕円暗号などの公開鍵暗号アルゴリズムを用いた相互認証処理であり、通常、ＨＤＭＩやＩＥＥＥ１３９４による通信の相互認証処理と同様の方法である。【０２２６】
ステップＳ５４０３で、撮影装置１のＲＦ−ＩＤ４７とＴＶ４５のＲＦ−ＩＤリーダライタ４６で、相互認証処理を行い、互いに共通の暗号鍵を生成したのち、ＲＦ−ＩＤ４７から読み出し可能な第２メモリ５２に記憶されているサーバ特定情報５８から、サーバＵＲＬ生成情報８０を読み出し、第２アンテナ２１から、ＴＶ４５のＲＦ−ＩＤリーダライタ４６に送信する。サーバＵＲＬ生成情報８０の中には、サーバ４２のアドレス情報を示すサーバアドレス情報８１、サーバ４２へのログインＩＤ８３であるユーザ識別情報８２およびサーバ４２へのログインパスワードであるパスワード８４が含まれる。パスワード８４は、悪意ある第３者からの不正行為を防ぐために重要な情報であるので、あらかじめ暗号化された、暗号化されたパスワード８５として記憶され、ＴＶ４５に送信される場合もある。【０２２７】
ステップＳ５４０４で、サーバＵＲＬ生成情報８０をＴＶ４５のＲＦ−ＩＤリーダライタ４６に送信された後、第２メモリ５２に記憶されている撮影画像状況情報５５を、サーバ特定情報５８と同様に、第２アンテナ２１からＴＶ４５のＲＦ−ＩＤリーダライタ４６に送信する（ステップＳ５４０５）。撮影画像状況情報５５としては、最終撮影時間６８（Ｃａｓｅ１）、未アップロード画像データの存在識別情報として、撮影画像毎に付与された未アップロードデータかどうかの判別が可能な存在識別子６４（Ｃａｓｅ２）、未アップロード画像情報をハッシュした情報６７（Ｃａｓｅ３）、あるいは、撮影画像に対して時系的に付与した画像番号の画像の最終番号６９（Ｃａｓｅ４）が送信される。これは、撮影装置１とサーバ４２の撮影画像の同期を確認するために必要な情報である。【０２２８】
Ｃａｓｅ１では、撮影画像状況情報５５として最終撮影時間６８を適用する。よって、ＴＶ４５において、サーバ４２への最終アップロード時間と最終撮影時間６８を比較して、サーバ４２への最終アップロード時間よりも最終撮影時間６８が時系的に遅ければ、撮影装置１とサーバ４２に保持する画像情報の同期がとれていないとして、ＴＶ４５の表示部に同期が取れていないことを示す注意情報を表示する。【０２２９】
Ｃａｓｅ２では、撮影画像状況情報５５として撮影画像毎に付与された未アップロードデータかどうかの判別が可能な存在識別子６４を適用する。よって、ＴＶ４５において、撮影画像毎に付与された未アップロードデータかどうかの判別が可能な存在識別子６４を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。【０２３０】
Ｃａｓｅ３では、撮影画像状況情報５５として未アップロード画像情報をハッシュした情報６７を適用する。よって、ＴＶ４５において、未アップロード画像情報をハッシュした情報６７を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。【０２３１】
Ｃａｓｅ４では、撮影画像状況情報５５として撮影画像に対して時系的に付与した画像番号の画像の最終番号６９を適用する。よって、ＴＶ４５において、サーバ４２から受信するサーバ４２へアップロードされた最終画像番号と、撮影装置１から送信される撮影画像に対して時系的に付与した画像番号の画像の最終番号６９を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。【０２３２】
ステップＳ５４０５で、撮影装置１の第２アンテナ２１から、ＴＶ４５のＲＦ−ＩＤリーダライタ４６に撮影画像状況情報５５が送信された後、第２メモリ５２から、画像表示方法指示情報７７を、撮影画像状況情報５５と同様に、撮影装置１の第２アンテナ２１から、ＴＶ４５のＲＦ−ＩＤリーダライタ４６に送信する（ステップＳ５４０６）。画像表示方法指示情報７７は、ＴＶ４５の表示部において、サーバ４２からダウンロードした画像を、どのように表示するかを示した識別情報であり、画像の一覧形式表示することを示した一覧表示（指示子）７８やスライドショー形式で表示するためのスライドショー（指示子）７９で構成される。【０２３３】
以上、撮影装置１のステップＳ５４０１〜ステップＳ５４０６のステップによって、撮影装置１の第２アンテナ２１から、ＴＶ４５のＲＦ−ＩＤリーダライタ４６に、撮影装置１の第２メモリ５２に記憶されているサーバＵＲＬ生成情報８０、撮影画像状況情報５５、および、画像表示方法指示情報７７を送信する。また、これらは、全て、相互認証時に撮影装置１とＴＶ４５でシェアリングした暗号鍵情報によって暗号化して送信することが望ましい。暗号化を行うことによって、撮影装置１とＴＶ４５間でセキュアな情報通信が可能となり、悪意ある第３者からの介入を防ぐことができる。【０２３４】
また、サーバＵＲＬ生成情報８０をＴＶ４５に送信することによって、撮影装置１の第１アンテナ２０から送信するサーバ４２と、ＴＶ４５から画像をダウンロードするサーバが共通のサーバおよびディレクトリとなるために、撮影装置１で撮影してアップロードした画像を、ＴＶ４５で表示することが可能となる。【０２３５】
また、撮影画像状況情報５５をＴＶ４５に送信することによって、撮影装置１の第３メモリ３３に記録されている撮影画像と、第１アンテナ２０によってサーバ４２にアップロードされた画像の同期が判定可能となって、同期が取れていないことをＴＶ４５で判定可能となり、同期が取れていないことを示すＴＶ４５で注意情報を表示することによって、ユーザの無用な混乱を防止することができる。【０２３６】
また、画像表示方法指示情報７７をＴＶ４５に送信することによって、ＴＶ４５でユーザが画像の閲覧方法を指定することなく、ＴＶ４５に撮影装置１を近づけることによって、設定された閲覧方法で画像を閲覧することが可能となり、ＴＶ４５のリモコンなどによる複雑な操作を行うことなく、設定された閲覧方法で自動的に画像を表示することが可能となる。【０２３７】
図４４は、本発明に係るＴＶシステムの特徴的な機能を示したブロック図である。【０２３８】
本ＴＶ４５は、ＲＦ−ＩＤリーダライタ４６、復号部５５０４、ＵＲＬ生成部５５０５、通信部５５０６、送信部５５０７、通信インタフェース５５０８、受信部５５０９、データ処理部５５１０、メモリ部５５１１、表示部５５１２およびＣＰＵ５５１３から構成される。【０２３９】
ＲＦ−ＩＤリーダライタ４６は、撮影装置１のＲＦ−ＩＤ４７と第２アンテナ２１を介して通信する部分であり、無線アンテナ５５０１、受信部５５０３、および通信可能装置検索部（ポーリング部）５５０２から構成される。【０２４０】
無線アンテナ５５０１は、撮影装置１の第２アンテナ２１と近接無線通信を行う部分であり、汎用のＲＦ−ＩＤリーダライタの無線アンテナと同等の構成である。【０２４１】
通信可能装置検索部（ポーリング部）５５０２は、複数のカメラのＲＦ−ＩＤ部に対して、送信（あるいは処理）要求がないか、一つ一つの相手に確認するポーリングを行う部分である。ポーリングに対して、撮影装置１のＲＦ−ＩＤ４７からポーリング応答があった場合には、相互認証動作を行い、ＴＶ４５と撮影装置１で、共通の暗号鍵をシェアリングする。【０２４２】
受信部５５０３は、ポーリングに対してポーリング応答があり、相互認証が終了したとき、撮影装置１の第２アンテナ２１から、撮影装置１の第２メモリ５２に記憶されているサーバＵＲＬ生成情報８０、撮影画像状況情報５５および画像表示方法指示情報７７をそれぞれ受信する。【０２４３】
復号部５５０４は、受信部５５０３で受信したサーバＵＲＬ生成情報８０、撮影画像状況情報５５および画像表示方法指示情報７７を復号する部分である。復号は、通信可能装置検索部（ポーリング部）５５０２で相互認証後に撮影装置１とＴＶ４５で共通化した暗号鍵を用いて、暗号化されているサーバＵＲＬ生成情報８０、撮影画像状況情報５５および画像表示方法指示情報７７を復号する。【０２４４】
ＵＲＬ生成部５５０５は、サーバＵＲＬ生成情報８０から、サーバ４２にアクセスするためのＵＲＬ（Ｕｎｉｆｏｒｍ  Ｒｅｓｏｕｒｃｅ  Ｌｏｃａｔｏｒ）を生成して通信部に送信する。本ＵＲＬには、サーバ特定情報のほかに、サーバにログインするためのログインＩＤ８３、パスワード８５が含まれる。【０２４５】
通信部５５０６は、通信インタフェース５５０８によって、汎用のネットワークを介して、サーバ４２と通信を行う部分である。【０２４６】
送信部５５０７は、通信インタフェース５５０８を介して、ＵＲＬ生成部５５０５で生成したＵＲＬを送信して、サーバ４２と接続する。【０２４７】
通信インタフェース５５０８は、汎用のネットワークを介して、サーバ４２と接続する通信インタフェースであり、有線／無線ＬＡＮ（Ｌｏｃａｌ  Ａｒｅａ  Ｎｅｔｗｏｒｋ）インタフェースなどで構成される。【０２４８】
受信部５５０９は、通信インタフェース５５０８によって接続したサーバ４２から画像情報や画像表示スタイルシート（ＣＳＳ）を受信し、ダウンロードする部分である。【０２４９】
データ処理部５５１０は、受信部５５０９でダウンロードした画像情報のデータ処理を行う部分であり、ダウンロードする画像が圧縮されている場合にはその伸張を、暗号化されている場合にはその復号を行い、画像表示スタイルシートに基づいた画像表示スタイルで、ダウンロードした画像情報を配列したりする。また、本データ処理部５５１０は、復号部で必要に応じて復号して得る撮影画像状況情報５５によって、撮影装置１に保存されている撮影画像情報と、サーバ４２にアップロードされた画像情報とに同期が確認されない場合には、表示部５５１２に同期がとれていないことを示す注意情報を表示して、ユーザの無用な混乱を防ぐ処理を行う。また、本データ処理部５５１０は、復号部５５０４からの画像表示方法指示情報７７に従って、ダウンロードした画像情報を表示する形態を設定する。例えば、画像表示方法指示情報７７の一覧表示（フラグ）７８がＯＮのときは、ダウンロードした画像の一覧表示を生成して、メモリ部５５１１に出力する。また、画像表示方法指示情報７７のスライドショーフラグ７９がＯＮのときは、ダウンロードした画像のスライドショーを生成して、メモリ部５５１１に出力する。【０２５０】
メモリ部５５１１は、データ処理部５５１０でデータ処理された画像情報を一時記憶するメモリで構成される。【０２５１】
表示部５５１２は、メモリ部５５１１に蓄積した、サーバ４２からダウンロードして、データ処理部５５１０でデータ処理した画像データを表示する部分である。【０２５２】
以上のように、本発明に係るＴＶ４５は、撮影装置１のＲＦ−ＩＤ４７から受信するサーバＵＲＬ生成情報８０、撮影画像状況情報５５および画像表示方法指示情報７７に基づいて、サーバ４２と接続し、サーバ４２にアップロードされた画像情報をダウンロードして、表示部５５１２に表示する処理を行うことができる。これによって、撮影装置１のＳＤカードやフラッシュメモリによって構成される第３メモリ３３を取り出し、ＴＶ４５のカードリーダに装着して撮影済み画像の閲覧を行うという煩雑なユーザ処理を行うことなく、撮影装置１のＲＦ−ＩＤ４７をＴＶ４５のＲＦ−ＩＤリーダライタ４６にかざし、近接通信させるという簡単なユーザ操作によって、撮影済みの画像情報を表示し、閲覧することが可能となり、デジタル機器の操作に不慣れなユーザであっても、簡単に画像情報を閲覧可能な撮影画像閲覧システムを実現することが可能となる。【０２５３】
図４５は、撮影装置１とＴＶ４５のＲＦ−ＩＤ無線近接通信動作を示したフローチャートである。【０２５４】
まず、ＴＶ４５のＲＦ−ＩＤリーダライタ４６の通信可能装置検索部５５０２によって、通信可能な撮影装置１のＲＦ−ＩＤ４７を検索するための呼びかけ信号を送信する（ステップＳ５６０１）。【０２５５】
撮影装置１のＲＦ−ＩＤ４７は、ＴＶ４５のＲＦ−ＩＤリーダライタ４６の通信可能装置検索部５５０２のポーリング信号を受信すると、第２電源部９１を起動し、ＲＦ−ＩＤリーダライタ４６を起動する（ステップＳ５６０２）。このとき、少なくとも第２電源部９１で動作可能なＲＦ−ＩＤ４７のみを起動すればよく、撮影装置１の機能をすべて起動する必要はない。【０２５６】
ステップＳ５６０２で、撮影装置１のＲＦ−ＩＤ４７の起動が完了すると、ＴＶ４５のＲＦ−ＩＤリーダライタ４６のポーリングに対するポーリング応答を第２アンテナ２１から送信する（ステップＳ５６０３）。【０２５７】
ステップＳ５６０３で、撮影装置１からポーリング応答がなされた後、ＴＶ４５のＲＦ−ＩＤリーダライタ４６の無線アンテナ５５０１で、ポーリング応答を受信する（ステップＳ５６０４）。【０２５８】
ステップＳ５６０４で、ポーリング応答を受信した後、ポーリング応答を送信した撮影装置１が互いに通信可能な機器であるかどうかの判定を行う（ステップＳ５６０５）。判定の結果、互いに通信可能な機器ではないと判断した場合には、処理を終了する。一方、互いの機器により通信可能な機器であると判断された場合には、次の処理に進む。【０２５９】
ステップＳ５６０５によって、互いに通信可能な機器であると判断された場合、互いの機器が正規の機器であるかどうかの判定を行うための相互認証処理を行う（ステップＳ５６０６）。この相互認証処理は、ＨＤＭＩやＩＥＥＥ１３９４で行う一般的な相互認証処理と同様であり、ＴＶ４５と撮影装置１でチャレンジデータの発行、レスポンスデータの確認を複数回行い、最終的には、双方で同じ暗号鍵を生成する処理であり、どちらかが不正な機器であれば、共通の暗号鍵が生成されず、以後の相互の通信が無効となる。【０２６０】
一方、撮影装置１のＲＦ−ＩＤ４７でもＴＶ４５と同様に相互認証処理を行う。互いの複数回のチャレンジデータの生成および送信、レスポンスデータの受信および確認を行い、ＴＶ４５と同じ暗号鍵データを生成する（ステップＳ５６０７）。【０２６１】
ステップＳ５６０７で、相互認証処理が完了すれば、撮影装置１の第２メモリ５２から、サーバ特定情報５８であるサーバＵＲＬ生成情報８０を読み出し、ＴＶ４５のＲＦ−ＩＤリーダライタ４６に総合認証で共通化した暗号鍵で暗号化して送信する（ステップＳ５６０８）。【０２６２】
ステップＳ５６０８で、送信されたサーバＵＲＬ生成情報８０は、ＴＶ４５のＲＦ−ＩＤリーダライタ４６に受信部５５０３で受信され、復号部５５０４で、共通化した暗号鍵で復号され、サーバ４２にアクセスするためのＵＲＬをＵＲＬ生成部５５０５によって生成し、受信完了を撮影装置１に送信する（ステップＳ５６０９）。【０２６３】
ステップＳ５６０９で受信完了が送信された後、撮影装置１の第２アンテナ２１で受信完了を受信し、第２メモリ５２から、撮影画像状況情報５５を読み出し、ＴＶ４５に送信する（ステップＳ５６１０）。撮影画像状況情報５５としては、最終撮影時間６８（Ｃａｓｅ１）、未アップロード画像データの存在識別情報として、撮影画像毎に付与された未アップロードデータかどうかの判別が可能な存在識別子６４（Ｃａｓｅ２）、未アップロード画像情報をハッシュした情報６７（Ｃａｓｅ３）、あるいは、撮影画像に対して時系的に付与した画像番号の画像の最終番号６９（Ｃａｓｅ４）が送信される。これは、撮影装置１とサーバ４２の撮影画像の同期を確認するために必要な情報である。【０２６４】
ステップＳ５６１０で撮影装置１から撮影画像状況情報５５が送信された後、ＴＶ４５のＲＦ−ＩＤリーダライタ４６で撮影画像状況情報５５を受信して、受信完了を撮影装置１に送信する（ステップＳ５６１１）。また、ＴＶ４５のＣＰＵ５５１３では、受信する撮影画像状況情報５５に応じて以下の処理を行う。【０２６５】
Ｃａｓｅ１では、撮影画像状況情報５５として最終撮影時間６８を適用する。よって、ＴＶ４５において、サーバ４２への最終アップロード時間と最終撮影時間６８を比較して、サーバ４２への最終アップロード時間よりも最終撮影時間６８が時系的に遅ければ、撮影装置１とサーバ４２に保持する画像情報の同期がとれていないとして、ＴＶ４５の表示部に同期が取れていないことを示す注意情報を表示する。【０２６６】
Ｃａｓｅ２では、撮影画像状況情報５５として撮影画像毎に付与された未アップロードデータかどうかの判別が可能な存在識別子６４を適用する。よって、ＴＶ４５において、撮影画像毎に付与された未アップロードデータかどうかの判別が可能な存在識別子６４を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。【０２６７】
Ｃａｓｅ３では、撮影画像状況情報５５として未アップロード画像情報をハッシュした情報６７を適用する。よって、ＴＶ４５において、未アップロード画像情報をハッシュした情報６７を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。【０２６８】
Ｃａｓｅ４では、撮影画像状況情報５５として撮影画像に対して時系的に付与した画像番号の画像の最終番号６９を適用する。よって、ＴＶ４５において、サーバ４２から受信するサーバ４２へアップロードされた最終画像番号と、撮影装置１から送信される撮影画像に対して時系的に付与した画像番号の画像の最終番号６９を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。【０２６９】
Ｓ５６１１で、撮影画像状況情報５５の受信を完了し、受信完了を撮影装置１に送信した後、撮影装置１の第２メモリ５２から画像表示方法指示情報７７を読み出して、ＴＶ４５に送信する（ステップＳ５６１２）。画像表示方法指示情報７７には、一覧表示（フラグ）７８やスライドショー（フラグ）７９が含まれる。【０２７０】
ステップＳ５６１２で、画像表示方法指示情報７７が送信された後、ＴＶ４５のＲＦ−ＩＤリーダライタ４６によって、画像表示方法指示情報７７が受信され、受信完了を撮影装置１に送信する（ステップＳ５６１３）。ＴＶ４５のデータ処理部５５１０は、受信した画像表示方法指示情報７７に基づいて、サーバ４２からダウンロードした画像の表示形態を作成する。例えば、画像表示方法指示情報７７の一覧表示フラグがＯＮのときは、ダウンロードした画像の一覧表示を作成してメモリ部５５１１に記憶し、表示部５５１２に一覧を表示する。一方、画像表示方法指示情報７７のスライドショーフラグがＯＮのときは、ダウンロードした画像のスライドショー表示を作成してメモリ部５５１１に記憶し、表示部５５１２にスライドショーを表示する。【０２７１】
ステップＳ５６１３で、画像表示方法指示情報７７を受信した後、撮影装置１のＲＦ−ＩＤリーダライタ４６との通信を遮断する（ステップＳ５６１４）。【０２７２】
次に、ＴＶシステムを起動する（ステップＳ５６１５）。ＴＶシステムの起動とは、表示部５５１２に、ダウンロードする画像データを表示するために、主電源をＯＮにすることである。ステップＳ５６１５でＴＶシステムを起動する以前は、少なくとも、ＴＶ４５のＲＦ−ＩＤリーダライタ４６が起動している状態であり、表示部５５１２の電源はＯＦＦでもかまわない。【０２７３】
次に、通信部５５０６を起動して、ＵＲＬ生成部５５０５で生成したＵＲＬに基づいてサーバ４２に接続を行う（ステップＳ５６１６）。【０２７４】
ステップＳ５６１６で、サーバ４２に接続した後、アップロード済みの画像データをＴＶ４５にダウンロードする（ステップＳ５６１７）。【０２７５】
ステップＳ５６１７で、ダウンロードした画像を、データ処理部５５１０で、カメラからの画像表示方法指示情報７７に従って表示用の画像データを生成して、メモリ部５５１１に蓄積して、表示部５５１２に表示する（ステップＳ５６１８）。ＴＶ４５のデータ処理部５５１０は、受信した画像表示方法指示情報７７に基づいて、サーバ４２からダウンロードした画像の表示形態を作成する。例えば、画像表示方法指示情報７７の一覧表示フラグ７８がＯＮのときは、ダウンロードした画像の一覧表示を作成してメモリ部５５１１に記憶し、表示部５５１２に一覧を表示する。一方、画像表示方法指示情報７７のスライドショーフラグ７９がＯＮのときは、ダウンロードした画像のスライドショー表示を作成してメモリ部５５１１に記憶し、表示部５５１２にスライドショーを表示する。【０２７６】
ステップＳ５６１７で、サーバ４２からダウンロードした画像の表示処理が完了すると、撮影装置１の第３メモリ３３に記録されている撮影画像と、サーバ４２からダウンロードした画像データとの間に同期が成り立っているかどうかの同期確認処理を行う（ステップＳ５６１９）。本処理は、撮影装置１からステップＳ５６１１で受信した撮影画像状況情報５５に基づいて行われる。撮影画像状況情報５５としては、最終撮影時間６８（Ｃａｓｅ１）、未アップロード画像データの存在識別情報として、撮影画像毎に付与された未アップロードデータかどうかの判別が可能な存在識別子６４（Ｃａｓｅ２）、未アップロード画像情報をハッシュした情報６７（Ｃａｓｅ３）、あるいは、撮影画像に対して時系的に付与した画像番号の画像の最終番号６９（Ｃａｓｅ４）が送信される。これは、撮影装置１とサーバ４２の撮影画像の同期を確認するために必要な情報である。【０２７７】
図４６は、図４５のサーバ同期確認処理（ステップＳ５６１９）の撮影画像状況情報５５がＣａｓｅ１〜Ｃａｓｅ４のそれぞれにおける詳細な処理の流れを示したフローチャートである。【０２７８】
Ｃａｓｅ１は、撮影画像状況情報５５が最終撮影時間６８であるときのフローチャートである。【０２７９】
まず、ＴＶ４５の通信部５５０６によって、サーバ４２から、最終のアップデートに日時を取得する（アップデートされた画像の最終撮影日時でも、同様の効果）（ステップＳ５７０１）。【０２８０】
次に、サーバ４２から取得した最終のアップデート日時と、撮影装置１からＲＦ−ＩＤリーダライタ４６からの撮影画像状況情報５５で示される最後に撮影した日時６８を比較する（ステップＳ５７０２）。最終アップロード日時が、最後に撮影した日時６８より以前の場合は、最終アップロードした時点の以後に画像を撮影し、撮影した画像がアップロードできていないと判定されるため、撮影装置１とサーバ４２の画像の同期が取れていないと判断しステップＳ５７０３のエラー表示処理に移る。一方、最終アップロード日時が、最後に撮影した日時６８と同等の場合には、撮影装置１とサーバ４２の画像の同期が行われているので、エラーを出力することなく、処理を終了する。【０２８１】
ステップＳ５７０２で、撮影装置１とサーバ４２の同期が取れていないと判断した場合には、表示部５５１２に、同期が取れていないことを示す注意メッセージを出力する。この場合、最終アップロード日時と最後に撮影した日時６８の比較によって、どの時点からの撮影画像がアップロードできていないのかを示す時間情報を同時にメッセージとして出力すれば、ユーザにとってわかりやすいメッセージとなる。【０２８２】
Ｃａｓｅ２は、撮影画像状況情報５５が撮影画像毎に付与された未アップロードデータかどうかの判別が可能な存在識別子６４であるときのフローチャートである。【０２８３】
まず、撮影装置１からＲＦ−ＩＤリーダライタ４６からの撮影画像状況情報５５で示される未アップロード画像の存在識別情報の存在識別子から撮影装置１の第３メモリ３３に記録されている撮影画像のうち、サーバ４２にアップロードできていない画像があるかどうかを判定する（ステップＳ５７１１）。ステップＳ５７１１でアップロードできていない画像があると判定された場合には、ステップＳ５７１２のエラー表示処理に移る。一方、アップロードできていない画像がないと判定された場合には、撮影装置１とサーバ４２の画像の同期が行われているので、エラーを出力することなく、処理を終了する。【０２８４】
ステップＳ５７１２で、撮影装置１とサーバ４２の同期が取れていないと判断した場合には、表示部５５１２に、同期が取れていないことを示す注意メッセージを出力する。【０２８５】
Ｃａｓｅ３は、撮影画像状況情報５５が未アップロード画像情報をハッシュした情報６７であるときのフローチャートである。【０２８６】
まず、撮影装置１からＲＦ−ＩＤリーダライタ４６からの撮影画像状況情報５５で示される未アップロード画像情報をハッシュした情報６７から撮影装置１の第３メモリ３３に記録されている撮影画像のうち、サーバ４２にアップロードできていない画像があるかどうかを判定する（ステップＳ５７２１）。ステップＳ５７２１は、ＮＵＬＬのハッシュ値をＴＶ４５で生成し、その比較によって、未アップロード画像があるかないかを判定する。ステップＳ５７２１でアップロードできていない画像があると判定された場合には、ステップＳ５７２２のエラー表示処理に移る。一方、アップロードできていない画像がないと判定された場合には、撮影装置１とサーバ４２の画像の同期が行われているので、エラーを出力することなく、処理を終了する。【０２８７】
ステップＳ５７２２で、撮影装置１とサーバ４２の同期が取れていないと判断した場合には、表示部５５１２に、同期が取れていないことを示す注意メッセージを出力する。【０２８８】
Ｃａｓｅ４は、撮影画像状況情報５５が撮影した画像に付与する番号のうち、最終の撮影画像の番号であるときのフローチャートである。【０２８９】
まず、ＴＶ４５の通信部５５０６によって、サーバ４２から、最終のアップデート画像の画像番号を取得する（ステップＳ５７３１）。【０２９０】
次に、サーバ４２から取得した最終アップロード画像の番号６９と、撮影装置１からＲＦ−ＩＤリーダライタ４６からの撮影画像状況情報５５で示される画像の最終番号６９を比較する（ステップＳ５７３２）。最終アップロード画像の番号が、最後に撮影した画像の番号６９より小さい場合は、最終アップロードした時点の以後に画像を撮影し、撮影した画像がアップロードできていないと判定されるため、撮影装置１とサーバ４２の画像の同期が取れていないと判断しステップＳ５７３３のエラー表示処理に移る。一方、最終アップロード画像の番号が、最後に撮影した画像の番号６９と同等の場合には、撮影装置１とサーバ４２の画像の同期が行われているので、エラーを出力することなく、処理を終了する。【０２９１】
ステップＳ５７３２で、撮影装置１とサーバ４２の同期が取れていないと判断した場合には、表示部５５１２に、同期が取れていないことを示す注意メッセージを出力する。【０２９２】
以上のＣａｓｅ１〜Ｃａｓｅ４のいずれの方法でも、撮影装置１で撮影した全画像がサーバ４２にアップロードできていない、すなわち同期できていない場合には、表示部５５１２に撮影した全画像を表示することができないが、同期が取れていないことが判定可能となるため、ユーザにわかりやすいメッセージを表示することが可能となり、ユーザの無用な混乱を避けることができる。【０２９３】
図４７は、（１）撮影装置１からサーバ４２に撮影画像をアップロードする場合、（２）撮影装置１とＴＶ４５のＲＦ−ＩＤ通信の場合のそれぞれのデータフォーマットである。【０２９４】
まず、（１）撮影装置１からサーバ４２に撮影画像をアップロードする場合のデータフォーマット５９４０を説明する。本フォーマットには、カメラＩＤ５９０１、サーバアドレス５９０２、サーバログインＩＤ５９０３、サーバログインパスワード５９０４、画像ディレクトリ５９０５およびアップロード画像数５９０６が含まれる。【０２９５】
カメラＩＤ５９０１は、カメラ毎に固有に付与されているカメラ固有ＩＤであり、撮影装置１の第２メモリ５２のカメラＩＤ部７６に記録されているＩＤ情報である。本ＩＤ情報は、サーバ４２へのログインＩＤとして用いることで、ユーザによってログインＩＤの入力を行うことなく、撮影装置１ごとに一意のサーバアドレスを付与することが可能となる。また、サーバ４２で、撮影したカメラ毎に、撮影画像を管理することも可能となる。【０２９６】
サーバアドレス５９０２は、撮影装置１の第２メモリ５２のサーバ特定情報５８のサーバアドレス情報８１の内容である。これによって、アップロードしたサーバをＴＶ４５側で特定することができる。【０２９７】
サーバログインＩＤ５９０３は、撮影装置１の第２メモリ５２のサーバ特定情報５８のユーザ識別情報８２であるログインＩＤ８３の内容である。これによって、撮影装置１からアップロードしたサーバへの同一アカウントでのログインがＴＶ４５でも可能となる。【０２９８】
サーバログインパスワード５９０４は、撮影装置１の第２メモリ５２のサーバ特定情報５８のパスワード８４の内容である。これによって、撮影装置１からアップロードしたサーバへの同一アカウントでのログインがＴＶ４５でも可能となる。【０２９９】
アップロード画像数５９０６は、サーバへアップロードする画像数である。これには、撮影装置１の第２メモリ５２の未アップロード画像の枚数６５に記憶されている画像数と同等の枚数であり、撮影後、サーバにアップロードされていない画像数が記載される。【０３００】
本フォーマットの送信以後、撮影装置１の第３メモリ３３に記録され、かつ、サーバにアップロードされていない画像がアップロードされる。【０３０１】
次に、（２）撮影装置１とＴＶ４５のＲＦ−ＩＤ通信の場合のそれぞれのデータフォーマット５９５０について説明する。本フォーマットは、カメラＩＤ５９１１、サーバアドレス５９０２、サーバログインＩＤ５９１３、サーバログインパスワード５９１４、最終撮影日時５９１５、未アップロードであることが判定可能な識別情報５９１６、未アップロード画像情報をハッシュした情報５９１７、最終撮影画像の画像番号５９１８および画像表示方法指示情報５９１９から構成される。【０３０２】
カメラＩＤ５９１１は、カメラ毎に固有に付与されているカメラ固有ＩＤであり、撮影装置１の第２メモリ５２のカメラＩＤ部７６に記録されているＩＤ情報である。本ＩＤ情報は、ＴＶ４５からサーバ４２へのログインＩＤとして用いることで、ユーザによってログインＩＤの入力を行うことなく、撮影装置１ごとに一意のサーバアドレスを付与することが可能となる。また、撮影装置１のＲＦ−ＩＤ４７とＴＶ４５のＲＦ−ＩＤリーダライタ４６との相互認証時に用いることもある。【０３０３】
サーバアドレス５９１２は、撮影装置１の第２メモリ５２のサーバ特定情報５８のサーバアドレス情報８１の内容である。これによって、アップロードしたサーバをＴＶ４５側で特定することができる。【０３０４】
サーバログインＩＤ５９１３は、撮影装置１の第２メモリ５２のサーバ特定情報５８のユーザ識別情報８２であるログインＩＤ８３の内容である。これによって、撮影装置１からアップロードしたサーバへの同一アカウントでのログインがＴＶ４５でも可能となる。【０３０５】
サーバログインパスワード５９１４は、撮影装置１の第２メモリ５２のサーバ特定情報５８のパスワード８４の内容である。これによって、撮影装置１からアップロードしたサーバへの同一アカウントでのログインがＴＶ４５でも可能となる。【０３０６】
最終撮影日時５９１５は、撮影装置１の第２メモリ５２の撮影画像状況情報５５の最後に撮影した時間６８に対応する情報であり、ＴＶ４５側で、サーバ４２と撮影装置１の撮影画像の同期確認に用いられる。【０３０７】
未アップロードであることが判定可能な識別情報５９１６は、撮影装置１の第２メモリ５２の撮影画像状況情報５５の未アップロード画像データ存在識別情報に対応する情報であり、ＴＶ４５側で、サーバ４２と撮影装置１の撮影画像の同期確認に用いられる。また、本未アップロードであることが判定可能な識別情報５９１６は、各撮影画像を識別可能な画像ＩＤ５９２８に対して、サーバへのアップロードが完了しているかどうかを示すアップロードフラグ５９２６が付与されている形態である。これによって、撮影画像１枚１枚ごとにサーバにアップロードしているかどうかの判定が可能となる。【０３０８】
未アップロード画像情報をハッシュした情報５９１７は、撮影装置１の第２メモリ５２の撮影画像状況情報５５の未アップロード画像情報をハッシュした情報６７に対応する情報であり、ＴＶ４５側で、サーバ４２と撮影装置１の撮影画像の同期確認に用いられる。【０３０９】
最終撮影画像の画像番号５９１８は、撮影装置１の第２メモリ５２の撮影画像状況情報５５の撮影画像の最終番号６９に対応する情報であり、ＴＶ４５側で、サーバ４２と撮影装置１の撮影画像の同期確認に用いられる。【０３１０】
画像表示方法指示情報５９１９は、撮影装置１の第２メモリ５２の撮影画像状況情報５５の画像表示方法指示情報７７に対応する情報であり、ＴＶ４５側で、サーバ４２からダウンロードした画像の閲覧方法を指定する識別情報で構成される。【０３１１】
画像表示方法指示情報５９１９は、画像ＩＤ５９２７ごとに、一覧表示フラグ５９２０、スライドショーフラグ５９２１、印刷フラグ５９２２、動画再生フラグ５９２３、ダウンロードフラグ５９２４およびセキュリティパスワード５９２５から構成される。【０３１２】
画像ＩＤ５９２７は、撮影画像に一意の情報であり、撮影装置１によって撮影時に時系列的に付与される。【０３１３】
一覧表示フラグ５９２０は、撮影装置１の第２メモリ５２の一覧表示（フラグ）７８に対応し、ＴＶ４５においてサーバ４２からダウンロードした画像情報の閲覧を一覧形式にするかどうかのフラグである。ＴＶ４５のデータ処理部５５１０は、このフラグが“ｙｅｓ”の場合には、ダウンロードした画像の一覧表示を作成して、メモリ部５５１１に記憶し、表示部５５１２に一覧形式で表示する。【０３１４】
スライドショーフラグは、撮影装置１の第２メモリ５２のスライドショー（フラグ）７９に対応し、ＴＶ４５においてサーバ４２からダウンロードした画像情報の閲覧をスライドショーにするかどうかのフラグである。ＴＶ４５のデータ処理部５５１０は、このフラグが“ａｕｔｏｍａｔｉｃ”の場合には、ダウンロードした画像のスライドショーを作成して、メモリ部５５１１に記憶し、表示部５５１２にスライドショーで表示する。一方、本スライドショーフラグが、“ｍａｎｕａｌ”である場合には、ユーザ指示によってスライドショーを実施することを許可する。また、“ｄｉｓａｂｌｅ”の場合には、スライドショー表示を許可しない。【０３１５】
印刷フラグ５９２２は、ＴＶ４５にダウンロードして表示部５５１２にて表示する画像が、ＴＶ４５に接続された図示しないプリンタによって印刷可能かを示すフラグである。これは、撮影装置１の第２メモリ５２の画像表示方法指示情報７７内に図示していないが、印刷フラグを設けることによって、印刷可能かどうかの設定を行うことができ、ユーザの画像使用に関する利便性を向上させることが可能となる。【０３１６】
動画再生フラグ５９２３は、撮影装置１で動画情報を撮影し、サーバ４２にアップロードした場合、ＴＶ４５にて動画をダウンロードし、閲覧することを許可するかどうかのフラグである。撮影装置１にて動画撮影機能が存在する場合には、第２メモリ５２の画像表示方法指示情報７７に本動画再生フラグ５９２３を付与することによって、動画像の再生を許可するかどうかの設定を追加することが可能となり、ユーザの煩雑な操作をすることなく、動画像の再生管理を行うことが可能となる。【０３１７】
ダウンロードフラグ５９２４は、サーバ４２にアップロードされた画像や動画をＴＶ４５のメモリにダウンロード（コピー）することが可能かどうかを示す識別子である。このフラグを用いれば、撮影画像を許可されない第３者によって、コピーさせることがなくなるので、著作権の保護にも繋げることが可能となる。【０３１８】
セキュリティパスワード５９２５は、前述の画像の閲覧、印刷およびダウンロードを許可したユーザのみ可能とするためのパスワード情報である。本実施形態では、前述の画像の閲覧、印刷およびダウンロードに対して、同じパスワード設定をする形態で説明するが、それぞれ異なるパスワードを設定できるようにするほうが、各レベルでのセキュリティ対策が実施できるのでなお良い。【０３１９】
以上のように、本発明のシステムを用いれば、撮影装置１は撮影画像を第１アンテナによって接続されるサーバにアップロードされる。また、撮影装置１をＴＶ４５のＲＦ−ＩＤリーダライタ４６にかざせば、撮影装置１のＲＦ−ＩＤ４７から、サーバＵＲＬ生成情報８０、撮影画像状況情報５５および画像表示方法指示情報７７をＲＦ−ＩＤ通信によって、ＴＶ４５に送信し、ＴＶ４５は、撮影装置１によって撮影画像をアップロードしたサーバに接続し、撮影装置１にて撮影した画像をＴＶ４５にダウンロードして表示する。また、撮影画像状況情報５５によって、サーバ４２と撮影装置１の撮影画像情報の同期を確認して、同期が取れていない場合には、その旨をＴＶ４５の表示部５５１２に表示する。よって、ユーザは、従来までの記録メモリをカメラから抜き出し、ＴＶ４５にセットして閲覧する必要のあった撮影画像の表示を、撮影装置１をＴＶ４５にかざすだけで対応できるようにすることが可能となる。これによって、デジタル機器の操作に慣れないユーザであっても簡単に撮影画像をＴＶ４５に表示することができる。【０３２０】
（実施の形態３）
本発明の第３の実施形態について述べる。【０３２１】
まず、第３の実施形態の概略を説明する。図４８は実施形態３の電子カタログ表示システムの概略構成図である。実施形態３の電子カタログ表示システムは、ＲＦ−ＩＤライタ部５０１を備えた電子カタログサーバ情報入力機５００と、ＲＦ−ＩＤ４７を備えた電子カタログ通知カード５０２と、ＲＦ−ＩＤリーダ部５０４とネットワーク通信部５０９を備えたＴＶ４５と、電子カタログデータベース５０７と顧客属性データベース５０８を備えた電子カタログサーバ５０６を備える。【０３２２】
電子カタログサーバ情報入力機５００は、ユーザ（電子カタログのサービス提供者）から入力された電子カタログサーバ情報を、ＲＦ−ＩＤライタ部５０１から、電子カタログ通知カード５０２に貼付されたＲＦ−ＩＤ４７に書き込む。この電子カタログサーバ情報が書き込まれた電子カタログ通知カード５０２を、ユーザ（電子カタログのサービス利用者）が、ＴＶ４５に近づけることにより、ＴＶ４５が備えるＲＦ−ＩＤリーダ部５０４がＲＦ−ＩＤ４７に書き込まれた電子カタログサーバ情報を読み取る。さらに、ＴＶ４５は、読み取った電子カタログサーバ情報を基に、ネットワーク通信部５０９を介してネットワーク上に設置された電子カタログサーバ５０６に電子カタログの取得要求を送信する。また、ＴＶ４５は、電子カタログ取得要求を電子カタログサーバに送信する際に、あらかじめＴＶ４５に入力されていたユーザ情報も同時に電子カタログサーバ５０６に送信する。電子カタログサーバ５０６は、ＴＶ４５からの電子カタログ送信要求およびユーザ情報を受信し、まずユーザ情報を基に、顧客属性データベース５０８から顧客属性データを取得する。次に、顧客属性データを基に、電子カタログデータベース５０７から対応する電子カタログデータを取得する。そして、取得した電子カタログデータを、電子カタログ要求を発したＴＶ４５に対して送信する。ＴＶ４５は、電子カタログサーバ５０６から受信した電子カタログデータを画面に表示し、ユーザ（電子カタログのサービス利用者）からの電子カタログデータ内の商品の購入操作を受け付ける。【０３２３】
以下に、実施形態３の電子カタログ表示システムの詳細を説明する。【０３２４】
図４９は実施形態３の電子カタログサーバ情報入力機の構成を示す機能ブロック図である。まず、キー入力受付部５２０が、ユーザ（電子カタログのサービス提供者）が操作する入力キーからの入力を受け取り、電子カタログサーバ情報を取得する。キー入力受付部５２０が取得する電子カタログサーバ情報は、ＵＲＬ等のサーバアドレスと、サーバログインＩＤと、サーバログインパスワードと、電子カタログ表示用パスワードと、電子カタログに含まれる商品の画像を一覧（サムネイル）表示するのかそれとも逐次（スライド）表示するのかを示す電子カタログ表示情報と、ＲＦ−ＩＤが貼付先となるカードやハガキ等の媒体を示すメディア識別情報である。キー入力受付部５２０が取得した電子カタログサーバ情報を、記憶部５２２に格納する。次に、電子カタログサーバ情報が入力された後に、ＲＦ−ＩＤ送信キー等が入力されると、ＲＦ−ＩＤ送信入力受付部５２１が送信部５２３に送信要求を通知し、送信部５２３は、記憶部５２２から電子カタログサーバ情報を読み出し、アンテナ部５２４から電子カタログサーバ情報を送信する。電子カタログサーバ情報入力機の処理の詳細を、図５０のフローチャートで示す。【０３２５】
図５１は、電子カタログ通知カード５０２が備えるＲＦ−ＩＤ４７の構成を示すブロック図である。ＲＦ−ＩＤ４７の構成および処理は、第１、第２の実施の形態で説明したものと同様である。第２アンテナ２１から受信した信号から第２電源部９１が電流を取り出して各部へ電源供給を行い、データ受信部１０５と第２処理部９５と記録部１０６が、受信したデータを第２メモリ５２へ記録する。【０３２６】
図５２は、ＴＶ４５の構成を示す機能ブロック図である。実施形態３でのＴＶ４５の構成は、第２の実施の形態での構成に、ユーザ情報入力部５８８を追加した構成である。あらかじめユーザ（電子カタログのサービス利用者）が入力した、ユーザ自身の属性に関するユーザ情報をユーザ情報入力部５８８が受け付け、メモリ部５８３にいったん格納する。ユーザ情報として、例えばユーザの性別情報や年齢情報が好ましいが、これら以外にも、居住地や家族構成等のように電子カタログから提供される商品データの選別に利用可能な個人情報であってもよい。このユーザ情報は、ＵＲＬ生成部が生成した電子カタログサーバのＵＲＬとともに、通信部５０９を介して電子カタログサーバに送信される。第１の実施の形態と同様、本実施形態でも、電子カタログサービス利用者が、電子カタログ通知カード５０２をＴＶ４５のＲＦ−ＩＤリーダ部５０４に近づけることで、ＴＶ４５が電子カタログサーバ情報を受信し、これを用いてサーバのＵＲＬを生成し、サーバに接続する。この処理の詳細は、第１の実施形態の図７〜図２０で示した処理と同様である。【０３２７】
図５３は電子カタログサーバ５０６の構成を示す機能ブロック図である。電子カタログサーバ５０６は、通信部６００を介して、ＴＶ４５から送信された電子カタログ送信先アドレス（ＴＶ４５と電子カタログサーバ５０６が属するネットワーク上でのＴＶ４５のネットワークアドレス）とユーザ情報を受信する。次に、顧客属性データ取得部が受信したユーザ情報を基に、顧客属性データベース５０８から顧客属性データを取得する。例えば、ユーザ情報の中にＴＶ４５を使用するユーザの性別と年齢が含まれている場合は、図５７に示すデータ構造を持つ顧客属性データベース５０８から年齢と性別に対応する商品ジャンルや商品価格帯の情報を顧客属性データとして取得する。そして、電子カタログデータ取得部６０２が、顧客属性データを基に電子カタログデータベース５０７から電子カタログデータを取得する。例えば、顧客属性データに商品ジャンルと商品価格帯が含まれている場合は、図５８に示すデータ構造を持つ電子カタログデータベース５０７から商品ジャンルと商品価格帯に対応する商品データをまとめて電子カタログデータとして取得する。電子カタログデータ取得部６０２で取得した電子カタログデータは、通信部６００を介して、電子カタログ送信先アドレスが示すＴＶ４５に送信される。電子カタログサーバ５０６の処理の詳細を図５４のフローチャートで示す。【０３２８】
次に、図５５に示したフローチャートを用いて、電子カタログデータをダウンロードした後のＴＶ４５の処理を説明する。Ｓ６３０〜Ｓ６３２におけるＲＦ−ＩＤから電子カタログサーバ情報を取得する処理は、電子カタログデータをダウンロードしていない場合もダウンロード完了後でも共通である。Ｓ６３３で、ＲＦ−ＩＤから受信した電子カタログサーバ情報に対応する電子カタログデータの、ダウンロードおよび表示が完了しているかを判定し、ダウンロードが完了していない場合は、Ｓ６３４およびＳ６３５でサーバから電子カタログデータをダウンロードする。このデータのダウンロード処理は第１の実施の形態におけるデータのダウンロード処理と同様である。【０３２９】
Ｓ６３３で電子カタログデータがダウンロード済みであった場合は、あらかじめ設定した所定のキー、例えば確定キーのキー信号を発行し、表示している電子カタログデータに対する操作を実行する。例えば、図５６に示した電子カタログデータの画面表示例のように、表示中の電子カタログデータに対してユーザが次に行うべき操作を２、３の少ない選択肢で提示する画面構成とし、さらに図５６中の選択肢６５２と６５３で示されるように、一定時間経過毎に選択候補を示すフォーカスが選択肢間を移動するような画面構成とする。このようにすれば、ユーザは自身が希望する選択肢にフォーカスがある時に、ＲＦ−ＩＤ４７を備えた電子カタログ通知カード５０２をＴＶ４５にかざすことで、電子カタログデータの選択や、各データにおける購入などの操作を実行することができる。【０３３０】
なお、本実施形態の電子カタログ通知カード５０２上のＲＦ−ＩＤ４７が内蔵する第２メモリ５２は、ＲＯＭ（ＲｅａｄＯｎｌｙＭｅｍｏｒｙ）であってもよい。この場合、電子カタログサーバ情報入力機５００は、ＲＦ−ＩＤ製造工程におけるＲＦ−ＩＤメモリデータ入力機、またはＲＦ−ＩＤ製造システムにおけるＲＦ−ＩＤメモリデータ入力手段となる。一般的に、書き換え可能メモリを有するＲＦ−ＩＤよりもＲＯＭを有するＲＦ−ＩＤの方が安価に構成できるため、電子カタログ通知カードを大量に送付する電子カタログサービス提供者にとっては、ＲＯＭ型ＲＦ−ＩＤを利用することでコストを抑えることができる。【０３３１】
なお、本実施形態では、ＴＶ４５の画面構成として、図５６中の選択肢６５２と６５３で示されるように、一定時間経過毎に選択候補を示すフォーカスが選択肢間を移動するとしたが、ＲＦ−ＩＤ４７を備えた電子カタログ通知カード５０２を使用して、画面表示した電子カタログデータを操作する方法はこれに限定されない。例えば、ＴＶ４５の受信部５７１が、ＲＦ−ＩＤから送信される情報を連続して受信し、その連続する受信数を計測することによって、ＲＦ−ＩＤがＴＶ４５に近づけられている時間を取得し、そのＲＦ−ＩＤ近接時間を基に、画面表示された選択候補を示すフォーカスを移動させてもよい。このような構成とすることで、ＲＦ−ＩＤをＴＶに近づけている間だけ、画面上に表示されたフォーカスが移動して選択候補を変更し、ＲＦ−ＩＤをＴＶから離したところでフォーカスの移動も停止し、さらにフォーカスの移動停止後、一定時間が経過すると、フォーカスが停止していた選択候補の選択が確定するという、電子カタログの操作が可能となる。この電子カタログ操作方法では、一定時間毎に自動的に選択候補を巡回するフォーカスが、ユーザの所望する選択肢までまわってくることを待つことなく、ユーザがＲＦ−ＩＤを用いて能動的に電子カタログを操作できるという効果が得られる。【０３３２】
なお、本実施形態で電子カタログサーバ情報入力機５００は、キー入力受付部５２０が、ユーザ（電子カタログのサービス提供者）が操作する入力キーからの入力を受け取り、電子カタログサーバ情報を取得する構成としたが、電子カタログサーバ情報入力機が画像サーバとの通信インタフェースを備え、画像サーバが、電子カタログサーバ情報入力機に送信するサーバ情報を保持し、電子カタログサーバ情報入力機が画像サーバからサーバ情報を受信して取得する構成としてもよい。このような構成にすることにより、画像サーバにサーバ情報を入力しておけば、電子カタログサーバ情報入力機側で画像サーバを入力する必要がなく、特に１つの画像サーバに対して複数の電子カタログサーバ情報入力機を運用する場合において、利便性が高い。【０３３３】
従来はパソコン等の電子機器操作に精通していないユーザがネットショッピングを利用するために機器の操作を習得しなければならないことが課題であったが、以上のように、第３の実施の形態で述べたシステムを用いれば、電子カタログを利用するユーザは、受け取ったカードや葉書をＴＶに近づけるだけで、ネットショッピング等を利用することができ、パソコンや携帯電話等のインターネット端末に慣れ親しんでいないユーザであっても、容易にＴＶ画面上でショッピングを楽しむことができるようになる。【０３３４】
（実施の形態４）
本発明の第４の実施形態について述べる。【０３３５】
図５９は実施形態４の概略構成図である。本実施形態では、画像サーバへアクセスするためのＲＦ−ＩＤが貼付された葉書を、遠隔地に送付する方法について説明する。まず、葉書の送付元となる第１ユーザが、ＲＦ−ＩＤ４７を備えた撮影装置１をＴＶ４５のＲＦ−ＩＤリーダライタ４６に近づけると、ＴＶ４５が画像サーバ４２に接続するためのサーバＵＲＬを生成し、画像サーバ４２から画像データを取得し、画面に表示する。この処理は、第１の実施の形態と同様である。次に、第１ユーザが、ＴＶ４５に表示された画像の中から、葉書に印刷したい画像と、葉書に関連付けて登録したい（遠隔地に居る第２ユーザに見せたい）画像を、ＴＶ４５に対応するリモコン等の入力手段を用いて選択する。さらに第１ユーザは、葉書の送付先住所等の送付先情報もリモコン等を用いて入力する。ＴＶ４５は、第１ユーザが選択した葉書に印刷する画像のＩＤと、葉書に登録する画像のＩＤと、葉書送付先情報を画像サーバ４２に送信する。画像サーバ４２は、受信した印刷画像ＩＤに対応する画像データを取得し、画像データと葉書送付先情報をプリンタ８００に送信する。プリンタ８００は、画像データと葉書送付先住所を、葉書に印刷する。また、画像サーバ４２は、画像サーバ情報入力機５００に、ＴＶ４５から受信した登録画像ＩＤを送信し、同時に、ＵＲＬ等のサーバアドレスと、サーバログインＩＤと、サーバログインパスワードと、画像表示用パスワードと、画像を一覧（サムネイル）表示するのかそれとも逐次（スライド）表示するのかを示す画像表示情報と、ＲＦ−ＩＤの貼付先となるカードやハガキ等の媒体を示すメディア識別情報を含む画像サーバ情報を送信する。画像サーバ情報入力機５００は、画像サーバ情報と登録画像ＩＤを、プリンタで画像と送付先情報を印刷した葉書のＲＦ−ＩＤ４７に書き込む。印刷とＲＦ−ＩＤへの書き込みが行われた葉書８０１は、印刷された送付先に郵送され、第１ユーザが送付先として指定した第２ユーザがこの葉書８０１を取得する。第２ユーザが、郵送された葉書を、第２ユーザのＴＶ４５のＲＦ−ＩＤリーダライタ４６に近づけると、ＴＶ４５は、ＲＦ−ＩＤ４７が格納する画像サーバ情報と登録画像ＩＤを取得し、登録画像ＩＤに対応する画像データをサーバからダウンロードおよび表示する。【０３３６】
本実施形態の撮影装置１の構成および処理は第１の実施の形態と同様である。【０３３７】
図６０は、本実施形態のＴＶ４５の構成を示すブロック図である。受信部８１１は、無線アンテナ５７０を介して撮影装置１もしくは葉書８０１のＲＦ−ＩＤ４７から画像サーバ情報を受信するが、葉書８０１のＲＦ−ＩＤ４７が登録画像ＩＤを有する場合は、登録画像ＩＤも受信する。また、画像選択部５８４は、キー部５８５および赤外線受光部５８６を介してユーザの画像選択操作を受け付け、第１ユーザが葉書に印刷するために選択した画像のＩＤ（印刷画像ＩＤ）と、葉書に登録するために選んだ画像のＩＤ（登録画像ＩＤ）を取得し、これらを通信部５０９へ送る。この画像選択操作時にＴＶ４５に表示する画面表示例を図６１に示す。図６１中の８２１が葉書に印刷する画像を選択する画面表示であり、図６１中の８２０が葉書に登録する画像を選択する画面表示である。また、葉書送付先情報入力部８１０は、キー部５８５および赤外線受光部５８６を介してユーザの文字入力操作を受け付け、葉書の送付先となる住所および宛名を含む葉書送付先情報を取得し、通信部５０９へ送る。葉書送付先情報を入力する際の画面表示例を図６１中の８２３に示す。通信部５０９は、送信部５７５および通信インタフェース５７６を介して、葉書送付先情報と印刷画像ＩＤと登録画像ＩＤを画像サーバに送信する。【０３３８】
図６２は、画像サーバ４２とプリンタ８００と画像サーバ情報入力機５００が、葉書８０１を送付できるように準備する処理を示すフローチャートである。印刷とＲＦ−ＩＤへの書込みが行われた葉書８０１は、印刷された送付先に郵送され、第１ユーザが送付先として指定した第２ユーザがこの葉書８０１を取得する。第２ユーザが受け取った葉書８０１を、ＴＶ４５にかざすと、受信部８１１が無線アンテナ５７０を介して、ＲＦ−ＩＤ４７が送信した画像サーバ情報および登録画像ＩＤを受信する。画像サーバ情報および登録画像ＩＤの中で暗号化された情報は、復号部５７２で復号化される。次にＵＲＬ生成部５７３が、画像サーバ４２に格納された画像データの中から、登録画像ＩＤに対応する画像データのみをＴＶ４５にダウンロードするＵＲＬを生成する。具体的には、生成するＵＲＬの中でサーバの内部ディレクトリを指定したり、ＵＲＬオプションとして登録画像ＩＤをＵＲＬに埋め込む手法を利用することができる。ＵＲＬ生成部５７３で生成したサーバを指定するＵＲＬを用いて、ＴＶ４５が画像サーバにアクセスして画像データを取得する処理の詳細は、第１の実施の形態で説明した処理と同様である。【０３３９】
なお、本実施形態では、ユーザがＴＶ４５に送付先情報を入力する構成としたが、住所や宛名等の送付先情報だけでなく、葉書に画像とともに印刷するメッセージも入力してもよい。ＴＶ４５が受け付けた入力メッセージは、送付先情報と同様に、ＴＶ４５から画像サーバ４２に送られ、さらにプリンタ８００で葉書に印刷される。ＴＶ４５での印刷用のメッセージの入力画面例を、図６１の８２２に示す。このように葉書に印刷する葉書を選択できるだけでなく、画像に添えるメッセージを入力できるようにすることで、ＲＦ−ＩＤ付き葉書を作成する自由度が上がる。【０３４０】
なお、本実施形態のＴＶ４５において、第３の実施形態でＲＦ−ＩＤを用いて画面表示された電子カタログを操作する処理と同様に、ＲＦ−ＩＤ付き葉書を用いて、ＴＶ４５に表示した画像を操作できる構成としてもよい。【０３４１】
以上のように、第４の実施形態で述べたシステムを用いれば、手元にＲＦ−ＩＤが貼付された葉書を用意することなく、離れた所にいる相手にＲＦ−ＩＤ付葉書を郵送することができるとともに、画像サーバに格納した画像を葉書に印刷して送付したい場合も、ＴＶ画面上の操作で印刷したい画像を選択することができるので高い利便性が得られる。【０３４２】
従来は遠隔地にいる相手にテレビなどの大画面表示機器で画像を見せるためには、遠隔地側のユーザが機器操作を習得したり、遠隔地に操作習得者が赴いて機器を操作したり、遠隔地にある表示機器を遠隔操作する必要があったが、本システムでは、遠隔地のユーザがＲＦ−ＩＤ付の葉書等、物理的な媒介物を表示機器に近づけるという簡単な操作で容易に画像を閲覧することができる。【０３４３】
（実施の形態５）
本発明の第５の形態では、ハガキ等の郵送物に固定の情報が書き込まれており、撮影装置では書き込まれた固定情報とサーバに保存された画像または画像グループ（画像情報）とを紐付けし、再生側ではハガキ等に付けられたＲＦ−ＩＤから固定情報を読み出すことで、固定情報に関連付けられた画像の閲覧を可能にする構成について説明を行う（図６３）。図６３では、まず郵送物に記録された固定情報を撮影装置で読み取り、画像と郵送物固有ＩＤとの関連づけを行いサーバに登録する。登録が完了した郵送物を受け取ったユーザは、郵送物をテレビジョンのＲＦ−ＩＤリーダに近づけることで固定情報の読み出しを行い、固有情報を用いてサーバに問い合わせを行うことで郵送物に関連づけられた画像の閲覧を行う。【０３４４】
本実施の形態のポイントは、郵送物につけられたＲＦ−ＩＤの情報が書き換えできない（ＲＯＭ）または、書き換えできない環境であるという点であり、郵送物の固定情報の書き換えを行なわずにサーバの画像情報と郵送物の関連付けを行う点である。【０３４５】
＜撮影装置での画像のアップロードと郵送物との関連づけ＞
撮影装置により撮影した画像は、先の実施の形態で説明した方法によりサーバにアップロードされる。この時、アップロードした画像または画像グループ毎に識別子が付与され、この識別子によりサーバ上の画像または画像グループが識別可能となる。【０３４６】
以下、撮影装置により撮影されサーバへアップロードされた画像または画像グループと、郵送物のＲＦ−ＩＤのタグに記録された固定情報との関連付け方法について説明を行う。なお、郵送物のＲＦ−ＩＤに記録されている固定情報は図６４のようになる。図６４（ａ）は、郵送物に固有の郵送物固有ＩＤと画像サーバへアクセスするためのアドレス等の情報を、図６４（ｂ）は郵送物固有ＩＤと中継サーバにアクセスするためのアドレス等の情報を、図６４（ｃ）は郵送物固有ＩＤのみ記録されている例である。なお、これ以外にサーバにアクセスするためのログインＩＤやパスワード情報を格納していることもあるが、本実施の形態ではサーバにアクセスするために必要となる情報は、アドレス情報を含むＵＲＬに含まれているとする。【０３４７】
図６５は、撮影装置がＲＦ−ＩＤリーダの機能を持つ場合のＲＦ−ＩＤとサーバに記録された画像情報との関連付けのフローチャートである。【０３４８】
撮影装置では、まず、郵送物のＲＦ−ＩＤに格納された情報をＲＦ−ＩＤリーダを用いて読み出す（Ｓ２５００）。具体的には、図３の第２アンテナ２１より、郵送物のＲＦ−ＩＤと通信を行い、データ受信部１０５により郵送物の固定情報を受信する。その後、第２処理部９５により処理を行い、記録部１０６、第２メモリ５２、記録再生部５１を経由して第１処理部３５へ読み出した郵送物の情報が転送される。第１処理部では、郵送物より読み出した郵送物固有ＩＤと、画像または画像グループとの関連付けをユーザの指示により決定する（Ｓ２５０１）。その後、第１アンテナ２０を経由してサーバ４２へアクセスし（Ｓ２５０２）、郵送物固有ＩＤとサーバに格納されている画像情報との関連付け情報をサーバに登録する（Ｓ２５０３）。【０３４９】
読み出した郵送物に格納された固定情報に画像サーバのアドレスまたはアドレスを含むＵＲＬが記録されていた場合には、以上で処理は終了である。郵送物に格納された固定情報に画像サーバのアドレスまたはアドレスを含むＵＲＬが記録されていない場合には、中継サーバへの設定を行う（図６６）。【０３５０】
中継サーバへの設定では、まず中継サーバへのアクセスを行う（Ｓ２５１０）。なお、中継サーバのアドレスまたはアドレスを含むＵＲＬが郵送物から読み出した情報にある場合には、読み出した情報に含まれる中継サーバを、無い場合いは撮影装置側にあらかじめ設定されている中継サーバにアクセスする。【０３５１】
中継サーバと接続後、中継サーバのデータベースに郵送物固有ＩＤをリダイレクト先（転送先）のサーバとの関連付け設定を行う（Ｓ２５１１）。これにより中継サーバのデータベースに郵送物固有ＩＤと転送先のアドレスの対応が登録される。【０３５２】
撮影装置がＲＦ−ＩＤリーダの機能を持たない場合で、かつ、郵送物にＲＦ−ＩＤリーダの情報を記録した２次元コード等が印刷されている場合は、撮影装置の撮像部を用いて撮影を行い、２次元コードとして記録された情報を読み出すことで郵送物のＲＦ−ＩＤに記録されている固定情報と同じ情報を読み出す。２次元コードとしては、ＱＲコード、ＰＤＦ４１７、ベリコード、マキシコードなどがあるが、ここに書かれているもの以外のものでも撮影装置により撮影することで情報の取り込みが行なえるものであればどのようなものを利用してもよい。また、印刷領域面積が増えてしまうが、一次元方向のみのバーコードを利用した場合でも本実施の形態と同様の効果が期待できる。【０３５３】
図６７は、ＲＦ−ＩＤ部２５２０が取り付けられ、同一の情報が記録された二次元コード２５２１が印刷された郵送物の例である。二次元コードを撮影装置で読み込む場合のデータの流れを図３の構成図を用いて説明する。郵送物に印刷された二次元コードは、撮像部３０により撮影され、映像処理部３１により画像に変換された後、記録再生部３２を経由して第１処理部３５へ送られる。第１処理部３５では、撮影された二次元コードを解析し、二次元コードに記録されている情報を取り出す。二次元コードに記録されている情報は、ＲＦ−ＩＤに記録されている情報と基本的には同一であり、少なくとも郵送物固有ＩＤを含んでいる。【０３５４】
以下、図６８を用いて、二次元コードから情報を読み出してサーバの画像または画像グループと関連付けを行うまでの処理の流れを説明する。【０３５５】
まず、撮像部により２次元コードの撮影を行う（Ｓ２５３０）。次に撮影された画像が二次元コードであるかどうかの判定を行い（Ｓ２５３１）、二次元コードでない場合には、エラー処理を行う（Ｓ２５３２）。なお、二次元コードでない場合には、通常の撮影処理を行ってもよい。二次元コードである場合には、二次元コードの解析を行い（Ｓ２５３３）、解析結果から郵送物の情報を読み出す（Ｓ２５３４）。郵送物の固定情報が読み出された後は、郵送物固有ＩＤとサーバの画像情報の関連づけを決定し（Ｓ２５３５）、サーバへアクセスし（Ｓ２５３６）、関連付け情報をサーバに設定する（Ｓ２５３７）。Ｓ２５３５〜Ｓ２５３７の処理は図６５のＳ２５０１〜Ｓ２５０３の処理と同じである。なお、読み出した情報に画像サーバのアドレスまたはアドレスを含むＵＲＬが記録されていない場合には、中継サーバへの転送設定処理を行う。中継サーバへの設定処理は、先に説明した図６６の処理となる。【０３５６】
以上により、郵送物に印刷された二次元バーコードの情報を読み取ることで、ＲＦ−ＩＤに記録された情報とサーバの画像情報との関連付けが完了する。【０３５７】
撮影装置がＲＦ−ＩＤリーダ機能を持たず、郵送物に二次元コード等のコードが印刷されていない場合、郵送物に印刷された郵送物固有ＩＤやサーバアドレスなどのＵＲＬを直接撮影装置に手入力することで、郵送物の情報を撮影装置で情報を読み出すことも可能である。手入力は、図２の７〜１５のボタン操作等により行う。なお、ＵＲＬや郵送物の固有ＩＤは、直接平文で印刷されていても、入力しやすいコードに符号化されていてもよい。符号化されている場合は、入力完了後に撮影装置でデコード処理を行い、郵送物のＲＦ−ＩＤの記録されている情報を取り出す。【０３５８】
以上により、ＲＦ−ＩＤリーダ機能を持たず、かつ、二次元バーコード等が印刷されていない場合でも、郵送物とサーバの画像情報との関連付けを行うことができる。【０３５９】
＜郵送物のＲＦ−ＩＤを用いた画像再生および閲覧＞
次に、関連付けが完了している郵送物を用いて、テレビジョンでサーバに記録されている画像を閲覧する手順について説明する。【０３６０】
図６９は、郵送物のＲＦ−ＩＤを読み込んで画像サーバにアクセスするまでのテレビジョンの処理フローである。【０３６１】
郵送物をテレビジョンのＲＦ−ＩＤリーダに近づけると、郵送物のＲＦ−ＩＤの情報がテレビジョンに読み込まれる（Ｓ２５４０）。読み込まれた情報にサーバアドレスまたサーバアドレスを含むＵＲＬが存在する場合には（Ｓ２５４１）、指定されたサーバへアクセスし（Ｓ２５４２）、郵送物固有ＩＤを送信する（Ｓ２５４３）。なお、相手が中継サーバであった場合には（Ｓ２５４４）、中継サーバにより指定されたサーバへのリダイレクトが行なわれ（２５４７）、画像サーバの画像または画像グループへのアクセスが行なわれる（Ｓ２５４８）。Ｓ２５４４において、相手が画像サーバであった場合には、リダイレクトは行なわれず、画像サーバへのアクセスが行なわれる（Ｓ２５４８）。また、郵送物に記録されていた情報にサーバアドレスが存在していない場合、テレビジョンにあらかじめ設定されているデフォルトのサーバへのアクセスが行なわれ（Ｓ２５４５）、郵送物固有ＩＤをデフォルトのサーバへ送信する（Ｓ２５４６）。その後、指定されたサーバへのリダイレクトがおこなわれ（Ｓ２５４７）、画像サーバへのアクセスが行われる。【０３６２】
なお、中継サーバまたは、デフォルトのサーバのデータベースに郵送物固有ＩＤと中継する先のサーバの対応付けが登録されていない場合は、エラーページへのリダイレクトが行なわれる。図７０は、郵送物固有ＩＤを受信した後の中継サーバおよびデフォルトのサーバの処理フローである。郵送物固有ＩＤを受け取ると（Ｓ２５５０）、この固有ＩＤに関連する情報がデータベースに記録されているか検索する（Ｓ２５５１）。データベースに記録されている場合は（Ｓ２５５２）、固有ＩＤに関連づけられてデータベースに記録されているサーバへのリダイレクトを行う（Ｓ２５５４）。もし、関連付けがない場合には、エラーページへのリダイレクトが行なわれる（Ｓ２５５３）。【０３６３】
以上のように、あらかじめＲＦ−ＩＤの情報が固定されている郵送物と画像サーバの画像情報の関連付けを行ない、関連付けが行なわれた郵送物をテレビジョンにかざすことで、郵送物のＲＦ−ＩＤの書き換えを行うことなく、画像サーバに記録され郵送物固有ＩＤに関連付けられた画像または画像グループを閲覧することができる。これは例えば、外出先などで郵送物のＲＦ−ＩＤの書き換えが出来ない場合や郵送物のＲＦ−ＩＤが書き換え不能なものであっても、サーバの画像と郵送物との関連付けが行なえるようになり、郵送物を受け取った側に郵送物に関連づけた画像を閲覧させることができるようになる。【０３６４】
なお、本実施の形態では、サーバにアクセス後、郵送物固有ＩＤを送信するとしたが、郵送物に記録された郵送物固有ＩＤとサーバアドレスからＵＲＬを生成し、これを用いてサーバにアクセスしてもよい。この場合は、サーバへのアクセスと郵送物固有ＩＤの送信を同時に行うことが可能となる。【０３６５】
本実施の形態によれば、例えば、観光先等のようにＲＦ−ＩＤの書き換えが出来ない環境下でも、撮影した写真とハガキを関連づけることができ、関連づけたハガキを知人に送ることで、ハガキを受け取った知人がテレビジョンにハガキをかざすことで観光先での写真を閲覧させることが可能となる。このように、ＲＦ−ＩＤの書き換えが出来ない環境であっても、サーバの画像情報と関連付けを行なった郵送物を作成し、閲覧させたい相手に送ることができるようになる。【０３６６】
なお、撮影装置に郵送物のＲＦ−ＩＤを書き換えるためのＲＦ−ＩＤライタ機能が備わっている場合は、次に説明する第６の実施の形態のテレビジョン装置で郵送物とサーバの画像情報を関連づけるフローと処理は同じになるのでここでの説明は省略する。【０３６７】
（実施の形態６）
本発明の実施の形態６では、撮影装置にて撮影された画像が、画像サーバにアップロードされた後、画像送信側の利用者（以後、送信者と記載する）が画像サーバの画像から画像グループを選定し、この画像グループにアクセスするための情報が郵送物上のＲＦ−ＩＤに記録され、画像受信側の利用者（以後、受信者と記載する）の下へ郵送され、この郵送物上のＲＦ−ＩＤを用いて受信者による画像サーバの画像グループへのアクセスを実現する構成について説明する。【０３６８】
図７１は、本発明の第６の実施の形態における画像送信側の構成を示す概略図であり、図７２は本発明の実施の形態６における画像受信側の構成を示す概略図である。なお、図７１と図７２において、図１および図３と同じ構成要素については同じ符号を用い、説明を省略する。【０３６９】
図７１と図７２において、郵送物３００１は、画像送信側から画像受信側へ郵送されるはがき、または、封筒、便箋などの郵送物を示し、ＲＦ−ＩＤ部３００２は、書き換え可能なＲＦ−ＩＤであり、その少なくとも一部の領域が書き換え可能なメモリ部３００３を内包している。ＲＦ−ＩＤ部３００２は、郵送物３００１に貼り付け、あるいは漉き込まれており、郵送物と共に画像受信側へ送付されるものである。【０３７０】
また、ＲＦ−ＩＤ部３００２については、先の実施の形態で述べた通り、このＲＦ−ＩＤ部が属する媒体が郵送物であることを識別するためのメディア識別情報が、メモリ部３００３に記録されている。【０３７１】
図７２において、テレビジョン３０４５は、先の実施の形態で述べた図７１のＴＶ４５と同等の機能を有する画像受信側に設置されたテレビジョン表示装置であり、図７１のＴＶ４５と同様に、ＲＦ−ＩＤリーダライタ部３０４６（図７１のＲＦ−ＩＤリーダライタ４６に相当）と、表示部３０４７（図７１の表示部１１０に相当）を有し、更に図には示されていないネットワーク接続手段によってインターネット４０と接続されている。【０３７２】
上記構成に関して、次にその動作を説明する。【０３７３】
＜画像送信側の画像グループ選定、郵送物への書き込み＞
図７１の画像送信側において、撮影装置１で撮影された画像は、撮影装置１に搭載された無線ＬＡＮ、或いはＷｉＭＡＸなどの無線通信用の第２アンテナ２０を用いて無線アクセスポイントに送られ、インターネット４０を介して画像サーバ４２の画像データ５０として記録される。そして、撮影装置１をＴＶ４５のＲＦ−ＩＤリーダライタ４６に近づけて、撮影装置１に搭載されたＲＦ−ＩＤのための第１アンテナ２１を介した無線通信により、ＴＶ４５との接続を確立する。ＴＶ４５は、画像サーバ４２の画像データ５０へのアクセスのための情報を撮影装置１より取得し、画像データ５０の画像をダウンロードして表示部１１０への表示を行う。以上の動作は、先の実施の形態で述べた動作と同様であり、概要のみ述べたものである。【０３７４】
次に送信者は、ＴＶ４５の表示部１１０に表示された画像を確認しながら、画像毎に受信者へ送信する画像であるか否か、言い換えれば、受信者の閲覧を許可するか否かを示す送信画像選択情報を設定していく。更には、先の実施の形態で述べた表示限定、スライドショー、プリントなどの利用形態情報を、受信者に対して設定することもできる。これら送信画像選択情報と利用形態情報は、画像サーバに送信、記録され、送信画像選択情報によって送信画像として選択された画像の集合を画像グループとして画像サーバで管理される。【０３７５】
以降、送信者により選定された画像グループに関する情報が郵送物３００１に記録される過程を、ＴＶ４５の動作フロー図７３を用いて説明する。【０３７６】
送信者は、上述の通りの送信画像選択、利用形態情報を設定した画像グループの作成が完了している状態にて、ＲＦ−ＩＤ部３００２を有する郵送物３００１を、ＴＶ４５のＲＦ−ＩＤリーダライタ４６に近づけて、ＲＦ−ＩＤ部３００２とＲＦ−ＩＤリーダライタ４６が無線通信できるようにする。【０３７７】
ＴＶ４５は、ＲＦ−ＩＤリーダライタ４６を介して郵送物３００１上のＲＦ−ＩＤ部３００２と通信が可能となると、メモリ部３００３に記録された情報の読み込みを行い（Ｓ３１０１）、その中のメディア識別情報から現在の通信対象が郵送物であること識別して、郵送物に対する書き込み処理の流れに移行する（Ｓ３１０２）。なお、ステップＳ３１０２での条件判断が成立しない場合については、特に触れていないが、各媒体に応じた処理に移行するものとする。【０３７８】
郵送物３００１に対する書き込み処理は、まず、インターネット４０を介して画像サーバ４２へアクセスし（Ｓ３１０３）、画像受信側が前述の画像サーバ４２上の画像グループにアクセスするためのサーバＵＲＬ、画像グループアドレスなどの画像グループ指定情報を、画像サーバ４２より取得する（Ｓ３１０４）。【０３７９】
画像サーバより取得した画像グループ指定情報は、郵送物３００１内のメモリ部３００３に書き込みを行うために、ＴＶ４５のＲＦ−ＩＤリーダライタ４６を介して、郵送物３００１のＲＦ−ＩＤ部３００２に送信され、ＲＦ−ＩＤ部３００２によりメモリ部３００３の書き換え可能領域へ記録される（Ｓ３１０５）。【０３８０】
以上のようにして、画像グループ指定情報が記録された郵送物３００１は、送信者により投函され、画像受信側の利用者の下に郵送される。【０３８１】
＜画像受信側の画像再生および閲覧＞
次に、画像受信側について、画像受信側構成の概略図である図７２と画像受信側テレビジョンの動作フロー図である図７４を用いて説明する。【０３８２】
図７２において、受信者は、送信者から郵送されてきた郵送物３００１を受け取り、受信者は、ＲＦ−ＩＤ部３００２、或いは、郵送物３００１上に記載された文字情報、または意匠により、その郵送物に画像へのアクセスのための手段が組み込まれていることを認知する。ここで、受信者は郵送物３００１により画像へのアクセスが可能であることを理解しているだけでよく、ＲＦ−ＩＤ部３００２の画像グループ指定情報についてなどを特に意識する必要はない。【０３８３】
受信者は、画像を再生および閲覧するにあたり、郵送物３００１を画像受信側に設置されたテレビジョン３０４５のＲＦ−ＩＤリーダライタ部３０４６に近づけることで、画像の閲覧を開始することが出来る。【０３８４】
郵送物３００１上のＲＦ−ＩＤ部３００２が、テレビジョン３０４５のＲＦ−ＩＤリーダライタ部３０４６に十分に近づくと、ＲＦ−ＩＤリーダライタ部３０４６は、図示されていないＲＦ−ＩＤリーダライタ部３０４６とＲＦ−ＩＤ部３００２の双方のアンテナを介して電力供給を行い、それにより郵送物３００１のＲＦ−ＩＤ部３００２が起動され、テレビジョン３０４５と郵送物３００１のＲＦ−ＩＤ部３００２との無線通信が開始される。無線通信が開始されるとテレビジョン３０４５は、ＲＦ−ＩＤ部３００２のメモリ部３００３に記録されている情報の読み込みを行う（Ｓ３１５１）。【０３８５】
読み込まれた情報の中のメディア識別情報から現在の通信対象が郵便物であることを識別した場合は、送信者により設定された画像グループを画像サーバ４２より読み出す処理の流れに移行する（Ｓ３１５２）。【０３８６】
画像サーバ４２へのアクセスは、先のステップＳ３１５１にてＲＦ−ＩＤ部３００２より読み込まれた情報の中の画像グループ指定情報、例えば、サーバＵＲＬ、画像グループアドレスなどから画像サーバ４２上の画像グループへのアクセスのためのＵＲＬを生成し、インターネット４０を介してアクセスすることが可能となる（Ｓ３１５３）。【０３８７】
以上の過程で、画像サーバ４２と接続されたテレビジョン３０４５は、画像サーバ４２上の画像データ５０から、画像サーバ４２が管理する画像グループの送信画像選択情報に従って、表示許可された画像を読み込み（Ｓ３１５４）、読み込んだ画像を表示部１１０に表示する（Ｓ３１５５）。【０３８８】
更に、テレビジョン３０４５を介して受信者は、画像サーバ４２が管理する画像グループの送信画像選択情報と利用形態情報に従って、スライドショーの再生、画像の印刷、また、図示されていないテレビジョン３０４５に付属、或いは外部接続された記憶媒体への画像のダウンロードなどの機能を利用することが可能となる。【０３８９】
加えて、上述の画像の印刷は、図示していないＬＡＮ上のプリンタでの印刷のみならず、インターネット４０を介した写真プリントサービスに対しての印刷依頼を行うことも可能である。【０３９０】
以上の通り、本発明の上記構成によると、郵送物３００１上のＲＦ−ＩＤ部３００２により画像グループ指定情報が画像受信側のテレビジョン３０４５に伝達されることで、画像を取得するためのネットワーク・アクセス先の文字入力作業などを行う手間を掛ける必要がなくなる。即ち、郵送物３００１をテレビジョン３０４５に近づけるという、直感的で平易な操作により画像サーバ４２に格納された画像データ５０へのアクセスが可能となり、受信者にメニュー選択や文字入力などの煩雑な手順を行う知識を要求することなく画像サーバを介した画像の受け渡しを実現している。【０３９１】
なお、上述の本実施の形態において、郵送物３００１は、予めＲＦ−ＩＤ部３００２が貼り付け、或いは、漉き込まれた状態として説明しているが、通常のはがきや便箋などの郵送物に、別途に提供される単体のＲＦ−ＩＤ部３００２を貼り付けることで作成されてもよく、これによれば、後からＲＦ−ＩＤ部を貼り付けて、上述の効果を得ることができるため、送信側利用者の好みに応じた任意の郵送物に対して利用できるという新たな利点が生じる。【０３９２】
また、画像サーバ４２へのアクセスにログイン操作が必要な場合は、郵送物３００１上のＲＦ−ＩＤ部３００２のメモリ部３００３の書き換え可能領域への書き込みの際（ステップＳ３１０５）にサーバログインＩＤとサーバログインパスワードを記録してもよい。更には、ログインＩＤとログインパスワードは平文ではなく、暗号化された形式で記録することで安全性を確保することが望ましい。【０３９３】
また、上述の本実施の形態において、送信画像の選択、利用形態情報の設定、および、郵送物３００１上のＲＦ−ＩＤ部３００２への画像グループ指定情報の書き込みは、画像送信側のＴＶ４５にて行っているが、これに替えて、ＲＦ−ＩＤリーダライタ機能を有する撮影装置１で、送信画像選択情報と利用形態情報の設定、画像グループ指定情報の書き込みを行っても、上述と同様に、受信者の平易な操作による画像の受け渡しを可能とする効果が得られる。【０３９４】
＜派生する他の一例＞
図７５は、本発明の実施の形態６における別の一形態の画像送信側のＴＶ４５の動作を示すフロー図である。なお、図７５において、図７３と同じ処理となるステップは同じ符号を用い、その説明を略する。【０３９５】
本実施の形態においては、郵送物３００１上のＲＦ−ＩＤ部３００２のメモリ部３００３に、予め郵送物固有ＩＤが記録されている。そして、この郵便物固有ＩＤは、メモリ部３００３のＲＯＭ領域に記録されていることが、不慮の動作によるデータ破損やデータ改ざんなどのリスクを低減できる点で望ましい。このときのメモリ部３００３のデータ構造の一例を示す構成図を図７６に示す。【０３９６】
上述のＲＦ−ＩＤ部によると、画像送信側のＴＶ４５にて、送信画像選択情報、利用形態情報の設定が行われ、画像グループが画像サーバ４２上に設定されている状況において、図７５（ａ）のフローに従って、ＴＶ４５の動作は次のようになる。【０３９７】
郵送物ＲＦ−ＩＤの情報読み込み（Ｓ３１０１）、メディア識別情報による郵便物であることの認定（Ｓ３１０２）の後、ＴＶ４５は、郵送物固有ＩＤを取得する。郵送物固有ＩＤについては、ステップＳ３１０１で読み込んだ情報を用いても、改めてＲＦ−ＩＤ部３００２より取得しても何れでもよい。次に、ＴＶ４５は、インターネット４０を介して画像サーバ４２へのアクセスを行い（Ｓ３２０２）、ＴＶ４５より郵送物固有ＩＤが画像サーバ４２に送信され、画像サーバ４２は、送られた郵便物固有ＩＤと画像グループのアドレスとの関連付けを行い、その情報を記録および管理する（Ｓ３２０３）。【０３９８】
ＴＶ４５は、画像受信側から画像サーバ４２にアクセスするためのサーバＵＲＬを画像サーバ４２より取得し（Ｓ３２０４）、取得したサーバＵＲＬは、ＲＦ−ＩＤリーダライタ４６を介して、郵送物３００１のＲＦ−ＩＤ部３００２のメモリ部３００３の書き換え可能領域に書き込まれる（Ｓ３２０５）。【０３９９】
以上の様に、画像サーバ側で画像グループと郵送物固有ＩＤが関連付けされて記録および管理されると、郵便物固有ＩＤ毎に利用形態情報を分けて管理することが可能となり、複数の郵送物３００１が存在する場合に、個々の郵便物毎に、即ち、異なる受信者毎に画像受信時の動作を変更することが可能となる。【０４００】
これは、本実施の形態の初めに述べた構成において、個々の郵便物毎に画像グループをそれぞれ設定し、異なる画像グループアドレスを各々生成して、それぞれＲＦ−ＩＤ部に書き込むことで画像受信側に対する同様の効果が得られるが、個別に画像グループを設定するという画像送信側の煩雑の操作が発生する。【０４０１】
そのため、同一の送信画像の選択であれば上述の様に郵便物の固有ＩＤを用いて個別に利用形態情報を記録、管理することで送信者の操作の軽減、画像サーバ側においては、送信画像選択情報を別々に保管する必要がなくなる分の記憶容量低減の更なる効果が得られる。【０４０２】
図７５（ｂ）について、図７５（ａ）に対して異なる部分は、ステップＳ３２１４とステップＳ３２１５であり、ステップＳ３２１４では、サーバＵＲＬに加えて画像グループアドレスを取得し、ステップＳ３２１５では、サーバＵＲＬに加えて画像グループアドレスをＲＦ−ＩＤ部３００２のメモリ部３００３の書き込み可能領域へ書き込んでいる。【０４０３】
これにより、画像受信側から画像受信の際に、画像サーバ４２の画像グループを指定したアクセスが行われるが、こととき、画像サーバで記録および管理されている画像グループ内の郵送物固有ＩＤとアクセスを要求している受信者が使用している郵便物の固有ＩＤが一致した場合のみアクセス許可することで、安全性の向上を図ることができる。【０４０４】
従来は遠隔地にいる相手にテレビなどの大画面表示機器で画像を見せるためには、遠隔地側のユーザが機器操作を習得したり、遠隔地に操作習得者が赴いて機器を操作したり、遠隔地にある表示機器を遠隔操作する必要があったが、実施の形態４と同様に、本システムでも、遠隔地のユーザがＲＦ−ＩＤ付の葉書等、物理的な媒介物を表示機器に近づけるという簡単な操作で容易に画像を閲覧することができる。実施の形態４では、ＲＦ−ＩＤ付葉書の作成およびＲＦ−ＩＤへのデータ書き込みをユーザ（画像の撮影／送信者や画像の閲覧者）が行うのではなく、サービス事業者が行う形態であったが、本実施の形態では、画像送信側の利用者（送信者）がＲＦ−ＩＤ付葉書の作成およびＲＦ−ＩＤへのデータ書き込みを行う点で異なる。【０４０５】
（実施の形態７）
本実施の形態では、本発明のＲＦ−ＩＤカードを用いて機器の設定を変更する方法に関して述べる。【０４０６】
以下では、図７７、図７８を用いて、ＲＦ−ＩＤカードを用いてレコーダの設定を変更する方法に関して説明する。【０４０７】
図７７は、本発明のレコーダの構成を示すブロック図である。【０４０８】
レコーダ２０００は、チューナ２００１から取得した放送コンテンツのＨＤＤ２００８や光ディスクドライブ２００９への録画や、録画コンテンツや光ディスクドライブ２００９で読み取った映像・音楽コンテンツのＴＶ４５での再生を行う。【０４０９】
入力信号処理部２００２は、チューナ２００１から入力されたアナログ信号をデジタル信号に変換するＡ／Ｄコンバータや、スクランブルされたコンテンツをデコードするデコーダ、ＭＰＥＧ−２などの映像フォーマットに変換するエンコーダを備え、入力された映像・音声信号を所定の映像・音声フォーマット形式に変換する。【０４１０】
出力信号処理部２００３は、デジタル信号をアナログ信号に変換するＤ／Ａコンバータや、ＭＰＥＧ−２などの映像フォーマットからのデコードを行うデコーダを備え、ＴＶ４５への映像、音声出力を行う。【０４１１】
システム制御部２００４は、レコーダ２０００の動作を制御し、レコーダ２０００の設定を切り替える設定情報処理部２０１１を備えている。設定情報処理部２０１１に関しては、後に詳細に説明する。【０４１２】
メモリ２００５は、レコーダ２０００の識別情報であるレコーダＩＤ２０１２や、レコーダ２０００の設定情報である設定情報２０１３が格納されている。【０４１３】
操作入力部２００６は、図示されていないリモコンやフロントパネルのボタンなどからのユーザ操作による入力を受け付ける。【０４１４】
通信部２００７は、インターネットやＬＡＮなどにより、サーバ４２への接続を行う。【０４１５】
ＨＤＤ２００８は、入力信号処理部２００２から得られた録画コンテンツやコンテンツリストなどを記録する領域である。【０４１６】
光ディスクドライブ２００９は、ＤＶＤやＢｌｕ−ｒａｙ  Ｄｉｓｃなどの光ディスクの記録再生を行うドライブで、入力信号処理部２００２から得られた録画コンテンツやコンテンツリストなどの記録や、映像・音楽コンテンツの入った光ディスクの再生を行う。【０４１７】
レコーダ２０００の入力信号処理部２００２、出力信号処理部２００３、システム制御部２００４、ＨＤＤ２００８、光ディスクドライブ２００９は、バス２０１０を介して相互接続されている。【０４１８】
ここで、設定情報処理部２０１１に関して詳細に説明する。【０４１９】
設定情報処理部２０１１は、メモリ２００５に格納されている設定情報２０１３に応じて、レコーダ２０００のメニュー画面などの表示設定や録画・再生モード設定、録画コンテンツのチャプター設定やユーザの嗜好などに応じた番組推薦などの設定を行う。具体的には、例えば、設定情報２０１３に格納されている“メニュー画面背景色：黒”などを示す識別子を読み取って、出力信号処理部２００３へのメニュー画面出力要求を行う際に、背景色を“黒”で表示する指示を出力する。【０４２０】
なお、設定情報２０１３はＨＤＤ２００８や、図示されていないＳＤカードなどの外部記録手段に格納しても良い。特に、ＨＤＤ２００８に格納されている録画コンテンツに関するチャプターなどの設定情報や、サイズの大きい情報などは、ＨＤＤ２００８に格納すると効率が良い情報である。【０４２１】
設定情報２０１３は、従来は、機器購入時にすでに設定されているか、操作入力部２００６からのユーザ操作によって設定されるが、本発明では、設定情報２０１３をＲＦ−ＩＤリーダライタ４６から得られた情報を基に変更することが出来る。【０４２２】
図７８は、レコーダ２０００のＲＦ−ＩＤリーダライタ４６で読み取ることで、レコーダ２０００の設定を変更するＲＦ−ＩＤカードの構成を示すブロック図である。【０４２３】
ＲＦ−ＩＤカード２１００は、メモリ２１０１、アンテナ２１、電源部９１、データ受信部１０５、データ転送部１０８、処理部２１０２、記録部１０６、再生部１０７から構成される。【０４２４】
アンテナ２１をＲＦ−ＩＤリーダライタ４６に近づけると、ＲＦ−ＩＤリーダライタ４６よりアンテナ２１を介して電源部９１に電力が供給され、ＲＦ−ＩＤカード２１００の各部に電源が供給される。【０４２５】
ＲＦ−ＩＤリーダライタ４６からのデータ記録および再生などの情報は、データ受信部１０５で受信し、処理部２１０２に送られる。【０４２６】
処理部２１０２は、記録部１０６によるメモリ２１０１へのデータ記録や、再生部１０７によるメモリ２１０１からのデータの再生を行う。【０４２７】
データ転送部１０８は、処理部２１０２から送信されたデータをアンテナ２１を介してＲＦ−ＩＤリーダライタ４６へと送信する。【０４２８】
メモリ２１０１には、ＵＩＤ７５、メディア識別情報１１１、機器操作情報２１０３が格納されている。【０４２９】
ＵＩＤ７５とメディア識別情報１１１は、ＲＦ−ＩＤカード２１００識別に用いられる情報である。【０４３０】
ＵＩＤ７５は、ＲＦ−ＩＤカード２１００の固有ＩＤである。【０４３１】
メディア識別情報１１１には、カードであるという識別子が記録されている。【０４３２】
機器操作情報２１０３は、ＲＦ−ＩＤカード２１００を用いて操作を行う対象の機器に関する情報と機器の操作に関する情報が格納されている。【０４３３】
操作機器識別情報２１０４には、操作を行う機器の種別を示す情報が格納されている。格納されている情報は、メディア識別情報１１１と同じ識別子を用い、図７８では、レコーダであるという識別子が記録されている。【０４３４】
対象機器情報２１０５は、特定の機器に対してのみ操作を行いたい場合に用いる情報が格納されており、図７８では、レコーダ２０００の識別情報であるレコーダＩＤ２０１２が格納されている。なお、本発明のＲＦ−ＩＤカード２１００を使用する機器が限られている場合、例えばレコーダのみで使用する場合には、操作機器識別情報２１０４や対象機器情報２１０５は機器操作情報２１０３に含まれていなくても良い。また、設定情報処理部２０１１がカードによって設定を変更することを想定した構成となっている場合は、メディア識別情報１１１も、メモリ２１０１に含まれていなくても良い。【０４３５】
操作指示情報２１０６は、機器に行う操作内容を示す情報で、図７８では、設定変更を示す情報２１０９、設定の変更を行う対象を示す情報２１１０、設定情報を取得する際に通信を実施することを示す情報２１１１が格納されている。【０４３６】
なお、操作指示情報２１０６は、１つの操作に対する情報だけとは限らず、複数の操作に関する情報から構成されていても良いし、複数の操作を組み合わせたプログラムになっていてもよい。【０４３７】
通信情報２１０７は、操作指示情報２１０６で通信して取得することを指示された際にアクセスを行うサーバなどに関する情報である。図７８では、ＵＲＬ２１１２、ログインＩＤ２１１３、パスワード２１１４が格納されている。なお、ＵＲＬ２１１２ではなく、ＩＰアドレスなどが記録されていても良いし、社内や家庭内ネットワークで他の機器にアクセスする場合には、ＭＡＣアドレスなどの機器を特定する情報が記録されていても良い。【０４３８】
以下では、図７９を用いて、レコーダ２０００の設定をＲＦ−ＩＤカード２１００を用いてサーバに登録する手順に関して説明する。【０４３９】
ステップ２２０１で、ユーザによる操作入力部２００６からの入力を受けると、設定情報処理部２０１１は、出力信号処理部２００３に対して、ＴＶ４５へのメッセージ出力要求を行い、ＴＶ４５の画面に「ＲＦ−ＩＤカードをかざして下さい」というメッセージが表示される。なお、メッセージの表示は、レコーダ２０００の図示していないコンソール上に表示しても良い。また、ユーザによる操作入力を行う際に、パスワードや生体認証などの認証を要求し、認証後に登録処理に移行しても良い。さらに、ＴＶ４５へのメッセージ出力を行わず、レコーダ２０００の使用時に、ＲＦ−ＩＤカード２１００をＲＦ−ＩＤリーダライタ４６にかざすことで、ステップ２２０３以降の処理を行っても良い。なお、どの場所に設定情報２０１３を登録するかどうかの問い合わせメッセージを表示して、ユーザの選択した場所への登録を行っても良い。例えば、ＲＦ−ＩＤカード２２００に設定情報２０１３を登録しても良いし、サーバ４２とは異なるサーバへ登録を行っても良い。【０４４０】
ステップ２２０３でＲＦ−ＩＤカードを検出すると、相互認証処理が実施される。【０４４１】
ステップ２２０４の認証判定がＯＫの場合は、ステップ２２０５に進んで処理を継続し、認証判定がＮＧの場合は、ステップ２２０２に戻ってＲＦ−ＩＤカード検出処理を繰り返す。【０４４２】
ステップ２２０５では、ＲＦ−ＩＤカード２１００のメモリ２１０１から、ＵＩＤ情報７５を取得する。【０４４３】
ステップ２２０６では、ＲＦ−ＩＤカード２１００のメモリ２１０１から、通信情報２１０７を取得する。なお、ＲＦ−ＩＤカード２１００のメモリ２１０１に通信情報が登録されていない場合は、ユーザへの通信情報入力要求を出しても良い。また、ステップ２２０１で、ＲＦ−ＩＤカード２１００に登録されていない箇所への登録指示を行った際には、このステップでは何も行わない。また、ＲＦ−ＩＤカード２１００に複数の通信情報２１０７が登録されている場合は、通信情報を一覧表示して、ユーザが選択を行っても良い。【０４４４】
ステップ２２０７では、メモリ２００５から、レコーダＩＤ２０１２と設定情報２０１３を取得する。なお、設定情報は、現在の情報ではなく、設定登録実施時などに、ユーザの入力した情報であっても良い。【０４４５】
ステップ２２０８では、設定情報処理部２０１１は、通信部２００７に対して通信情報２１０７のＵＲＬ２１１２へのアクセス要求を出す。ＵＲＬ２１１２へのアクセス時には、ログインＩＤ２１１３とパスワード２１１４を使用する。【０４４６】
ステップ２２０９では、アクセスが成功したかどうかの判定を行い、アクセスが成功した場合は、ステップ２２１０に進んで処理を継続し、アクセスが失敗した場合は、そのまま処理を終了する。【０４４７】
ステップ２２１０では、ＵＩＤ情報７５、メモリ２００５から取得したレコーダＩＤ２０１２、設定情報２０１３をサーバ４２に送信する。【０４４８】
ステップ２２１１では、２２０１で指定された操作や選択した設定情報２０１３の格納位置、ステップ２２０７で取得した設定情報２０１３、ステップ２２０６で取得した通信情報２１０７から、操作指示情報２１０６を生成する。【０４４９】
ステップ２２１２では、ステップ２２０２と同様の処理を行って、ＴＶ４５の画面に「ＲＦ−ＩＤカードをかざして下さい」というメッセージを表示する。【０４５０】
ステップ２２１３で、ＲＦ−ＩＤカードを検出すると、相互認証処理が実施される。【０４５１】
ステップ２２１４の認証判定がＯＫの場合は、ステップ２２１５に進んで処理を継続し、認証判定がＮＧの場合は、ステップ２２１２に戻ってＲＦ−ＩＤカード検出処理を繰り返す。【０４５２】
ステップ２２１５では、ＲＦ−ＩＤカード２１００のメモリ２１０１から、ＵＩＤ情報を取得する。【０４５３】
ステップ２２１６では、ステップ２２０５で取得したＵＩＤ情報７５とステップ２２１５で取得したＵＩＤ情報が一致するかどうか確認し、一致していればステップ２２１７に進んで処理を継続し、一致していなければ、ステップ２２１１に戻ってＲＦ−ＩＤカード検出処理を繰り返す。【０４５４】
ステップ２２１７では、メモリ２００５に格納されている図示されていない操作機器識別情報２１０４と、レコーダＩＤ２０１２、ステップ２２１１で生成した操作指示情報２１０６、通信情報２１０７をＲＦ−ＩＤカード２１００に送信し、メモリ２１０１に記録を行って処理を終了する。【０４５５】
上で述べた図７９の手順でサーバ４２登録した設定情報を、図８０を用いて説明する。【０４５６】
設定情報２２５０は、ＵＩＤ情報７５、対象機器情報２１０５に関連付けられて登録されており、具体的には、“メニュー画面背景色：黒”などの情報を示す識別子が登録されている。各設定情報の末尾の“Ａ”、“Ｂ”は、異なった設定であることを示している。【０４５７】
ＵＩＤ０００１のように、１つのＵＩＤに対して複数の設定情報を登録することも可能で、対象機器情報２１０５がＲＥＣ−０００１の項目のように、１つの対象機器情報に対して、複数のＵＩＤと関連付けられた設定情報が登録されていても良い。なお、設定情報には、変更対象情報２１１０が含まれていても良い。【０４５８】
次に、図８１を用いて、図７９の手順でＲＦ−ＩＤカード２１００のメモリ２１０１へ登録された機器操作情報２１０３に関して説明する。【０４５９】
ＵＩＤ情報７５として、“ＵＩＤ０００１”が記録されており、メディア識別情報１１１として“カード”が記録されている。【０４６０】
機器操作情報２１０３には、操作機器識別情報２１０４、対象機器情報２１０５、操作指示情報２１０６、通信情報２１０７の組が登録されている。なお、通信情報２１０７は他の情報と関連のない情報として、登録されていても良い。例えば、１つの通信情報が登録されており、ＲＦ−ＩＤカード２１００を使用する際には、常に同じサーバなどへのアクセスを行っても良い。【０４６１】
操作指示情報２１０６は、指示内容情報２２６０、指示対象情報２２６１、通信実施情報２２６２から構成されている。指示内容情報２２６０には対象機器情報２１０５で指定された機器に対して実行する処理を示す識別子が記録されており、指示対象情報２２６１には操作を行う対象として、例えば、ＲＥＣ−０００１に対しては、メニュー画面モード、録画モードなどの設定を示す識別子が記録されている。通信実施情報２２６２には、指示内容情報２２６０の処理を行う際に通信を行うかどうかを示す識別子が記録されている。なお、ＲＦ−ＩＤカード２１００を用いて行う操作が設定変更に限られる場合は、機器操作情報２１０３は、通信情報２１０７のみで構成されていても良い。【０４６２】
通信情報２１０７には、通信実施情報２２６２に通信を実施することが指定されている場合に、通信を行うサーバなどのＵＲＬ、ログインＩＤ、パスワードなどが記録されている。【０４６３】
次に、図８２を用いて、レコーダ２０００の設定をＲＦ−ＩＤカード２１００を用いて変更する手順に関して説明する。図８２は、レコーダ２０００の設定情報処理部２０１１がＲＦ−ＩＤカード２１００の情報を用いて設定情報２０１３を更新する手順を示したフローチャートである。【０４６４】
初めに、ステップ２３０１でＲＦ−ＩＤカード２１００を検出すると、ステップ２３０２で相互認証処理を実施する。【０４６５】
ステップ２３０３の判定がＯＫならば、ステップ２３０４に進んで処理を継続し、判定がＮＧならば、処理を終了する。【０４６６】
ステップ２３０４では、ＲＦ−ＩＤカード２１００のメモリ２１０１からＵＩＤ情報７５と機器操作情報２１０３を取得する。【０４６７】
ステップ２３０５では、機器操作情報２１０３に含まれる操作機器識別情報２１０４を検索し、レコーダ２０００のメモリ２００５から取得した図示されていない機器識別情報と比較する。【０４６８】
ステップ２３０６では、ステップ２３０５で行った比較の結果が一致していれば、ステップ２３０７に進んで処理を継続し、一致していなければ、ステップ２３１４に進む。【０４６９】
ステップ２３１４では、操作機器識別情報２１０４を全て検索したかどうかを判定し、全ての操作機器識別情報２１０４を検索した場合は処理を終了する。【０４７０】
ステップ２３０７では、対象機器情報２１０５を検索し、レコーダ２０００のメモリ２００５から取得したレコーダＩＤ２０１２と比較する。【０４７１】
ステップ２３０８では、ステップ２３０７で行った比較の結果が一致していれば、ステップ２３０９に進んで処理を継続し、一致していなければ、処理を終了する。【０４７２】
ステップ２３０９では、機器操作情報２１０３、対象機器情報２１０５に対応した操作指示情報２１０６を取得する。【０４７３】
ステップ２３１０では、機器操作情報２１０３、対象機器情報２１０５に対応した通信情報２１０７を取得する。【０４７４】
ステップ２３１１では、操作指示情報２１０６の指示内容情報２２６０から、設定変更処理であることを取得し、サーバ４２にアクセスして、設定情報２２５０を取得する。このステップの処理は、後で図８３を用いて詳細に説明する。【０４７５】
ステップ２３１２では、設定情報２２５０の取得が正しく行えたかどうかを判定し、正しく取得できた場合は、ステップ２３１３に進んで、設定情報処理部２０１１によってレコーダ２０００のメモリ２００５の設定情報２０１３を更新して処理を終了し、正しく取得できなかった場合は、そのまま処理を終了する。【０４７６】
以下では、図８２のステップ２３１１の処理を図８３を用いて詳細に説明する。図８２は、設定情報処理部２０１１がサーバ４２にアクセスして設定情報２２５０を取得する手順を示したフローチャートである。【０４７７】
ステップ２３５１では、通信部２００７で通信情報２１０７に含まれるＵＲＬ２１１２に対してアクセスを行う。【０４７８】
ステップ２３５２では、設定情報処理部２０１１が通信情報２１０７に含まれるログインＩＤ２１１３とパスワード２１１４を通信部２００７に対して送信し、ログイン処理を行う。【０４７９】
ステップ２３５３で認証ＯＫと判定された場合は、ステップ２３５４に進んで処理を継続し、認証ＮＧと判定された場合は、設定情報２２５０の取得失敗として処理を終了する。【０４８０】
ステップ２３５４では、サーバ４２のＵＩＤ情報を検索し、ステップ２３５５で、図８２のステップ２３０４で取得したＵＩＤ情報７５と一致するものがあった場合は、ステップ２３５６に進んで処理を継続し、一致するものがない場合は、ステップ２３５９でＵＩＤ情報を全て検索したと判定するまでは、ステップ２３５４に進んでＵＩＤ情報の検索を繰り返し実施する。ステップ２３５９でＵＩＤ情報を全て検索したと判定した場合は、設定情報２２５０の取得失敗として処理を終了する。【０４８１】
ステップ２３５６では、ＵＩＤ情報７５に対応した対象機器情報を検索し、ステップ２３５７で、図８２のステップ２３０５で取得した対象機器情報２１０５と一致するものがあった場合は、ステップ２３５８に進んで処理を継続し、一致するものがない場合は、ステップ２３６０で対象機器情報を全て検索したと判定するまでは、ステップ２３５４に進んで対象機器情報の検索を繰り返し実施する。ステップ２３６０で対象機器情報を全て検索したと判定した場合は、設定情報２２５０の取得失敗として処理を終了する。【０４８２】
ステップ２２５８では、ＵＩＤ情報７５、対象機器情報２１０５に対応した設定情報２２５０を取得して、処理を終了する。【０４８３】
以上に述べたように、ＲＦ−ＩＤカード２１００を用いれば、レコーダ２０００の設定をユーザが複雑な処理を意識することなく実施することが可能となり、機器の操作に習熟していないユーザでも、容易にレコーダの設定の変更を行うことが可能となるという効果が得られる。なお、レコーダに対して行うことが可能な操作は、設定の変更だけではなく、例えば、指示内容情報に録画コンテンツリスト取得を指定すると、レコーダの録画コンテンツリストをＲＦ−ＩＤやサーバ上に登録し、他の機器から参照することも可能となる。さらに、図８４で示されるＲＦ−ＩＤカードを用いると、ＲＦ−ＩＤカードをかざすだけで予約録画が行うことが可能になる。図８４のＩｎｄｅｘ１に対応した変更対象情報を用いると、指示対象情報で指定した“番組ＩＤ”、“録画モード”の設定で予約録画を行うことで、サーバにアクセスすることなしに予約録画を行うことが可能になり、Ｉｎｄｅｘ２に対応した変更対象情報を用いると、指示対象情報で指定した“番組コード”を指定して、サーバから番組ＩＤまたは開始時間と終了時間、チャンネルの情報を取得し、“録画モード”の設定で予約録画を行うことが可能となる。さらに、指示対象情報に“お奨め番組”の指定を行ってサーバから番組ＩＤを取得することで、サーバからお奨めのコンテンツを取得して、予約録画を行うことが可能になる。この機能を用いると、例えば、ＲＦ−ＩＤカードを番組ガイド雑誌の付録として予約録画の手間を軽減するというサービスも考えられる。また、指示内容情報として、ダウンロードを設定し、指示対象情報として、機能限定版の映像やソフトウェアを設定し、通信情報としてダウンロードサイトのＵＲＬを設定したＲＦ−ＩＤカードを用いると、無料配布したＲＦ−ＩＤカードで機能限定のコンテンツを試用し、気に入ったユーザが購入を行うというサービスも考えられる。【０４８４】
なお、本実施の形態では、レコーダを例に挙げて説明を行ったが、本発明の適用範囲は、レコーダには限らない。【０４８５】
例えば、ＴＶにＲＦ−ＩＤカードのリーダライタと設定情報処理部を備えることで、電源を入れた直後の初期表示チャンネルや初期音量の設定、アダルト放送や暴力シーンなどを除外したチャイルドロック設定、お気に入りのチャンネルザッピング設定、画面のコントラストや明るさ設定、言語設定、連続使用時間設定などを変更対象情報として登録して、ユーザの使い勝手に応じた設定を行うことが可能になる。また、カーナビゲーションシステム（カーナビ）にＲＦ−ＩＤカードのリーダライタと設定情報処理部を備えた場合には、指示内容情報に“強調表示”を指定し、指示対象情報に“ランドマーク情報”を指定することで、指定したランドマークをカーナビで表示する際に、文字フォントやサイズを変更したり、色を変更するなどの強調表示を行うことが可能になる。なお、ランドマーク情報は、サーバから取得しても良い。これにより、例えば、図８５で示される機器操作情報を記録したＲＦ−ＩＤカードを高速道路のサービスエリアやインターチェンジ、観光地などで配布し、現在イベントが行われているなどの、お奨めのランドマークを強調表示するなどの用途にも用いることが可能になる。さらに、ノートＰＣにＲＦ−ＩＤカードのリーダライタと設定情報処理部を備えると、画面の解像度やデスクトップ上のアイコンなどの配置、壁紙、スクリーンセーバー、常駐ソフトなどのスタートアップ設定、使用する周辺機器、マウスなどの利き手設定などを設定することが可能となり、ＲＦ−ＩＤカードを持ち運ぶだけで、出張先などのＰＣでも、普段使用している設定で作業を行うことが可能になる。また、ゲーム機にＲＦ−ＩＤカードのリーダライタと設定情報処理部を備えて、例えば友人の家などで、指示内容情報として設定変更を設定したＲＦ−ＩＤカードでコントローラのキー配置やメニュー画面構成を設定したり、セーブデータなどを読み込ませることも可能になる。さらに、指示内容情報としてダウンロードを設定したＲＦ−ＩＤカードを雑誌などの付録とし、追加シナリオや希少なアイテムなどのダウンロードを行うといったサービスも考えられる。【０４８６】
本発明のＲＦ−ＩＤカードは、家庭内の家電がネットワークで接続された際にも、例えば個人の好みに合わせたエアコン温度や風呂の湯沸しの設定などをＲＦ−ＩＤカードに登録しておき、家庭内に備えたＲＦ−ＩＤリーダライタにかざして家電の設定を一括して行うことや、冷蔵庫に保管してある食品の閲覧操作をＲＦ−ＩＤカードに登録しておき、予め食品につけられたタグなどで冷蔵庫のメモリに登録された食品の情報や、冷蔵庫の中をカメラで撮影した映像を取得することで、ＴＶのリーダライタで食品リストを確認することなど、様々な用途での使用が可能である。なお、機器を指定するＲＦ−ＩＤカード（例えば、“暖房”、“冷房”、“ストーブ”、“扇風機”を示す４種類のカード）と、機器の設定を指定するＲＦ−ＩＤカード（例えば、“弱”、“中”、“強”を示す３種類のカード）などを組み合わせる、または、前記機器指定、機器設定指定のそれぞれの機能を持った複数のＲＦタグを１枚のＲＦ−ＩＤカードに備えて、機器の設定をカスタマイズしても良い。【０４８７】
なお、本発明の適用範囲は、これまでの実施の形態で述べた方法に限定されない。本発明の主旨を逸脱しない範囲で、上記実施の形態における構成要素および特徴を任意に組み合わせて得られる形態や、上記実施の形態に対して当業者が変形を施して得られる形態も、本発明に含まれる。【０４８８】
例えば、２人のユーザ（ユーザＡとユーザＢする）の間で、写真のやり取りを行う形態では、ユーザＡの撮影した写真をユーザＢが閲覧する方法として、ユーザＢのＴＶの機器ＩＤとユーザＢが所有している中継サーバのＵＲＬが予め格納されているＲＦ−ＩＤ（ＲＦタグＢとする）から生成した情報（機器生成情報Ｂとする）をユーザＡにメールなどで伝えるとともにＲＦタグＢに記録し、ユーザＡが、機器生成情報Ｂに関連付けて中継サーバに写真を登録したサーバのＵＲＬを格納することで、ユーザＢはＲＦタグＢをＴＶのＲＦ−ＩＤリーダライタにかざすだけでユーザＡの撮影した写真を閲覧することが可能となる。なお、タグＢには予めユーザＡのメールアドレスが登録されており、ユーザＢがタグＢをＴＶのＲＦ−ＩＤリーダライタにかざすだけで、タグＢへの機器生成情報Ｂの書き込みと、ユーザＡへの機器生成情報Ｂの通知が自動的に行われる方法を用いると、ユーザＢが機器の使用方法に習熟していない場合でも、写真のやり取りを行うことが可能となる。また、ユーザＡがＵＲＬ、ログインＩＤ、パスワードの少なくとも１つを機器生成情報Ｂで暗号化してＲＦ−ＩＤに登録したハガキを送付することで、写真の閲覧をユーザＢのＴＶに制限することが可能である。さらに、送信用のＲＦ−ＩＤと返信用のＲＦ−ＩＤの２つのＲＦ−ＩＤが付いたハガキをユーザＡからユーザＢに送信する場合には、ユーザＡが予め返信用のＲＦ−ＩＤに自分のＴＶなどから生成した機器生成情報Ａを記録することで、ユーザＢが返信の際にユーザＢが写真を登録するサーバのＵＲＬやログインＩＤやパスワードを機器生成情報Ａで暗号化して返信用のＲＦ−ＩＤに記録したり、写真を登録する際にユーザＢが機器生成情報Ａに関連付けて登録することで、ユーザＢの登録した写真の閲覧を許可する機器を制限することが可能となる。【０４８９】
なお、郵送物につけられたＲＦ−ＩＤの郵送物固有ＩＤは、複数の郵送物で共通なグループＩＤ部と郵送物毎に設定された固有ＩＤ部とが組み合わせられた構成となっていても良い。サーバの写真を郵送物固有ＩＤ全体に関連付ける代わりに、前記グループＩＤ部と関連付けて登録することで、複数の対象に対して写真と関連付けたＲＦ−ＩＤつきハガキを送付する際に、複数の固有ＩＤの登録を行う手間を省略することが出来る。また、グループＩＤ部と関連付けて登録したサーバの写真を固有ＩＤ部に応じて閲覧許可・禁止を切り替えても良い。それにより、例えば、郵送物にプリンタで宛先住所などの印刷を行う場合は、プリンタにＲＦ−ＩＤリーダライタを備えて郵送物固有ＩＤの固有ＩＤ部を印刷時に読み取ることで、住所録と固有ＩＤ部の対応付けを行うことが可能となり、住所録でサーバ上の写真閲覧の許可・禁止の管理を行うことが可能となる。【０４９０】
なお、葉書やカードに機能の異なるＲＦタグを複数備え、使用しないＲＦタグの通信を遮断することで、１枚の葉書やカードで複数の機能を切り替えても良い。例えば、葉書の上部に写真をスライドショー表示する機能を持ったＲＦタグを備え、下部に映像を再生する機能を持ったＲＦタグを備えることで、葉書の上部、下部のどちらをＲＦ−ＩＤリーダライタに近づけるかで写真表示と映像再生機能を切り替えることが可能となる。なお、葉書の表裏に備えても良いし、通信を遮断する素材を用いた蓋を備えて、蓋を開けた状態のＲＦタグのみを使用可能としても良い。【０４９１】
なお、写真を複数のサーバに登録し、それぞれのサーバのＵＲＬをＲＦタグに格納することで、それぞれのサーバにアクセスして写真を取得し、一覧表示を行っても良い。【０４９２】
なお、ＲＦ−ＩＤリーダライタは、機器に備えているだけでなく、リモコンなどの機器操作を行う入力手段に備えていても良い。例えば、ネットワークなどで複数の機器が接続されている場合には、複数の機器の操作を集中的に行う入力手段にＲＦ−ＩＤリーダライタを備え、それぞれの機器の操作を行っても良い。さらに、リモコンなどの入力手段に指紋認証や顔認証といった生体認証やパスワードなどの個人認証手段を備え、個人認証が完了した場合のみ、ＲＦタグの読み書きを行っても良い。逆に、個人の認証情報をＲＦタグに記録しておき、ＲＦタグによって機器やリモコンなどで個人認証を行っても良い。【０４９３】
なお本発明の記載に関してＲＦ−ＩＤという用語を多用している。一般的にはＲＦ−ＩＤと言う用語は狭義では「識別情報を不揮発メモリに記録してあるタグ」のことを指し、デュアルインタフェースやセキュリティ機能を持つＲＦ−ＩＤは「ＩＣカード」等の用語が用いられているようである。しかし、本明細書のＲＦ−ＩＤはこの狭義の用語に限定されるものではない。本発明では「個体識別情報を不揮発メモリに記録し、個体識別情報をアンテナを介して外部に送信できる電子回路」との広義の意味で用いている。【０４９４】
従来は機器操作の未習熟者が機器の複雑な設定を行うためには、機器の販売者や修理者、サービスマンが対象機器のある場所に赴いて設定を行うか、対象機器を遠隔操作する必要があった。つまり、遠隔操作する場合もやはり遠隔操作の設定のために規模ある場所に赴く必要があった。しかし、以上に述べたように、ＲＦ−ＩＤカード２１００を用いれば、レコーダ２０００の設定をユーザが複雑な処理を意識することなく実施することが可能となり、機器の操作に習熟していないユーザでも、容易にレコーダの設定の変更を行うことが可能となるという効果が得られる。【０４９５】
また、本発明は、画面を有する機器と、前記機器と通信路で接続されたリーダ装置と、前記リーダ装置と近接無線通信を行う通信装置を備える通信システムにおいて、前記通信装置に関する画像を前記機器に提示する画像提示方法として実現したり、通信装置の識別情報とともに当該通信装置内に保存されるプログラムであって、前記通信装置との間で近接無線通信を行う機器が備える仮想マシンによって実行されるコードで記述され、通信ネットワークで接続されたサーバ装置にアクセスするステップと、アクセスした前記サーバ装置に保存された画像のうち、前記識別情報に対応する画像を前記サーバ装置からダウンロードするステップと、ダウンロードした画像を表示するステップとを含むプログラム、あるいは、そのようなプログラムが記録されたＣＤ−ＲＯＭ等のコンピュータ読み取り可能な記録媒体として実現することもできる。【０４９６】
また、本発明に係る通信装置は、識別情報および仮想マシン用プログラムを格納したＲＦ−ＩＤを備えるあらゆる機器、例えば、カメラ等の電子機器、炊飯器や冷蔵庫等の家電機器、歯ブラシ等の日常品にも、適用できるのは言うまでもない。【０４９７】
ここで、ＴＶ等のリモコンにＲＦ−ＩＤリーダを搭載した場合の実施の形態を図８６（ａ）、（ｂ）のブロック図と図８６（ｃ）のフローチャートと図８７のフローチャート図を用いて説明する。【０４９８】
まず、前述のようにカメラなどの子通信機５０５０はメモリ５２とアンテナ２１を持つ。このアンテナ２１にリモコン５０５１のアンテナ５０６３を近づけるとアンテナ５０６３からアンテナ２１に電源が供給され、メモリ５２の中のデータがアンテナ２１よりアンテナ５０６３に送られる。リモコン５０５１側では通信回路５０６４によりデジタルデータに変換してメモリ５０６１に蓄える（ステップ５００１ａ：図８７）。リモコン５０５１の送信部をＴＶ４５に向け、送信スイッチ５０６２を押すと（ステップ５００１ｂ）メモリ５０６１のデータは光出力部５０６２を介して光を用いて、ＴＶの受発光部５０５８に送られＴＶ等の親機４５に送信される（ステップ５００１ｃ）。なお、ここでの通信は光でなく無線でもよい。【０４９９】
ここで図８６（ｃ）のフローチャートに戻ると、発明は社会的なシステムに用いられるため２０年後、３０年後に対応する必要がある。仮想マシン言語等のプログラムはＪａｖａ（登録商標）等が知られているが、将来、拡張されたり、全く別の効率のよい言語等のプログラムになることが予想される。従って本発明では、ＴＶ等の親機４５に親機の仮想マシン言語等の言語タイプやバージョンを示す親機バージョン情報５０５９、ｎ１が記録されている（ステップ５０６０ｉ：図８６（ｃ））。子機５０５０のメモリ２１には（図８６（ａ））、最初に子機のプログラムの言語等のバージョンを示す子機バージョン情報５０５２、ｎ２が記録されている。その後にプログラム領域５０５３があり、バージョン５０５５ａ、５０５５ｂ、５０５５ｃのプログラム５０５６ａ、５０５６ｂ、５０５６ｃが記録され、その次にデータ領域５０５４がある。【０５００】
図８６のフローチャートのステップ５０６０ｉで親機４５のバージョン情報ｎ１を入手し、子機のメモリの中のバージョン情報ｎ２を入手し（ステップ５０６０ａ）、ｎ１≧ｎ２の最大値のプログラムｎを選択し（ステップ５０６０ｂ）、その実行プログラムｎを実行し（ステップ５０６０ｃ）、ステップ５０６０ｄでインターネットへの接続がある場合、ステップ５０６０ｅでサーバに接続し、サーバに親機４５に設定されている言語情報５０６５を送り（ステップ５０６０ｆ）、サーバは送られた言語情報５０６５に応じて、その言語、例えばフランス語のプログラムを親機に送り、実行させる。もしくはサーバ上でそのプログラムを実行してもよい。【０５０１】
インターネットに接続されていない場合はステップ５０６０ｈに戻り、ローカルプログラムを実行して、子機５０５０の属性情報、例えば故障の場合を知らせる情報や記録した写真の枚数等の情報を親機４５の画面に表示する。このように子機のメモリ５２にバージョン情報５０５２が記録され、１０年単位の周期で進化する各世代のプログラムや手順やＵＲＬがバージョン毎に記録されているため、２０年３０年経っても同じフォーマットで動作するという効果がある。図８６（ａ）ではプログラムのバージョン、世代を記録する例を示したが、図８６（ｂ）のようにバージョン５０５５ｄ、５０５５ｅ、５０５５ｆに対応したＵＲＬ等のサーバの中のデータのアドレス、ＵＲＬ５０５７ａ、５０５７ｂ、５０５７ｃを記録することにより同様の効果が得られる。この方式により、将来にわたって、下位互換性を実現できる。例えば今年買った製品にＲＦ−ＩＤが搭載されている場合、バージョンを１とすると、２０年後、３０年後の親機４５には例えばバージョン１、２、３に対応したＪＡＶＡ（登録商標）等の仮想マシン言語などのプログラムが載っているので、子機バージョン情報５０５２を知ることにより、親機はそのバージョンに対応した親機のプログラムに切り換え動作を行う。また３０年後の子機２１ではバージョン１、２、３の全てのプログラムが記録されているため、バージョン３の親機４５では最高の機能を得る。そして、バージョン１の親機４５では古いバージョンの少し限定された機能が得られ、完全な互換性が実現する。【０５０２】
図８７のフローチャートを説明する。ステップ５００１ａでリモコン５０５１の読み取りスイッチ５０６３を押して、子機５０５０のアンテナ２１に近づけると子機のメモリ５２のデータがリモコン５０５１のメモリ５０６１に蓄積される。次にステップ５００１ｂでリモコン５０５１をＴＶ等の親機４５に向け、送信スイッチ５０６２を押すと（ステップ５００１ｂ）、光により親機へメモリ５０６１のデータが送られる（ステップ５００１ｃ）。本実施の形態ではこのデータをタグデータと便宜上呼ぶ。タグデータから実行プログラムを抽出もしくは選択し（ステップ５００１ｄ）、抽出もしくは選択した実行プログラムを親機の仮想マシン言語を用いて実行し（ステップ５００１ｅ）、親機側のインターネット接続識別用情報を読み込み（ステップ５００１ｆ）、もしステップ５００１まで識別用情報が「インターネットに接続可能」を示さない場合は実行プログラムの中に非接続時用のプログラムを実行し（ステップ５００１ｔ）、親機の画面の実行結果を表示する（ステップ５００１ｕ）。本発明ではメモリ５２にインターネットに接続する情報だけでなく、非接続時に動作する実行プログラムが記録されているため、非接続時に要求される最低の動作が表示を行うことができるという効果がある。【０５０３】
ステップ５００１ｇに戻り、Ｙｅｓの場合は、上記プログラムの一部を含む接続プログラムを実行する（ステップ５００１ｈ）。【０５０４】
この場合、タグデータの中の実行プログラムに図８６（ａ）のデータ領域５０５４にサーバのＵＲＬやユーザＩＤやパスワード等のデータを加えて接続プログラムを生成することによりタブデータの中の実行プログラムを拡張することができるとともに、メモリ５２の中の不揮発性メモリの容量を小さくできる。この場合、メモリ５２の接続プログラムをプログラム領域５０５３の書きかえ不能なＲＯＭメモリ等のメモリに記録し、サーバのＵＲＬなどを書きかえ可能なデータ領域５０５４に記録することにより、チップ面積やコストを下げることができる。【０５０５】
ステップ５００１ｉにおいて特定のＵＲＬのサーバに接続し、ステップ５００１ｊでサーバ側がデータのアップロードを要求するかどうかを判定し、Ｙｅｓならステップ５００１ｐでデータもしくは／かつプログラムをサーバにアップロードする。このデータを用いてサーバでプログラムを実行し（ステップ５００１ｑ）、サーバで実行した結果を親機に送り（ステップ５００１ｒ）、親機の表面に実行した結果等を表示する（ステップ５００１ｓ）。【０５０６】
ステップ５００１ｊに戻り、Ｎｏの場合、サーバのＵＲＬの中の特定のプログラムを含む情報をダウンロードし（ステップ５００１ｋ）、このダウンロードしたプログラムを親機で実行する（ステップ５００１ｍ）。そして、その結果を親機の画面に表示する。【０５０７】
消費電力や体積やコストの制約により、ＲＦ−ＩＤや子機側のメモリ容量には限界があり、通常のプログラムは記憶できない。しかし、本発明のように接続プログラムと、サーバを利用することにより、無限に大きなプログラムを動作させることができるという大きな効果がある。【０５０８】
サーバで巨大なプログラムを実行してもよいし、サーバからダウンロードしたプログラムを実行してもよく、これらは本発明の範疇に入る。【０５０９】
なお、本発明の図８６を用いた実施の形態では、ＴＶ用のリモコンを想定して説明した。この場合、リモコンは、電池とＴＶチャンネルを切り替えるためのボタン、ＲＦ−ＩＤを読み取るアンテナと通信回路、赤外の発光部から構成される。リモコンに代えて携帯電話を用いても同様の効果が得られる。携帯電話に搭載されている赤外の発光部などを共用できるため導入しやすい。携帯の通信回線をもつため、直接、サーバに接続されるため性能面では、変わらない。しかし、通信費用が発生するため、ユーザーに負担をかけることになる。携帯電話の画面はＴＶに比べると圧倒的に小さい。従って、図８６で示した送信スイッチ５０６２を設け、ＴＶが近くにある場合は、携帯電話の発光部をＴＶの方に向け、前述のメモリ５２の中のタグデータをＴＶに直接送ることにより、解像度の高い大きな画面でデータを見ることができる。また、費用もかからないため、ユーザーにとってメリットが大きい。読み取ったタグデータを用いた携帯電話回線を介しての交信は、この送信スイッチと連動して、中止される。【０５１０】
この場合には、図８６で説明したリモコンと同様に、ＲＦ−ＩＤ（ＮＦＣ通信部でもよい）の少なくともリーダ部を携帯電話に備える構成とする。今後、ＲＦ−ＩＤなどのリーダ機能を携帯電話に持たせることが予想される。もしＲＦ−ＩＤのリーダが携帯電話に搭載されるようになれば、本発明を実施するに当たって追加するコストは非常に小さくなり、ユーザにとってのメリットは大きい。また、リモコン、携帯電話だけではなく、ＰＤＡ端末、ノートＰＣ、携帯メディアプレーヤなどでも本発明を実現することは容易である。
【産業上の利用可能性】
【０５１１】
本発明によって、サーバへ保存した画像等の情報を簡単な手続きでテレビなどの受信装置で受信することが可能となり、テレビやＰＣ等の表示装置がインターネットを通じて情報を取得する操作を簡略化するシステム全般に有効である。また、本発明に係る通信装置は、識別情報および仮想マシン用プログラムを格納したＲＦ−ＩＤを備えるあらゆる機器、例えば、カメラ等の電子機器、炊飯器や冷蔵庫等の家電機器、歯ブラシ等の日常品にも、適用できる。
【図１】
2009084243.tif 000003
【図２】
2009084243.tif 000004
【図３】
2009084243.tif 000005
【図４】
2009084243.tif 000006
【図５】
2009084243.tif 000007
【図６】
2009084243.tif 000008
【図７】
2009084243.tif 000009
【図８】
2009084243.tif 000010
【図９】
2009084243.tif 000011
【図１０】
2009084243.tif 000012
【図１１】
2009084243.tif 000013
【図１２】
2009084243.tif 000014
【図１３】
2009084243.tif 000015
【図１４】
2009084243.tif 000016
【図１５】
2009084243.tif 000017
【図１６】
2009084243.tif 000018
【図１７】
2009084243.tif 000019
【図１８】
2009084243.tif 000020
【図１９】
2009084243.tif 000021
【図２０】
2009084243.tif 000022
【図２１】
2009084243.tif 000023
【図２２】
2009084243.tif 000024
【図２３】
2009084243.tif 000025
【図２４】
2009084243.tif 000026
【図２５】
2009084243.tif 000027
【図２６】
2009084243.tif 000028
【図２７】
2009084243.tif 000029
【図２８】
2009084243.tif 000030
【図２９】
2009084243.tif 000031
【図３０】
2009084243.tif 000032
【図３１】
2009084243.tif 000033
【図３２】
2009084243.tif 000034
【図３３】
2009084243.tif 000035
【図３４】
2009084243.tif 000036
【図３５】
2009084243.tif 000037
【図３６】
2009084243.tif 000038
【図３７】
2009084243.tif 000039
【図３８】
2009084243.tif 000040
【図３９】
2009084243.tif 000041
【図４０】
2009084243.tif 000042
【図４１】
2009084243.tif 000043
【図４２】
2009084243.tif 000044
【図４３】
2009084243.tif 000045
【図４４】
2009084243.tif 000046
【図４５】
2009084243.tif 000047
【図４６】
2009084243.tif 000048
【図４７】
2009084243.tif 000049
【図４８】
2009084243.tif 000050
【図４９】
2009084243.tif 000051
【図５０】
2009084243.tif 000052
【図５１】
2009084243.tif 000053
【図５２】
2009084243.tif 000054
【図５３】
2009084243.tif 000055
【図５４】
2009084243.tif 000056
【図５５】
2009084243.tif 000057
【図５６】
2009084243.tif 000058
【図５７】
2009084243.tif 000059
【図５８】
2009084243.tif 000060
【図５９】
2009084243.tif 000061
【図６０】
2009084243.tif 000062
【図６１】
2009084243.tif 000063
【図６２】
2009084243.tif 000064
【図６３】
2009084243.tif 000065
【図６４】
2009084243.tif 000066
【図６５】
2009084243.tif 000067
【図６６】
2009084243.tif 000068
【図６７】
2009084243.tif 000069
【図６８】
2009084243.tif 000070
【図６９】
2009084243.tif 000071
【図７０】
2009084243.tif 000072
【図７１】
2009084243.tif 000073
【図７２】
2009084243.tif 000074
【図７３】
2009084243.tif 000075
【図７４】
2009084243.tif 000076
【図７５】
2009084243.tif 000077
【図７６】
2009084243.tif 000078
【図７７】
2009084243.tif 000079
【図７８】
2009084243.tif 000080
【図７９】
2009084243.tif 000081
【図８０】
2009084243.tif 000082
【図８１】
2009084243.tif 000083
【図８２】
2009084243.tif 000084
【図８３】
2009084243.tif 000085
【図８４】
2009084243.tif 000086
【図８５】
2009084243.tif 000087
【図８６】
2009084243.tif 000088
【図８７】
2009084243.tif 000089
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
通信路で機器と接続されたリーダ装置との間で近接無線通信を行う通信装置であって、
前記近接無線通信用のアンテナ部と、
前記リーダ装置から供給される入力信号を、前記アンテナ部を介して受信する受信部と、
前記機器によって実行されるプログラムを生成もしくは更新する、または、前記プログラムで使用され、かつ、前記プログラムの動作を変更するデータを生成もしくは更新するプログラム・データ生成部と、
少なくとも前記通信装置を特定するための識別情報と、前記プログラムまたは前記データとを記憶する、記憶内容を更新可能な不揮発性のメモリ部と、
前記通信装置の使用状況を検出し、前記使用状況に応じて使用状況情報を生成する使用状況検出部と、
前記受信部で受信された入力信号に応じて、前記メモリ部に記憶された前記識別情報と前記プログラムまたは前記データとを、前記アンテナ部を介して前記リーダ装置に送信する送信部と、
前記アンテナ部を介して電力が供給される第１電源と、
前記第１電源と異なる第２電源とを備え、
前記プログラム・データ生成部は、前記使用状況検出部で生成された使用状況情報に応じて前記プログラムまたは前記データを生成または更新し、
少なくとも前記アンテナ部、前記受信部、前記メモリ部および前記送信部は、前記第１電源で動作し、
少なくとも前記メモリ部、前記プログラム・データ生成部は、前記第２電源で動作し、
前記送信部から送信された前記識別情報と前記プログラムまたは前記データとは、前記送信部から、前記アンテナ部、前記リーダ装置および前記通信路を介して、前記機器に転送される
通信装置。
【請求項２】
前記メモリ部は、さらに、前記機器を特定する操作機器識別情報を記憶し、
前記プログラム・データ生成部は、前記操作機器識別情報を基に前記機器の持つ能力または機能を取得し、前記機器の持つ能力または機能に応じて、前記プログラムまたは前記データを生成または更新する請求項１記載の通信装置。
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
前記使用状況検出部は、前記通信装置の動作に関する不具合を検出し、
前記使用状況情報は、少なくとも前記不具合の発生している前記通信装置内の場所を特定するための情報を含む請求項１記載の通信装置。
【請求項１８】
前記使用状況検出部は、前記通信装置の動作に関した電力消費量を検出し、
前記使用状況情報は、少なくとも前記電力消費量を示した情報を含む請求項１記載の通信装置。
【請求項１９】
前記送信部は、前記識別情報を用いて、前記通信装置と前記機器との間の通信接続認証を行い、前記受信部で受信された入力信号に応じて、前記メモリ部に記憶された前記識別情報と前記プログラムまたは前記データとを、前記アンテナ部を介して前記リーダ装置に送信する
請求項１記載の通信装置。
【請求項２０】
（削除）
【請求項２１】
（削除）
【請求項２２】
（削除）
【請求項２３】
（削除）
【請求項２４】
（削除）
【請求項２５】
遠隔操作を受け付けるためのコントローラを備えた機器と、前記機器と通信路で接続されたリーダ装置と、前記リーダ装置と近接無線通信を行う通信装置を備える通信システムであって、
前記通信装置は、
前記近接無線通信用のアンテナ部と、
前記リーダ装置から供給される入力信号を、前記アンテナ部を介して受信する受信部と、
前記機器によって実行されるプログラムを生成もしくは更新する、または、前記プログラムで使用され、かつ、前記プログラムの動作を変更するデータを生成もしくは更新するプログラム・データ生成部と、
少なくとも前記通信装置を特定するための識別情報と、前記プログラムまたは前記データとを記憶する、記憶内容を更新可能な不揮発性のメモリ部と、
前記通信装置の使用状況を検出し、前記使用状況に応じて使用状況情報を生成する使用状況検出部と、
前記受信部で受信された入力信号に応じて、前記メモリ部に記憶された前記識別情報と前記プログラムまたは前記データとを、前記アンテナ部を介して前記リーダ装置に送信する送信部と、
前記アンテナ部を介して電力が供給される第１電源と、
前記第１電源と異なる第２電源とを備え、
前記プログラム・データ生成部は、前記使用状況検出部で生成された使用状況情報に応じて前記プログラムまたは前記データを生成または更新し、
少なくとも前記アンテナ部、前記受信部、前記メモリ部および前記送信部は、前記第１電源で動作し、
少なくとも前記メモリ部、前記プログラム・データ生成部は、前記第２電源で動作し、
前記リーダ装置は、前記機器を遠隔操作するコントローラに内蔵されており、前記送信部から送信されてきた前記識別情報と前記プログラムまたは前記データとを受信して前記機器に転送し、
前記機器は、前記リーダ装置から転送されてきた前記識別情報と前記プログラムまたは前記データとを受信し、受信した前記プログラムを実行する
通信システム。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
通信路で機器と接続されたリーダ装置との間で近接無線通信を行う通信装置であって、
前記近接無線通信用のアンテナ部と、
前記リーダ装置から供給される入力信号を、前記アンテナ部を介して受信する受信部と、
前記通信装置の使用状況を検出し、検出した前記使用状況を示す使用状況情報を生成する使用状況検出部と、
前記機器または前記機器と通信可能に接続されたサーバ機器によって実行されるプログラムを前記使用状況情報に基づいて生成する、または、前記プログラムで使用されるデータを前記使用状況情報に基づいて生成するプログラム・データ生成部と、
少なくとも前記通信装置を特定するための識別情報を記憶する識別情報記憶部と、
前記プログラム・データ生成部で生成された前記プログラムまたは前記データを記憶する、記憶内容を更新可能な不揮発性のメモリ部と、
前記受信部で受信された入力信号に応じて、前記識別情報記憶部に記憶された前記識別情報と前記メモリ部に記憶された前記プログラムまたは前記データとを、前記アンテナ部を介して前記リーダ装置に送信する送信部と、
前記アンテナ部を介して電力が供給される第１電源と、
前記第１電源と異なる第２電源とを備え、
前記プログラム・データ生成部は、前記使用状況検出部で生成された使用状況情報を前記機器が表示するための前記プログラムまたは前記データを生成し、
少なくとも前記アンテナ部、前記受信部、前記識別情報記憶部および前記送信部は、前記第１電源で動作し、
少なくとも前記メモリ部、前記プログラム・データ生成部は、前記第２電源で動作し、
前記送信部から送信された前記識別情報と前記プログラムまたは前記データとは、前記送信部から、前記アンテナ部、前記リーダ装置および前記通信路を介して、前記機器に転送される
通信装置。
【請求項２】
前記メモリ部は、さらに、前記機器を特定する操作機器識別情報を記憶し、
前記プログラム・データ生成部は、前記操作機器識別情報を基に前記機器の持つ能力または機能を取得し、前記機器の持つ能力または機能に応じて、前記プログラムまたは前記データを生成または更新する請求項１記載の通信装置。
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
前記使用状況検出部は、前記通信装置の動作に関する不具合を検出し、
前記使用状況情報は、少なくとも前記不具合を特定するための情報を含む請求項１記載の通信装置。
【請求項１８】
前記使用状況検出部は、前記通信装置の動作に関した電力消費量を検出し、
前記使用状況情報は、少なくとも前記電力消費量を示した情報を含む請求項１記載の通信装置。
【請求項１９】
前記送信部は、前記識別情報を用いて、前記通信装置と前記機器との間の通信接続認証を行い、前記受信部で受信された入力信号に応じて、前記識別情報記憶部に記憶された前記識別情報と前記メモリ部に記憶された前記プログラムまたは前記データとを、前記アンテナ部を介して前記リーダ装置に送信する
請求項１記載の通信装置。
【請求項２０】
（削除）
【請求項２１】
（削除）
【請求項２２】
（削除）
【請求項２３】
（削除）
【請求項２４】
（削除）
【請求項２５】
操作者から遠隔操作を受け付けるためのリモート・コントローラを備えた機器と、前記機器と通信路で接続されたリーダ装置と、前記リーダ装置と近接無線通信を行う通信装置を備える通信システムであって、
前記通信装置は、
前記近接無線通信用のアンテナ部と、
前記リーダ装置から供給される入力信号を、前記アンテナ部を介して受信する受信部と、
前記通信装置の使用状況を検出し、検出した前記使用状況を示す使用状況情報を生成する使用状況検出部と、
前記機器または前記機器と通信可能に接続されたサーバ機器によって実行されるプログラムを前記使用状況情報に基づいて生成する、または、前記プログラムで使用されるデータを前記使用状況情報に基づいて生成するプログラム・データ生成部と、
少なくとも前記通信装置を特定するための識別情報を記憶する識別情報記憶部と、
前記プログラム・データ生成部で生成された前記プログラムまたは前記データを記憶する、記憶内容を更新可能な不揮発性のメモリ部と、
前記受信部で受信された入力信号に応じて、前記識別情報記憶部に記憶された前記識別情報と前記メモリ部に記憶された前記プログラムまたは前記データとを、前記アンテナ部を介して前記リーダ装置に送信する送信部と、
前記アンテナ部を介して電力が供給される第１電源と、
前記第１電源と異なる第２電源とを備え、
前記プログラム・データ生成部は、前記使用状況検出部で生成された使用状況情報に応じて前記プログラムまたは前記データを生成または更新し、
少なくとも前記アンテナ部、前記受信部、前記メモリ部および前記送信部は、前記第１電源で動作し、
少なくとも前記メモリ部、前記プログラム・データ生成部は、前記第２電源で動作し、
前記リーダ装置は、前記機器を遠隔操作する前記リモート・コントローラに内蔵されており、前記送信部から送信されてきた前記識別情報と前記プログラムまたは前記データとを受信して前記機器に転送し、
前記機器は、前記リーダ装置から転送されてきた前記識別情報と前記プログラムまたは前記データとを受信し、受信した前記プログラムを実行する
通信システム。
【手続補正書】
【提出日】平成22年6月22日(2010.6.22)
【手続補正１】
【補正対象書類名】明細書
【補正対象項目名】全文
【補正方法】変更
【補正の内容】
【発明の詳細な説明】
【技術分野】
【０００１】
本発明はリーダ装置を備える機器との近接無線通信を行う通信装置等に関する。
【背景技術】
【０００２】
近年インターネットによるサービスは普及の一途をたどっている。ニュースや、天気予報、映画情報など、企業が作成するコンテンツのみならず、ユーザが作成したテキスト情報や、画像や、動画等をサーバで管理することで、いつでもインターネット経由でこれらのコンテンツを享受することができるといったサービスも、急速に増えつつある。
【０００３】
写真共有サービスはこのようなサービスの１つである。ユーザは自身が撮影した写真をサーバへアップロードし、その後、インターネット経由で、ＰＣ等からアクセスすることで、いつでも自分が撮影した画像を閲覧することが可能となる。
【０００４】
写真をサーバへアップロードする手段に関しては、デジタルカメラやメモリカードに無線ＬＡＮ機能を持たせ、撮影した画像をアップロードする手続きを容易にするために、撮影した画像を簡易な手続きで直接サーバへ自動的にアップロードする製品が最近、登場している。
【０００５】
またサーバへアップロードした画像をダウンロードして閲覧する方法としては、インターネットに接続可能なＴＶを操作してサーバへアクセスし、ユーザＩＤやパスワードを入力する等のログイン処理を行い、サーバから画像を取得するＴＶの発売が開始されている。
【０００６】
しかし、これらのダウンロードの処理は従来のパソコンのインタフェース技術を踏襲していたため操作性は改善されていなかった。最近、市販が開始されたインターネット機能搭載ＴＶは、数十回リモコンのボタンを押さないと写真等のデータをダウンロードすることができない。しかも手続きが複雑でマニュアルを見ないと操作できない。若い人やパソコン習熟者にとっては障壁が高くないかもしれない。しかし比較的高度な技術を要するため、中高年層や一般女性層にとっては煩雑で煩わしく、パソコンの操作に慣れていないユーザがこのようなサービスを享受するのは困難である。このような操作面の課題に対して、改善策が検討されてきた。しかし、これらの技術は従来のパソコンの操作方法の枠を超えていないため、操作性は大きく改善されていない。
【０００７】
特許文献１では、サーバに繋がった表示装置はＲＦ−ＩＤリーダを持ち、物品はＲＦ−ＩＤのタグを持ち、ＲＦ−ＩＤの中の書き換え不可能のメモリに物品ＩＤ（ＵＩＤ）情報を持つ。サーバには、物品ＩＤ（ＵＩＤ）とユーザの顔写真等の画像が紐づけられたデータベースがある。物品をＲＦ−ＩＤのリーダに近づけるとＵＩＤが読まれ、そのＵＩＤに対応した画像をデータベースから取り出し、ユーザの顔写真等の画像を表示装置に表示させることにより、その持ち主が分かるという技術が開示されている。
【先行技術文献】
【特許文献】
【０００８】
【特許文献１】特開２００５−６３４２７号公報
【発明の概要】
【発明が解決しようとする課題】
【０００９】
ここで、前述した写真共有サービスをテレビによって享受するシステムを考えると、ＴＶは一般的にリモコンによって操作を行うため、サーバサーバへのアクセスやユーザＩＤやパスワードの入力は非常に煩雑であるという課題を有している。
【００１０】
特許文献１では、表示装置にＲＦ−ＩＤを、物品にＲＦ−ＩＤを装備することで容易に物品の所有者の顔写真等の画像データを表示できる技術に関して開示されているが、物品のＲＦ−ＩＤには、ＵＩＤが記録されているのみで、ＴＶ端末とタグとがサーバへアクセスすることを簡易化するための情報をやりとりし、操作の手順を単純化するものではない。物品のＲＦ−ＩＤには、ＵＩＤしか記録されていないため、物品によって、接続するサーバが違う場合には、ＩＤと関連した画像情報を取得することができないという課題を有している。
【００１１】
また、上記特許文献１の技術では、ＲＦ−ＩＤを装備した物品の個体ごと、種類ごと、あるいは、応用システムごとに、対応するアプリケーションプログラム（画像をダウンロードするためのプログラム等）をＴＶ端末が備える必要がある。そのために、ＴＶ端末は、多くの種類のアプリケーションプログラムを保持しておく必要があり、そのための記憶装置を必要とするだけでなく、プログラムの改訂等の保守が煩雑になるという問題もある。
【００１２】
本発明は、前述の課題を解決するものであり、画像をサーバへアップロードし、アップロードされた画像を、ＴＶを用いて閲覧する場合などのケース、つまり、物品（通信装置）に関する情報を提供するＴＶ等の表示装置における種々の設定を簡易化することを可能にする通信装置等を提供することを目的とする。
【課題を解決するための手段】
【００１３】
上記目的を達成するために、本発明に係る通信装置は、通信路で機器と接続されたリーダ装置との間で近接無線通信を行う通信装置であって、前記近接無線通信用のアンテナ部と、前記リーダ装置から供給される入力信号を、前記アンテナ部を介して受信する受信部と、少なくとも前記通信装置を特定するための識別情報と、当該識別情報を参照して前記機器によって実行されるプログラムとを記憶する不揮発性のメモリ部と、前記受信部で受信された入力信号に応じて、前記メモリ部に記憶された前記識別情報および前記プログラムを、前記アンテナ部を介して前記リーダ装置に送信する送信部とを備え、前記送信部から送信された前記識別情報および前記プログラムは、前記送信部から、前記アンテナ部、前記リーダ装置および前記通信路を介して、前記機器に転送されることを特徴とする。
【００１４】
これにより、通信装置内には、機器で実行されるプログラムが内蔵され、その通信装置とリーダ装置とが接近すると、通信装置内のプログラム等がリーダ装置を介して機器に転送され、機器において実行される。よって、通信装置をリーダ装置に接近させるだけで、その通信装置（あるいは、識別情報）に依存した処理が機器で行われ、物品（通信装置）に関する情報を提供するＴＶ等の表示装置における種々の設定が簡易化される。たとえば、カメラで撮影した画像をサーバにアップロードしておき、そのカメラをＴＶに近づけるだけで、そのカメラで撮った画像がＴＶにダウンロードされ、表示される。
【００１５】
なお、本発明は、カメラ等の通信装置単体として実現できるだけでなく、機器と、前記機器と通信路で接続されたリーダ装置と、前記リーダ装置と近接無線通信を行う通信装置を備える通信システムであって、前記通信装置は、前記近接無線通信用のアンテナ部と、前記リーダ装置から供給される入力信号を、前記アンテナ部を介して受信する受信部と、少なくとも前記通信装置を特定するための識別情報と、当該識別情報を参照して前記機器によって実行されるプログラムとを記憶する不揮発性のメモリ部と、前記受信部で受信された入力信号に応じて、前記メモリ部に記憶された前記識別情報および前記プログラムを、前記アンテナ部を介して前記リーダ装置に送信する送信部とを備え、前記リーダ装置は、前記送信部から送信されてきた前記識別情報および前記プログラムを受信して前記機器に転送し、前記機器は、前記リーダ装置から転送されてきた前記識別情報および前記プログラムを受信し、受信した前記プログラムを実行する通信システムとして実現することもできる。
【００１６】
また、本発明は、画面を有する機器と、前記機器と通信路で接続されたリーダ装置と、前記リーダ装置と近接無線通信を行う通信装置を備える通信システムにおいて、前記通信装置に関する画像を前記機器に提示する画像提示方法であって、前記通信装置と前記リーダ装置とが、前記近接無線通信による通信が可能な位置まで接近したことを検知する検知ステップと、前記接近が検知されると、前記通信装置に記憶されていた、当該通信装置の識別情報、および、当該識別情報を参照して前記機器によって実行されるプログラムを、前記通信装置から前記近接無線通信を介して前記リーダ装置に転送し、さらに、前記リーダ装置から前記通信路を介して前記機器に転送する転送ステップと、前記機器が、転送されてきた前記識別情報を参照しながら前記プログラムを実行することで、前記画面に前記通信装置に関する画像を表示する表示ステップとを含む画像提示方法として実現したり、通信装置の識別情報とともに当該通信装置内に保存されるプログラムであって、前記通信装置との間で近接無線通信を行う機器が備える仮想マシンによって実行されるコードで記述され、通信ネットワークで接続されたサーバ装置にアクセスするステップと、アクセスした前記サーバ装置に保存された画像のうち、前記識別情報に対応する画像を前記サーバ装置からダウンロードするステップと、ダウンロードした画像を表示するステップとを含むプログラム、あるいは、そのようなプログラムが記録されたＣＤ−ＲＯＭ等のコンピュータ読み取り可能な記録媒体として実現することもできる。
【発明の効果】
【００１７】
本発明に係る通信装置によれば、物品（通信装置）に関する情報を提供するＴＶ等の表示装置における種々の設定が簡素化される。たとえば、ユーザは撮影した画像をサーバへアップロードする処理や、ＴＶによってサーバから画像を閲覧するといった処理を煩雑な手続きを行うことなく簡易に行うことが可能となる。
【図面の簡単な説明】
【００１８】
【図１】図１は、本発明の実施形態１における撮影装置の全体システム図である。
【図２】図２は、本発明の実施形態１における撮影装置の外観図である。
【図３】図３は、本発明の実施形態１における撮影装置のブロック図である。
【図４】図４は、本発明の実施形態１における撮影装置の第２メモリの構図である。
【図５】図５は、本発明の実施形態１における撮影装置の第２メモリの構図である。
【図６】図６は、本発明の実施形態１における撮影装置の画像表示方法指示情報の構成図である。
【図７】図７は、本発明の実施形態１における撮影装置のカバーとＴＶの動作のフローチャート図である。
【図８】図８は、本発明の実施形態１における撮影装置のカバーとＴＶの動作のフローチャート図である。
【図９】図９は、本発明の実施形態１における撮影装置のカバーとＴＶの動作のフローチャート図である。
【図１０】図１０は、本発明の実施形態１における撮影装置のカバーとＴＶの動作のフローチャート図である。
【図１１】図１１は、本発明の実施形態１における撮影装置のカバーとＴＶの動作のフローチャート図である。
【図１２】図１２は、本発明の実施形態１における撮影装置のカバーとＴＶの動作のフローチャート図である。
【図１３】図１３は、本発明の実施形態１における撮影装置のカバーとＴＶの動作のフローチャート図である。
【図１４】図１４は、本発明の実施形態１における撮影装置のカバーとＴＶの動作のフローチャート図である。
【図１５】図１５は、本発明の実施形態１における撮影装置のカバーとＴＶの動作のフローチャート図である。
【図１６】図１６は、本発明の実施形態１における撮影装置のカバーとＴＶの動作のフローチャート図である。
【図１７】図１７は、本発明の実施形態１における撮影装置のカバーとＴＶの動作のフローチャート図である。
【図１８】図１８は、本発明の実施形態１における撮影装置のカバーとＴＶの動作のフローチャート図である。
【図１９】図１９は、本発明の実施形態１における撮影装置のカバーとＴＶの動作のフローチャート図である。
【図２０】図２０は、本発明の実施形態１における撮影装置のカバーとＴＶの動作のフローチャート図である。
【図２１】図２１は、本発明の実施形態１における撮影装置のカバーとＴＶの動作のフローチャート図である。
【図２２】図２２は、本発明の実施形態１における撮影装置とＴＶの表示方法を示す図である。
【図２３】図２３は、動作プログラムを格納する撮影装置のＲＦ−ＩＤ部、テレビに付随するリモコン、テレビのブロック図である。
【図２４】図２４は、ＲＦ−ＩＤに格納された動作プログラムを転送および実行する処理のフローチャートである。
【図２５】図２５は、画像のダウンロードおよびスライドショーを行う動作プログラムの記述の一例である。
【図２６】図２６は、言語コードに応じて動作プログラムの処理を変更するテレビと、プログラムを格納するサーバのブロック図である。
【図２７】図２７は、言語コードに応じて動作プログラムの処理を変更する処理のフローチャートである。
【図２８】図２８は、撮影装置１とＴＶ４５が無線ＬＡＮを含むホームネットワーク６５００の構成図である。
【図２９】図２９は、ＲＦ−ＩＤを用いない認証方法の一例である。
【図３０】図３０は、ＲＦ−ＩＤを用いた認証方法の一例である。
【図３１】図３１は、端末を近接させることが困難な場合の認証方法の一例である。
【図３２】図３２は、カメラ側動作の一例を示すフローチャートである。
【図３３】図３３は、ＴＶ側動作の一例を示すフローチャートである。
【図３４】図３４は、ＴＶで実行される動作プログラムを生成する撮影装置１の第１処理部、第２メモリ部のブロック図である。
【図３５】図３５は、第１処理部のプログラム生成部７００５の動作を示したフローチャートである。
【図３６】図３６は、プログラム生成部７００５で生成したプログラムの一例のフローチャートである。
【図３７】図３７は、撮影装置１の使用状況を表示する動作プログラムを生成する撮影装置１の第１処理部、第２メモリ部のブロック図である。
【図３８】図３８は、撮影装置１で生成したプログラムを外部機器で実行する場合のユースケースである。
【図３９】図３９は、撮影装置１で生成したプログラムを表示機能付きリモコンで実行する場合のシーケンスである。
【図４０】図４０は、本発明の実施形態２におけるカメラのアップロード手順を示すフローチャートである。
【図４１】図４１は、本発明の実施形態２におけるカメラのアップロード手順を示すフローチャートである。
【図４２】図４２は、本発明の実施形態１におけるカメラのアップロード手順を示すフローチャートである。
【図４３】図４３は、本発明の実施形態２におけるカメラのＲＦ−ＩＤ部の動作手順を示すフローチャートである。
【図４４】図４４は、本発明の実施形態２におけるＴＶの構成図である。
【図４５】図４５は、本発明の実施形態２におけるカメラとＴＶのＲＦ−ＩＤ通信の動作を示したフローチャートである。
【図４６】図４６は、図４５の詳細フローチャートである。
【図４７】図４７は、カメラとＴＶのＲＦ−ＩＤ通信のデータフォーマットである。
【図４８】図４８は、電子カタログ表示システムの概要図である。
【図４９】図４９は、電子カタログサーバ情報入力機の構成図である。
【図５０】図５０は、電子カタログサーバ情報入力機の処理の手順を示すフローチャートである。
【図５１】図５１は、電子カタログ通知カードのＲＦ−ＩＤの構成図である。
【図５２】図５２は、電子カタログを表示するＴＶの構成図である。
【図５３】図５３は、電子カタログサーバの構成図である。
【図５４】図５４は、電子カタログサーバの処理の手順を示すフローチャートである。
【図５５】図５５は、電子カタログを表示するＴＶの処理の手順を示すフローチャートである。
【図５６】図５６は、電子カタログの画面表示を示す図である。
【図５７】図５７は、顧客属性データベースのデータ構造を示す図である。
【図５８】図５８は、電子カタログデータベースのデータ構造を示す図である。
【図５９】図５９は、ＲＦ−ＩＤ付葉書郵送システムの概要図である。
【図６０】図６０は、ＲＦ−ＩＤ付葉書郵送システムのＴＶの構成図である。
【図６１】図６１は、ＲＦ−ＩＤ付葉書郵送システムの画像選択操作の画面表示を示す図である。
【図６２】図６２は、ＲＦ−ＩＤ付葉書郵送システムの画像サーバの処理の手順を示すフローチャートである。
【図６３】図６３は、本発明の実施形態５におけるシステム構成図である。
【図６４】図６４は、本発明の実施形態５における郵送物の固定情報の例を示す図である。
【図６５】図６５は、本発明の実施形態５における撮影装置の画像サーバへの関連づけのフローチャート図である。
【図６６】図６６は、本発明の実施形態５における撮影装置の中継サーバへの登録のフローチャート図である。
【図６７】図６７は、二次元コード付き郵送物の例を示す図である。
【図６８】図６８は、本発明の実施形態５における撮影装置の二次元バーコードを利用した処理のフローチャート図である。
【図６９】図６９は、本発明の実施形態５におけるテレビジョンのフローチャート図である。
【図７０】図７０は、本発明の実施形態５における中継サーバのフローチャート図である。
【図７１】図７１は、本発明の実施形態６における画像送信側構成の概略図である。
【図７２】図７２は、本発明の実施形態６における画像受信側構成の概略図である。
【図７３】図７３は、本発明の実施形態６における画像送信側テレビジョンの動作フロー図である。
【図７４】図７４は、本発明の実施形態６における画像受信側テレビジョンの動作フロー図である。
【図７５】図７５は、本発明の実施形態６の他の一例における画像送信側テレビジョンの動作フロー図である。
【図７６】図７６は、本発明の実施形態６における郵送物メモリ部の記録情報の一例を示す構成図である。
【図７７】図７７は、本発明のレコーダの構成図である。
【図７８】図７８は、本発明のＲＦ−ＩＤカードの構成図である。
【図７９】図７９は、サーバに設定情報を登録する手順に関するフローチャートである。
【図８０】図８０は、サーバに登録された設定情報の構成である。
【図８１】図８１は、ＲＦ−ＩＤカードに登録された機器操作情報の構成である。
【図８２】図８２は、ＲＦ−ＩＤカードでレコーダの設定情報を更新する手順に関するフローチャートである。
【図８３】図８３は、サーバから設定情報を取得する手順に関するフローチャートである。
【図８４】図８４は、レコーダで使用するＲＦ−ＩＤカードに登録された機器操作情報の構成である。
【図８５】図８５は、カーナビで使用するＲＦ−ＩＤカードに登録された機器操作情報の構成である。
【図８６】図８６は、ＴＶ等のリモコンにＲＦ−ＩＤリーダを搭載した場合の本発明の実施の形態における構成図である。
【図８７】図８７は、同実施の形態におけるフローチャートである。
【発明を実施するための形態】
【００１９】
以下、本発明に係る通信装置、通信システム、画像提示方法およびプログラムについて、図面を参照しながら詳細に説明する。
【００２０】
（実施の形態１）
本発明の実施の形態１について述べる。図１は本発明の概念図を示す。ここには、撮影装置（カメラ）１、ＴＶ（テレビジョン）４５およびサーバ４２から構成される通信システムが示されている。本図において、左側は撮影時の状況を示し、右側は撮影した画像を再生する時の状況を示す。
【００２１】
撮影装置１は、本発明に係る通信装置の一例（ここでは、デジタルカメラ）であり、撮影時に関連する構成要素として、第１電源部１０１と、映像処理部３１と、第１のアンテナ２０と、第１処理部３５と、メディア識別情報１１１、撮影画像状況情報６０およびサーバ特定情報４８を記憶する第２メモリ５２と、ＲＦ−ＩＤのアンテナ２１とを備える。また、この撮影装置１は、再生時に関連する構成要素として、第１電源部１０１と、第１メモリ１７４と、電源検知部１７２と、起動部１７０と、メディア識別情報１１１、撮影画像状況情報６０およびサーバ特定情報５８を記憶する第２メモリ５２と、第２処理部９５と、変調部１７９と、通信部１７１と、第２電源部９１と、ＲＦ−ＩＤのアンテナ２１とを備える。
【００２２】
ＴＶ４５は、リーダ装置を通信路で接続された機器の一例であり、具体的には、撮影装置１で撮影された画像データを表示するのに使用されるテレビ受像機であり、表示部１１０と、ＲＦ−ＩＤリーダライタ４６とを備える。
【００２３】
サーバ４２は、撮影装置１からアップロードされる画像データを保存するとともに、その画像データをＴＶ４５にダウンロードするコンピュータであり、データ５０を保持するための記憶装置を備える。
【００２４】
景色などの被写体を撮影した場合、映像処理部３１により撮影データに変換された画像データは通信が可能な条件下では、無線ＬＡＮ、ＷｉＭＡＸ用の第１アンテナ２０を用いてアクセスポイントに無線で送られ、インターネットを介して、予め設定したサーバ４２の中のデータ５０として記録される。
【００２５】
この時、第１処理部３５は、撮影した画像データの撮影画像状況情報６０をＲＦ−ＩＤ４７の第２メモリ５２に記録する。この撮影画像状況情報６０の中には、画像撮像日時と、画像撮影枚数、最終画像送信日時、画像送信枚数および最終画像撮影日時の少なくともいずれかと、アップロードされた画像、もしくは、アップロードされていない画像、最終撮影番号等が記録される。
【００２６】
また、サーバ４２にアップロードしたデータ５０を特定するためのＵＲＬを生成する。この情報画像データにアクセスするためのサーバ特定情報４８が第２メモリ５２の中に第１処理部３５により記録される。また、このＲＦ−ＩＤが内蔵されているシステムが、カメラかカードかハガキか等を識別するためのメディア識別情報１１１も第２メモリ５２に記録されている。
【００２７】
第２メモリ５２はカメラの主電源（電池等の第１電源部１０１）が入っているときは、カメラの主電源により動作する。カメラの主電源が入っていなくても、ＲＦ−ＩＤのアンテナ２１に外部のＲＦ−ＩＤリーダライタから、電力が供給されるので、電池等の電源を持たない第２電源部９１が電圧を調整し、ＲＦ−ＩＤ回路部の第２メモリを含めた各ブロックに電力を供給し、それによって、第２メモリのデータを記録再生し、そのデータを送受信することができるようになる。なお、第２電源部９１は、整流回路等からなり、第２アンテナ２１で受信した電波から電力を作り出す回路である。第２メモリ５２は主電源のオンオフにかかわらず、第２処理部９５から読み書きでき、主電源がオンの場合は第１処理部３５から読み書きできるように構成されている。つまり、第２メモリ５２は、不揮発メモリから構成されるともに、第１処理部３５と第２処理部９５の双方から読み書きできる。
【００２８】
この撮影装置１を旅行等の撮影が終了した後、再生する場合は、図１の右側の再生時に示すように、撮影装置１をＴＶ４５のＲＦ−ＩＤリーダライタ４６に近づける。すると、ＲＦ−ＩＤリーダライタ４６によりアンテナ２１を介して、ＲＦ−ＩＤ４７に電力が供給され第２電源部９１により、撮影装置１の主電源（第１電源部１０１）がオフであってもＲＦ−ＩＤ４７の各部に電源が供給される。第２処理部９５により第２メモリ５２の撮影画像状況情報６０とサーバ特定情報５８が読み出されアンテナ２１を介してＴＶ４５に送られる。ＴＶ側はサーバ特定情報５８に基づきＵＲＬを生成し、サーバ４２のデータ５０の画像データをダウンロードし、画像のサムネイル等を表示部１１０に表示する。撮影画像状況情報６０によりアップロードされていない撮影画像があると判断された場合は、その旨を表示部１１０に表示するとともに、場合により撮影装置１を起動させ、アップロードされていない画像データをサーバ４２へアップロードさせる。
【００２９】
図２の（ａ）と図２の（ｂ）と図２の（ｃ）は、本発明の撮影装置１の外観の正面図と背面図と右側面図を示す。
【００３０】
図２の（ｃ）に示すように右側面には、無線ＬＡＮ用のアンテナ２０とＲＦ−ＩＤ用のアンテナ２１が内蔵され、電波非遮蔽材料からなるアンテナカバー２２がとりつけられている。ＲＦ−ＩＤは１３．５ＭＨｚで無線ＬＡＮは２．５ＧＨｚであり、同波数が大きく異なり互いに干渉することがない。このため２つのアンテナ２０、２１を図２の（ｃ）に示すように、外部から見て、重なるように構成する。これにより設置面積を小さくできるため、撮影装置を小型化することができるという効果が得られる。また２つのアンテナのアンテナカバー２２を、図２の（ｃ）に示すように一つにまとめることができるため電波非遮蔽材料部を最小にできる。プラスチック等の電波非遮蔽材料は金属に比べると強度が低いため、この材料を最小にすることによりボディの強度の低下を軽減できるという効果がある。レンズ６と電源スイッチ３もある。２〜１６は後で説明する。
【００３１】
図３は撮影装置１のブロック図を示す。
【００３２】
撮像部３０から得られた画像データは、映像処理部３１を介して記録再生部３２に送られ、第３メモリ３３に記録される。このデータは脱着可能なＩＣカード３４に記録される。
【００３３】
これらの処理は、ＣＰＵ等の第１処理部３５により指示される。撮影された写真や動画等の画像データは暗号部３６と通信部３７の送信部３８と第１アンテナ２０により無線ＬＡＮやＷｉＭＡＺ等の無線でアクセスポイント等に送られ、インターネット４０を介してサーバ４２に送られる。つまり、写真等の画像データがアップロードされる。
【００３４】
通信状態が悪い場合や近くにアクセスポイントや基地局がない等の理由で、一部の画像データがアップロードできない場合がある。この場合、サーバ４２にアップロードされた画像と、まだアップロードされていない画像が混在する。この場合、サーバ４２の画像のデータと撮影した画像のデータに差異が生ずる。詳しくは後でするが、本発明の場合、ＴＶ４５等に付いているＲＦ−ＩＤリーダライタ４６で、撮影装置１のＲＦ−ＩＤ４７の第２メモリ５２のサーバ特定情報４８等を読みとり、このデータを用いてサーバ４２のＵＲＬ等を生成し、このＵＲＬを用いてＴＶ４５からサーバ４２にアクセスし、撮影装置１がアップロードしたファイルやフォルダ等のデータ５０にアクセスし、撮影装置１で撮影した画像のうちアップロードした画像をダウンロードしＴＶ４５に表示させる方式をとっている。
【００３５】
もし、実際撮影した画像の一部もしくは全部がサーバ４２のデータ５０の画像データの中にアップロードされていないと、ＴＶ４５にダウンロードした場合、実際に撮影した画像の一部がＴＶ４５で視聴できないという課題が発生することが考えられる。
【００３６】
この課題を解決するため、本発明では、第１処理部３５の撮影画像の状況データを記録再生部５１により第２メモリ５２の撮影画像状況情報５５にアップロード状況等を記録する。
【００３７】
図４を用いて詳細に説明する。第２メモリ５２には、サーバ４２の画像データとカメラが撮影した画像データが一致しているか、言いかえると、同期しているかを示す同期情報５６が記録される。本発明では、ＴＶ４５が第２アンテナ２１を介して、第２メモリ５２の中の撮影画像状況情報５５を読みとる。このためサーバのデータ５０に不足した画像がないかどうかを即座に確認できる。もし、未アップロードの画像があるときはその結果をＴＶ４５の表示部に表示し、視聴者に「画像のアップロードをして下さい」の表示を出すか、ＲＦ−ＩＤのアンテナ２１経由でカメラに命令を出し、起動部１７０に起動信号を送り強制的に撮影装置１の第１電源部１０１を起動させ、撮影装置１の第１メモリ１７４等の中の未アップロード画像を無線ＬＡＮ、もしくは有線ＬＡＮ、もしくはＲＦ−ＩＤ用の第２アンテナ２１等を介してサーバ４２にアップロードさせる。
【００３８】
ＲＦ−ＩＤのアンテナ２１経由の場合は伝送量が小さいため、元の画像データをそのまま、送ろうとするとアップロードと画像の表示に時間がかかり使用者に不快感を与える。これを避けるために、本発明では、アンテナ２１経由の場合、未アップロード画像のサムネイル画像を送る。これにより、見かけ上のアップロード時間や表示時間を短縮でき、使用者に不快感を与えることを軽減できる。現在のＨＦ帯のＲＦ−ＩＤでは数百ｋｂｐｓの伝送量の場合が多いが、４倍速も検討されている。この場合、数Ｍｂｐｓを実現できる可能性がある。未アップロード画像のサムネイル画像データを送れば、１秒間に数十枚の画像を送ることができる。一覧表示の場合は一般ユーザが容認できる時間内に未アップロード画像を含めた全画像をＴＶに表示させることができるという効果がある。この方法は一つの現実的な方法といえる。
【００３９】
このように撮影装置を強制的に起動させ未アップロード画像を送る場合、無線ＬＡＮ、ＲＦ−ＩＤのアンテナ２１、有線ＬＡＮの内、最も速度が速く、安定している経路を用いてアップロードやＴＶへの表示を行う。第２アンテナ２１に信号を送る通信部１７１は第２アンテナ２１を介して外部から電源供給を受ける状況においては低速の変調方式を用いて通信を行うが、第１電源部１０１等から電源供給を受けられる状況においては必要に応じて、変調方式をＱＰＳＫ、１６ＱＡＮ、６４ＱＡＮ等の信号点数の多い変調方式に切り替え伝送を高速化させ未アップロードの画像データを短時間でアップロードする。なお、電源検知部１７２により第１電源等の余力が少ない事や外部電源が非接続であること等を検出すると第１電源部１０１からの電力供給を止め、変調方式切り替え部１７５により通信部１７１の変調方式を信号点数の少ない変調方式や、伝送レートの少ない変調方式に切り替える。このことにより第１電源部１０１の規定値以下の容量低下を未然に防ぐことができる。
【００４０】
また、別の電力対策として、電力に余裕が無い場合は第２処理部９５や通信部１７１等は第２アンテナ２１を介してＴＶ４５のＲＦ−ＩＤリーダライタ４６に電力増加要求信号を送り支援を要求する。これに応えてＲＦ−ＩＤリーダライタは送信電力をＲＦ−ＩＤ読み取り時の電力の規定値より多い値に増加させる。ＲＦ−ＩＤ側はアンテナ２１を介して受ける供給電力量が増加するので、通信部１７１もしくは第１処理部３５へ電力を供給することができる。この方法により、第１電源部１０１の電池１００の電力量がへることがなくなる。もしくは電池１００がなくても送信作業を実質的に無限に継続できるという効果がある。
【００４１】
また別の方法として、図３のアップロード画像データ情報６０を用いてもよい。アップロードした画像の情報６１、例えば、写真番号等を記録する。この情報をハッシュした情報６２を用いてもよい。この場合、情報量が減るという効果がある。
【００４２】
このデータを用いると、ＴＶ４５がこのデータを読みとり、カメラの撮影した画像の情報と比較することにより、未アップロードの画像の情報を得ることができる。
【００４３】
別の方法として、未アップロード画像データの存在識別情報６３を用いることができる。未アップロード画像データが存在するかどうかの存在識別子６４により未アップロード画像の有無を知らせることができるので、第２メモリ５２の情報を大幅に削減することができる。
【００４４】
未アップロード画像の枚数６５でもよい。この場合、ＴＶ４５に読みとらせることができるため、アップロードが必要な枚数を視聴者に知らせることができる。この場合、枚数に加えて、データ容量を撮影画像状況情報５５として記録しておくと、未アップロード画像をアップロードするための予測時間をより正確にＴＶ４５に表示させることができる。
【００４５】
また、未アップロード画像情報をハッシュした情報６７を用いてもよい。
【００４６】
また、第２メモリ５２に最後に撮影した時間６８を記録することにより後にＴＶ４５から読み出しサーバ４２に接続したときにサーバ４２の最終アップロードした画像の撮影日と比べることにより簡易的に未アップロード画像の有無を判定することができる。また、古い順から画像番号を付与していく方式において撮影した画像の最終番号６９のみを記録していくことにより、サーバにアップロードされた画像の最後の画像番号と照合することにより未アップロード画像があるかどうかの情報を得ることができる。また、撮影した画像の情報７０、例えば、撮影した画像の画像番号の全てを第２メモリ５２に記録しておく。すると、後でサーバ４２にアクセスした時にサーバ４２にアップロードされた画像データと比較することにより未アップロードデータがあるかどうかを判断できる。この場合、撮影した画像情報をハッシュした情報７１を用いることによりデータを圧縮できる。
【００４７】
第２メモリ５２のほかの情報として、ＲＦ−ＩＤのＵＩＤ７５、カメラＩＤ部７６、メディア識別情報１１１が記録されている。これらはカメラの主電源（時計のバックアップ等のサブ電源を除く）が入っていなくても、ＴＶ４５から第２アンテナ２１を介して読みとられ、カメラやユーザの識別や機器の認証に使われる。海外旅行等から帰ってきた時はバッテリの充電量が少ない場合が多いが本発明の場合、バッテリがなくても動作し情報を送るため利便性に優れている。メディア識別情報１１１はＲＦ−ＩＤを内蔵した機器、もしくは、メディアが、カメラ、ビデオ、ハガキ、カード、携帯電話であるかを示す識別子等が入っている。ＴＶ４５側では、この識別子により機器、メディアを特定できるため、画面上にカメラやハガキのマークやアイコンを、後述する図２２に示すように表示させたり、識別情報に応じて処理を変更することができる。
【００４８】
また、画像表示方法指示情報７７が記録されているが、例えば、図５の一覧表示７８がＯＮの場合は、ＴＶ４５のＲＦ−ＩＤリーダライタ４６に第２アンテナ２１を近づけた時に写真等のサムネイルの画像データを一覧表示させる。
【００４９】
スライドショー７９がＯＮの時はＴＶ４５に画像データを新しい順、もしくは古い順から１枚ずつ、次々と表示させる。
【００５０】
第２メモリ５２の図の下部には、サーバ特定情報４８の記録領域が設けられている。
【００５１】
これにより、カメラ操作者の好みに合った表示方法でＴＶ画面に表示される。
【００５２】
この中にはサーバＵＲＬを生成するための元情報となるサーバＵＲＬ生成情報８０があり、サーバアドレス情報８１やユーザ識別情報８２を記録するための領域が設けられており、具体的にはログインＩＤ８３等が記録される。また、パスワード８４を記録するための領域があり、場合により暗号化されたパスワード８５が記録される。これらのデータは撮影装置１の内部やＲＦ−ＩＤ４７の内部、もしくは、カメラの内部、もしくは、ＴＶ４５側に設けられたＵＲＬ生成部９０によりサーバ４２の中の、この撮影装置、もしくは、ユーザに対応する画像データ群にアクセスするためのＵＲＬが生成される。このＵＲＬ生成部９０がＲＦ−ＩＤ４７の中にある時は第２電源部９１により電源供給される。
【００５３】
また、ＵＲＬ９２を作成して直接、第２メモリ５２に記録してもよい。
【００５４】
この第２メモリ５２のデータはＲＦ−ＩＤ側の第２処理部９５とカメラ側の第１処理部３５のどちらからでもデータを読める点が特長となる。
【００５５】
従って、ＴＶ４５がカメラのＲＦ−ＩＤ４７を読みにいった場合は、アップロード状況情報やサーバアドレスやログインＩＤ、パスワードが瞬時に得られるためのサーバ４２の中のこのカメラに対応する画像データをダウンロードしてＴＶ４５に高速に表示できるという効果がある。
【００５６】
この場合、撮影装置１の主電源が入っていなくても、ＲＦ−ＩＤリーダライタから電源が第２電源部９１に供給されるため動作するという効果がある。従って、撮影装置１の電池１００の電力が減らない。
【００５７】
図３に戻ると、電池１００から第１電源部１０１は電力の供給を受け、カメラの各部に電源を供給する。しかし、休止状態においては第３電源部１０２により、時計１０３等に微弱な電源を供給する。場合によっては第２メモリ５２の一部のメモリにバックアップ電力を供給する。
【００５８】
ＲＦ−ＩＤ４７は第２アンテナからの電力を受け、第２電源部９１を動作させ、第２処理部９５かデータ受信部１０５、記録部１０６、再生部１０７、データ転送部１０８（通信部１７１）や第２メモリ５２を動作させる。
【００５９】
このためカメラの休止状態においては全く電力を消費しないため、カメラの電池１００を永く持たせることができる。
【００６０】
カメラ、カード側の処理とＴＶ、ＲＦ−ＩＤリーダライタ側の処理を図７のフローチャートを用いて述べる。
【００６１】
図７のステップ１５０ａで主電源がＯＦＦの時、ステップ１５０ｂで主電源ＯＦＦ時のＲＦ−ＩＤリーダライタの起動設定がされているかをチェックし、Ｙｅｓならステップ１５０ｃでＲＦ−ＩＤリーダライタ４６をＯＮにして、ステップ１５０ｅでＲＦ−ＩＤリーダライタの省電力モードに入る。
【００６２】
ステップ１５０ｆではアンテナ部のインピーダンス等を測定もしくは近接センサの測定をして、ステップ１５０ｇでＲＦ−ＩＤをＲＦ−ＩＤリーダライタのアンテナに近づけると、ステップ１５０ｇで近接もしくは接触したかを検知した場合は、ステップ１５０ｈでアンテナに電力の出力を開始し、ステップ１５０ｋで第２電源がＯＮし、第２処理部が動作開始し、ステップ１５０ｍで交信を開始する。
【００６３】
ステップ１５０で受信すると、図８のステップ１５１ａで相互認証を開始し、ステップ１５１ｆで相互認証を開始し、ステップ１５１ｂ、１５１ｇで相互認証がＯＫなら、ステップ１５１ｄで第２メモリのデータを読み出し、ステップ１５１ｅで第２メモリのデータを送信し、ステップ１５１ｉでＲＦ−ＩＤリーダライタは第２メモリのデータを受信し、ステップ１５１ｊで第２メモリの識別情報等が正しいかをチェックし、ＯＫならステップ１５１ｍでＴＶ４５側に自動電源ＯＮの識別情報ありかを見て、Ｙｅｓならステップ１５１ｒでＴＶの主電源がＯＦＦかをチェックして、ＯＦＦならば図９のステップ１５２ａでＴＶの主電源をＯＮして、ステップ１５２ｂで第２メモリ５２に強制表示命令がある場合は、ステップ１５２ｄでＴＶの入力信号をＲＦ−ＩＤの画面表示信号に切りかえるとともに、ステップ１５２ｅでフォーマット識別情報を読み、ステップ１５２ｆでフォーマット識別情報に応じて第２メモリを読み出し、データフォーマットを変えて該当するデータを読み、ステップ１５２ｇで第２メモリ部に「パスワード要求フラグ」がある場合はステップ１５２ｈで第２メモリの「パスワード入力不要のＴＶのＩＤ」を読み、ステップ１５２ｉで自機のＴＶのＩＤと「パスワード入力不要のＴＶのＩＤ」が一致しない時は、ステップ１５２ｑで第２メモリからパスワードを読み、ステップ１５２ｖでパスワードの暗号を復号し、ステップ１５２ｓでパスワードを送信する。なお、ステップ１５２ｑ、１５２ｒ、１５２ｓはサーバ４２が保持するデータ５０としてサーバ４２が備える記憶装置にパスワードを記録しても良い。
【００６４】
ステップ１５２ｊでパスワードを入手、ステップ１５２ｋでパスワード入力画面を表示し、ステップ１５２ｍで入力されたパスワードが正しいかをチェックする。この作業はサーバ４２で行ってもよい。ＯＫならＲＦ−ＩＤの第２メモリの情報やプログラムに基づく表示を行う。
【００６５】
図１０のステップ１５３ａで、第２メモリのＲＦ−ＩＤのメディア識別情報１１１がカメラならステップ１５３ｂでカメラのアイコン（文字）をＴＶの表示部に表示し、カメラでなかったらステップ１５３ｃで、郵便ハガキならステップ１５３ｄで郵便ハガキのアイコンを表示部に表示し、ステップ１５３ｅでＩＣカードであることがわかれば、ステップ１５３ｆでＩＣカードのアイコンを表示部に表示し、ステップ１５３ｇで携帯電話であることがわかれば、携帯電話のアイコンをＴＶ画面の角に表示させる。
【００６６】
図１１のステップ１５４ａ、１５４ｉでサーバもしくは第２メモリからサービス内容識別情報を読みとり、ステップ１５４ｃで画像表示サービスか、ステップ１５４ｂでダイレクトメール等のハガキサービスか、ステップ１５４ｄで広告サービスか、をチェックし、ステップ１５４ｆと１５４ｊで第２メモリからサーバ特定情報４８を得て、もし第２メモリにＵＲＬ９２がない場合はステップ１５４ｈと１５４ｋに進み、サーバアドレス情報８１とユーザ識別情報８２を得て、図１２のステップ１５５ａ、１５５ｐでは第２メモリから暗号化されたパスワードを得て、ステップ１５５ｂで復号されたパスワードを得て、ステップ１５５ｃで上記情報からＵＲＬを生成して、第２メモリにＵＲＬ９２がある場合も含めてステップ１５５ｄで通信部とインターネットを介してＵＲＬのサーバにアクセス、ステップ１５５ｋでサーバ４２と接続開始して、ステップ１５５ｑで動作プログラム存在識別子１１９を読み、ステップ１５５ｅで動作プログラム存在識別子が有りか、ステップ１５５ｆで複数の動作プログラムもある場合は、ステップ１５５ｒで動作プログラム選択情報１１８を読み、ステップ１５５ｇで動作プログラム選択情報が設定されている場合は、ステップ１５５ｈで特定の動作プログラムのディレクトリ情報を選択し、ステップ１５５ｓで第２メモリの動作プログラムのサーバ上のディレクトリ情報１１７を読み、ステップ１５５ｉでサーバ上の特定ディレクトリの動作プログラムにアクセスし、ステップ１５５ｍで動作プログラムを送出もしくはサーバ上で稼動させ、ステップ１５５ｊで動作プログラムの稼動を開始（ＴＶ側もしくはサーバ側）させ、図１３のステップ１５６ａで画像利用サービスかをチェックし、Ｙｅｓならステップ１５６ｂで未アップロード画像データの確認作業を開始する。
【００６７】
ステップ１５６ｉで未アップロードデータ存在識別子６４を読み、ステップ１５６ｃで未アップロードデータ存在識別子６４がＯＮの場合は、ステップ１５６ｄで未アップロード画像の枚数６６とデータ容量６５を読み、ステップ１５６ｅで未アップロード画像の枚数６６を表示し、未アップロードデータ容量６５からデータのアップロード予測時間をＴＶの表示部に表示し、ステップ１５６ｆで、もしカメラ側が自動画像アップロード可能状態にある場合は、ステップ１５６ｇでカメラを起動し、第１アンテナ２０もしくは第２アンテナ２１等を介して、無線もしくは、接点による有線で、サーバに未アップロードデータをアップロードし、完了すると図１４のステップ１５７ａへ進み、ステップ１５７ａで課金プログラムがあるかをチェックし、Ｎｏの場合はステップ１５７ｎで図６の画像表示方法指示情報の識別子１２１を読み、ステップ１５７ｂで画像表示方法識別情報がサーバにあるかをチェックし、Ｙｅｓならステップ１５７ｐで画像表示方法指示情報が記録されているサーバ上のディレクトリ情報１２０を読み出し、ステップ１５７ｃでＵＩＤ等に対応した画像表示方法指示情報が記録されているサーバ上のディレクトリ情報１２０を読み、ステップ１５７ｄでサーバ上の画像表示方法指示情報をサーバから得て、ステップ１５７ｆへ進む。
【００６８】
ステップ１５７ｂがＮｏの場合はステップ１５７ｅに進み、画像表示方法指示情報をカメラより得て、ステップ１５７ｆに進む。
【００６９】
ステップ１５７ｆでは画像表示方法指示情報に基づいて表示を開始、ステップ１５７ｇで全画像表示識別子１２３を読み、ステップ１５７ｇで全画像表示ならステップ１５７ｒで全画像を表示し、Ｎｏならステップ１５７ｓの特定ディレクトリ１２４の一部画像をステップ１５７ｈで表示し、ステップ１５７ｉで一覧表示識別子１２５ならステップ１５７ｔの表示順序識別子１２２を読み、ステップ１５７ｊで表示順序識別子に基づき、日付順、アップロード順に表示し、ステップ１５７ｖでスライドショー識別子１２６を読み、ステップ１５７ｋでＯＫならステップ１５７ｍで表示順序識別子１２２に基づき表示を行い、第２メモリから画質優先１２７を読み出し、図１５のステップ１５８ａで表示方法が画質優先でない場合はステップ１５８ｑで速度優先１２８かどうかをチェックし、ステップ１５８ｂで速度優先ならステップ１５８ｃで表示音声サーバにあるかを調べ、ステップ１５８ｓで音声のサーバのディレクトリ１３０を調べ、ステップ１５８ａで表示音声のサーバ上のディレクトリにアクセスし音声を出力させる。
【００７０】
ステップ１５８ｅで優先表示画像が全画像でないならステップ１５８ｆで一部画像を選び、ステップ１５８ｖまたはステップ１５８ｗで特定ディレクトリ１２４の情報を入手（ステップ１５８ｇ）し、ステップ１５８ｈで特定ディレクトリの画像を表示する。ステップ１５８ｉのように全画像表示してもよい。ステップ１５８ｊで表示が完了すると、ステップ１５８ｋで「別の画像をみるか」の表示をして、Ｙｅｓの場合はステップ１５８ｍで別のディレクトリの画像のメニューを表示する。
【００７１】
図１６のステップ１５９ａで特定使用者の画像を要求されると、ステップ１５９ｍで特定使用者全画像１３２のデータと特定使用者のパスワード１３３を得て、ステップ１５９ｂで特定使用者のパスワードを要求して、ステップ１５９ｃで正しければ、ステップ１５９ｐで画像リストが入ったファイルのディレクトリ情報１３４を読み、ステップ１５９ｄで特定使用者の画像リストが入ったディレクトリをアクセスし、ステップ１５９ｒでサーバの特定ディレクトリから画像データをダウンロードし、ステップ１５９ｅで特定使用者の画像を表示する。
【００７２】
ステップ１５９ｆで色補正ルーチンを開始し、ステップ１５９ｇでカメラＩＤとカメラＩＤ部７６からカメラ機種情報を読み出し、ステップ１５９ｈと１５９ｔでカメラ機種の特性データをサーバからダウンロードする。次に、ステップ１５９ｉ、１５９ｕでＴＶの特性データをダウンロードする。ステップ１５９ｗでデータを演算し補正データを得る。ステップ１５９ｊでカメラとＴＶの特性データに基づき表示部の色や明るさを補正して、ステップ１５９ｋで正しい色と明るさで表示する。
【００７３】
図１７のステップ１６０ａで強制印刷命令がＯＮであって、ステップ１６０ｂでカメラが近接した端末がプリンタ、もしくはプリンタに接続されている端末である場合は、ステップ１６０ｃで各画像データ毎のカメラ機種情報とプリンタの機種名を入手し、ステップ１６０ｄでサーバの各情報より補正データを算出し補正し、ステップ１６０ｐで印刷対象の画像データの入ったディレクトリ情報１３７を得て、ステップ１６０ｅで印刷対象の画像データ（ファイル名）が記録されたディレクトリのアドレスを用いてサーバにアクセスし、ステップ１６０ｍで特定のディレクトリの画像データを送出し、ステップ１６０ｆで印刷画像データを得て、ステップ１６０ｇで印刷し、ステップ１６０ｈで印刷を完了する。ステップ１６０ｉで１回印刷を完了したことを示す識別子を各画像データに記録し、ステップ１６０ｎでサーバ上で印刷した画像データに印刷完了識別子を付与する。
【００７４】
次に、メディア（カメラ、ハガキ等）側のメモリに記録機能がない場合の実施の形態を述べる。
【００７５】
図８の丸３、丸４、丸５からつながっている。まず、ＴＶ側では図１８のステップ１６１ａでＴＶの主電源をＯＮにし、ステップ１６１ｋで第２メモリからＵＩＤを読み、ステップ１６１ｂでＵＩＤを入手し、ステップ１６１ｍでサーバ特定情報４８を得て、ステップ１６１ｃでサーバのディレクトリにアクセスし、ステップ１６１ｄでこのＵＩＤに対応したサービスの最終サーバを検索する。ステップ１６１ｅで最終サーバがある場合はステップ１６１ｇで最終サーバにアクセスし、ＵＩＤリストから使用者のＩＤとパスワードとサービス名を読み出し、もしステップ１６１ｈでパスワードを要求する場合はステップ１６１ｉで正しいかどうか判定し、図１９のステップ１６２ａで写真やビデオのサービスかをチェックし、Ｙｅｓならステップ１６２ｂで前記ＵＩＤに関連づけられているサーバの特定ディレクトリの中から対応する課金等のプログラムや表示する画像データのアドレスやファイル名を含むリストと画像表示指示情報や強制表示命令や強制印刷命令やカメラＩＤを読み出し、これらのデータや手順に応じて表示や印刷作業を自動的に行う。
【００７６】
必要に応じてパスワード入力を要求し、ステップ１６２ｃで特定の画像を印刷したい場合はステップ１６２ｄで印刷したい特定の画像データを前記ＵＩＤに対応するサーバ上、もしくはＴＶの印刷ディレクトリに加え、ステップ１６２ｅでＴＶにプリンタが接続されているか、単独のプリンタがあるかをチェックし、Ｙｅｓの場合はステップ１６２ｆでプリンタのＲＦ−ＩＤリーダライタにこのハガキ等のメディアのＲＦ−ＩＤ部を接近させると図２０のステップ１６３ａでプリンタは、前記メディアのＵＩＤを読み込み、図の修正サーバ上の前記印刷ディレクトリから印刷すべき画像データもしくは画像データの場所を読み出し、その画像データを印刷させ、ステップ１６３ｂで印刷が完了し、終了する。
【００７７】
図１９の２３に続くステップ１６３ｉの次のステップ１６３ｂでショッピングサービスの場合はステップ１６３ｅで認証が正しいかチェックし、正しい場合はステップ１６３ｆで前記ＵＩＤに関連づけられているショッピング・課金プログラムをサーバから読み出し、プログラムを実行し、ステップ１６３ｇでプログラムが完了すると終了する。
【００７８】
次にハガキに内覧されたＲＦ−ＩＤのデータをＲＦ−ＩＤリーダなしで読みとる方法を述べる。
【００７９】
図２１のステップ１６４ａではハガキ等のメディアに付着もしくは内蔵されているとともに中継サーバのＵＲＬ情報が記録されている第２のＲＦ−ＩＤの外の面にはＵＩＤと中継サーバの第１ＵＲＬを特定するデータが２次元バーコードで印刷され表示されている。
【００８０】
ステップ１６４ｂでは主サーバとの通信機能をもつとともに第１のＲＦ−ＩＤ部を待ち、この中に主サーバの第１ＵＲＬ情報が記録されているカメラがあり、このカメラの撮影部により、前記２次元バーコードを光学的に読みとり、第２のＲＦ−ＩＤのＵＩＤと中継サーバの第２ＵＲＬを特定するデータに変換する。
【００８１】
ステップ１６４ｃで上記変換したデータをカメラのメモリに記録する。
【００８２】
ステップ１６４ｄではカメラで撮影した画像から特定の画像群を選び、主サーバ上の特定の第１ディレクトリに記録する。同時に第２ＵＲＬの中継サーバ上の特定の第２ディレクトリに主サーバの第１ＵＲＬ情報とともに第１ディレクトリ情報をアップロードする。特定の第２ＲＦ−ＩＤのＵＩＤを前記第２ディレクトリに関連づけるための情報を前記第２ＵＲＬの中継サーバにアップロードし、ステップ１６４ｅでハガキ等のメディアを特定者に郵送する。
【００８３】
ステップ１６４ｆでハガキを受けとった者がハガキのＲＦ−ＩＤ部をＴＶ等のＲＦ−ＩＤリーダ部に近づけ、中継サーバの第２ＵＲＬとハガキのＵＩＤを得る。
【００８４】
ステップ１６４ｇでは第２ＵＲＬの中継サーバにアクセスし、前記ＵＩＤに関連づけられた第２ディレクトリの中のプログラムもしくは、かつ特定の画像データが記録されている主サーバの第１ＵＲＬと第１ディレクトリ情報を取り出し、主サーバから画像データをダウンロードし、ＴＶ画面上に表示する。この場合、一般的に商品やハガキに印刷されている、サーバ情報を記録した二次元バーコードを本発明の撮影装置の撮像部により読み取り、二次元バーコードの情報をデジタルデータとして、ＲＦ−ＩＤ部の第２メモリに記録し、ＴＶのＲＦ−ＩＤリーダにこのデータを読み取らせることにより、二次元バーコード用の光学センサのないＴＶでも間接的に二次元バーコードのデータを読み取り、サーバ等に自動的にアクセスすることができる。
【００８５】
図２２（ａ）はＴＶ４５のＲＦ−ＩＤのアンテナ１３８に撮影装置１を近づけた時の表示状態を示す。
【００８６】
撮影装置１をアンテナ１３８に近づけると、前述のようにカメラであることを認識するためのカメラのアイコン１４０を表示する。
【００８７】
次に、未アップロードの画像が何枚（例：５枚）あるかわかるので５枚の空白画像１４２ａ、１４２ｂ、１４２ｃ、１４２ｄ、１４２ｅをカメラのアイコン１４０から出てきたが如く表示させる。
【００８８】
このことにより、「モノから情報」への「タンジブル」な画像が表示されるため、ユーザが、より自然な感覚で画像をみることができる。
【００８９】
データがサーバにある実画像は１４３ａ、１４３ｂ、１４３ｃのように、同様にタンジブルに表示される。
【００９０】
図２２（ｂ）はハガキ１３９にＲＦ−ＩＤが埋めこまれている場合を示す。ＴＶ４５のＲＦ−ＩＤリーダライタ４６により、ハガキの属性情報が読みこまれるため、図に示すようにＴＶ４５の左下の角にハガキのアイコン１４１が表示され、図２２（ａ）と同様にサーバの画像やメニュー画面がタンジブルに表示される。
【００９１】
以下に、図４の中で示された動作プログラム１１６を、撮影装置１のＲＦ−ＩＤ４７の通信対象となる機器である図３のＴＶ４５に送信し、このＲＦ−ＩＤ部の通信対象となる機器が、送信されたプログラムを実行する処理の詳細について説明する。
【００９２】
図２３は、撮影装置１のＲＦ−ＩＤ４７の通信対象となる機器が、送信されたプログラムを実行する処理の行うブロック図である。本図には、撮影装置１の一部（ＲＦ−ＩＤ４７、第２アンテナ２１）、ＴＶ（テレビジョン）４５、および、ＴＶ４５のリモコン８２７から構成される通信システムが図示されている。ここで、撮影装置１は、赤外線通信路でＴＶ４５と接続されたＲＦ−ＩＤリーダライタ４６との間で近接無線通信を行うＲＦ−ＩＤ４７を有するカメラであって、近接無線通信用のアンテナ２１と、ＲＦ−ＩＤリーダライタ４６から供給される入力信号を、アンテナ２１を介して受信するデータ受信部１０５と、少なくとも通信装置を特定するための識別情報であるＵＩＤ部７５と、当該ＵＩＤ部７５を参照してＴＶ４５によって実行される動作プログラム１１６とを記憶する不揮発性の第２メモリ５２と、データ受信部１０５で受信された入力信号に応じて、第２メモリ５２に記憶されたＵＩＤ部７５および動作プログラム１１６を、アンテナ２１を介してＲＦ−ＩＤリーダライタ４６に送信するデータ転送部１０８とを備え、データ転送部１０８から送信されたＵＩＤ部７５および動作プログラム１１６は、データ転送部１０８から、アンテナ２１、ＲＦ−ＩＤリーダライタ４６および赤外線通信路を介して、ＴＶ４５に転送される点に特徴を有する。以下、各構成要素を詳細に説明する。
【００９３】
撮影装置１のＲＦ−ＩＤ４７は、第２メモリ５２を有し、第２メモリ５２は、ＲＦ−ＩＤ部の通信対象となるＴＶ４５で動作する動作プログラム１１６を格納している。つまり、この動作プログラム１１６は、撮影装置１の識別情報を参照してＴＶ４５で実行されるプログラムの一例であり、例えば、後述するように、Ｊａｖａ（登録商標）等の実行形式プログラム、あるいは、Ｊａｖａ（登録商標）スクリプト等のスクリプト形式の仮想マシン用プログラムである。
【００９４】
ＲＦ−ＩＤ４７の再生部は、第２メモリ５２から撮影装置１に固有のＵＩＤやＵＲＬを含むサーバ特定情報などの動作プログラムを実行するために必要な情報であるデータを、動作プログラム１１６とともに読み出し、データ転送部１０８および第２アンテナ２１を介してＴＶ４５の遠隔操作を行うリモコン８２７のＲＦ−ＩＤリーダライタ４６に送信される。
【００９５】
リモコン８２７のＲＦ−ＩＤリーダライタ４６は、撮影装置１のＲＦ−ＩＤ４７から送信されたデータと動作プログラムを受信し、ＲＦ−ＩＤ記憶部６００１に記憶する。
【００９６】
また、リモコン８２７のリモコン信号生成部６００２は、撮影装置１のＲＦ−ＩＤ４７から送信されてＲＦ−ＩＤ記憶部６００１に記録されたデータと動作プログラムを、現在リモコン用の通信に広く利用されている赤外線方式等のリモコン信号に変換する。
【００９７】
リモコン信号送信部６００３は、リモコン信号生成部６００２で生成された動作プログラムを含むリモコン信号をＴＶ４５に対して送信する。
【００９８】
ＴＶ４５のリモコン信号受信部６００４は、リモコン８２７から送信されたリモコン信号を受信し、プログラム実行部６００５は、例えば、Ｊａｖａ（登録商標）等の仮想マシンであり、復号部５５０４を介してリモコン信号から、撮影装置１のＲＦ−ＩＤ４７から送信されたデータと動作プログラムを取得し、動作プログラムを実行する。
【００９９】
図２４では、動作プログラムとして「撮影装置１の識別情報（ここでは、ＵＩＤ）を参照して、画像サーバから画像データをダウンロードし、スライドショー形式で画像を表示する」という動作を実行する処理の流れを示す。
【０１００】
リモコンを撮影装置１に近づけると、まず、撮影装置１のＲＦ−ＩＤ４７にリモコンのＲＦ−ＩＤリーダライタ４６からＲＦ−ＩＤの通信を介して電源が供給され、第２メモリ５２から、機器固有のＵＩＤ７５、画像サーバのＵＲＬ４８、動作プログラム１１６が読み出される（Ｓ６００１）。読み出したＵＩＤ、画像サーバＵＲＬ、動作プログラムは、データ転送部１０８および第２アンテナ２１によって、リモコン８２７に向けて送信される（Ｓ６００２）。ここで、動作プログラムは、図２５で示すように、サーバ接続命令６００６、ダウンロード命令６００８、スライドショー表示命令６０１０、ダウンロード完了時の処理設定命令６００７、ダウンロード完了時命令６００９で構成される。
【０１０１】
リモコン８２７では、ＲＦ−ＩＤリーダライタ４６で撮影装置１から送信されたＵＩＤ、画像サーバＵＲＬ、動作プログラムを受信し（Ｓ６００３およびＳ６００４）、受信が完了すると、ＵＩＤ、画像サーバＵＲＬ、動作プログラムをＲＦ−ＩＤ記憶部６００１に記憶する（Ｓ６００５）とともに、ＵＩＤ、画像サーバＵＲＬ、動作プログラムをリモコン信号として赤外線方式で送信できる形式に変換しておく（Ｓ６００６）。そして、ユーザがリモコン８２７上で所定の操作入力を行い、リモコン信号を送信する指示を受け付けた場合（Ｓ６００７）、ＵＩＤ、画像サーバＵＲＬ、動作プログラムを含むリモコン信号をリモコン信号送信部から送信する（Ｓ６００８）。つまり、リモコン８２７は、通常のリモコンとしての機能のほかに、内蔵するＲＦ−ＩＤリーダライタ４６によって、撮影装置１からＴＶ４５に向けて、ＵＩＤ、画像サーバＵＲＬおよび動作プログラムを転送する中継器として機能する。
【０１０２】
次に、ＴＶ４５では、リモコン８２７から送信されたリモコン信号を受信し（Ｓ６００９）、復号部でリモコン信号に含まれるＵＩＤ、画像サーバＵＲＬ、動作プログラムを取得する（Ｓ６０１０）。そして、プログラム実行部６００５が、ＵＩＤ、画像サーバＵＲＬを使用して動作プログラムを実行する（Ｓ６０１１〜６０１５）。動作プログラムは、まず画像サーバＵＲＬを用いて通信ネットワーク上の画像サーバ４２と接続を確立する（Ｓ６０１２および図２５の６００６）。そして撮像機器に固有の情報であるＵＩＤを用いて特定の撮像機器で撮影された画像データを、画像サーバ４２の記憶装置に保持された画像データ５０の中から選択し、テレビにダウンロードする（Ｓ６０１３、Ｓ６０１４および図２５の６００８）。つまり、ＵＩＤは、画像サーバ４２が保持する画像データのうち、ＵＩＤが示す撮影装置１に対応づけられた画像データを選択するために用いられる。画像のダウンロードが完了すると、画像をスライドショー形式で順次表示していく（Ｓ６０１５および図２５の６００７、６００９、６０１０）。図２５の６００７は画像ダウンロード完了時の処理を設定する命令であり、図２５では、画像ダウンロード完了時の処理として命令６００９を設定している。さらに、処理６００９の中で画像のスライドショー表示を実行する処理６０１０をコールしている。
【０１０３】
なお、図２３および図２４では、リモコン８２７を介して動作プログラムや動作プログラムが使用するデータを撮影装置１からＴＶ４５に転送したが、リモコン８２７のＲＦ−ＩＤリーダライタ４６についてはテレビが備える構成であってもよい。つまり、ＲＦ−ＩＤリーダライタ４６がＴＶに内蔵されていてもよい。言い換えると、リーダ装置と機器とを接続する通信路は、赤外線等の無線通信路であってもよいし、有線の信号ケーブルであってもよい。
【０１０４】
なお、上述の動作例では、ＵＩＤは、画像サーバ４２が保持する画像データから撮影装置１に対応する画像データを選択するために用いられたが、画像データが置かれている画像サーバを特定するのに用いられてもよい。たとえば、複数の画像サーバが存在する通信システムにおいて、ＵＩＤと、そのＵＩＤが示す撮影装置の画像データが保存されている画像サーバとが対応づけられている場合には、そのＵＩＤを参照して画像サーバのＵＲＬを決定するように動作プログラムを作成しておくことで、動作プログラムを実行したＴＶ４５は、ＵＩＤを参照することで、複数の画像サーバから当該ＵＩＤに対応づけられた画像サーバを特定し、その画像サーバから画像データをダウンロードすることができる。
【０１０５】
また、撮影装置１を特定する識別情報としては、ＵＩＤに限られず、撮影装置１のシリアル番号、製造番号、ＭＡＣ（Ｍｅｄｉａ  Ａｃｃｅｓｓ  Ｃｏｎｔｒｏｌ）アドレス、ＭＡＣアドレスに相当する情報（ＩＰアドレス等）、あるいは、撮影装置１が無線ＬＡＮのアクセスポイントとしての機能を備える場合には、ＳＳＩＤ（Ｓｅｒｖｉｃｅ  Ｓｅｔ  Ｉｄｅｎｔｉｆｉｅｒ）、ＳＳＩＤに相当する情報であってもよい。さらに、上述の第２メモリ５２では、撮影装置１を特定する識別情報（ＵＩＤ７５）は、動作プログラム１１６とは別個に格納されていたが、動作プログラム１１６の中に格納（記述）されていてもよい。
【０１０６】
なお、リモコン信号（つまり、リーダ装置と機器とを接続する通信路）は赤外線方式を使用すると説明したが、これに限定されるものではなく、例えば、Ｂｌｕｅｔｏｏｔｈなどの無線通信方式であってもよい。一般的に赤外線通信よりも高速な無線通信方式を用いることで、動作プログラム等の転送に必要な時間を短縮することができる。
【０１０７】
なお、動作プログラムは図２５で示した書式のプログラムだけではなく、他のプログラミング言語でもよい。例えば、Ｊａｖａ（登録商標）で動作プログラムを記述すれば、Ｊａｖａ（登録商標）ＶＭと呼ばれるプログラム実行環境は汎用性が高いため、多様な機器での動作プログラムの実行が容易になる。また、Ｊａｖａ（登録商標）Ｓｃｒｉｐｔに代表されるスクリプト形式の小さい記憶容量に記憶できるコンパクトなプログラミング言語で記述すれば、第２メモリ５２で示されるＲＦ−ＩＤの記憶容量が小さい場合でも動作プログラムをＲＦ−ＩＤ内部に格納することができる。また、テレビのようなプログラム実行環境を備える機器の処理負荷を軽減するために、動作プログラムは図２５で示したようなソースコードとしてではなく、コンパイル等の処理を施した実行形式のプログラムであってもよい。
【０１０８】
さらに図２６と図２７を用いて、ＲＦ−ＩＤリーダを備える表示装置の固有情報に応じて、プログラムの動作を変更する処理の詳細について説明する。
【０１０９】
図２６で示すＴＶ４５は言語コード保持部６０１３を備え、プログラム実行部６００５は、リモコン信号として受信した動作プログラムがサーバ４２に接続する処理を行う場合に、言語コード保持部６０１３から言語コードを読み出して、言語コードに対応するサーバ４２に接続し、そのサーバ４２からサーバプログラムをダウンロードし、さらにダウンロードしたサーバプログラムを実行する。例えば言語コードが日本語であれば日本語に対応した処理を含むプログラム記憶部６０１１を備えるサーバ４２に接続し、そのプログラム記憶部６０１１から取得したサーバプログラムをテレビ上で実行する。すなわち、図２３で説明したような撮影装置１のＲＦ−ＩＤ４７に格納された動作プログラムは、サーバ４２への接続だけを実行し、それ以外の画像を表示するといった処理の実行には、サーバからダウンロードしたサーバプログラムを使用する。
【０１１０】
このような処理の流れを図２７で説明する。撮影装置１のＲＦ−ＩＤ４７から動作プログラムや動作プログラムに必要なデータをテレビが受信する処理は図２４で説明した処理と同様である。ここで、ＴＶ４５がリモコン信号として受信したサーバ特定情報は、英語に対応したサーバ４２を示すサーバアドレスと日本語に対応したサーバ４２を示すサーバアドレスの２種類を含み、テレビがリモコン信号として受信した動作プログラムは、図２５の６００６で示したサーバへの接続命令が記述されているものとする。
【０１１１】
ＴＶ４５の実行環境は、ＴＶ４５の言語コードを取得し（Ｓ６０１６）、言語コードが日本語であればサーバ特定情報の中から日本語に対応した処理を含むプログラム記憶部６０１１を備えるサーバのサーバアドレスを選択し（Ｓ６０１７、Ｓ６０１８）、言語コードが日本語でなければサーバ特定情報の中から英語に対応した処理を含むプログラム記憶部６０１１を備えるサーバのサーバアドレスを選択する（Ｓ６０１７、Ｓ６０１９）。次に選択したサーバアドレスを用いてサーバ４２に接続し（Ｓ６０２１）、サーバ４２からサーバプログラムをダウンロードする（Ｓ６０２２、Ｓ６０２３）。取得したサーバプログラムはテレビのプログラム実行環境（例えば、仮想マシン）で実行される（Ｓ６０２４）。
【０１１２】
なお、図２６と図２７では言語コードの使用について説明したが、製造番号やシリアル番号のように、表示装置が販売および／または設置されている国を示す情報であってもよい。
【０１１３】
図２８に撮影装置１とＴＶ４５が無線ＬＡＮやＰｏｗｅｒ  Ｌｉｎｅ  Ｃｏｍｍｕｎｉｃａｔｉｏｎ（以下、ＰＬＣ）などを用いてホームネットワーク６５００を構成している場合を示す。撮影装置１とＴＶ４５が無線ＬＡＮを通して直接通信が可能な直接通信部６５０１、６５０２を保有する場合には、撮影装置１は画像をインターネット上のサーバを介さずにＴＶ４５に送信することが可能となる。すなわち、撮影装置１自身がサーバの役割を兼ねることができる。しかし、無線ＬＡＮなどのホームネットワーク６５００で用いられるいくつかの通信媒体は他者に容易に傍受可能であるという特性をもつ。そのため、安全なデータ通信を行うためには相互に認証し、暗号化されたデータをやりとりする必要がある。例えば、現在の無線ＬＡＮ機器ではアクセスポイントを認証端末とし、認証してほしい端末の画面上に接続可能なアクセスポイントをすべて表示し、ユーザにアクセスポイントを選択させ、ＷＥＰキーを入力することによって暗号化された通信を行っている。しかし、一般のユーザにとってはこの処理は煩雑である。また、ＴＶなどの家電機器に無線ＬＡＮが内蔵された場合には、認証することが可能な端末が多数存在することになる。集合住宅などでは隣家の端末とも通信可能であるため、ユーザが認証端末を選択するということ自体が困難となる。例えば隣家で同機種のＴＶ６５０３を使用していた場合には、画面に表示される情報からユーザが自宅のＴＶ４５を識別するのは極めて困難である。
【０１１４】
本発明ではこの課題を解決することが可能となる。本発明ではＲＦ−ＩＤを用いて、認証処理を行う。具体的には、上記動作プログラムとして、撮影装置１のＲＦ−ＩＤ部４７の第２メモリ５２にＭＡＣアドレス５８を含んだ認証プログラムを格納し、ＴＶ４５のＲＦ−ＩＤリーダライタ４６に近づけることによって、ＴＶ４５に認証プログラムを受け渡す。認証プログラムにはＭＡＣアドレスと共に、認証用の暗号鍵と認証コマンドが含まれており、ＲＦ−ＩＤ４７より渡された情報に認証コマンドが含まれていると認識したＴＶ４５は認証処理を行う。ＲＦ−ＩＤ４７の通信部１７１は物理的に近接させない限り通信ができないため、宅内では傍受することが極めて困難である。また、物理的に近づけることにより情報の受け渡しを行うため、隣家のＴＶ６５０３やＤＶＤレコーダ６５０４などの宅内の他の機器と間違った認証を行うことを回避することが可能となる。
【０１１５】
図２９にＲＦ−ＩＤを用いない場合の認証方法の一例について示す。ユーザはカメラやＤＶＤレコーダなどの認証したい端末のＭＡＣアドレスと各端末の認証用の暗号鍵６５１１を入力する。入力されたＴＶ４５は入力されたＭＡＣアドレスを持つ端末に向かって、チャレンジ６５１３といわれる適当なメッセージを送信する。チャレンジを受信した撮影装置１はチャレンジメッセージ６５１３を認証用暗号鍵６５１１を用いて暗号化し、チャレンジを送信してきた端末であるＴＶ４５に向かって返信する。返信を受けたＴＶ４５は入力された認証用暗号鍵６５１１を用いてチャレンジを複合する。これによって、認証用暗号鍵６５１１の正当性を確認し、ユーザのミスや悪意を持ったユーザの介在を防いでいる。次に、データ用の暗号鍵６５１２ａを認証用の暗号鍵６５１１を用いて暗号化し、撮影装置１に向けて送信する。これにより、ＴＶ４５と撮影装置１間で暗号化されたデータ通信が可能となる。さらに、ＤＶＤレコーダ６５０４や他の機器（６５０５、６５０６）とも同様の処理を行い、共通のデータ暗号鍵６５１２ａを持つことにより、ホームネットワークにつながるすべての機器間で暗号化された通信ができるようになる。
【０１１６】
図３０にＲＦ−ＩＤを用いた場合の認証方法について示す。ＲＦ−ＩＤを用いた認証処理では、認証プログラム６５２１ａを撮影装置１内で作成し、カメラのＲＦ−ＩＤ４７からＴＶのＲＦ−ＩＤ部４６に受け渡す。認証プログラム６５２１ａには認証コマンドと、カメラのＭＡＣアドレスとカメラの認証用暗号鍵が含まれている。認証コマンドを受けたＴＶはＲＦ−ＩＤよりカメラのＭＡＣアドレスと認証用暗号鍵を取り出し、データ用の暗号鍵を認証用暗号鍵により暗号化し、指定されたＭＡＣアドレスに対して送信する。この送信は無線ＬＡＮデバイスを用いて行われる。ＲＦ−ＩＤを用いた認証の場合には、機械的に行われるため、ユーザの入力ミスは発生しない。また、ＴＶ４５に接近するという動作が必要なことから悪意のあるユーザによる介在を回避することが可能となる。そのため、チャレンジなどの前処理動作を省略することが可能となる。さらに、物理的に近接させるという動作はユーザにどの端末とどの端末を認証させたかという事を容易に認識させることが可能となる。なお、認証用暗号鍵を認証プログラムに含まない場合には、一般の公開鍵認証と同様の手法を用いて認証処理を行ってもよい。また、通信デバイスは無線ＬＡＮではなくＰＬＣやＥｔｈｅｒｎｅｔ（登録商標）などのホームネットワークを構成するデバイスであればなんでもよい。また、ＭＡＣアドレスはホームネットワーク内で用いられる通信端末を識別することができる固有識別情報であればなんでもよい。
【０１１７】
図３１に各端末を近接させることが困難な場合のＲＦ−ＩＤを用いた認証方法について示す。冷蔵庫とＴＶなどのように、双方ともに移動させることが困難な端末の場合には、ＲＦ−ＩＤを用いて直接認証プログラムを受け渡すことはきわめて難しい。このような場合に、本発明ではリモコン６５３１などの端末に付属する装置を用いて認証プログラム情報を中継してもらってもよい。具体的には、リモコン６５３１に内蔵したＲＦ−ＩＤリーダライタで冷蔵庫に内蔵したＲＦ−ＩＤのプログラムを読み出し、リモコン６５３１のメモリに記憶させ、ユーザによって移動リモコン６５３１を移動させる。リモコン６５３１をＴＶ４５に近づけると、リモコン６５３１のメモリ内に記憶したプログラムをＴＶのＲＦ−ＩＤに転送する。なお、リモコンからＴＶへの転送はＲＦ−ＩＤではなく、赤外線やＺｉｇＢｅｅなどのリモコン自身に元から内蔵されている通信手段を用いてもよい。すでに通信の安全性を確定された媒体であればなんでもよい。
【０１１８】
図３２にカメラ（撮影装置１）側動作のフローチャートを示す。カメラは認証モードになると、認証用の暗号鍵を作成し、タイマを設定する（Ｓ６５４１）。次に、ＲＦ−ＩＤメモリ部に自身のＭＡＣアドレスと作成した認証鍵と認証コマンドを書き込む（Ｓ６５４２）。ユーザによって、ＴＶのＲＦ−ＩＤにカメラのＲＦ−ＩＤが近づけられると、カメラのＲＦ−ＩＤメモリ内のＴＶのＲＦ−ＩＤに転送する（Ｓ６５４３）。最初に設定されたタイマ時間内に応答が返ってきた場合には（Ｓ６５４４）、応答内に含まれる暗号化されたデータ用の暗号鍵を認証用暗号鍵を用いて復号する（Ｓ６５４５）。データ用暗号鍵を用いて他の機器と通信を行い（Ｓ６５４６）、データ通信が可能であった場合には（Ｓ６５４７）、認証処理を終了する。データが正しく復号できなかった場合には、認証エラーを表示し、処理を終了（Ｓ６５４８）する。また、タイマ時間内にＴＶよりの応答がなかった場合には、認証モードを解除（Ｓ６５４９）し、タイムアウトエラーを表示する（Ｓ６５５０）。
【０１１９】
図３３にＴＶ４５側動作のフローチャートを示す。ＲＦ−ＩＤ部より受信した情報に認証コマンドが含まれるかどうかを判断（Ｓ６５６０）する。認証コマンドが含まれない場合には、受信した情報に応じた処理を実行する（Ｓ６５６１）。認証コマンドが含まれる場合には、ＲＦ−ＩＤ部より受信した情報が認証プログラムであるとし、認証プログラム内に存在する認証用暗号鍵を用いて自身の持つデータ用暗号鍵を暗号化する（Ｓ６５６２）。さらに、認証プログラム内に指定されたＭＡＣアドレスに対して暗号化済みのデータ用暗号鍵を送信する（Ｓ６５６３）。
【０１２０】
以下に、図３にて説明した撮影装置１が、ＴＶ４５にて動作可能なプログラムを生成または更新し、データ送信部１７３から、ＴＶ４５にプログラムを送信し、ＴＶ４５にてプログラムを実行する形態について図面を用いて詳細に説明する。
【０１２１】
図３４は、本形態における撮影装置１の第１処理部３５と第２メモリ５２のブロック図であり、第１処理部３５は、第２メモリ読み出し部７００２、ＵＲＬ生成部７００４、プログラム生成部７００５、プログラム部品記憶部７００６およびプログラム書き込み部７００７によって構成される。
【０１２２】
第２メモリ読み出し部７００２は、記録再生部５１を通して、第２メモリ５２に記憶されている情報を読み出す部分である。
【０１２３】
ＵＲＬ生成部７００４は、第２メモリ読み出し部７００２を介して、第２メモリ５２から、ＵＩＤ７５、サーバ特定情報４８、撮影画像状況情報５５および画像表示方法指示情報７７を読み出し、これらの情報から、画像がアップロードされているサーバ４２のアドレスであるＵＲＬを生成する。
【０１２４】
ＵＩＤ７５は、撮影装置１を識別するための識別情報であり、撮影装置１台ごとにユニークな番号である。ＵＲＬ生成部７００４で生成されるＵＲＬには、ＵＩＤが含まれており、例えば、画像をアップロードする画像サーバ４２においてＵＩＤ毎にユニークなディレクトリに画像ファイルを保存するなどして、撮影装置１台ごとに異なるＵＲＬアドレスを生成することができる。
【０１２５】
サーバ特定情報４８は、画像がアップロードされているサーバを特定するためのサーバ名であり、ＤＮＳ（Ｄｏｍａｉｎ  Ｎａｍｅ  Ｓｅｒｖｅｒ）を介することによって、サーバ４２のＩＰアドレスが判定でき、サーバ４２に接続することができる。よって、サーバ特定情報４８も、生成するＵＲＬに含まれる。
【０１２６】
画像表示方法指示情報７７は、オプションとして、一覧表示７８、スライドショー表示７９などを選択できる情報である。ＵＲＬ生成部７００４は、この画像表示方法指示情報７７に基づいてＵＲＬを決定する。すなわち、一覧表示７８であるか、スライドショー表示７９であるかを示すＵＲＬを生成することによって、画像サーバは、ＵＲＬに基づいて、一覧表示を行うか、スライドショー表示を行うかを決定することができる。
【０１２７】
以上のように、本ＵＲＬ生成部７００４は、第２メモリ５２に記憶されているＵＩＤ７５、サーバ特定情報４８、撮影画像状況情報５５および画像表示方法指示情報７７などから画像を視聴するための画像サーバへのＵＲＬを生成して、生成したＵＲＬをプログラム生成部７００５に出力する。
【０１２８】
プログラム生成部７００５は、ＵＲＬ生成部７００４にて生成したＵＲｌと、第２メモリ５２に記憶されている強制表示命令７０００、強制印刷命令１３６およびフォーマット識別情報７００１によって、ＴＶ４５にて動作可能なプログラムを生成する部分である。なお、プログラム生成部７００５は、新たな動作プログラムの生成方法として、上述した情報に基づいて新たな動作プログラムを生成することもできるし、既に生成した動作プログラムを更新することで新たな動作プログラムを生成することもできる。
【０１２９】
プログラム生成部７００５で生成するプログラムは、ＴＶ４５にて動作可能なプログラムであり、ＴＶ４５の図示しないシステムコントローラで動作可能なように、前記システムコントローラ用の機械語にコンパイルしている必要がある。この場合は、本プログラム生成部７００５内に、コンパイラを持っており、生成したプログラムを実行形式のプログラムに変換される。
【０１３０】
一方、一般的なＪＡＶＡ（登録商標）スクリプトのように、テキスト形式（スクリプト）のプログラムであってもＴＶ４５に搭載されたブラウザによって実行されるプログラムである場合には、上記のコンパイラは必要ない。
【０１３１】
プログラム生成部７００５に入力されるＵＲＬは、画像が記録されている画像サーバへの接続するためのＵＲＬであり、本プログラム生成部７００５は、ＵＲＬを用いてサーバへの接続プログラムを生成または更新する。
【０１３２】
また、強制表示命令７０００は、ＴＶ４５にて例えば通常の放送波による番組を視聴中に、本撮影装置１の第２アンテナ２１から、ＴＶ４５のＲＦ−ＩＤリーダライタ４６とが通信可能になった場合に、画像サーバから画像情報を表示するためのブラウザ視聴モードに、ＴＶ４５を自動的に設定するオプションであり、本オプションが選択されている場合には、ＴＶ４５にて強制表示されるためのプログラムを生成する。
【０１３３】
また、強制印刷命令１３６は、ＴＶ４５にて例えば通常の放送波による番組を視聴中に、本撮影装置１の第２アンテナ２１から、ＴＶ４５のＲＦ−ＩＤリーダライタ４６とが通信可能になった場合に、画像サーバに保存されている画像データを、ＴＶ４５に接続されている図示しないプリンタから自動的に印刷するオプションであり、本オプションが選択されている場合には、ＴＶ４５にて強制印刷されるための印刷用プログラムを生成する。
【０１３４】
また、フォーマット識別情報７００１は、表示するためのフォーマット情報であり、本プログラム生成部７００５は、フォーマット情報の中の言語コード最適サイト選択のオプションが選択されていると、ＴＶ４５に設定されている言語コードによって、サーバに接続するＵＲＬを選択するためのプログラムを生成する。例えば、フォーマット情報の中の言語コード最適サイト選択のオプションが選択されている場合は、ＴＶ４５の言語コードが日本語である場合には、接続するＵＲＬとして、日本語のサイトを選択し、言語コードが日本語以外の場合は、接続するＵＲＬとして、英語のサイトを選択して接続するためのプログラムを生成する。従って、前記のＵＲＬ生成部７００４は、フォーマット情報の中の言語コード最適サイト選択のオプションが選択されている場合、日本語サイト用のＵＲＬと英語サイト用のＵＲＬの２つのＵＲＬを生成して、本プログラム生成部７００５に出力する。
【０１３５】
プログラム部品記憶部７００６は、プログラム生成部７００５にてプログラムを生成するためのプログラムコマンド情報が記憶されている。本プログラム部品記憶部７００６に記憶されているプログラム部品は、一般的なライブラリやＡＰＩであってもいい。プログラム生成部７００５は、サーバへの接続コマンドを生成する場合、プログラム部品記憶部からサーバ接続コマンドである“Ｃｏｎｎｅｃｔ”に、ＵＲＬ生成部７００４で生成したＵＲＬをつなぎ合わせることによって、ＵＲＬに記述されたサーバに接続するための接続プログラムを生成または更新する。
【０１３６】
プログラム書き込み部７００７は、プログラム生成部７００５で生成したプログラムを、第２メモリ部に書き込むためのインタフェースである。
【０１３７】
プログラム書き込み部７００７から出力されるプログラムは、記録再生部５１を介して、第２メモリ５２のプログラム記憶部７００２に記憶する。
【０１３８】
本撮影装置１のＲＦ−ＩＤ部が、ＴＶ４５に接続されているＲＦ−ＩＤリーダライタ４６に通信可能に接近した場合、再生部によって第２メモリ５２のプログラム記憶部７００２からプログラムを読み出し、データ転送部１０８、第２アンテナ２１を介して、プログラムを示す送信信号をＲＦ−ＩＤリーダライタ４６に送信する。送信された送信信号は、ＲＦ−ＩＤリーダライタ４６を介してＴＶ４５にて受信される。ＴＶ４５は、受信したプログラムを実行する。
【０１３９】
また、ＴＶ４５には、製造番号７００８、言語コード７００９およびプログラム実行バーチャルマシン７０１０が存在する。
【０１４０】
製造番号７００８は、ＴＶ４５の製造番号であり、これによってＴＶ４５が製造された日時、場所、製造ライン、製造者などが判定可能な情報である。
【０１４１】
言語コード７００９は、ＴＶ４５に設定されているメニュー表示などに利用する言語コードであり、予め設定されている以外に、ユーザによって切り替えることも可能である。
【０１４２】
プログラム実行バーチャルマシン７０１０は、受信するプログラムを実行するための仮想マシンであり、ハードウェアで構成されている場合もソフトウェアで構成されている場合も両方とも有効である。例えば、本プログラム実行バーチャルマシンは、ＪＡＶＡ（登録商標）バーチャルマシンで構成される。ＪＡＶＡ（登録商標）バーチャルマシンは定義された命令セットを実行するスタック型やインタプリタ型の仮想マシンである。このバーチャルマシンを搭載することによって、撮影装置１のプログラム生成部７００５で生成されたプログラムは、その実行プラットフォームを選ぶことはなくなり、どんなプラットフォームでも実行可能なプログラムを生成することが可能となる。
【０１４３】
図３５は、撮影装置１のプログラム生成部７００５の動作を示したフローチャートである。
【０１４４】
まず、本プログラム生成部７００５は、生成プログラム情報を初期化する（Ｓ７０００）。
【０１４５】
次に、第２メモリ５２に記憶されているサーバ特定情報４８を用いて、ＵＲＬ生成部７００４で生成したＵＲＬを用いて、サーバ４２への接続コマンドを生成する。接続コマンドを生成するためには、プログラム部品記憶部７００６から、サーバ接続コマンド用の命令セット（例えば、図中の“Ｃｏｎｎｅｃｔ”）を選択して、ＵＲＬと組み合わせることによってサーバ接続プログラム（例えば、“Ｃｏｎｎｅｃｔ（ＵＲＬ）”）を生成する。
【０１４６】
次に、第２メモリ５２の強制表示命令７０００を確認して、強制表示命令がＯＮかどうかを判定する（Ｓ７００１）。ＯＮになっている場合には、プログラム部品記憶部７００６から強制表示プログラム用の命令セットを呼び出し、強制表示コマンドを生成する（Ｓ７００２）。生成したコマンドは、プログラムに追加される（Ｓ７００４）。
【０１４７】
一方、強制表示命令がＯＮではない場合には、強制表示コマンドを生成することはない。
【０１４８】
次に、第２メモリ５２の強制印刷命令がＯＮに設定されているかを判定する（Ｓ７００５）。ＯＮになっている場合には、サーバに記憶されている画像ファイルを強制的に印刷するための印刷コマンドを生成する（Ｓ７００６）。生成されたコマンドはプログラムに追加される（Ｓ７００７）。
【０１４９】
次に、第２メモリ５２の画像表示方法指示情報７７を確認し一覧表示７８がＯＮに設定されているかを判定する（Ｓ７００８）。ＯＮになっている場合には、サーバに記憶されている画像ファイルを一覧表示させるための一覧表示コマンドを生成する（Ｓ７００９）。生成されたコマンドはプログラムに追加される（Ｓ７０１０）。
【０１５０】
次に、第２メモリ５２の画像表示方法指示情報７７を確認しスライドショー７９がＯＮに設定されているかを判定する（Ｓ７０１１）。ＯＮになっている場合には、サーバに記憶されている画像ファイルをスライドショー表示させるためのスライドショーコマンドを生成する（Ｓ７０１２）。生成されたコマンドはプログラムに追加される（Ｓ７０１３）。
【０１５１】
以上のように、本撮影装置１のプログラム生成部７００５は、第２メモリ５２に設定された内容に基づいて、プログラム部品記憶部７００６に記憶されているプログラム生成用の命令コマンドセットを利用して、ＴＶ４５で画像表示させるためのプログラムを生成する。
【０１５２】
なお、本実施の形態では、強制表示命令、強制印刷命令、一覧表示、スライドショーの場合で説明したがこれに限られない。例えば生成するプログラムとして、強制表示命令コマンドを生成する場合には、プログラムを実行する装置において、表示機器、表示機能があるかどうかの判定プログラムを挿入して、表示機器、表示機能がある場合のみ実行されるようにすれば、プログラムを実行する機器側の混乱をなくすプログラムを生成することができる。強制印刷命令コマンドの場合も同様である。強制印刷命令コマンドを実行する機器に印刷機能を持っていたり、印刷機能を持つ機器が接続されているかを判定するコマンドを挿入して、持っている場合にのみ、強制印刷命令コマンドを実行させるようにしたほうがよい。
【０１５３】
次に、本撮影装置１におけるプログラム生成部７００５で生成または更新するプログラムについて説明する。
【０１５４】
図３６は、本プログラム生成部７００５で生成するプログラムの処理の流れを示したフローチャートであり、本プログラムは、本撮影装置１の第２アンテナ２１を介して送信され、受信する本撮影装置１とは異なる機器が実行するプログラムである。本実施形態では、本撮影装置１とは異なる機器は、ＴＶ４５であり、ＲＦ−ＩＤリーダライタ４６で受信したプログラムをＴＶ４５の図示しないコントローラ（あるいは、仮想マシン）によって実行される。
【０１５５】
本プログラムは、まず、ＴＶ４５に設定されている言語コードを、ＴＶ４５の固有情報として読み出す（Ｓ７０２０）。言語コードは、ＴＶ４５のメニュー表示などのときに使用する言語コードであり、ユーザが設定したものである。
【０１５６】
次に、言語コードに設定された言語を判定する。本実施形態では、まず、言語コードが日本語であるかどうかを判定する（Ｓ７０２１）。言語コードが日本語であると判定された場合には、プログラム中のサーバへの接続コマンドのうち、日本語サイト用の接続コマンドを選択する（Ｓ７０２２）。一方、言語コードが日本語でないと判定された場合には、本プログラム中の英語サイトへの接続コマンドを選択する（Ｓ７０２３）。本実施形態では、言語コードが日本語であるかどうかのみを判定して、それぞれ日本語サイトへ接続するか、英語サイトへ接続するかを選択する形態を説明したが、２種類以上の言語コードにも対応できるよう、それぞれの言語コードに対応した接続プログラムを具備しておけば、２種類以上の言語コードへ対応することが可能となって、ユーザの利便性を向上させることができる。次に、選択した接続コマンドに従って、接続コマンド中に記されたＵＲＬに接続する（Ｓ７０２４）。
【０１５７】
次に、接続コマンド中に記されたＵＲＬへ接続が成功したかどうかを判定する（Ｓ７０２５）。接続に失敗した場合には、ＴＶ４５の表示部に、接続に失敗したことを示す警告表示を行う（Ｓ７０２７）。一方、接続に成功した場合には、サーバに記憶されている画像ファイルをスライドショー表示させるためのコマンドを実行して、サーバに記憶されている画像ファイルをスライドショー表示させる（Ｓ７０２６）。
【０１５８】
なお、本実施形態では、動作プログラムが画像をスライドショー表示させるためのプログラムである場合について説明したが、本発明に係る動作プログラムはこの限りではない。一覧表示や強制表示、強制印刷を行うプログラムでもいい。強制表示させるプログラムの場合には、サーバに記憶された画像ファイルを表示する設定に自動的に変更するためのステップがコマンドとして挿入される。これによって、ユーザは、ＴＶ４５の設定を手動で変更する手間を省いて、画像サーバからの画像ファイルを表示することができる。また、強制印刷の場合には、ＴＶ４５の設定を自動的に印刷可能なモードに切り替えるコマンドが挿入される。また、強制印刷、強制表示の場合には、それぞれ、印刷機能を有しているかの判定コマンド、表示機能を有しているかの判定コマンドを挿入することによって、印刷機能のない機器で強制印刷コマンドが実行されることがないようにすることが必要である。さらに、本発明に係る動作プログラムは、他のプログラムを導くための接続プログラムであってもよい。たとえば、ブートローダーのように、他のプログラムをロードして実行させるためのローダー・プログラムであってもよい。
【０１５９】
以上のように、本実施の形態で開示した発明の特徴は、ＲＦ−ＩＤ通信手段（データ転送部１０８、第２アンテナ２１など）を有している機器である撮影装置１の第１処理部３５の中に、プログラム生成部７００５を有していることである。また、プログラム生成部７００５で生成または更新するプログラムは、ＲＦ−ＩＤを有する通信機器である本実施形態の撮影装置１以外の機器で実行されることも特徴である。
【０１６０】
従来、ＲＦ−ＩＤを搭載する機器は、ＲＦ−ＩＤ通信部から自身が持つＩＤ情報（タグ情報）を他の機器（例えば本実施形態のＴＶ４５）に転送して、他の機器では、ＩＤ情報（タグ情報）に応じて、ＲＦ−ＩＤを持つそれぞれの機器でユニークな動作プログラムを他の機器の中に用意する必要があった。従って、ＲＦ−ＩＤを持った新しい商品が登場した場合には、その新しい商品に対応した動作プログラムを入手してインストールして実行するか、対応できない危機であるとして排除するしかなかった。また、動作プログラムのインストールには、専門的な知識が求められ、誰もが簡単に行えるものでもない。従って、ＲＦ−ＩＤを持つ機器が多数世に送り出されれば、本実施形態のＴＶ４５のような他の機器は陳腐化して、ユーザの財産価値を損ねるという問題がある。
【０１６１】
本実施形態で説明した発明の開示によれば、ＲＦ−ＩＤを持った機器が、プログラム生成部７００５を有しており、ＴＶ４５などの他の機器には、ＩＤ情報（タグ情報）ではなく、プログラムを送信する。ＴＶ４５などの他の機器では、受信したプログラムを実行することによって、予めＲＦ−ＩＤを持つ機器毎に対応する動作プログラムを具備する必要がなくなり、例え、新しいＲＦ−ＩＤを持つ機器が登場した場合においても、新たなプログラムをインストールする必要がなくなり、ユーザ利便性を格段に向上させることができる。
【０１６２】
よって、ＲＦ−ＩＤを装備した物品の個体ごと、種類ごと、あるいは、応用システムごとに、対応するアプリケーションプログラムをＴＶ等の端末が備えておく必要がなくなる。よって、ＴＶ等の端末は、多くの種類のアプリケーションプログラムを保持するための記憶装置を備える必要がなくなるとともに、端末が保持するプログラムの改訂等の保守も不要となる。
【０１６３】
また、本プログラム生成部７００５が生成するプログラムはＪＡＶＡ（登録商標）言語のような実行プラットフォームを選ばないプログラムが有用である。よって、プログラムを実行するＴＶ４５のような機器にＪＡＶＡ（登録商標）の仮想マシンを用意することだけで、どのような機器のプログラムであっても実行することができる。
【０１６４】
また、本発明のプログラム生成部７００５は、予め第２メモリ５２のプログラム記憶部７００３に記憶されているプログラムを更新する機能を有していてもよい。プログラムを更新する場合においても、プログラムを生成するのと同様の効果を有するためである。また、本プログラム生成部７００５で、生成または更新するプログラムは、ＴＶ４５にてプログラムを実行する場合に使用するデータの生成または更新であってもよい。通常、プログラムは、付随する初期設定データなどを有し、そのデータによって動作するモードを切り替えたり、フラグ設定をしたりするので、データを生成または更新する場合でも、プログラムを生成または更新するのと同様であり、本発明の範疇である。なぜなら、プログラムを実行するに当たって、そのモード切替などのパラメータをデータとして保持して読み出すのか、プログラム内部に埋め込んで実行させるかは設計事項であるためである。従って、本発明のプログラム生成部７００５で生成または更新するプログラムは、同時に前記プログラムが使用するパラメータ列などのデータも同時に生成することもできる。生成するパラメータとしては、第２メモリ５２に記憶されている強制表示命令７０００、強制印刷命令１３６、画像表示方法指示情報７７あるいはフォーマット識別情報７００１などに基づいて生成されるデータである。
【０１６５】
次に、本発明におけるＲＦ−ＩＤを持った通信機器である撮影装置１の第２メモリ５２および第１処理部の特徴的な構成と動作を説明する。本実施形態では、ＲＦ−ＩＤをもった通信機器である本撮影装置１が、動作に関した不具合を検出したり、電力使用状況を検出したりする使用状況検出部を第１処理部３５に持ち、検出した使用状況を本撮影装置とは異なる機器であるＴＶ４５に表示させるためのプログラムを生成する形態について説明する。
【０１６６】
図３７は、本発明の撮影装置１の第２メモリ５２、第１処理部３５の特徴的な構成を示したブロック図である。
【０１６７】
第２メモリ５２は、ＵＩＤ７５、サーバ特定情報４８、カメラＩＤ部１３５およびプログラム記憶部７００２を持つ。
【０１６８】
ＵＩＤ７５は、本撮影装置１を識別可能な機器一台毎に異なるシリアル番号である。
【０１６９】
サーバ特定情報４８は、本撮影装置１の通信部３７から撮影した画像データをサーバ４２に送信する、サーバを特定する情報であり、サーバアドレスや保存ディレクトリ、ログインアカウント、ログインパスワードなどを含んでいる。
【０１７０】
カメラＩＤ部１３５は、本撮影装置１の製造番号、製造年月日、製造元、製造ライン情報、製造場所などが記録されるとともに、本撮影装置１の機種を特定するためのカメラ機種情報も含んでいる。
【０１７１】
第１処理部３５は、第２メモリ読み出し部７００２、使用状況検出部７０２０、プログラム生成部７００５、プログラム部品記憶部７００６およびプログラム書き込み部７００５で構成される。
【０１７２】
第２メモリ読み出し部は、第２メモリ５２に記憶されている内容を記録再生部５１と介して読み出す部分である。本実施形態では、第２メモリ５２から、ＵＩＤ７５、サーバ特定情報４８、カメラＩＤ部１３５を読み出して、プログラム生成部７００５に出力する。なお、本第２メモリ読み出し部７００２は、後に説明する使用状況検出部７０２０からの読み出し信号が出力された時点で、第２メモリ５２から上記内容を読み出す。
【０１７３】
使用状況検出部７０２０は、本撮影装置１を構成する機能単位毎に、その使用状況を検出する部分である。また、本撮影装置１を構成する機能単位毎に動作不具合を確認するセンシング部を有しており、各機能単位のセンシング部でのセンシング結果を本使用状況検出部７０２０に入力される。例えば、撮像部３０からは、撮像部の撮像動作に関する不具合が認められるかどうか（機能しているかどうか、本使用状況検出部からの呼びかけに対して正しく応答しているか）、映像処理部３１からは、撮像部３０が撮像した画像データのデータ処理において不具合が認められるかどうか（機能しているかどうか、本使用状況検出部からの呼びかけに対して正しく応答しているか）、第１電源部１０１からは、バッテリの電圧レベル、トータルの電力使用量が入力され、通信部３７からは、サーバとの接続に成功しているか、インターネットへの接続ができているか（機能しているかどうか、本使用状況検出部からの呼びかけに対して正しく応答しているか）、表示部６ａからは表示処理に不具合はないか、呼びかけに対して正しく応答しているか、機能しているかといった各機能単位毎に不具合情報や電池寿命、電力消費量が入力される。本使用状況検出部７０２０では、機能単位毎から送られてくる上記のようなステータス情報を元に、内部の不具合検出部７０２１で、機能単位毎に機能動作に対する不具合があるかどうかを判定して、不具合が認められる場合には、不具合箇所を特定する情報、不具合内容を特定する情報をプログラム生成部７００５に出力する。また、本使用状況検出部７０２０は、内部に使用電力検出部７０２２を持っており、電源部からのトータル使用電力情報に基づいて使用電力情報を生成してプログラム生成部７００５に出力する。
【０１７４】
プログラム生成部７００５は、使用状況検出部７０２０からの不具合内容を特定する情報や使用電力情報をＴＶ４５で表示するためのプログラムを生成する。プログラム生成は、プログラムを構成するための命令セットがプログラム部品記憶部７００６に予め記憶されているので、不具合や電力消費量を表示するための表示コマンド（図３７では“ｄｉｓｐｌａｙ”）と、不具合箇所を特定する情報、不具合内容を特定する情報を表示するためのプログラムを生成する。なお、前述の電力消費量は、二酸化炭素の排出量に変換し、二酸化炭素排出量を表示するプログラムとして生成しても良い。
【０１７５】
プログラム生成部７００５で生成したプログラムは、プログラム書き込み部７００７を介して、第２メモリ５２のプログラム記憶部７００２に記憶される。
【０１７６】
第２メモリ５２のプログラム記憶部７００２に記憶されているプログラムは、データ転送部１０８を介して、第２アンテナ２１から、ＴＶ４５のＲＦ−ＩＤリーダライタ４６に送信される。
【０１７７】
ＴＶ４５では、受信したプログラムを、プログラム実行バーチャルマシン７０１０にて実行される。
【０１７８】
以上の構成によれば、撮影装置１の使用における使用状況検出部７０２０によって検知された不具合や使用状況情報をＴＶ４５にて表示するためのプログラムを第１処理部３５内のプログラム生成部７００５にて生成し、ＴＶ４５に送信して、ＴＶ４５にて撮影装置１の不具合情報や使用状況情報を表示する。これによって、ＴＶ４５では、撮影装置１などの機器に依存した複数のプログラムをインストールすることなく、ユーザに不具合情報や使用状況情報を表示することが可能となる。
【０１７９】
従来システムでは、ＴＶ４５内に、撮影装置やビデオカメラ、電動歯ブラシ、体重計などの機器毎に、簡単な液晶ディスプレーなどの表示機能を用意して、その表示機能に不具合情報や使用状況情報を表示していた。従って、表示能力の低い表示機能しか搭載できず、不具合情報を記号列やエラーコードで表示することしかできなかった。従って、ユーザは、不具合情報などが出力されると、取扱説明書を紐解き、どのようなエラーであるかを判断する必要があった。しかしながら、一部のユーザは、取扱説明書を紛失したりして、インターネットのウェブサイトから情報を知りえた。
【０１８０】
しかしながら、本発明のシステムにおいては、撮影装置１などの装置毎に検知した不具合情報を表示するための本撮影装置とは異なる表示能力の高い機器であるＴＶ４５で実行可能な不具合報告表示プログラムを生成することができ、上記のような問題を解消することができる。
【０１８１】
以下に、図３にて説明した撮影装置１が生成したプログラムが、ＴＶ４５を含む複数の機器にて動作する形態について図面を用いて詳細に説明する。
【０１８２】
図３８は、本形態において、撮影装置１が生成したプログラムが、複数の機器で実行される様子を示したものであり、撮影装置１、ＴＶ４５、表示機能付きリモコン６５２０、表示機能無しリモコン６５３０によって構成される。
【０１８３】
ＴＶ４５は、前記ＲＦ−ＩＤリーダライタ４６、無線通信装置６５１２から構成される。無線通信装置６５１２は、例えば、現在多くの家電のリモコンで利用されている一般的な赤外線通信装置や、Ｂｌｕｅｔｏｏｔｈ（ブルートゥース）やＺｉｇＢｅｅ（ジグビー）と呼ばれる、電波を用いた家電向け短距離無線通信装置などである。
【０１８４】
表示機能付きリモコン６５２０は、ＴＶ４５の無線通信装置６５１２に対して信号を送信するための送信部６５２１、映像を表示するための表示装置６５２３、ユーザからのキー入力を受け付ける入力装置６５２４、ＲＦ−ＩＤ４７と通信するためのＲＦ−ＩＤリーダ６５２２、ＲＦ−ＩＤリーダ６５２２で受信したプログラムを格納するためのメモリ６５２６、ＲＦ−ＩＤリーダ６５２２で受信したプログラムを実行するための仮想マシンであるプログラム実行バーチャルマシン６５２５から構成される。例えば、近年の携帯電話は赤外線通信機能やＢｌｕｅｔｏｏｔｈ、ＲＦ−ＩＤリーダ、液晶画面、キー入力部、ＪＡＶＡ（登録商標）バーチャルマシンなどを保持する、表示機能付きリモコンの一例である。表示装置６５２３と入力装置６５２４は、液晶画面と複数の文字入力ボタンであっても良いし、タッチパネル液晶のように一体となっていてもよい。
【０１８５】
表示機能無しリモコン６５３０は、ＴＶ４５の無線通信装置６５１２に対して信号を送信するための送信部６５２１、ボタンなどの、ユーザからの入力を受け付ける入力装置６５３３、ＲＦ−ＩＤ４７と通信するためのＲＦ−ＩＤリーダ６５３２、ＲＦ−ＩＤリーダ６５３２から受信したデータを一時的に格納するメモリ６５３５から構成される。
【０１８６】
表示機能無しリモコン６５３０は、現在多くのＴＶに付属した一般的なリモコンに、ＲＦ−ＩＤリーダを内蔵した機器などが考えられる。
【０１８７】
本形態では、撮影装置１で生成したプログラムを、ＴＶ４５のＲＦ−ＩＤリーダライタ４６を介することにより直接ＴＶ４５に送信し、ＴＶ４５でプログラムを実行する第１のケース、撮影装置１で生成したプログラムを、表示機能無しリモコン６５３０を介することにより間接的にＴＶ４５に送信し、ＴＶ４５でプログラムを実行する第２のケース、撮影装置１で生成したプログラムを、表示機能有りリモコン６５２０を介することにより間接的にＴＶ４５に送信し、ＴＶ４５でプログラムを実行する第３のケース、撮影装置１で生成したプログラムを、表示機能有りリモコン６５２０に送信し、表示機能有りリモコン６５２０でプログラムを実行する第４のケースが考えられ、ユーザは４つのケースを選択的に実行する。
【０１８８】
ここで第１のケースは、実施の形態１ですでに述べているため説明を省略する。
【０１８９】
下記に、第２〜第４のケースに関して、詳細を説明する。
【０１９０】
第２のケースは、一般的なＴＶリモコンのように、液晶パネルなどのグラフィカルな表示装置を持たない表示機能無しリモコン６５３０を介して、撮影装置１で生成したプログラムをＴＶ４５で実行するケースである。
【０１９１】
ユーザが、ＲＦ−ＩＤ４７をＲＦ−ＩＤリーダ６５３２に近接させた場合、ＲＦ−ＩＤリーダ６５３２は、撮影装置１で生成されたプログラムを読み出し、メモリ６５３５に保持する。
【０１９２】
次に、ユーザが入力装置６５３３を押下すると、送信部６５３１からＴＶ４５の無線通信装置６５１２に対して、メモリ６５３５に保持されていたプログラムが送信され、ＴＶ４５上のプログラム実行バーチャルマシン７０１０でプログラムが実行される。無線通信装置６５１２が指向性を持つ赤外線通信装置の場合、ユーザは表示機能無しリモコン６５３０を対応するＴＶ４５に向けた状態で入力装置６５３３を押下する。無線通信装置６５１２が指向性を持たないＢｌｕｅｔｏｏｔｈやＺｉｇＢｅｅなどの短距離無線通信装置であった場合は、事前にペアリングされているＴＶ４５に対して、プログラムが送信される。短距離無線通信装置の場合は、ユーザが入力装置６５３３を押下しなくとも、ＲＦ−ＩＤリーダ６５３２がＲＦ−ＩＤ４７からプログラムを読み込んだ時点で、自動的にペアリングされたＴＶ４５に読み込んだプログラムを送信してもよい。
【０１９３】
また、表示機能無しリモコン６５３０は、ＲＦ−ＩＤリーダ６５３２で読み込んだデータをメモリ６５３５に保持していることをユーザに通知するための表示装置、例えばＬＥＤ６５３４を構成要素に持ち、ＲＦ−ＩＤリーダ６５３２からメモリ６５３５にプログラムを読み込んだ際にＬＥＤ６５３４を点灯させ、ユーザが入力装置６５３３を押下し、ＴＶ４５にプログラムを送信完了した際にＬＥＤ６５３４を消灯させてもよい。これにより、表示機能無しリモコンがプログラムを保持していることをユーザに明確に通知することが可能となる。ＬＥＤ６５３４は、単体のＬＥＤであってもよいし、入力装置６５３３と一体となっていてもよい。
【０１９４】
第２のケースでは、ユーザとＴＶ４５の位置が離れていた場合であっても、手元の表示機能無しリモコン６５３０を利用することにより、ＴＶ４５上でプログラムを実行することが可能となる。
【０１９５】
第３、第４のケースは、例えばスマートフォンと呼ばれる高機能な携帯電話のように、表示機能付きリモコン６５２０がプログラム実行バーチャルマシンを持っている場合に、撮影装置１で生成したプログラムを表示機能付きリモコン上で実行することも、ＴＶ４５にプログラムを送信することによりＴＶ４５上でプログラムを実行することも、ユーザが選択できるようにする場合の例である。
【０１９６】
ユーザが、ＲＦ−ＩＤ４７をＲＦ−ＩＤリーダ６５２２に近接させた場合、ＲＦ−ＩＤリーダ６５２２は、撮影装置１で生成されたプログラムを読み出し、メモリ６５３５に保持する。
【０１９７】
次に、表示機能付きリモコン６５２０の動作を、図３９のフローチャートを用いて、詳細に説明する。
【０１９８】
まず、ＲＦ−ＩＤリーダ６５２２で読み出したプログラムが、プログラム実行バーチャルマシン６５２５に転送され、実行される（Ｓ６６０１）。
【０１９９】
次に、リモコン６５２０が表示デバイスを持つか否かを判定する（Ｓ６６０２）。リモコン６５２０が表示機能を持っていない場合（Ｓ６６０２でＮ）は、送信部６５２１を用いてプログラムをＴＶ４５に送信し、処理を終える。この場合、プログラムはＴＶ４５上で実行される。
【０２００】
リモコンが表示機能を持っている場合（Ｓ６６０２でＹ）、リモコンと送信先のＴＶ４５とがペアリングされているか否かを判定する（Ｓ６６０３）。リモコン６５２０とＴＶ４５がペアリングされていない場合（Ｓ６６０３でＮ）は、リモコン６５２０の表示装置６５２３を用いてプログラムの続きが実行される。リモコン６５２０とＴＶ４５がペアリングされている場合（Ｓ６６０３でＹ）は、ユーザに選択を促すため、表示装置６５２３に「ＴＶに表示しますか？リモコンで表示しますか？」というダイアログ・メッセージを表示する（Ｓ６６０４）。
【０２０１】
次に、入力装置６５２４からのユーザ入力を受け付け（Ｓ６６０５）、ユーザがＴＶに表示を選択したか否かを判定する（Ｓ６６０６）。ユーザがＴＶ４５で表示することを選択した場合（Ｓ６６０６でＹ）、送信部６５２１を用いてプログラムをＴＶ４５に送信し、処理を終える。この場合、プログラムはＴＶ４５上で実行される。ユーザがリモコンで表示することを選択した場合（Ｓ６６０６でＮ）、リモコン６５２０の表示装置６５２３を用いて、プログラムの続きが実行される（Ｓ６６０７）。
【０２０２】
また、上記で示したプログラムの続きとは、前述した、撮影装置１のバッテリ状態、不具合状態、取扱説明書の表示などであり、本実施の形態に制限されるものではないことは当然である。
【０２０３】
以上の構成によれば、撮影装置１で生成したプログラムが、表示機能付きリモコン機器に送信され、表示機能付きリモコンの能力を判定し、リモコン上でプログラムの続きをどの機器で実行するか否かが決定される。これによって、リモコン自身に複数の機器に対応したプログラムをインストールしておく必要がなく、ユーザは好みの形態でプログラムを実行することが可能となる。
【０２０４】
また、本実施の形態においては、リモコンの表示機能の有無、ペアリング状態を判定条件として説明したが、これらに限るものではない。通信能力、音声・映像再生能力、入力デバイス、出力デバイスなど、機器の持ちうる能力に従ってどのような判定をプログラムが行ったとしても良い。
【０２０５】
また、本実施の形態においては、表示機能無しリモコン６５３０が、１つのＲＦ−ＩＤ（ここでは撮影装置１）を読み取る毎にＴＶ４５に情報を送信する例を示したが、リモコンで２つ以上のＲＦ−ＩＤを読み取った後で、読み取ったデータをＴＶ４５にまとめて送信するとしても良い。これにより、例えばＲＦ−ＩＤ付心拍数計とＲＦ−ＩＤ付き万歩計（登録商標）それぞれの情報をリモコンで順番に取得し、その後でまとめてＴＶ４５に情報を送信し、歩行履歴と心拍数履歴をひとつのグラフとしてＴＶ４５に表示するといった事が可能となる。もしも心拍数計と万歩計（登録商標）それぞれにプログラムが格納されていた場合、ＴＶ４５が実行するプログラムの選択は、最後に読み出された機器のプログラムとしても良いし、ユーザが選択するとしても良い。また、プログラムで実行する機能を選択するとしても良い。また、表示機能付きリモコン６５２０においても、同様に、２つ以上のＲＦ−ＩＤを読み取った後で、リモコン６５２０上の表示装置を用いて、複数のＲＦ−ＩＤから読み出した情報をまとめて表示するとしても良いことは言うまでもない。
【０２０６】
以上、説明してきたように、ＲＦ−ＩＤの記憶領域がデータだけでなく、機器の動作を記述したプログラムを保持することにより、従来では機器の動作を変更するために必要であったプログラムの変更や更新が大幅に容易なものとなり、多数の新機能の追加や連携機器の増加にも対応が可能である。また、ＲＦ−ＩＤを用いた近接通信は、近づけるというユーザにわかりやすい操作であるので、従来はボタンやメニューを操作して面倒であった機器操作も簡単にすることができ、複雑な機器の動作を使いやすくすることができる。
【０２０７】
（実施の形態２）
次に、本発明に係る通信システムの具体的な動作、つまり、カメラで取得した画像をアップロードしておき、その後に、簡単な操作で、その画像をＴＶにダウンロードして表示する通信システムについて、実施の形態２として、説明する。通信システムの全体構成は、実施の形態１と同様である。
【０２０８】
図４０に、カメラ（撮影装置１）が写真をアップロードする一連手続きのフロー図を示す。カメラはまず画像を撮影すると（ステップＳ５１０１）、撮影画像を第３メモリに保存し（ステップＳ５１０２）、第２メモリ情報の更新処理を行う（ステップＳ５１０３）。この更新情報については後述する。次に通信部によってインターネットに接続可能かどうかを判断し（ステップＳ５１０４）、接続可能であれば、ＵＲＬの作成処理を行う（ステップＳ５１０５）。この処理の詳細は後述する。ＵＲＬを作成後、カメラは撮影画像のアップロードを行い（ステップＳ５１０６）、アップロードが完了すると、通信部の切断処理を行い（ステップＳ５１０７）、終了する。アップロード処理の詳細は後述する。
【０２０９】
ステップＳ５１０３の第２メモリ情報の更新処理はサーバ４２へアップロードした写真と、アップロードしていない写真の識別情報をサーバ４２とカメラの間で共有するために利用される。アップロード処理Ｓ５１０５の動作は例えばｃａｓｅ１〜ｃａｓｅ４の動作が挙げられる。
【０２１０】
第２メモリの最後に撮影した時間６８を記録しておき、撮影画像を第３メモリに保存後、第２メモリの最後に撮影した時間６８を更新する方法がある（ステップＳ５１１１）。
【０２１１】
アップロードした時刻とカメラの最終撮影時刻を比較することで、サーバ４２とカメラの間でアップロードした写真の識別情報を共有することが可能となる。
【０２１２】
また、撮影した画像に対応してサーバ４２への撮影した画像に対応して、サーバ４２への未アップロード画像データの存在識別子６４を生成し第２メモリに記憶するという方法でも同等の効果を得ることができる（ステップＳ５１２１）。
【０２１３】
また、未アップロード画像情報をハッシュした情報６７を第２メモリに記憶しても良い（ステップＳ５１３１）。これによって、第２メモリに保存する情報量が少なくなり、メモリの節約に繋がる。
【０２１４】
また、撮影画像に時系列的に画像番号を生成して、第２メモリの画像の最終番号６９を更新してもよい（ステップＳ５１４１）。これにより、カメラの時刻が正確でない場合でも、サーバ４２とカメラの間のアップロード写真に関する同期を取ることが可能となる。
【０２１５】
図４１に、ステップＳ５１０５のＵＲＬ作成処理の詳細を示す。カメラは、第２メモリからサーバアドレス情報８１、ログインＩＤ８３、パスワード８４等を含むサーバ特定情報４８を読み出し（ステップＳ５２０１）、ＵＲＬを生成する（ステップＳ５２０２）。
【０２１６】
図４２にステップＳ５１０６のアップロード処理の詳細を示す。
【０２１７】
それぞれのｃａｓｅは図４０で示された、第２メモリ情報の更新処理に対応している。
【０２１８】
ｃａｓｅ１では、カメラはサーバ４２から、サーバ４２への最終アップロード時間を受信すると（ステップＳ５２１１）、最終アップロード時刻と、最後に撮影した時刻を比較する（ステップＳ５２１１２）。最後に撮影した時刻が最終アップロード時刻より大きい、すなわち、最終アップロードした後に撮影した画像がある場合は、サーバ４２からの最終アップロード時刻以降に撮影された画像をサーバ４２にアップロードする（ステップＳ５２１３）。
【０２１９】
ｃａｓｅ２では、カメラは、第２メモリから、未アップロード画像データ存在識別子６４を確認し（ステップＳ５２３１）、未アップロードの存在を確認する（ステップＳ５２３２）。未アップロード画像が存在している場合、未アップロード画像をサーバ４２へアップロードし（ステップＳ５２３３）、第２メモリのアップロードした画像の情報６７を更新する（ステップＳ５２３４）。
【０２２０】
ｃａｓｅ３では、カメラは、まず第２メモリから未アップロード画像情報をハッシュした情報６７を確認し（ステップＳ５３０１）、第２メモリから未アップロード画像情報をハッシュした情報６７はＮＵＬＬをハッシュした情報と同じかどうかを判断する（ステップＳ５３０２）。同じでない場合、サーバ４２にアップロードされていない画像があると判断し、第３メモリに記録され、サーバ４２にアップロードされていない画像をアップロードする（ステップＳ５３０３）。
【０２２１】
ｃａｓｅ４では、カメラは、サーバ４２から最終アップロード画像の番号を受信する（ステップＳ５３１１）。次に、第２メモリの画像の最終番号６９と同じかどうかを判断し（ステップＳ５３１２）、同じでない場合、サーバ４２からの固有ＩＤより新しい固有ＩＤを持つ画像データをアップロードする（ステップＳ５３１３）。
【０２２２】
図４３は、撮影装置１とＴＶ４５とのＲＦ−ＩＤ近接通信を行う処理を示したフロー図である。
【０２２３】
まず、撮影装置１に内蔵されている第２アンテナ２１は、ＴＶ４５のＲＦ−ＩＤリーダライタ４６からのポーリングによる微弱無線電力を受信して、第２電源部９１で動作するＲＦ−ＩＤ４７を起動する（Ｓ５４０１）。
【０２２４】
ステップＳ５４０１で微弱電力を受信して起動した撮影装置１のＲＦ−ＩＤ４７は、ＴＶ４５のＲＦ−ＩＤリーダライタ４６のポーリングに応答を行う（ステップＳ５４０２）。
【０２２５】
ステップＳ５４０２でポーリング応答を行った後、撮影装置１のＲＦ−ＩＤ４７とＴＶ４５のＲＦ−ＩＤリーダライタ部が互いに正規の装置であるかどうかの認証と、撮影装置１とＴＶ４５間でセキュアな情報通信を行うための暗号鍵の鍵シェアリング動作を含んだ相互認証を行う（ステップＳ５４０３）。この相互認証は、楕円暗号などの公開鍵暗号アルゴリズムを用いた相互認証処理であり、通常、ＨＤＭＩやＩＥＥＥ１３９４による通信の相互認証処理と同様の方法である。
【０２２６】
ステップＳ５４０３で、撮影装置１のＲＦ−ＩＤ４７とＴＶ４５のＲＦ−ＩＤリーダライタ４６で、相互認証処理を行い、互いに共通の暗号鍵を生成したのち、ＲＦ−ＩＤ４７から読み出し可能な第２メモリ５２に記憶されているサーバ特定情報５８から、サーバＵＲＬ生成情報８０を読み出し、第２アンテナ２１から、ＴＶ４５のＲＦ−ＩＤリーダライタ４６に送信する。サーバＵＲＬ生成情報８０の中には、サーバ４２のアドレス情報を示すサーバアドレス情報８１、サーバ４２へのログインＩＤ８３であるユーザ識別情報８２およびサーバ４２へのログインパスワードであるパスワード８４が含まれる。パスワード８４は、悪意ある第３者からの不正行為を防ぐために重要な情報であるので、あらかじめ暗号化された、暗号化されたパスワード８５として記憶され、ＴＶ４５に送信される場合もある。
【０２２７】
ステップＳ５４０４で、サーバＵＲＬ生成情報８０をＴＶ４５のＲＦ−ＩＤリーダライタ４６に送信された後、第２メモリ５２に記憶されている撮影画像状況情報５５を、サーバ特定情報５８と同様に、第２アンテナ２１からＴＶ４５のＲＦ−ＩＤリーダライタ４６に送信する（ステップＳ５４０５）。撮影画像状況情報５５としては、最終撮影時間６８（Ｃａｓｅ１）、未アップロード画像データの存在識別情報として、撮影画像毎に付与された未アップロードデータかどうかの判別が可能な存在識別子６４（Ｃａｓｅ２）、未アップロード画像情報をハッシュした情報６７（Ｃａｓｅ３）、あるいは、撮影画像に対して時系的に付与した画像番号の画像の最終番号６９（Ｃａｓｅ４）が送信される。これは、撮影装置１とサーバ４２の撮影画像の同期を確認するために必要な情報である。
【０２２８】
Ｃａｓｅ１では、撮影画像状況情報５５として最終撮影時間６８を適用する。よって、ＴＶ４５において、サーバ４２への最終アップロード時間と最終撮影時間６８を比較して、サーバ４２への最終アップロード時間よりも最終撮影時間６８が時系的に遅ければ、撮影装置１とサーバ４２に保持する画像情報の同期がとれていないとして、ＴＶ４５の表示部に同期が取れていないことを示す注意情報を表示する。
【０２２９】
Ｃａｓｅ２では、撮影画像状況情報５５として撮影画像毎に付与された未アップロードデータかどうかの判別が可能な存在識別子６４を適用する。よって、ＴＶ４５において、撮影画像毎に付与された未アップロードデータかどうかの判別が可能な存在識別子６４を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。
【０２３０】
Ｃａｓｅ３では、撮影画像状況情報５５として未アップロード画像情報をハッシュした情報６７を適用する。よって、ＴＶ４５において、未アップロード画像情報をハッシュした情報６７を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。
【０２３１】
Ｃａｓｅ４では、撮影画像状況情報５５として撮影画像に対して時系的に付与した画像番号の画像の最終番号６９を適用する。よって、ＴＶ４５において、サーバ４２から受信するサーバ４２へアップロードされた最終画像番号と、撮影装置１から送信される撮影画像に対して時系的に付与した画像番号の画像の最終番号６９を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。
【０２３２】
ステップＳ５４０５で、撮影装置１の第２アンテナ２１から、ＴＶ４５のＲＦ−ＩＤリーダライタ４６に撮影画像状況情報５５が送信された後、第２メモリ５２から、画像表示方法指示情報７７を、撮影画像状況情報５５と同様に、撮影装置１の第２アンテナ２１から、ＴＶ４５のＲＦ−ＩＤリーダライタ４６に送信する（ステップＳ５４０６）。画像表示方法指示情報７７は、ＴＶ４５の表示部において、サーバ４２からダウンロードした画像を、どのように表示するかを示した識別情報であり、画像の一覧形式表示することを示した一覧表示（指示子）７８やスライドショー形式で表示するためのスライドショー（指示子）７９で構成される。
【０２３３】
以上、撮影装置１のステップＳ５４０１〜ステップＳ５４０６のステップによって、撮影装置１の第２アンテナ２１から、ＴＶ４５のＲＦ−ＩＤリーダライタ４６に、撮影装置１の第２メモリ５２に記憶されているサーバＵＲＬ生成情報８０、撮影画像状況情報５５、および、画像表示方法指示情報７７を送信する。また、これらは、全て、相互認証時に撮影装置１とＴＶ４５でシェアリングした暗号鍵情報によって暗号化して送信することが望ましい。暗号化を行うことによって、撮影装置１とＴＶ４５間でセキュアな情報通信が可能となり、悪意ある第３者からの介入を防ぐことができる。
【０２３４】
また、サーバＵＲＬ生成情報８０をＴＶ４５に送信することによって、撮影装置１の第１アンテナ２０から送信するサーバ４２と、ＴＶ４５から画像をダウンロードするサーバが共通のサーバおよびディレクトリとなるために、撮影装置１で撮影してアップロードした画像を、ＴＶ４５で表示することが可能となる。
【０２３５】
また、撮影画像状況情報５５をＴＶ４５に送信することによって、撮影装置１の第３メモリ３３に記録されている撮影画像と、第１アンテナ２０によってサーバ４２にアップロードされた画像の同期が判定可能となって、同期が取れていないことをＴＶ４５で判定可能となり、同期が取れていないことを示すＴＶ４５で注意情報を表示することによって、ユーザの無用な混乱を防止することができる。
【０２３６】
また、画像表示方法指示情報７７をＴＶ４５に送信することによって、ＴＶ４５でユーザが画像の閲覧方法を指定することなく、ＴＶ４５に撮影装置１を近づけることによって、設定された閲覧方法で画像を閲覧することが可能となり、ＴＶ４５のリモコンなどによる複雑な操作を行うことなく、設定された閲覧方法で自動的に画像を表示することが可能となる。
【０２３７】
図４４は、本発明に係るＴＶシステムの特徴的な機能を示したブロック図である。
【０２３８】
本ＴＶ４５は、ＲＦ−ＩＤリーダライタ４６、復号部５５０４、ＵＲＬ生成部５５０５、通信部５５０６、送信部５５０７、通信インタフェース５５０８、受信部５５０９、データ処理部５５１０、メモリ部５５１１、表示部５５１２およびＣＰＵ５５１３から構成される。
【０２３９】
ＲＦ−ＩＤリーダライタ４６は、撮影装置１のＲＦ−ＩＤ４７と第２アンテナ２１を介して通信する部分であり、無線アンテナ５５０１、受信部５５０３、および通信可能装置検索部（ポーリング部）５５０２から構成される。
【０２４０】
無線アンテナ５５０１は、撮影装置１の第２アンテナ２１と近接無線通信を行う部分であり、汎用のＲＦ−ＩＤリーダライタの無線アンテナと同等の構成である。
【０２４１】
通信可能装置検索部（ポーリング部）５５０２は、複数のカメラのＲＦ−ＩＤ部に対して、送信（あるいは処理）要求がないか、一つ一つの相手に確認するポーリングを行う部分である。ポーリングに対して、撮影装置１のＲＦ−ＩＤ４７からポーリング応答があった場合には、相互認証動作を行い、ＴＶ４５と撮影装置１で、共通の暗号鍵をシェアリングする。
【０２４２】
受信部５５０３は、ポーリングに対してポーリング応答があり、相互認証が終了したとき、撮影装置１の第２アンテナ２１から、撮影装置１の第２メモリ５２に記憶されているサーバＵＲＬ生成情報８０、撮影画像状況情報５５および画像表示方法指示情報７７をそれぞれ受信する。
【０２４３】
復号部５５０４は、受信部５５０３で受信したサーバＵＲＬ生成情報８０、撮影画像状況情報５５および画像表示方法指示情報７７を復号する部分である。復号は、通信可能装置検索部（ポーリング部）５５０２で相互認証後に撮影装置１とＴＶ４５で共通化した暗号鍵を用いて、暗号化されているサーバＵＲＬ生成情報８０、撮影画像状況情報５５および画像表示方法指示情報７７を復号する。
【０２４４】
ＵＲＬ生成部５５０５は、サーバＵＲＬ生成情報８０から、サーバ４２にアクセスするためのＵＲＬ（Ｕｎｉｆｏｒｍ  Ｒｅｓｏｕｒｃｅ  Ｌｏｃａｔｏｒ）を生成して通信部に送信する。本ＵＲＬには、サーバ特定情報のほかに、サーバにログインするためのログインＩＤ８３、パスワード８５が含まれる。
【０２４５】
通信部５５０６は、通信インタフェース５５０８によって、汎用のネットワークを介して、サーバ４２と通信を行う部分である。
【０２４６】
送信部５５０７は、通信インタフェース５５０８を介して、ＵＲＬ生成部５５０５で生成したＵＲＬを送信して、サーバ４２と接続する。
【０２４７】
通信インタフェース５５０８は、汎用のネットワークを介して、サーバ４２と接続する通信インタフェースであり、有線／無線ＬＡＮ（Ｌｏｃａｌ  Ａｒｅａ  Ｎｅｔｗｏｒｋ）インタフェースなどで構成される。
【０２４８】
受信部５５０９は、通信インタフェース５５０８によって接続したサーバ４２から画像情報や画像表示スタイルシート（ＣＳＳ）を受信し、ダウンロードする部分である。
【０２４９】
データ処理部５５１０は、受信部５５０９でダウンロードした画像情報のデータ処理を行う部分であり、ダウンロードする画像が圧縮されている場合にはその伸張を、暗号化されている場合にはその復号を行い、画像表示スタイルシートに基づいた画像表示スタイルで、ダウンロードした画像情報を配列したりする。また、本データ処理部５５１０は、復号部で必要に応じて復号して得る撮影画像状況情報５５によって、撮影装置１に保存されている撮影画像情報と、サーバ４２にアップロードされた画像情報とに同期が確認されない場合には、表示部５５１２に同期がとれていないことを示す注意情報を表示して、ユーザの無用な混乱を防ぐ処理を行う。また、本データ処理部５５１０は、復号部５５０４からの画像表示方法指示情報７７に従って、ダウンロードした画像情報を表示する形態を設定する。例えば、画像表示方法指示情報７７の一覧表示（フラグ）７８がＯＮのときは、ダウンロードした画像の一覧表示を生成して、メモリ部５５１１に出力する。また、画像表示方法指示情報７７のスライドショーフラグ７９がＯＮのときは、ダウンロードした画像のスライドショーを生成して、メモリ部５５１１に出力する。
【０２５０】
メモリ部５５１１は、データ処理部５５１０でデータ処理された画像情報を一時記憶するメモリで構成される。
【０２５１】
表示部５５１２は、メモリ部５５１１に蓄積した、サーバ４２からダウンロードして、データ処理部５５１０でデータ処理した画像データを表示する部分である。
【０２５２】
以上のように、本発明に係るＴＶ４５は、撮影装置１のＲＦ−ＩＤ４７から受信するサーバＵＲＬ生成情報８０、撮影画像状況情報５５および画像表示方法指示情報７７に基づいて、サーバ４２と接続し、サーバ４２にアップロードされた画像情報をダウンロードして、表示部５５１２に表示する処理を行うことができる。これによって、撮影装置１のＳＤカードやフラッシュメモリによって構成される第３メモリ３３を取り出し、ＴＶ４５のカードリーダに装着して撮影済み画像の閲覧を行うという煩雑なユーザ処理を行うことなく、撮影装置１のＲＦ−ＩＤ４７をＴＶ４５のＲＦ−ＩＤリーダライタ４６にかざし、近接通信させるという簡単なユーザ操作によって、撮影済みの画像情報を表示し、閲覧することが可能となり、デジタル機器の操作に不慣れなユーザであっても、簡単に画像情報を閲覧可能な撮影画像閲覧システムを実現することが可能となる。
【０２５３】
図４５は、撮影装置１とＴＶ４５のＲＦ−ＩＤ無線近接通信動作を示したフローチャートである。
【０２５４】
まず、ＴＶ４５のＲＦ−ＩＤリーダライタ４６の通信可能装置検索部５５０２によって、通信可能な撮影装置１のＲＦ−ＩＤ４７を検索するための呼びかけ信号を送信する（ステップＳ５６０１）。
【０２５５】
撮影装置１のＲＦ−ＩＤ４７は、ＴＶ４５のＲＦ−ＩＤリーダライタ４６の通信可能装置検索部５５０２のポーリング信号を受信すると、第２電源部９１を起動し、ＲＦ−ＩＤリーダライタ４６を起動する（ステップＳ５６０２）。このとき、少なくとも第２電源部９１で動作可能なＲＦ−ＩＤ４７のみを起動すればよく、撮影装置１の機能をすべて起動する必要はない。
【０２５６】
ステップＳ５６０２で、撮影装置１のＲＦ−ＩＤ４７の起動が完了すると、ＴＶ４５のＲＦ−ＩＤリーダライタ４６のポーリングに対するポーリング応答を第２アンテナ２１から送信する（ステップＳ５６０３）。
【０２５７】
ステップＳ５６０３で、撮影装置１からポーリング応答がなされた後、ＴＶ４５のＲＦ−ＩＤリーダライタ４６の無線アンテナ５５０１で、ポーリング応答を受信する（ステップＳ５６０４）。
【０２５８】
ステップＳ５６０４で、ポーリング応答を受信した後、ポーリング応答を送信した撮影装置１が互いに通信可能な機器であるかどうかの判定を行う（ステップＳ５６０５）。判定の結果、互いに通信可能な機器ではないと判断した場合には、処理を終了する。一方、互いの機器により通信可能な機器であると判断された場合には、次の処理に進む。
【０２５９】
ステップＳ５６０５によって、互いに通信可能な機器であると判断された場合、互いの機器が正規の機器であるかどうかの判定を行うための相互認証処理を行う（ステップＳ５６０６）。この相互認証処理は、ＨＤＭＩやＩＥＥＥ１３９４で行う一般的な相互認証処理と同様であり、ＴＶ４５と撮影装置１でチャレンジデータの発行、レスポンスデータの確認を複数回行い、最終的には、双方で同じ暗号鍵を生成する処理であり、どちらかが不正な機器であれば、共通の暗号鍵が生成されず、以後の相互の通信が無効となる。
【０２６０】
一方、撮影装置１のＲＦ−ＩＤ４７でもＴＶ４５と同様に相互認証処理を行う。互いの複数回のチャレンジデータの生成および送信、レスポンスデータの受信および確認を行い、ＴＶ４５と同じ暗号鍵データを生成する（ステップＳ５６０７）。
【０２６１】
ステップＳ５６０７で、相互認証処理が完了すれば、撮影装置１の第２メモリ５２から、サーバ特定情報５８であるサーバＵＲＬ生成情報８０を読み出し、ＴＶ４５のＲＦ−ＩＤリーダライタ４６に総合認証で共通化した暗号鍵で暗号化して送信する（ステップＳ５６０８）。
【０２６２】
ステップＳ５６０８で、送信されたサーバＵＲＬ生成情報８０は、ＴＶ４５のＲＦ−ＩＤリーダライタ４６に受信部５５０３で受信され、復号部５５０４で、共通化した暗号鍵で復号され、サーバ４２にアクセスするためのＵＲＬをＵＲＬ生成部５５０５によって生成し、受信完了を撮影装置１に送信する（ステップＳ５６０９）。
【０２６３】
ステップＳ５６０９で受信完了が送信された後、撮影装置１の第２アンテナ２１で受信完了を受信し、第２メモリ５２から、撮影画像状況情報５５を読み出し、ＴＶ４５に送信する（ステップＳ５６１０）。撮影画像状況情報５５としては、最終撮影時間６８（Ｃａｓｅ１）、未アップロード画像データの存在識別情報として、撮影画像毎に付与された未アップロードデータかどうかの判別が可能な存在識別子６４（Ｃａｓｅ２）、未アップロード画像情報をハッシュした情報６７（Ｃａｓｅ３）、あるいは、撮影画像に対して時系的に付与した画像番号の画像の最終番号６９（Ｃａｓｅ４）が送信される。これは、撮影装置１とサーバ４２の撮影画像の同期を確認するために必要な情報である。
【０２６４】
ステップＳ５６１０で撮影装置１から撮影画像状況情報５５が送信された後、ＴＶ４５のＲＦ−ＩＤリーダライタ４６で撮影画像状況情報５５を受信して、受信完了を撮影装置１に送信する（ステップＳ５６１１）。また、ＴＶ４５のＣＰＵ５５１３では、受信する撮影画像状況情報５５に応じて以下の処理を行う。
【０２６５】
Ｃａｓｅ１では、撮影画像状況情報５５として最終撮影時間６８を適用する。よって、ＴＶ４５において、サーバ４２への最終アップロード時間と最終撮影時間６８を比較して、サーバ４２への最終アップロード時間よりも最終撮影時間６８が時系的に遅ければ、撮影装置１とサーバ４２に保持する画像情報の同期がとれていないとして、ＴＶ４５の表示部に同期が取れていないことを示す注意情報を表示する。
【０２６６】
Ｃａｓｅ２では、撮影画像状況情報５５として撮影画像毎に付与された未アップロードデータかどうかの判別が可能な存在識別子６４を適用する。よって、ＴＶ４５において、撮影画像毎に付与された未アップロードデータかどうかの判別が可能な存在識別子６４を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。
【０２６７】
Ｃａｓｅ３では、撮影画像状況情報５５として未アップロード画像情報をハッシュした情報６７を適用する。よって、ＴＶ４５において、未アップロード画像情報をハッシュした情報６７を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。
【０２６８】
Ｃａｓｅ４では、撮影画像状況情報５５として撮影画像に対して時系的に付与した画像番号の画像の最終番号６９を適用する。よって、ＴＶ４５において、サーバ４２から受信するサーバ４２へアップロードされた最終画像番号と、撮影装置１から送信される撮影画像に対して時系的に付与した画像番号の画像の最終番号６９を確認することによって、未アップロード画像が存在することが判別可能で、撮影装置１とサーバ４２に保持する画像情報の同期がとれていないとして、ＴＶ４５の表示部に同期が取れていないことを示す注意情報を表示する。
【０２６９】
Ｓ５６１１で、撮影画像状況情報５５の受信を完了し、受信完了を撮影装置１に送信した後、撮影装置１の第２メモリ５２から画像表示方法指示情報７７を読み出して、ＴＶ４５に送信する（ステップＳ５６１２）。画像表示方法指示情報７７には、一覧表示（フラグ）７８やスライドショー（フラグ）７９が含まれる。
【０２７０】
ステップＳ５６１２で、画像表示方法指示情報７７が送信された後、ＴＶ４５のＲＦ−ＩＤリーダライタ４６によって、画像表示方法指示情報７７が受信され、受信完了を撮影装置１に送信する（ステップＳ５６１３）。ＴＶ４５のデータ処理部５５１０は、受信した画像表示方法指示情報７７に基づいて、サーバ４２からダウンロードした画像の表示形態を作成する。例えば、画像表示方法指示情報７７の一覧表示フラグがＯＮのときは、ダウンロードした画像の一覧表示を作成してメモリ部５５１１に記憶し、表示部５５１２に一覧を表示する。一方、画像表示方法指示情報７７のスライドショーフラグがＯＮのときは、ダウンロードした画像のスライドショー表示を作成してメモリ部５５１１に記憶し、表示部５５１２にスライドショーを表示する。
【０２７１】
ステップＳ５６１３で、画像表示方法指示情報７７を受信した後、撮影装置１のＲＦ−ＩＤリーダライタ４６との通信を遮断する（ステップＳ５６１４）。
【０２７２】
次に、ＴＶシステムを起動する（ステップＳ５６１５）。ＴＶシステムの起動とは、表示部５５１２に、ダウンロードする画像データを表示するために、主電源をＯＮにすることである。ステップＳ５６１５でＴＶシステムを起動する以前は、少なくとも、ＴＶ４５のＲＦ−ＩＤリーダライタ４６が起動している状態であり、表示部５５１２の電源はＯＦＦでもかまわない。
【０２７３】
次に、通信部５５０６を起動して、ＵＲＬ生成部５５０５で生成したＵＲＬに基づいてサーバ４２に接続を行う（ステップＳ５６１６）。
【０２７４】
ステップＳ５６１６で、サーバ４２に接続した後、アップロード済みの画像データをＴＶ４５にダウンロードする（ステップＳ５６１７）。
【０２７５】
ステップＳ５６１７で、ダウンロードした画像を、データ処理部５５１０で、カメラからの画像表示方法指示情報７７に従って表示用の画像データを生成して、メモリ部５５１１に蓄積して、表示部５５１２に表示する（ステップＳ５６１８）。ＴＶ４５のデータ処理部５５１０は、受信した画像表示方法指示情報７７に基づいて、サーバ４２からダウンロードした画像の表示形態を作成する。例えば、画像表示方法指示情報７７の一覧表示フラグ７８がＯＮのときは、ダウンロードした画像の一覧表示を作成してメモリ部５５１１に記憶し、表示部５５１２に一覧を表示する。一方、画像表示方法指示情報７７のスライドショーフラグ７９がＯＮのときは、ダウンロードした画像のスライドショー表示を作成してメモリ部５５１１に記憶し、表示部５５１２にスライドショーを表示する。
【０２７６】
ステップＳ５６１７で、サーバ４２からダウンロードした画像の表示処理が完了すると、撮影装置１の第３メモリ３３に記録されている撮影画像と、サーバ４２からダウンロードした画像データとの間に同期が成り立っているかどうかの同期確認処理を行う（ステップＳ５６１９）。本処理は、撮影装置１からステップＳ５６１１で受信した撮影画像状況情報５５に基づいて行われる。撮影画像状況情報５５としては、最終撮影時間６８（Ｃａｓｅ１）、未アップロード画像データの存在識別情報として、撮影画像毎に付与された未アップロードデータかどうかの判別が可能な存在識別子６４（Ｃａｓｅ２）、未アップロード画像情報をハッシュした情報６７（Ｃａｓｅ３）、あるいは、撮影画像に対して時系的に付与した画像番号の画像の最終番号６９（Ｃａｓｅ４）が送信される。これは、撮影装置１とサーバ４２の撮影画像の同期を確認するために必要な情報である。
【０２７７】
図４６は、図４５のサーバ同期確認処理（ステップＳ５６１９）の撮影画像状況情報５５がＣａｓｅ１〜Ｃａｓｅ４のそれぞれにおける詳細な処理の流れを示したフローチャートである。
【０２７８】
Ｃａｓｅ１は、撮影画像状況情報５５が最終撮影時間６８であるときのフローチャートである。
【０２７９】
まず、ＴＶ４５の通信部５５０６によって、サーバ４２から、最終のアップデートに日時を取得する（アップデートされた画像の最終撮影日時でも、同様の効果）（ステップＳ５７０１）。
【０２８０】
次に、サーバ４２から取得した最終のアップデート日時と、撮影装置１からＲＦ−ＩＤリーダライタ４６からの撮影画像状況情報５５で示される最後に撮影した日時６８を比較する（ステップＳ５７０２）。最終アップロード日時が、最後に撮影した日時６８より以前の場合は、最終アップロードした時点の以後に画像を撮影し、撮影した画像がアップロードできていないと判定されるため、撮影装置１とサーバ４２の画像の同期が取れていないと判断しステップＳ５７０３のエラー表示処理に移る。一方、最終アップロード日時が、最後に撮影した日時６８と同等の場合には、撮影装置１とサーバ４２の画像の同期が行われているので、エラーを出力することなく、処理を終了する。
【０２８１】
ステップＳ５７０２で、撮影装置１とサーバ４２の同期が取れていないと判断した場合には、表示部５５１２に、同期が取れていないことを示す注意メッセージを出力する。この場合、最終アップロード日時と最後に撮影した日時６８の比較によって、どの時点からの撮影画像がアップロードできていないのかを示す時間情報を同時にメッセージとして出力すれば、ユーザにとってわかりやすいメッセージとなる。
【０２８２】
Ｃａｓｅ２は、撮影画像状況情報５５が撮影画像毎に付与された未アップロードデータかどうかの判別が可能な存在識別子６４であるときのフローチャートである。
【０２８３】
まず、撮影装置１からＲＦ−ＩＤリーダライタ４６からの撮影画像状況情報５５で示される未アップロード画像の存在識別情報の存在識別子から撮影装置１の第３メモリ３３に記録されている撮影画像のうち、サーバ４２にアップロードできていない画像があるかどうかを判定する（ステップＳ５７１１）。ステップＳ５７１１でアップロードできていない画像があると判定された場合には、ステップＳ５７１２のエラー表示処理に移る。一方、アップロードできていない画像がないと判定された場合には、撮影装置１とサーバ４２の画像の同期が行われているので、エラーを出力することなく、処理を終了する。
【０２８４】
ステップＳ５７１２で、撮影装置１とサーバ４２の同期が取れていないと判断した場合には、表示部５５１２に、同期が取れていないことを示す注意メッセージを出力する。
【０２８５】
Ｃａｓｅ３は、撮影画像状況情報５５が未アップロード画像情報をハッシュした情報６７であるときのフローチャートである。
【０２８６】
まず、撮影装置１からＲＦ−ＩＤリーダライタ４６からの撮影画像状況情報５５で示される未アップロード画像情報をハッシュした情報６７から撮影装置１の第３メモリ３３に記録されている撮影画像のうち、サーバ４２にアップロードできていない画像があるかどうかを判定する（ステップＳ５７２１）。ステップＳ５７２１は、ＮＵＬＬのハッシュ値をＴＶ４５で生成し、その比較によって、未アップロード画像があるかないかを判定する。ステップＳ５７２１でアップロードできていない画像があると判定された場合には、ステップＳ５７２２のエラー表示処理に移る。一方、アップロードできていない画像がないと判定された場合には、撮影装置１とサーバ４２の画像の同期が行われているので、エラーを出力することなく、処理を終了する。
【０２８７】
ステップＳ５７２２で、撮影装置１とサーバ４２の同期が取れていないと判断した場合には、表示部５５１２に、同期が取れていないことを示す注意メッセージを出力する。
【０２８８】
Ｃａｓｅ４は、撮影画像状況情報５５が撮影した画像に付与する番号のうち、最終の撮影画像の番号であるときのフローチャートである。
【０２８９】
まず、ＴＶ４５の通信部５５０６によって、サーバ４２から、最終のアップデート画像の画像番号を取得する（ステップＳ５７３１）。
【０２９０】
次に、サーバ４２から取得した最終アップロード画像の番号６９と、撮影装置１からＲＦ−ＩＤリーダライタ４６からの撮影画像状況情報５５で示される画像の最終番号６９を比較する（ステップＳ５７３２）。最終アップロード画像の番号が、最後に撮影した画像の番号６９より小さい場合は、最終アップロードした時点の以後に画像を撮影し、撮影した画像がアップロードできていないと判定されるため、撮影装置１とサーバ４２の画像の同期が取れていないと判断しステップＳ５７３３のエラー表示処理に移る。一方、最終アップロード画像の番号が、最後に撮影した画像の番号６９と同等の場合には、撮影装置１とサーバ４２の画像の同期が行われているので、エラーを出力することなく、処理を終了する。
【０２９１】
ステップＳ５７３２で、撮影装置１とサーバ４２の同期が取れていないと判断した場合には、表示部５５１２に、同期が取れていないことを示す注意メッセージを出力する。
【０２９２】
以上のＣａｓｅ１〜Ｃａｓｅ４のいずれの方法でも、撮影装置１で撮影した全画像がサーバ４２にアップロードできていない、すなわち同期できていない場合には、表示部５５１２に撮影した全画像を表示することができないが、同期が取れていないことが判定可能となるため、ユーザにわかりやすいメッセージを表示することが可能となり、ユーザの無用な混乱を避けることができる。
【０２９３】
図４７は、（１）撮影装置１からサーバ４２に撮影画像をアップロードする場合、（２）撮影装置１とＴＶ４５のＲＦ−ＩＤ通信の場合のそれぞれのデータフォーマットである。
【０２９４】
まず、（１）撮影装置１からサーバ４２に撮影画像をアップロードする場合のデータフォーマット５９４０を説明する。本フォーマットには、カメラＩＤ５９０１、サーバアドレス５９０２、サーバログインＩＤ５９０３、サーバログインパスワード５９０４、画像ディレクトリ５９０５およびアップロード画像数５９０６が含まれる。
【０２９５】
カメラＩＤ５９０１は、カメラ毎に固有に付与されているカメラ固有ＩＤであり、撮影装置１の第２メモリ５２のカメラＩＤ部７６に記録されているＩＤ情報である。本ＩＤ情報は、サーバ４２へのログインＩＤとして用いることで、ユーザによってログインＩＤの入力を行うことなく、撮影装置１ごとに一意のサーバアドレスを付与することが可能となる。また、サーバ４２で、撮影したカメラ毎に、撮影画像を管理することも可能となる。
【０２９６】
サーバアドレス５９０２は、撮影装置１の第２メモリ５２のサーバ特定情報５８のサーバアドレス情報８１の内容である。これによって、アップロードしたサーバをＴＶ４５側で特定することができる。
【０２９７】
サーバログインＩＤ５９０３は、撮影装置１の第２メモリ５２のサーバ特定情報５８のユーザ識別情報８２であるログインＩＤ８３の内容である。これによって、撮影装置１からアップロードしたサーバへの同一アカウントでのログインがＴＶ４５でも可能となる。
【０２９８】
サーバログインパスワード５９０４は、撮影装置１の第２メモリ５２のサーバ特定情報５８のパスワード８４の内容である。これによって、撮影装置１からアップロードしたサーバへの同一アカウントでのログインがＴＶ４５でも可能となる。
【０２９９】
アップロード画像数５９０６は、サーバへアップロードする画像数である。これには、撮影装置１の第２メモリ５２の未アップロード画像の枚数６５に記憶されている画像数と同等の枚数であり、撮影後、サーバにアップロードされていない画像数が記載される。
【０３００】
本フォーマットの送信以後、撮影装置１の第３メモリ３３に記録され、かつ、サーバにアップロードされていない画像がアップロードされる。
【０３０１】
次に、（２）撮影装置１とＴＶ４５のＲＦ−ＩＤ通信の場合のそれぞれのデータフォーマット５９５０について説明する。本フォーマットは、カメラＩＤ５９１１、サーバアドレス５９０２、サーバログインＩＤ５９１３、サーバログインパスワード５９１４、最終撮影日時５９１５、未アップロードであることが判定可能な識別情報５９１６、未アップロード画像情報をハッシュした情報５９１７、最終撮影画像の画像番号５９１８および画像表示方法指示情報５９１９から構成される。
【０３０２】
カメラＩＤ５９１１は、カメラ毎に固有に付与されているカメラ固有ＩＤであり、撮影装置１の第２メモリ５２のカメラＩＤ部７６に記録されているＩＤ情報である。本ＩＤ情報は、ＴＶ４５からサーバ４２へのログインＩＤとして用いることで、ユーザによってログインＩＤの入力を行うことなく、撮影装置１ごとに一意のサーバアドレスを付与することが可能となる。また、撮影装置１のＲＦ−ＩＤ４７とＴＶ４５のＲＦ−ＩＤリーダライタ４６との相互認証時に用いることもある。
【０３０３】
サーバアドレス５９１２は、撮影装置１の第２メモリ５２のサーバ特定情報５８のサーバアドレス情報８１の内容である。これによって、アップロードしたサーバをＴＶ４５側で特定することができる。
【０３０４】
サーバログインＩＤ５９１３は、撮影装置１の第２メモリ５２のサーバ特定情報５８のユーザ識別情報８２であるログインＩＤ８３の内容である。これによって、撮影装置１からアップロードしたサーバへの同一アカウントでのログインがＴＶ４５でも可能となる。
【０３０５】
サーバログインパスワード５９１４は、撮影装置１の第２メモリ５２のサーバ特定情報５８のパスワード８４の内容である。これによって、撮影装置１からアップロードしたサーバへの同一アカウントでのログインがＴＶ４５でも可能となる。
【０３０６】
最終撮影日時５９１５は、撮影装置１の第２メモリ５２の撮影画像状況情報５５の最後に撮影した時間６８に対応する情報であり、ＴＶ４５側で、サーバ４２と撮影装置１の撮影画像の同期確認に用いられる。
【０３０７】
未アップロードであることが判定可能な識別情報５９１６は、撮影装置１の第２メモリ５２の撮影画像状況情報５５の未アップロード画像データ存在識別情報に対応する情報であり、ＴＶ４５側で、サーバ４２と撮影装置１の撮影画像の同期確認に用いられる。また、本未アップロードであることが判定可能な識別情報５９１６は、各撮影画像を識別可能な画像ＩＤ５９２８に対して、サーバへのアップロードが完了しているかどうかを示すアップロードフラグ５９２６が付与されている形態である。これによって、撮影画像１枚１枚ごとにサーバにアップロードしているかどうかの判定が可能となる。
【０３０８】
未アップロード画像情報をハッシュした情報５９１７は、撮影装置１の第２メモリ５２の撮影画像状況情報５５の未アップロード画像情報をハッシュした情報６７に対応する情報であり、ＴＶ４５側で、サーバ４２と撮影装置１の撮影画像の同期確認に用いられる。
【０３０９】
最終撮影画像の画像番号５９１８は、撮影装置１の第２メモリ５２の撮影画像状況情報５５の撮影画像の最終番号６９に対応する情報であり、ＴＶ４５側で、サーバ４２と撮影装置１の撮影画像の同期確認に用いられる。
【０３１０】
画像表示方法指示情報５９１９は、撮影装置１の第２メモリ５２の撮影画像状況情報５５の画像表示方法指示情報７７に対応する情報であり、ＴＶ４５側で、サーバ４２からダウンロードした画像の閲覧方法を指定する識別情報で構成される。
【０３１１】
画像表示方法指示情報５９１９は、画像ＩＤ５９２７ごとに、一覧表示フラグ５９２０、スライドショーフラグ５９２１、印刷フラグ５９２２、動画再生フラグ５９２３、ダウンロードフラグ５９２４およびセキュリティパスワード５９２５から構成される。
【０３１２】
画像ＩＤ５９２７は、撮影画像に一意の情報であり、撮影装置１によって撮影時に時系列的に付与される。
【０３１３】
一覧表示フラグ５９２０は、撮影装置１の第２メモリ５２の一覧表示（フラグ）７８に対応し、ＴＶ４５においてサーバ４２からダウンロードした画像情報の閲覧を一覧形式にするかどうかのフラグである。ＴＶ４５のデータ処理部５５１０は、このフラグが“ｙｅｓ”の場合には、ダウンロードした画像の一覧表示を作成して、メモリ部５５１１に記憶し、表示部５５１２に一覧形式で表示する。
【０３１４】
スライドショーフラグは、撮影装置１の第２メモリ５２のスライドショー（フラグ）７９に対応し、ＴＶ４５においてサーバ４２からダウンロードした画像情報の閲覧をスライドショーにするかどうかのフラグである。ＴＶ４５のデータ処理部５５１０は、このフラグが“ａｕｔｏｍａｔｉｃ”の場合には、ダウンロードした画像のスライドショーを作成して、メモリ部５５１１に記憶し、表示部５５１２にスライドショーで表示する。一方、本スライドショーフラグが、“ｍａｎｕａｌ”である場合には、ユーザ指示によってスライドショーを実施することを許可する。また、“ｄｉｓａｂｌｅ”の場合には、スライドショー表示を許可しない。
【０３１５】
印刷フラグ５９２２は、ＴＶ４５にダウンロードして表示部５５１２にて表示する画像が、ＴＶ４５に接続された図示しないプリンタによって印刷可能かを示すフラグである。これは、撮影装置１の第２メモリ５２の画像表示方法指示情報７７内に図示していないが、印刷フラグを設けることによって、印刷可能かどうかの設定を行うことができ、ユーザの画像使用に関する利便性を向上させることが可能となる。
【０３１６】
動画再生フラグ５９２３は、撮影装置１で動画情報を撮影し、サーバ４２にアップロードした場合、ＴＶ４５にて動画をダウンロードし、閲覧することを許可するかどうかのフラグである。撮影装置１にて動画撮影機能が存在する場合には、第２メモリ５２の画像表示方法指示情報７７に本動画再生フラグ５９２３を付与することによって、動画像の再生を許可するかどうかの設定を追加することが可能となり、ユーザの煩雑な操作をすることなく、動画像の再生管理を行うことが可能となる。
【０３１７】
ダウンロードフラグ５９２４は、サーバ４２にアップロードされた画像や動画をＴＶ４５のメモリにダウンロード（コピー）することが可能かどうかを示す識別子である。このフラグを用いれば、撮影画像を許可されない第３者によって、コピーさせることがなくなるので、著作権の保護にも繋げることが可能となる。
【０３１８】
セキュリティパスワード５９２５は、前述の画像の閲覧、印刷およびダウンロードを許可したユーザのみ可能とするためのパスワード情報である。本実施形態では、前述の画像の閲覧、印刷およびダウンロードに対して、同じパスワード設定をする形態で説明するが、それぞれ異なるパスワードを設定できるようにするほうが、各レベルでのセキュリティ対策が実施できるのでなお良い。
【０３１９】
以上のように、本発明のシステムを用いれば、撮影装置１は撮影画像を第１アンテナによって接続されるサーバにアップロードされる。また、撮影装置１をＴＶ４５のＲＦ−ＩＤリーダライタ４６にかざせば、撮影装置１のＲＦ−ＩＤ４７から、サーバＵＲＬ生成情報８０、撮影画像状況情報５５および画像表示方法指示情報７７をＲＦ−ＩＤ通信によって、ＴＶ４５に送信し、ＴＶ４５は、撮影装置１によって撮影画像をアップロードしたサーバに接続し、撮影装置１にて撮影した画像をＴＶ４５にダウンロードして表示する。また、撮影画像状況情報５５によって、サーバ４２と撮影装置１の撮影画像情報の同期を確認して、同期が取れていない場合には、その旨をＴＶ４５の表示部５５１２に表示する。よって、ユーザは、従来までの記録メモリをカメラから抜き出し、ＴＶ４５にセットして閲覧する必要のあった撮影画像の表示を、撮影装置１をＴＶ４５にかざすだけで対応できるようにすることが可能となる。これによって、デジタル機器の操作に慣れないユーザであっても簡単に撮影画像をＴＶ４５に表示することができる。
【０３２０】
（実施の形態３）
本発明の第３の実施形態について述べる。
【０３２１】
まず、第３の実施形態の概略を説明する。図４８は実施形態３の電子カタログ表示システムの概略構成図である。実施形態３の電子カタログ表示システムは、ＲＦ−ＩＤライタ部５０１を備えた電子カタログサーバ情報入力機５００と、ＲＦ−ＩＤ４７を備えた電子カタログ通知カード５０２と、ＲＦ−ＩＤリーダ部５０４とネットワーク通信部５０９を備えたＴＶ４５と、電子カタログデータベース５０７と顧客属性データベース５０８を備えた電子カタログサーバ５０６を備える。
【０３２２】
電子カタログサーバ情報入力機５００は、ユーザ（電子カタログのサービス提供者）から入力された電子カタログサーバ情報を、ＲＦ−ＩＤライタ部５０１から、電子カタログ通知カード５０２に貼付されたＲＦ−ＩＤ４７に書き込む。この電子カタログサーバ情報が書き込まれた電子カタログ通知カード５０２を、ユーザ（電子カタログのサービス利用者）が、ＴＶ４５に近づけることにより、ＴＶ４５が備えるＲＦ−ＩＤリーダ部５０４がＲＦ−ＩＤ４７に書き込まれた電子カタログサーバ情報を読み取る。さらに、ＴＶ４５は、読み取った電子カタログサーバ情報を基に、ネットワーク通信部５０９を介してネットワーク上に設置された電子カタログサーバ５０６に電子カタログの取得要求を送信する。また、ＴＶ４５は、電子カタログ取得要求を電子カタログサーバに送信する際に、あらかじめＴＶ４５に入力されていたユーザ情報も同時に電子カタログサーバ５０６に送信する。電子カタログサーバ５０６は、ＴＶ４５からの電子カタログ送信要求およびユーザ情報を受信し、まずユーザ情報を基に、顧客属性データベース５０８から顧客属性データを取得する。次に、顧客属性データを基に、電子カタログデータベース５０７から対応する電子カタログデータを取得する。そして、取得した電子カタログデータを、電子カタログ要求を発したＴＶ４５に対して送信する。ＴＶ４５は、電子カタログサーバ５０６から受信した電子カタログデータを画面に表示し、ユーザ（電子カタログのサービス利用者）からの電子カタログデータ内の商品の購入操作を受け付ける。
【０３２３】
以下に、実施形態３の電子カタログ表示システムの詳細を説明する。
【０３２４】
図４９は実施形態３の電子カタログサーバ情報入力機の構成を示す機能ブロック図である。まず、キー入力受付部５２０が、ユーザ（電子カタログのサービス提供者）が操作する入力キーからの入力を受け取り、電子カタログサーバ情報を取得する。キー入力受付部５２０が取得する電子カタログサーバ情報は、ＵＲＬ等のサーバアドレスと、サーバログインＩＤと、サーバログインパスワードと、電子カタログ表示用パスワードと、電子カタログに含まれる商品の画像を一覧（サムネイル）表示するのかそれとも逐次（スライド）表示するのかを示す電子カタログ表示情報と、ＲＦ−ＩＤが貼付先となるカードやハガキ等の媒体を示すメディア識別情報である。キー入力受付部５２０が取得した電子カタログサーバ情報を、記憶部５２２に格納する。次に、電子カタログサーバ情報が入力された後に、ＲＦ−ＩＤ送信キー等が入力されると、ＲＦ−ＩＤ送信入力受付部５２１が送信部５２３に送信要求を通知し、送信部５２３は、記憶部５２２から電子カタログサーバ情報を読み出し、アンテナ部５２４から電子カタログサーバ情報を送信する。電子カタログサーバ情報入力機の処理の詳細を、図５０のフローチャートで示す。
【０３２５】
図５１は、電子カタログ通知カード５０２が備えるＲＦ−ＩＤ４７の構成を示すブロック図である。ＲＦ−ＩＤ４７の構成および処理は、第１、第２の実施の形態で説明したものと同様である。第２アンテナ２１から受信した信号から第２電源部９１が電流を取り出して各部へ電源供給を行い、データ受信部１０５と第２処理部９５と記録部１０６が、受信したデータを第２メモリ５２へ記録する。
【０３２６】
図５２は、ＴＶ４５の構成を示す機能ブロック図である。実施形態３でのＴＶ４５の構成は、第２の実施の形態での構成に、ユーザ情報入力部５８８を追加した構成である。あらかじめユーザ（電子カタログのサービス利用者）が入力した、ユーザ自身の属性に関するユーザ情報をユーザ情報入力部５８８が受け付け、メモリ部５８３にいったん格納する。ユーザ情報として、例えばユーザの性別情報や年齢情報が好ましいが、これら以外にも、居住地や家族構成等のように電子カタログから提供される商品データの選別に利用可能な個人情報であってもよい。このユーザ情報は、ＵＲＬ生成部が生成した電子カタログサーバのＵＲＬとともに、通信部５０９を介して電子カタログサーバに送信される。第１の実施の形態と同様、本実施形態でも、電子カタログサービス利用者が、電子カタログ通知カード５０２をＴＶ４５のＲＦ−ＩＤリーダ部５０４に近づけることで、ＴＶ４５が電子カタログサーバ情報を受信し、これを用いてサーバのＵＲＬを生成し、サーバに接続する。この処理の詳細は、第１の実施形態の図７〜図２０で示した処理と同様である。
【０３２７】
図５３は電子カタログサーバ５０６の構成を示す機能ブロック図である。電子カタログサーバ５０６は、通信部６００を介して、ＴＶ４５から送信された電子カタログ送信先アドレス（ＴＶ４５と電子カタログサーバ５０６が属するネットワーク上でのＴＶ４５のネットワークアドレス）とユーザ情報を受信する。次に、顧客属性データ取得部が受信したユーザ情報を基に、顧客属性データベース５０８から顧客属性データを取得する。例えば、ユーザ情報の中にＴＶ４５を使用するユーザの性別と年齢が含まれている場合は、図５７に示すデータ構造を持つ顧客属性データベース５０８から年齢と性別に対応する商品ジャンルや商品価格帯の情報を顧客属性データとして取得する。そして、電子カタログデータ取得部６０２が、顧客属性データを基に電子カタログデータベース５０７から電子カタログデータを取得する。例えば、顧客属性データに商品ジャンルと商品価格帯が含まれている場合は、図５８に示すデータ構造を持つ電子カタログデータベース５０７から商品ジャンルと商品価格帯に対応する商品データをまとめて電子カタログデータとして取得する。電子カタログデータ取得部６０２で取得した電子カタログデータは、通信部６００を介して、電子カタログ送信先アドレスが示すＴＶ４５に送信される。電子カタログサーバ５０６の処理の詳細を図５４のフローチャートで示す。
【０３２８】
次に、図５５に示したフローチャートを用いて、電子カタログデータをダウンロードした後のＴＶ４５の処理を説明する。Ｓ６３０〜Ｓ６３２におけるＲＦ−ＩＤから電子カタログサーバ情報を取得する処理は、電子カタログデータをダウンロードしていない場合もダウンロード完了後でも共通である。Ｓ６３３で、ＲＦ−ＩＤから受信した電子カタログサーバ情報に対応する電子カタログデータの、ダウンロードおよび表示が完了しているかを判定し、ダウンロードが完了していない場合は、Ｓ６３４およびＳ６３５でサーバから電子カタログデータをダウンロードする。このデータのダウンロード処理は第１の実施の形態におけるデータのダウンロード処理と同様である。
【０３２９】
Ｓ６３３で電子カタログデータがダウンロード済みであった場合は、あらかじめ設定した所定のキー、例えば確定キーのキー信号を発行し、表示している電子カタログデータに対する操作を実行する。例えば、図５６に示した電子カタログデータの画面表示例のように、表示中の電子カタログデータに対してユーザが次に行うべき操作を２、３の少ない選択肢で提示する画面構成とし、さらに図５６中の選択肢６５２と６５３で示されるように、一定時間経過毎に選択候補を示すフォーカスが選択肢間を移動するような画面構成とする。このようにすれば、ユーザは自身が希望する選択肢にフォーカスがある時に、ＲＦ−ＩＤ４７を備えた電子カタログ通知カード５０２をＴＶ４５にかざすことで、電子カタログデータの選択や、各データにおける購入などの操作を実行することができる。
【０３３０】
なお、本実施形態の電子カタログ通知カード５０２上のＲＦ−ＩＤ４７が内蔵する第２メモリ５２は、ＲＯＭ（ＲｅａｄＯｎｌｙＭｅｍｏｒｙ）であってもよい。この場合、電子カタログサーバ情報入力機５００は、ＲＦ−ＩＤ製造工程におけるＲＦ−ＩＤメモリデータ入力機、またはＲＦ−ＩＤ製造システムにおけるＲＦ−ＩＤメモリデータ入力手段となる。一般的に、書き換え可能メモリを有するＲＦ−ＩＤよりもＲＯＭを有するＲＦ−ＩＤの方が安価に構成できるため、電子カタログ通知カードを大量に送付する電子カタログサービス提供者にとっては、ＲＯＭ型ＲＦ−ＩＤを利用することでコストを抑えることができる。
【０３３１】
なお、本実施形態では、ＴＶ４５の画面構成として、図５６中の選択肢６５２と６５３で示されるように、一定時間経過毎に選択候補を示すフォーカスが選択肢間を移動するとしたが、ＲＦ−ＩＤ４７を備えた電子カタログ通知カード５０２を使用して、画面表示した電子カタログデータを操作する方法はこれに限定されない。例えば、ＴＶ４５の受信部５７１が、ＲＦ−ＩＤから送信される情報を連続して受信し、その連続する受信数を計測することによって、ＲＦ−ＩＤがＴＶ４５に近づけられている時間を取得し、そのＲＦ−ＩＤ近接時間を基に、画面表示された選択候補を示すフォーカスを移動させてもよい。このような構成とすることで、ＲＦ−ＩＤをＴＶに近づけている間だけ、画面上に表示されたフォーカスが移動して選択候補を変更し、ＲＦ−ＩＤをＴＶから離したところでフォーカスの移動も停止し、さらにフォーカスの移動停止後、一定時間が経過すると、フォーカスが停止していた選択候補の選択が確定するという、電子カタログの操作が可能となる。この電子カタログ操作方法では、一定時間毎に自動的に選択候補を巡回するフォーカスが、ユーザの所望する選択肢までまわってくることを待つことなく、ユーザがＲＦ−ＩＤを用いて能動的に電子カタログを操作できるという効果が得られる。
【０３３２】
なお、本実施形態で電子カタログサーバ情報入力機５００は、キー入力受付部５２０が、ユーザ（電子カタログのサービス提供者）が操作する入力キーからの入力を受け取り、電子カタログサーバ情報を取得する構成としたが、電子カタログサーバ情報入力機が画像サーバとの通信インタフェースを備え、画像サーバが、電子カタログサーバ情報入力機に送信するサーバ情報を保持し、電子カタログサーバ情報入力機が画像サーバからサーバ情報を受信して取得する構成としてもよい。このような構成にすることにより、画像サーバにサーバ情報を入力しておけば、電子カタログサーバ情報入力機側で画像サーバを入力する必要がなく、特に１つの画像サーバに対して複数の電子カタログサーバ情報入力機を運用する場合において、利便性が高い。
【０３３３】
従来はパソコン等の電子機器操作に精通していないユーザがネットショッピングを利用するために機器の操作を習得しなければならないことが課題であったが、以上のように、第３の実施の形態で述べたシステムを用いれば、電子カタログを利用するユーザは、受け取ったカードや葉書をＴＶに近づけるだけで、ネットショッピング等を利用することができ、パソコンや携帯電話等のインターネット端末に慣れ親しんでいないユーザであっても、容易にＴＶ画面上でショッピングを楽しむことができるようになる。
【０３３４】
（実施の形態４）
本発明の第４の実施形態について述べる。
【０３３５】
図５９は実施形態４の概略構成図である。本実施形態では、画像サーバへアクセスするためのＲＦ−ＩＤが貼付された葉書を、遠隔地に送付する方法について説明する。まず、葉書の送付元となる第１ユーザが、ＲＦ−ＩＤ４７を備えた撮影装置１をＴＶ４５のＲＦ−ＩＤリーダライタ４６に近づけると、ＴＶ４５が画像サーバ４２に接続するためのサーバＵＲＬを生成し、画像サーバ４２から画像データを取得し、画面に表示する。この処理は、第１の実施の形態と同様である。次に、第１ユーザが、ＴＶ４５に表示された画像の中から、葉書に印刷したい画像と、葉書に関連付けて登録したい（遠隔地に居る第２ユーザに見せたい）画像を、ＴＶ４５に対応するリモコン等の入力手段を用いて選択する。さらに第１ユーザは、葉書の送付先住所等の送付先情報もリモコン等を用いて入力する。ＴＶ４５は、第１ユーザが選択した葉書に印刷する画像のＩＤと、葉書に登録する画像のＩＤと、葉書送付先情報を画像サーバ４２に送信する。画像サーバ４２は、受信した印刷画像ＩＤに対応する画像データを取得し、画像データと葉書送付先情報をプリンタ８００に送信する。プリンタ８００は、画像データと葉書送付先住所を、葉書に印刷する。また、画像サーバ４２は、画像サーバ情報入力機５００に、ＴＶ４５から受信した登録画像ＩＤを送信し、同時に、ＵＲＬ等のサーバアドレスと、サーバログインＩＤと、サーバログインパスワードと、画像表示用パスワードと、画像を一覧（サムネイル）表示するのかそれとも逐次（スライド）表示するのかを示す画像表示情報と、ＲＦ−ＩＤの貼付先となるカードやハガキ等の媒体を示すメディア識別情報を含む画像サーバ情報を送信する。画像サーバ情報入力機５００は、画像サーバ情報と登録画像ＩＤを、プリンタで画像と送付先情報を印刷した葉書のＲＦ−ＩＤ４７に書き込む。印刷とＲＦ−ＩＤへの書き込みが行われた葉書８０１は、印刷された送付先に郵送され、第１ユーザが送付先として指定した第２ユーザがこの葉書８０１を取得する。第２ユーザが、郵送された葉書を、第２ユーザのＴＶ４５のＲＦ−ＩＤリーダライタ４６に近づけると、ＴＶ４５は、ＲＦ−ＩＤ４７が格納する画像サーバ情報と登録画像ＩＤを取得し、登録画像ＩＤに対応する画像データをサーバからダウンロードおよび表示する。
【０３３６】
本実施形態の撮影装置１の構成および処理は第１の実施の形態と同様である。
【０３３７】
図６０は、本実施形態のＴＶ４５の構成を示すブロック図である。受信部８１１は、無線アンテナ５７０を介して撮影装置１もしくは葉書８０１のＲＦ−ＩＤ４７から画像サーバ情報を受信するが、葉書８０１のＲＦ−ＩＤ４７が登録画像ＩＤを有する場合は、登録画像ＩＤも受信する。また、画像選択部５８４は、キー部５８５および赤外線受光部５８６を介してユーザの画像選択操作を受け付け、第１ユーザが葉書に印刷するために選択した画像のＩＤ（印刷画像ＩＤ）と、葉書に登録するために選んだ画像のＩＤ（登録画像ＩＤ）を取得し、これらを通信部５０９へ送る。この画像選択操作時にＴＶ４５に表示する画面表示例を図６１に示す。図６１中の８２１が葉書に印刷する画像を選択する画面表示であり、図６１中の８２０が葉書に登録する画像を選択する画面表示である。また、葉書送付先情報入力部８１０は、キー部５８５および赤外線受光部５８６を介してユーザの文字入力操作を受け付け、葉書の送付先となる住所および宛名を含む葉書送付先情報を取得し、通信部５０９へ送る。葉書送付先情報を入力する際の画面表示例を図６１中の８２３に示す。通信部５０９は、送信部５７５および通信インタフェース５７６を介して、葉書送付先情報と印刷画像ＩＤと登録画像ＩＤを画像サーバに送信する。
【０３３８】
図６２は、画像サーバ４２とプリンタ８００と画像サーバ情報入力機５００が、葉書８０１を送付できるように準備する処理を示すフローチャートである。印刷とＲＦ−ＩＤへの書込みが行われた葉書８０１は、印刷された送付先に郵送され、第１ユーザが送付先として指定した第２ユーザがこの葉書８０１を取得する。第２ユーザが受け取った葉書８０１を、ＴＶ４５にかざすと、受信部８１１が無線アンテナ５７０を介して、ＲＦ−ＩＤ４７が送信した画像サーバ情報および登録画像ＩＤを受信する。画像サーバ情報および登録画像ＩＤの中で暗号化された情報は、復号部５７２で復号化される。次にＵＲＬ生成部５７３が、画像サーバ４２に格納された画像データの中から、登録画像ＩＤに対応する画像データのみをＴＶ４５にダウンロードするＵＲＬを生成する。具体的には、生成するＵＲＬの中でサーバの内部ディレクトリを指定したり、ＵＲＬオプションとして登録画像ＩＤをＵＲＬに埋め込む手法を利用することができる。ＵＲＬ生成部５７３で生成したサーバを指定するＵＲＬを用いて、ＴＶ４５が画像サーバにアクセスして画像データを取得する処理の詳細は、第１の実施の形態で説明した処理と同様である。
【０３３９】
なお、本実施形態では、ユーザがＴＶ４５に送付先情報を入力する構成としたが、住所や宛名等の送付先情報だけでなく、葉書に画像とともに印刷するメッセージも入力してもよい。ＴＶ４５が受け付けた入力メッセージは、送付先情報と同様に、ＴＶ４５から画像サーバ４２に送られ、さらにプリンタ８００で葉書に印刷される。ＴＶ４５での印刷用のメッセージの入力画面例を、図６１の８２２に示す。このように葉書に印刷する葉書を選択できるだけでなく、画像に添えるメッセージを入力できるようにすることで、ＲＦ−ＩＤ付き葉書を作成する自由度が上がる。
【０３４０】
なお、本実施形態のＴＶ４５において、第３の実施形態でＲＦ−ＩＤを用いて画面表示された電子カタログを操作する処理と同様に、ＲＦ−ＩＤ付き葉書を用いて、ＴＶ４５に表示した画像を操作できる構成としてもよい。
【０３４１】
以上のように、第４の実施形態で述べたシステムを用いれば、手元にＲＦ−ＩＤが貼付された葉書を用意することなく、離れた所にいる相手にＲＦ−ＩＤ付葉書を郵送することができるとともに、画像サーバに格納した画像を葉書に印刷して送付したい場合も、ＴＶ画面上の操作で印刷したい画像を選択することができるので高い利便性が得られる。
【０３４２】
従来は遠隔地にいる相手にテレビなどの大画面表示機器で画像を見せるためには、遠隔地側のユーザが機器操作を習得したり、遠隔地に操作習得者が赴いて機器を操作したり、遠隔地にある表示機器を遠隔操作する必要があったが、本システムでは、遠隔地のユーザがＲＦ−ＩＤ付の葉書等、物理的な媒介物を表示機器に近づけるという簡単な操作で容易に画像を閲覧することができる。
【０３４３】
（実施の形態５）
本発明の第５の形態では、ハガキ等の郵送物に固定の情報が書き込まれており、撮影装置では書き込まれた固定情報とサーバに保存された画像または画像グループ（画像情報）とを紐付けし、再生側ではハガキ等に付けられたＲＦ−ＩＤから固定情報を読み出すことで、固定情報に関連付けられた画像の閲覧を可能にする構成について説明を行う（図６３）。図６３では、まず郵送物に記録された固定情報を撮影装置で読み取り、画像と郵送物固有ＩＤとの関連づけを行いサーバに登録する。登録が完了した郵送物を受け取ったユーザは、郵送物をテレビジョンのＲＦ−ＩＤリーダに近づけることで固定情報の読み出しを行い、固有情報を用いてサーバに問い合わせを行うことで郵送物に関連づけられた画像の閲覧を行う。
【０３４４】
本実施の形態のポイントは、郵送物につけられたＲＦ−ＩＤの情報が書き換えできない（ＲＯＭ）または、書き換えできない環境であるという点であり、郵送物の固定情報の書き換えを行なわずにサーバの画像情報と郵送物の関連付けを行う点である。
【０３４５】
＜撮影装置での画像のアップロードと郵送物との関連づけ＞
撮影装置により撮影した画像は、先の実施の形態で説明した方法によりサーバにアップロードされる。この時、アップロードした画像または画像グループ毎に識別子が付与され、この識別子によりサーバ上の画像または画像グループが識別可能となる。
【０３４６】
以下、撮影装置により撮影されサーバへアップロードされた画像または画像グループと、郵送物のＲＦ−ＩＤのタグに記録された固定情報との関連付け方法について説明を行う。なお、郵送物のＲＦ−ＩＤに記録されている固定情報は図６４のようになる。図６４（ａ）は、郵送物に固有の郵送物固有ＩＤと画像サーバへアクセスするためのアドレス等の情報を、図６４（ｂ）は郵送物固有ＩＤと中継サーバにアクセスするためのアドレス等の情報を、図６４（ｃ）は郵送物固有ＩＤのみ記録されている例である。なお、これ以外にサーバにアクセスするためのログインＩＤやパスワード情報を格納していることもあるが、本実施の形態ではサーバにアクセスするために必要となる情報は、アドレス情報を含むＵＲＬに含まれているとする。
【０３４７】
図６５は、撮影装置がＲＦ−ＩＤリーダの機能を持つ場合のＲＦ−ＩＤとサーバに記録された画像情報との関連付けのフローチャートである。
【０３４８】
撮影装置では、まず、郵送物のＲＦ−ＩＤに格納された情報をＲＦ−ＩＤリーダを用いて読み出す（Ｓ２５００）。具体的には、図３の第２アンテナ２１より、郵送物のＲＦ−ＩＤと通信を行い、データ受信部１０５により郵送物の固定情報を受信する。その後、第２処理部９５により処理を行い、記録部１０６、第２メモリ５２、記録再生部５１を経由して第１処理部３５へ読み出した郵送物の情報が転送される。第１処理部では、郵送物より読み出した郵送物固有ＩＤと、画像または画像グループとの関連付けをユーザの指示により決定する（Ｓ２５０１）。その後、第１アンテナ２０を経由してサーバ４２へアクセスし（Ｓ２５０２）、郵送物固有ＩＤとサーバに格納されている画像情報との関連付け情報をサーバに登録する（Ｓ２５０３）。
【０３４９】
読み出した郵送物に格納された固定情報に画像サーバのアドレスまたはアドレスを含むＵＲＬが記録されていた場合には、以上で処理は終了である。郵送物に格納された固定情報に画像サーバのアドレスまたはアドレスを含むＵＲＬが記録されていない場合には、中継サーバへの設定を行う（図６６）。
【０３５０】
中継サーバへの設定では、まず中継サーバへのアクセスを行う（Ｓ２５１０）。なお、中継サーバのアドレスまたはアドレスを含むＵＲＬが郵送物から読み出した情報にある場合には、読み出した情報に含まれる中継サーバを、無い場合いは撮影装置側にあらかじめ設定されている中継サーバにアクセスする。
【０３５１】
中継サーバと接続後、中継サーバのデータベースに郵送物固有ＩＤをリダイレクト先（転送先）のサーバとの関連付け設定を行う（Ｓ２５１１）。これにより中継サーバのデータベースに郵送物固有ＩＤと転送先のアドレスの対応が登録される。
【０３５２】
撮影装置がＲＦ−ＩＤリーダの機能を持たない場合で、かつ、郵送物にＲＦ−ＩＤリーダの情報を記録した２次元コード等が印刷されている場合は、撮影装置の撮像部を用いて撮影を行い、２次元コードとして記録された情報を読み出すことで郵送物のＲＦ−ＩＤに記録されている固定情報と同じ情報を読み出す。２次元コードとしては、ＱＲコード、ＰＤＦ４１７、ベリコード、マキシコードなどがあるが、ここに書かれているもの以外のものでも撮影装置により撮影することで情報の取り込みが行なえるものであればどのようなものを利用してもよい。また、印刷領域面積が増えてしまうが、一次元方向のみのバーコードを利用した場合でも本実施の形態と同様の効果が期待できる。
【０３５３】
図６７は、ＲＦ−ＩＤ部２５２０が取り付けられ、同一の情報が記録された二次元コード２５２１が印刷された郵送物の例である。二次元コードを撮影装置で読み込む場合のデータの流れを図３の構成図を用いて説明する。郵送物に印刷された二次元コードは、撮像部３０により撮影され、映像処理部３１により画像に変換された後、記録再生部３２を経由して第１処理部３５へ送られる。第１処理部３５では、撮影された二次元コードを解析し、二次元コードに記録されている情報を取り出す。二次元コードに記録されている情報は、ＲＦ−ＩＤに記録されている情報と基本的には同一であり、少なくとも郵送物固有ＩＤを含んでいる。
【０３５４】
以下、図６８を用いて、二次元コードから情報を読み出してサーバの画像または画像グループと関連付けを行うまでの処理の流れを説明する。
【０３５５】
まず、撮像部により２次元コードの撮影を行う（Ｓ２５３０）。次に撮影された画像が二次元コードであるかどうかの判定を行い（Ｓ２５３１）、二次元コードでない場合には、エラー処理を行う（Ｓ２５３２）。なお、二次元コードでない場合には、通常の撮影処理を行ってもよい。二次元コードである場合には、二次元コードの解析を行い（Ｓ２５３３）、解析結果から郵送物の情報を読み出す（Ｓ２５３４）。郵送物の固定情報が読み出された後は、郵送物固有ＩＤとサーバの画像情報の関連づけを決定し（Ｓ２５３５）、サーバへアクセスし（Ｓ２５３６）、関連付け情報をサーバに設定する（Ｓ２５３７）。Ｓ２５３５〜Ｓ２５３７の処理は図６５のＳ２５０１〜Ｓ２５０３の処理と同じである。なお、読み出した情報に画像サーバのアドレスまたはアドレスを含むＵＲＬが記録されていない場合には、中継サーバへの転送設定処理を行う。中継サーバへの設定処理は、先に説明した図６６の処理となる。
【０３５６】
以上により、郵送物に印刷された二次元バーコードの情報を読み取ることで、ＲＦ−ＩＤに記録された情報とサーバの画像情報との関連付けが完了する。
【０３５７】
撮影装置がＲＦ−ＩＤリーダ機能を持たず、郵送物に二次元コード等のコードが印刷されていない場合、郵送物に印刷された郵送物固有ＩＤやサーバアドレスなどのＵＲＬを直接撮影装置に手入力することで、郵送物の情報を撮影装置で情報を読み出すことも可能である。手入力は、図２の７〜１５のボタン操作等により行う。なお、ＵＲＬや郵送物の固有ＩＤは、直接平文で印刷されていても、入力しやすいコードに符号化されていてもよい。符号化されている場合は、入力完了後に撮影装置でデコード処理を行い、郵送物のＲＦ−ＩＤの記録されている情報を取り出す。
【０３５８】
以上により、ＲＦ−ＩＤリーダ機能を持たず、かつ、二次元バーコード等が印刷されていない場合でも、郵送物とサーバの画像情報との関連付けを行うことができる。
【０３５９】
＜郵送物のＲＦ−ＩＤを用いた画像再生および閲覧＞
次に、関連付けが完了している郵送物を用いて、テレビジョンでサーバに記録されている画像を閲覧する手順について説明する。
【０３６０】
図６９は、郵送物のＲＦ−ＩＤを読み込んで画像サーバにアクセスするまでのテレビジョンの処理フローである。
【０３６１】
郵送物をテレビジョンのＲＦ−ＩＤリーダに近づけると、郵送物のＲＦ−ＩＤの情報がテレビジョンに読み込まれる（Ｓ２５４０）。読み込まれた情報にサーバアドレスまたサーバアドレスを含むＵＲＬが存在する場合には（Ｓ２５４１）、指定されたサーバへアクセスし（Ｓ２５４２）、郵送物固有ＩＤを送信する（Ｓ２５４３）。なお、相手が中継サーバであった場合には（Ｓ２５４４）、中継サーバにより指定されたサーバへのリダイレクトが行なわれ（２５４７）、画像サーバの画像または画像グループへのアクセスが行なわれる（Ｓ２５４８）。Ｓ２５４４において、相手が画像サーバであった場合には、リダイレクトは行なわれず、画像サーバへのアクセスが行なわれる（Ｓ２５４８）。また、郵送物に記録されていた情報にサーバアドレスが存在していない場合、テレビジョンにあらかじめ設定されているデフォルトのサーバへのアクセスが行なわれ（Ｓ２５４５）、郵送物固有ＩＤをデフォルトのサーバへ送信する（Ｓ２５４６）。その後、指定されたサーバへのリダイレクトがおこなわれ（Ｓ２５４７）、画像サーバへのアクセスが行われる。
【０３６２】
なお、中継サーバまたは、デフォルトのサーバのデータベースに郵送物固有ＩＤと中継する先のサーバの対応付けが登録されていない場合は、エラーページへのリダイレクトが行なわれる。図７０は、郵送物固有ＩＤを受信した後の中継サーバおよびデフォルトのサーバの処理フローである。郵送物固有ＩＤを受け取ると（Ｓ２５５０）、この固有ＩＤに関連する情報がデータベースに記録されているか検索する（Ｓ２５５１）。データベースに記録されている場合は（Ｓ２５５２）、固有ＩＤに関連づけられてデータベースに記録されているサーバへのリダイレクトを行う（Ｓ２５５４）。もし、関連付けがない場合には、エラーページへのリダイレクトが行なわれる（Ｓ２５５３）。
【０３６３】
以上のように、あらかじめＲＦ−ＩＤの情報が固定されている郵送物と画像サーバの画像情報の関連付けを行ない、関連付けが行なわれた郵送物をテレビジョンにかざすことで、郵送物のＲＦ−ＩＤの書き換えを行うことなく、画像サーバに記録され郵送物固有ＩＤに関連付けられた画像または画像グループを閲覧することができる。これは例えば、外出先などで郵送物のＲＦ−ＩＤの書き換えが出来ない場合や郵送物のＲＦ−ＩＤが書き換え不能なものであっても、サーバの画像と郵送物との関連付けが行なえるようになり、郵送物を受け取った側に郵送物に関連づけた画像を閲覧させることができるようになる。
【０３６４】
なお、本実施の形態では、サーバにアクセス後、郵送物固有ＩＤを送信するとしたが、郵送物に記録された郵送物固有ＩＤとサーバアドレスからＵＲＬを生成し、これを用いてサーバにアクセスしてもよい。この場合は、サーバへのアクセスと郵送物固有ＩＤの送信を同時に行うことが可能となる。
【０３６５】
本実施の形態によれば、例えば、観光先等のようにＲＦ−ＩＤの書き換えが出来ない環境下でも、撮影した写真とハガキを関連づけることができ、関連づけたハガキを知人に送ることで、ハガキを受け取った知人がテレビジョンにハガキをかざすことで観光先での写真を閲覧させることが可能となる。このように、ＲＦ−ＩＤの書き換えが出来ない環境であっても、サーバの画像情報と関連付けを行なった郵送物を作成し、閲覧させたい相手に送ることができるようになる。
【０３６６】
なお、撮影装置に郵送物のＲＦ−ＩＤを書き換えるためのＲＦ−ＩＤライタ機能が備わっている場合は、次に説明する第６の実施の形態のテレビジョン装置で郵送物とサーバの画像情報を関連づけるフローと処理は同じになるのでここでの説明は省略する。
【０３６７】
（実施の形態６）
本発明の実施の形態６では、撮影装置にて撮影された画像が、画像サーバにアップロードされた後、画像送信側の利用者（以後、送信者と記載する）が画像サーバの画像から画像グループを選定し、この画像グループにアクセスするための情報が郵送物上のＲＦ−ＩＤに記録され、画像受信側の利用者（以後、受信者と記載する）の下へ郵送され、この郵送物上のＲＦ−ＩＤを用いて受信者による画像サーバの画像グループへのアクセスを実現する構成について説明する。
【０３６８】
図７１は、本発明の第６の実施の形態における画像送信側の構成を示す概略図であり、図７２は本発明の実施の形態６における画像受信側の構成を示す概略図である。なお、図７１と図７２において、図１および図３と同じ構成要素については同じ符号を用い、説明を省略する。
【０３６９】
図７１と図７２において、郵送物３００１は、画像送信側から画像受信側へ郵送されるはがき、または、封筒、便箋などの郵送物を示し、ＲＦ−ＩＤ部３００２は、書き換え可能なＲＦ−ＩＤであり、その少なくとも一部の領域が書き換え可能なメモリ部３００３を内包している。ＲＦ−ＩＤ部３００２は、郵送物３００１に貼り付け、あるいは漉き込まれており、郵送物と共に画像受信側へ送付されるものである。
【０３７０】
また、ＲＦ−ＩＤ部３００２については、先の実施の形態で述べた通り、このＲＦ−ＩＤ部が属する媒体が郵送物であることを識別するためのメディア識別情報が、メモリ部３００３に記録されている。
【０３７１】
図７２において、テレビジョン３０４５は、先の実施の形態で述べた図７１のＴＶ４５と同等の機能を有する画像受信側に設置されたテレビジョン表示装置であり、図７１のＴＶ４５と同様に、ＲＦ−ＩＤリーダライタ部３０４６（図７１のＲＦ−ＩＤリーダライタ４６に相当）と、表示部３０４７（図７１の表示部１１０に相当）を有し、更に図には示されていないネットワーク接続手段によってインターネット４０と接続されている。
【０３７２】
上記構成に関して、次にその動作を説明する。
【０３７３】
＜画像送信側の画像グループ選定、郵送物への書き込み＞
図７１の画像送信側において、撮影装置１で撮影された画像は、撮影装置１に搭載された無線ＬＡＮ、或いはＷｉＭＡＸなどの無線通信用の第２アンテナ２０を用いて無線アクセスポイントに送られ、インターネット４０を介して画像サーバ４２の画像データ５０として記録される。そして、撮影装置１をＴＶ４５のＲＦ−ＩＤリーダライタ４６に近づけて、撮影装置１に搭載されたＲＦ−ＩＤのための第１アンテナ２１を介した無線通信により、ＴＶ４５との接続を確立する。ＴＶ４５は、画像サーバ４２の画像データ５０へのアクセスのための情報を撮影装置１より取得し、画像データ５０の画像をダウンロードして表示部１１０への表示を行う。以上の動作は、先の実施の形態で述べた動作と同様であり、概要のみ述べたものである。
【０３７４】
次に送信者は、ＴＶ４５の表示部１１０に表示された画像を確認しながら、画像毎に受信者へ送信する画像であるか否か、言い換えれば、受信者の閲覧を許可するか否かを示す送信画像選択情報を設定していく。更には、先の実施の形態で述べた表示限定、スライドショー、プリントなどの利用形態情報を、受信者に対して設定することもできる。これら送信画像選択情報と利用形態情報は、画像サーバに送信、記録され、送信画像選択情報によって送信画像として選択された画像の集合を画像グループとして画像サーバで管理される。
【０３７５】
以降、送信者により選定された画像グループに関する情報が郵送物３００１に記録される過程を、ＴＶ４５の動作フロー図７３を用いて説明する。
【０３７６】
送信者は、上述の通りの送信画像選択、利用形態情報を設定した画像グループの作成が完了している状態にて、ＲＦ−ＩＤ部３００２を有する郵送物３００１を、ＴＶ４５のＲＦ−ＩＤリーダライタ４６に近づけて、ＲＦ−ＩＤ部３００２とＲＦ−ＩＤリーダライタ４６が無線通信できるようにする。
【０３７７】
ＴＶ４５は、ＲＦ−ＩＤリーダライタ４６を介して郵送物３００１上のＲＦ−ＩＤ部３００２と通信が可能となると、メモリ部３００３に記録された情報の読み込みを行い（Ｓ３１０１）、その中のメディア識別情報から現在の通信対象が郵送物であること識別して、郵送物に対する書き込み処理の流れに移行する（Ｓ３１０２）。なお、ステップＳ３１０２での条件判断が成立しない場合については、特に触れていないが、各媒体に応じた処理に移行するものとする。
【０３７８】
郵送物３００１に対する書き込み処理は、まず、インターネット４０を介して画像サーバ４２へアクセスし（Ｓ３１０３）、画像受信側が前述の画像サーバ４２上の画像グループにアクセスするためのサーバＵＲＬ、画像グループアドレスなどの画像グループ指定情報を、画像サーバ４２より取得する（Ｓ３１０４）。
【０３７９】
画像サーバより取得した画像グループ指定情報は、郵送物３００１内のメモリ部３００３に書き込みを行うために、ＴＶ４５のＲＦ−ＩＤリーダライタ４６を介して、郵送物３００１のＲＦ−ＩＤ部３００２に送信され、ＲＦ−ＩＤ部３００２によりメモリ部３００３の書き換え可能領域へ記録される（Ｓ３１０５）。
【０３８０】
以上のようにして、画像グループ指定情報が記録された郵送物３００１は、送信者により投函され、画像受信側の利用者の下に郵送される。
【０３８１】
＜画像受信側の画像再生および閲覧＞
次に、画像受信側について、画像受信側構成の概略図である図７２と画像受信側テレビジョンの動作フロー図である図７４を用いて説明する。
【０３８２】
図７２において、受信者は、送信者から郵送されてきた郵送物３００１を受け取り、受信者は、ＲＦ−ＩＤ部３００２、或いは、郵送物３００１上に記載された文字情報、または意匠により、その郵送物に画像へのアクセスのための手段が組み込まれていることを認知する。ここで、受信者は郵送物３００１により画像へのアクセスが可能であることを理解しているだけでよく、ＲＦ−ＩＤ部３００２の画像グループ指定情報についてなどを特に意識する必要はない。
【０３８３】
受信者は、画像を再生および閲覧するにあたり、郵送物３００１を画像受信側に設置されたテレビジョン３０４５のＲＦ−ＩＤリーダライタ部３０４６に近づけることで、画像の閲覧を開始することが出来る。
【０３８４】
郵送物３００１上のＲＦ−ＩＤ部３００２が、テレビジョン３０４５のＲＦ−ＩＤリーダライタ部３０４６に十分に近づくと、ＲＦ−ＩＤリーダライタ部３０４６は、図示されていないＲＦ−ＩＤリーダライタ部３０４６とＲＦ−ＩＤ部３００２の双方のアンテナを介して電力供給を行い、それにより郵送物３００１のＲＦ−ＩＤ部３００２が起動され、テレビジョン３０４５と郵送物３００１のＲＦ−ＩＤ部３００２との無線通信が開始される。無線通信が開始されるとテレビジョン３０４５は、ＲＦ−ＩＤ部３００２のメモリ部３００３に記録されている情報の読み込みを行う（Ｓ３１５１）。
【０３８５】
読み込まれた情報の中のメディア識別情報から現在の通信対象が郵便物であることを識別した場合は、送信者により設定された画像グループを画像サーバ４２より読み出す処理の流れに移行する（Ｓ３１５２）。
【０３８６】
画像サーバ４２へのアクセスは、先のステップＳ３１５１にてＲＦ−ＩＤ部３００２より読み込まれた情報の中の画像グループ指定情報、例えば、サーバＵＲＬ、画像グループアドレスなどから画像サーバ４２上の画像グループへのアクセスのためのＵＲＬを生成し、インターネット４０を介してアクセスすることが可能となる（Ｓ３１５３）。
【０３８７】
以上の過程で、画像サーバ４２と接続されたテレビジョン３０４５は、画像サーバ４２上の画像データ５０から、画像サーバ４２が管理する画像グループの送信画像選択情報に従って、表示許可された画像を読み込み（Ｓ３１５４）、読み込んだ画像を表示部１１０に表示する（Ｓ３１５５）。
【０３８８】
更に、テレビジョン３０４５を介して受信者は、画像サーバ４２が管理する画像グループの送信画像選択情報と利用形態情報に従って、スライドショーの再生、画像の印刷、また、図示されていないテレビジョン３０４５に付属、或いは外部接続された記憶媒体への画像のダウンロードなどの機能を利用することが可能となる。
【０３８９】
加えて、上述の画像の印刷は、図示していないＬＡＮ上のプリンタでの印刷のみならず、インターネット４０を介した写真プリントサービスに対しての印刷依頼を行うことも可能である。
【０３９０】
以上の通り、本発明の上記構成によると、郵送物３００１上のＲＦ−ＩＤ部３００２により画像グループ指定情報が画像受信側のテレビジョン３０４５に伝達されることで、画像を取得するためのネットワーク・アクセス先の文字入力作業などを行う手間を掛ける必要がなくなる。即ち、郵送物３００１をテレビジョン３０４５に近づけるという、直感的で平易な操作により画像サーバ４２に格納された画像データ５０へのアクセスが可能となり、受信者にメニュー選択や文字入力などの煩雑な手順を行う知識を要求することなく画像サーバを介した画像の受け渡しを実現している。
【０３９１】
なお、上述の本実施の形態において、郵送物３００１は、予めＲＦ−ＩＤ部３００２が貼り付け、或いは、漉き込まれた状態として説明しているが、通常のはがきや便箋などの郵送物に、別途に提供される単体のＲＦ−ＩＤ部３００２を貼り付けることで作成されてもよく、これによれば、後からＲＦ−ＩＤ部を貼り付けて、上述の効果を得ることができるため、送信側利用者の好みに応じた任意の郵送物に対して利用できるという新たな利点が生じる。
【０３９２】
また、画像サーバ４２へのアクセスにログイン操作が必要な場合は、郵送物３００１上のＲＦ−ＩＤ部３００２のメモリ部３００３の書き換え可能領域への書き込みの際（ステップＳ３１０５）にサーバログインＩＤとサーバログインパスワードを記録してもよい。更には、ログインＩＤとログインパスワードは平文ではなく、暗号化された形式で記録することで安全性を確保することが望ましい。
【０３９３】
また、上述の本実施の形態において、送信画像の選択、利用形態情報の設定、および、郵送物３００１上のＲＦ−ＩＤ部３００２への画像グループ指定情報の書き込みは、画像送信側のＴＶ４５にて行っているが、これに替えて、ＲＦ−ＩＤリーダライタ機能を有する撮影装置１で、送信画像選択情報と利用形態情報の設定、画像グループ指定情報の書き込みを行っても、上述と同様に、受信者の平易な操作による画像の受け渡しを可能とする効果が得られる。
【０３９４】
＜派生する他の一例＞
図７５は、本発明の実施の形態６における別の一形態の画像送信側のＴＶ４５の動作を示すフロー図である。なお、図７５において、図７３と同じ処理となるステップは同じ符号を用い、その説明を略する。
【０３９５】
本実施の形態においては、郵送物３００１上のＲＦ−ＩＤ部３００２のメモリ部３００３に、予め郵送物固有ＩＤが記録されている。そして、この郵便物固有ＩＤは、メモリ部３００３のＲＯＭ領域に記録されていることが、不慮の動作によるデータ破損やデータ改ざんなどのリスクを低減できる点で望ましい。このときのメモリ部３００３のデータ構造の一例を示す構成図を図７６に示す。
【０３９６】
上述のＲＦ−ＩＤ部によると、画像送信側のＴＶ４５にて、送信画像選択情報、利用形態情報の設定が行われ、画像グループが画像サーバ４２上に設定されている状況において、図７５（ａ）のフローに従って、ＴＶ４５の動作は次のようになる。
【０３９７】
郵送物ＲＦ−ＩＤの情報読み込み（Ｓ３１０１）、メディア識別情報による郵便物であることの認定（Ｓ３１０２）の後、ＴＶ４５は、郵送物固有ＩＤを取得する。郵送物固有ＩＤについては、ステップＳ３１０１で読み込んだ情報を用いても、改めてＲＦ−ＩＤ部３００２より取得しても何れでもよい。次に、ＴＶ４５は、インターネット４０を介して画像サーバ４２へのアクセスを行い（Ｓ３２０２）、ＴＶ４５より郵送物固有ＩＤが画像サーバ４２に送信され、画像サーバ４２は、送られた郵便物固有ＩＤと画像グループのアドレスとの関連付けを行い、その情報を記録および管理する（Ｓ３２０３）。
【０３９８】
ＴＶ４５は、画像受信側から画像サーバ４２にアクセスするためのサーバＵＲＬを画像サーバ４２より取得し（Ｓ３２０４）、取得したサーバＵＲＬは、ＲＦ−ＩＤリーダライタ４６を介して、郵送物３００１のＲＦ−ＩＤ部３００２のメモリ部３００３の書き換え可能領域に書き込まれる（Ｓ３２０５）。
【０３９９】
以上の様に、画像サーバ側で画像グループと郵送物固有ＩＤが関連付けされて記録および管理されると、郵便物固有ＩＤ毎に利用形態情報を分けて管理することが可能となり、複数の郵送物３００１が存在する場合に、個々の郵便物毎に、即ち、異なる受信者毎に画像受信時の動作を変更することが可能となる。
【０４００】
これは、本実施の形態の初めに述べた構成において、個々の郵便物毎に画像グループをそれぞれ設定し、異なる画像グループアドレスを各々生成して、それぞれＲＦ−ＩＤ部に書き込むことで画像受信側に対する同様の効果が得られるが、個別に画像グループを設定するという画像送信側の煩雑の操作が発生する。
【０４０１】
そのため、同一の送信画像の選択であれば上述の様に郵便物の固有ＩＤを用いて個別に利用形態情報を記録、管理することで送信者の操作の軽減、画像サーバ側においては、送信画像選択情報を別々に保管する必要がなくなる分の記憶容量低減の更なる効果が得られる。
【０４０２】
図７５（ｂ）について、図７５（ａ）に対して異なる部分は、ステップＳ３２１４とステップＳ３２１５であり、ステップＳ３２１４では、サーバＵＲＬに加えて画像グループアドレスを取得し、ステップＳ３２１５では、サーバＵＲＬに加えて画像グループアドレスをＲＦ−ＩＤ部３００２のメモリ部３００３の書き込み可能領域へ書き込んでいる。
【０４０３】
これにより、画像受信側から画像受信の際に、画像サーバ４２の画像グループを指定したアクセスが行われるが、こととき、画像サーバで記録および管理されている画像グループ内の郵送物固有ＩＤとアクセスを要求している受信者が使用している郵便物の固有ＩＤが一致した場合のみアクセス許可することで、安全性の向上を図ることができる。
【０４０４】
従来は遠隔地にいる相手にテレビなどの大画面表示機器で画像を見せるためには、遠隔地側のユーザが機器操作を習得したり、遠隔地に操作習得者が赴いて機器を操作したり、遠隔地にある表示機器を遠隔操作する必要があったが、実施の形態４と同様に、本システムでも、遠隔地のユーザがＲＦ−ＩＤ付の葉書等、物理的な媒介物を表示機器に近づけるという簡単な操作で容易に画像を閲覧することができる。実施の形態４では、ＲＦ−ＩＤ付葉書の作成およびＲＦ−ＩＤへのデータ書き込みをユーザ（画像の撮影／送信者や画像の閲覧者）が行うのではなく、サービス事業者が行う形態であったが、本実施の形態では、画像送信側の利用者（送信者）がＲＦ−ＩＤ付葉書の作成およびＲＦ−ＩＤへのデータ書き込みを行う点で異なる。
【０４０５】
（実施の形態７）
本実施の形態では、本発明のＲＦ−ＩＤカードを用いて機器の設定を変更する方法に関して述べる。
【０４０６】
以下では、図７７、図７８を用いて、ＲＦ−ＩＤカードを用いてレコーダの設定を変更する方法に関して説明する。
【０４０７】
図７７は、本発明のレコーダの構成を示すブロック図である。
【０４０８】
レコーダ２０００は、チューナ２００１から取得した放送コンテンツのＨＤＤ２００８や光ディスクドライブ２００９への録画や、録画コンテンツや光ディスクドライブ２００９で読み取った映像・音楽コンテンツのＴＶ４５での再生を行う。
【０４０９】
入力信号処理部２００２は、チューナ２００１から入力されたアナログ信号をデジタル信号に変換するＡ／Ｄコンバータや、スクランブルされたコンテンツをデコードするデコーダ、ＭＰＥＧ−２などの映像フォーマットに変換するエンコーダを備え、入力された映像・音声信号を所定の映像・音声フォーマット形式に変換する。
【０４１０】
出力信号処理部２００３は、デジタル信号をアナログ信号に変換するＤ／Ａコンバータや、ＭＰＥＧ−２などの映像フォーマットからのデコードを行うデコーダを備え、ＴＶ４５への映像、音声出力を行う。
【０４１１】
システム制御部２００４は、レコーダ２０００の動作を制御し、レコーダ２０００の設定を切り替える設定情報処理部２０１１を備えている。設定情報処理部２０１１に関しては、後に詳細に説明する。
【０４１２】
メモリ２００５は、レコーダ２０００の識別情報であるレコーダＩＤ２０１２や、レコーダ２０００の設定情報である設定情報２０１３が格納されている。
【０４１３】
操作入力部２００６は、図示されていないリモコンやフロントパネルのボタンなどからのユーザ操作による入力を受け付ける。
【０４１４】
通信部２００７は、インターネットやＬＡＮなどにより、サーバ４２への接続を行う。
【０４１５】
ＨＤＤ２００８は、入力信号処理部２００２から得られた録画コンテンツやコンテンツリストなどを記録する領域である。
【０４１６】
光ディスクドライブ２００９は、ＤＶＤやＢｌｕ−ｒａｙ  Ｄｉｓｃなどの光ディスクの記録再生を行うドライブで、入力信号処理部２００２から得られた録画コンテンツやコンテンツリストなどの記録や、映像・音楽コンテンツの入った光ディスクの再生を行う。
【０４１７】
レコーダ２０００の入力信号処理部２００２、出力信号処理部２００３、システム制御部２００４、ＨＤＤ２００８、光ディスクドライブ２００９は、バス２０１０を介して相互接続されている。
【０４１８】
ここで、設定情報処理部２０１１に関して詳細に説明する。
【０４１９】
設定情報処理部２０１１は、メモリ２００５に格納されている設定情報２０１３に応じて、レコーダ２０００のメニュー画面などの表示設定や録画・再生モード設定、録画コンテンツのチャプター設定やユーザの嗜好などに応じた番組推薦などの設定を行う。具体的には、例えば、設定情報２０１３に格納されている“メニュー画面背景色：黒”などを示す識別子を読み取って、出力信号処理部２００３へのメニュー画面出力要求を行う際に、背景色を“黒”で表示する指示を出力する。
【０４２０】
なお、設定情報２０１３はＨＤＤ２００８や、図示されていないＳＤカードなどの外部記録手段に格納しても良い。特に、ＨＤＤ２００８に格納されている録画コンテンツに関するチャプターなどの設定情報や、サイズの大きい情報などは、ＨＤＤ２００８に格納すると効率が良い情報である。
【０４２１】
設定情報２０１３は、従来は、機器購入時にすでに設定されているか、操作入力部２００６からのユーザ操作によって設定されるが、本発明では、設定情報２０１３をＲＦ−ＩＤリーダライタ４６から得られた情報を基に変更することが出来る。
【０４２２】
図７８は、レコーダ２０００のＲＦ−ＩＤリーダライタ４６で読み取ることで、レコーダ２０００の設定を変更するＲＦ−ＩＤカードの構成を示すブロック図である。
【０４２３】
ＲＦ−ＩＤカード２１００は、メモリ２１０１、アンテナ２１、電源部９１、データ受信部１０５、データ転送部１０８、処理部２１０２、記録部１０６、再生部１０７から構成される。
【０４２４】
アンテナ２１をＲＦ−ＩＤリーダライタ４６に近づけると、ＲＦ−ＩＤリーダライタ４６よりアンテナ２１を介して電源部９１に電力が供給され、ＲＦ−ＩＤカード２１００の各部に電源が供給される。
【０４２５】
ＲＦ−ＩＤリーダライタ４６からのデータ記録および再生などの情報は、データ受信部１０５で受信し、処理部２１０２に送られる。
【０４２６】
処理部２１０２は、記録部１０６によるメモリ２１０１へのデータ記録や、再生部１０７によるメモリ２１０１からのデータの再生を行う。
【０４２７】
データ転送部１０８は、処理部２１０２から送信されたデータをアンテナ２１を介してＲＦ−ＩＤリーダライタ４６へと送信する。
【０４２８】
メモリ２１０１には、ＵＩＤ７５、メディア識別情報１１１、機器操作情報２１０３が格納されている。
【０４２９】
ＵＩＤ７５とメディア識別情報１１１は、ＲＦ−ＩＤカード２１００識別に用いられる情報である。
【０４３０】
ＵＩＤ７５は、ＲＦ−ＩＤカード２１００の固有ＩＤである。
【０４３１】
メディア識別情報１１１には、カードであるという識別子が記録されている。
【０４３２】
機器操作情報２１０３は、ＲＦ−ＩＤカード２１００を用いて操作を行う対象の機器に関する情報と機器の操作に関する情報が格納されている。
【０４３３】
操作機器識別情報２１０４には、操作を行う機器の種別を示す情報が格納されている。格納されている情報は、メディア識別情報１１１と同じ識別子を用い、図７８では、レコーダであるという識別子が記録されている。
【０４３４】
対象機器情報２１０５は、特定の機器に対してのみ操作を行いたい場合に用いる情報が格納されており、図７８では、レコーダ２０００の識別情報であるレコーダＩＤ２０１２が格納されている。なお、本発明のＲＦ−ＩＤカード２１００を使用する機器が限られている場合、例えばレコーダのみで使用する場合には、操作機器識別情報２１０４や対象機器情報２１０５は機器操作情報２１０３に含まれていなくても良い。また、設定情報処理部２０１１がカードによって設定を変更することを想定した構成となっている場合は、メディア識別情報１１１も、メモリ２１０１に含まれていなくても良い。
【０４３５】
操作指示情報２１０６は、機器に行う操作内容を示す情報で、図７８では、設定変更を示す情報２１０９、設定の変更を行う対象を示す情報２１１０、設定情報を取得する際に通信を実施することを示す情報２１１１が格納されている。
【０４３６】
なお、操作指示情報２１０６は、１つの操作に対する情報だけとは限らず、複数の操作に関する情報から構成されていても良いし、複数の操作を組み合わせたプログラムになっていてもよい。
【０４３７】
通信情報２１０７は、操作指示情報２１０６で通信して取得することを指示された際にアクセスを行うサーバなどに関する情報である。図７８では、ＵＲＬ２１１２、ログインＩＤ２１１３、パスワード２１１４が格納されている。なお、ＵＲＬ２１１２ではなく、ＩＰアドレスなどが記録されていても良いし、社内や家庭内ネットワークで他の機器にアクセスする場合には、ＭＡＣアドレスなどの機器を特定する情報が記録されていても良い。
【０４３８】
以下では、図７９を用いて、レコーダ２０００の設定をＲＦ−ＩＤカード２１００を用いてサーバに登録する手順に関して説明する。
【０４３９】
ステップ２２０１で、ユーザによる操作入力部２００６からの入力を受けると、設定情報処理部２０１１は、出力信号処理部２００３に対して、ＴＶ４５へのメッセージ出力要求を行い、ＴＶ４５の画面に「ＲＦ−ＩＤカードをかざして下さい」というメッセージが表示される。なお、メッセージの表示は、レコーダ２０００の図示していないコンソール上に表示しても良い。また、ユーザによる操作入力を行う際に、パスワードや生体認証などの認証を要求し、認証後に登録処理に移行しても良い。さらに、ＴＶ４５へのメッセージ出力を行わず、レコーダ２０００の使用時に、ＲＦ−ＩＤカード２１００をＲＦ−ＩＤリーダライタ４６にかざすことで、ステップ２２０３以降の処理を行っても良い。なお、どの場所に設定情報２０１３を登録するかどうかの問い合わせメッセージを表示して、ユーザの選択した場所への登録を行っても良い。例えば、ＲＦ−ＩＤカード２２００に設定情報２０１３を登録しても良いし、サーバ４２とは異なるサーバへ登録を行っても良い。
【０４４０】
ステップ２２０３でＲＦ−ＩＤカードを検出すると、相互認証処理が実施される。
【０４４１】
ステップ２２０４の認証判定がＯＫの場合は、ステップ２２０５に進んで処理を継続し、認証判定がＮＧの場合は、ステップ２２０２に戻ってＲＦ−ＩＤカード検出処理を繰り返す。
【０４４２】
ステップ２２０５では、ＲＦ−ＩＤカード２１００のメモリ２１０１から、ＵＩＤ情報７５を取得する。
【０４４３】
ステップ２２０６では、ＲＦ−ＩＤカード２１００のメモリ２１０１から、通信情報２１０７を取得する。なお、ＲＦ−ＩＤカード２１００のメモリ２１０１に通信情報が登録されていない場合は、ユーザへの通信情報入力要求を出しても良い。また、ステップ２２０１で、ＲＦ−ＩＤカード２１００に登録されていない箇所への登録指示を行った際には、このステップでは何も行わない。また、ＲＦ−ＩＤカード２１００に複数の通信情報２１０７が登録されている場合は、通信情報を一覧表示して、ユーザが選択を行っても良い。
【０４４４】
ステップ２２０７では、メモリ２００５から、レコーダＩＤ２０１２と設定情報２０１３を取得する。なお、設定情報は、現在の情報ではなく、設定登録実施時などに、ユーザの入力した情報であっても良い。
【０４４５】
ステップ２２０８では、設定情報処理部２０１１は、通信部２００７に対して通信情報２１０７のＵＲＬ２１１２へのアクセス要求を出す。ＵＲＬ２１１２へのアクセス時には、ログインＩＤ２１１３とパスワード２１１４を使用する。
【０４４６】
ステップ２２０９では、アクセスが成功したかどうかの判定を行い、アクセスが成功した場合は、ステップ２２１０に進んで処理を継続し、アクセスが失敗した場合は、そのまま処理を終了する。
【０４４７】
ステップ２２１０では、ＵＩＤ情報７５、メモリ２００５から取得したレコーダＩＤ２０１２、設定情報２０１３をサーバ４２に送信する。
【０４４８】
ステップ２２１１では、２２０１で指定された操作や選択した設定情報２０１３の格納位置、ステップ２２０７で取得した設定情報２０１３、ステップ２２０６で取得した通信情報２１０７から、操作指示情報２１０６を生成する。
【０４４９】
ステップ２２１２では、ステップ２２０２と同様の処理を行って、ＴＶ４５の画面に「ＲＦ−ＩＤカードをかざして下さい」というメッセージを表示する。
【０４５０】
ステップ２２１３で、ＲＦ−ＩＤカードを検出すると、相互認証処理が実施される。
【０４５１】
ステップ２２１４の認証判定がＯＫの場合は、ステップ２２１５に進んで処理を継続し、認証判定がＮＧの場合は、ステップ２２１２に戻ってＲＦ−ＩＤカード検出処理を繰り返す。
【０４５２】
ステップ２２１５では、ＲＦ−ＩＤカード２１００のメモリ２１０１から、ＵＩＤ情報を取得する。
【０４５３】
ステップ２２１６では、ステップ２２０５で取得したＵＩＤ情報７５とステップ２２１５で取得したＵＩＤ情報が一致するかどうか確認し、一致していればステップ２２１７に進んで処理を継続し、一致していなければ、ステップ２２１１に戻ってＲＦ−ＩＤカード検出処理を繰り返す。
【０４５４】
ステップ２２１７では、メモリ２００５に格納されている図示されていない操作機器識別情報２１０４と、レコーダＩＤ２０１２、ステップ２２１１で生成した操作指示情報２１０６、通信情報２１０７をＲＦ−ＩＤカード２１００に送信し、メモリ２１０１に記録を行って処理を終了する。
【０４５５】
上で述べた図７９の手順でサーバ４２登録した設定情報を、図８０を用いて説明する。
【０４５６】
設定情報２２５０は、ＵＩＤ情報７５、対象機器情報２１０５に関連付けられて登録されており、具体的には、“メニュー画面背景色：黒”などの情報を示す識別子が登録されている。各設定情報の末尾の“Ａ”、“Ｂ”は、異なった設定であることを示している。
【０４５７】
ＵＩＤ０００１のように、１つのＵＩＤに対して複数の設定情報を登録することも可能で、対象機器情報２１０５がＲＥＣ−０００１の項目のように、１つの対象機器情報に対して、複数のＵＩＤと関連付けられた設定情報が登録されていても良い。なお、設定情報には、変更対象情報２１１０が含まれていても良い。
【０４５８】
次に、図８１を用いて、図７９の手順でＲＦ−ＩＤカード２１００のメモリ２１０１へ登録された機器操作情報２１０３に関して説明する。
【０４５９】
ＵＩＤ情報７５として、“ＵＩＤ０００１”が記録されており、メディア識別情報１１１として“カード”が記録されている。
【０４６０】
機器操作情報２１０３には、操作機器識別情報２１０４、対象機器情報２１０５、操作指示情報２１０６、通信情報２１０７の組が登録されている。なお、通信情報２１０７は他の情報と関連のない情報として、登録されていても良い。例えば、１つの通信情報が登録されており、ＲＦ−ＩＤカード２１００を使用する際には、常に同じサーバなどへのアクセスを行っても良い。
【０４６１】
操作指示情報２１０６は、指示内容情報２２６０、指示対象情報２２６１、通信実施情報２２６２から構成されている。指示内容情報２２６０には対象機器情報２１０５で指定された機器に対して実行する処理を示す識別子が記録されており、指示対象情報２２６１には操作を行う対象として、例えば、ＲＥＣ−０００１に対しては、メニュー画面モード、録画モードなどの設定を示す識別子が記録されている。通信実施情報２２６２には、指示内容情報２２６０の処理を行う際に通信を行うかどうかを示す識別子が記録されている。なお、ＲＦ−ＩＤカード２１００を用いて行う操作が設定変更に限られる場合は、機器操作情報２１０３は、通信情報２１０７のみで構成されていても良い。
【０４６２】
通信情報２１０７には、通信実施情報２２６２に通信を実施することが指定されている場合に、通信を行うサーバなどのＵＲＬ、ログインＩＤ、パスワードなどが記録されている。
【０４６３】
次に、図８２を用いて、レコーダ２０００の設定をＲＦ−ＩＤカード２１００を用いて変更する手順に関して説明する。図８２は、レコーダ２０００の設定情報処理部２０１１がＲＦ−ＩＤカード２１００の情報を用いて設定情報２０１３を更新する手順を示したフローチャートである。
【０４６４】
初めに、ステップ２３０１でＲＦ−ＩＤカード２１００を検出すると、ステップ２３０２で相互認証処理を実施する。
【０４６５】
ステップ２３０３の判定がＯＫならば、ステップ２３０４に進んで処理を継続し、判定がＮＧならば、処理を終了する。
【０４６６】
ステップ２３０４では、ＲＦ−ＩＤカード２１００のメモリ２１０１からＵＩＤ情報７５と機器操作情報２１０３を取得する。
【０４６７】
ステップ２３０５では、機器操作情報２１０３に含まれる操作機器識別情報２１０４を検索し、レコーダ２０００のメモリ２００５から取得した図示されていない機器識別情報と比較する。
【０４６８】
ステップ２３０６では、ステップ２３０５で行った比較の結果が一致していれば、ステップ２３０７に進んで処理を継続し、一致していなければ、ステップ２３１４に進む。
【０４６９】
ステップ２３１４では、操作機器識別情報２１０４を全て検索したかどうかを判定し、全ての操作機器識別情報２１０４を検索した場合は処理を終了する。
【０４７０】
ステップ２３０７では、対象機器情報２１０５を検索し、レコーダ２０００のメモリ２００５から取得したレコーダＩＤ２０１２と比較する。
【０４７１】
ステップ２３０８では、ステップ２３０７で行った比較の結果が一致していれば、ステップ２３０９に進んで処理を継続し、一致していなければ、処理を終了する。
【０４７２】
ステップ２３０９では、機器操作情報２１０３、対象機器情報２１０５に対応した操作指示情報２１０６を取得する。
【０４７３】
ステップ２３１０では、機器操作情報２１０３、対象機器情報２１０５に対応した通信情報２１０７を取得する。
【０４７４】
ステップ２３１１では、操作指示情報２１０６の指示内容情報２２６０から、設定変更処理であることを取得し、サーバ４２にアクセスして、設定情報２２５０を取得する。このステップの処理は、後で図８３を用いて詳細に説明する。
【０４７５】
ステップ２３１２では、設定情報２２５０の取得が正しく行えたかどうかを判定し、正しく取得できた場合は、ステップ２３１３に進んで、設定情報処理部２０１１によってレコーダ２０００のメモリ２００５の設定情報２０１３を更新して処理を終了し、正しく取得できなかった場合は、そのまま処理を終了する。
【０４７６】
以下では、図８２のステップ２３１１の処理を図８３を用いて詳細に説明する。図８２は、設定情報処理部２０１１がサーバ４２にアクセスして設定情報２２５０を取得する手順を示したフローチャートである。
【０４７７】
ステップ２３５１では、通信部２００７で通信情報２１０７に含まれるＵＲＬ２１１２に対してアクセスを行う。
【０４７８】
ステップ２３５２では、設定情報処理部２０１１が通信情報２１０７に含まれるログインＩＤ２１１３とパスワード２１１４を通信部２００７に対して送信し、ログイン処理を行う。
【０４７９】
ステップ２３５３で認証ＯＫと判定された場合は、ステップ２３５４に進んで処理を継続し、認証ＮＧと判定された場合は、設定情報２２５０の取得失敗として処理を終了する。
【０４８０】
ステップ２３５４では、サーバ４２のＵＩＤ情報を検索し、ステップ２３５５で、図８２のステップ２３０４で取得したＵＩＤ情報７５と一致するものがあった場合は、ステップ２３５６に進んで処理を継続し、一致するものがない場合は、ステップ２３５９でＵＩＤ情報を全て検索したと判定するまでは、ステップ２３５４に進んでＵＩＤ情報の検索を繰り返し実施する。ステップ２３５９でＵＩＤ情報を全て検索したと判定した場合は、設定情報２２５０の取得失敗として処理を終了する。
【０４８１】
ステップ２３５６では、ＵＩＤ情報７５に対応した対象機器情報を検索し、ステップ２３５７で、図８２のステップ２３０５で取得した対象機器情報２１０５と一致するものがあった場合は、ステップ２３５８に進んで処理を継続し、一致するものがない場合は、ステップ２３６０で対象機器情報を全て検索したと判定するまでは、ステップ２３５４に進んで対象機器情報の検索を繰り返し実施する。ステップ２３６０で対象機器情報を全て検索したと判定した場合は、設定情報２２５０の取得失敗として処理を終了する。
【０４８２】
ステップ２２５８では、ＵＩＤ情報７５、対象機器情報２１０５に対応した設定情報２２５０を取得して、処理を終了する。
【０４８３】
以上に述べたように、ＲＦ−ＩＤカード２１００を用いれば、レコーダ２０００の設定をユーザが複雑な処理を意識することなく実施することが可能となり、機器の操作に習熟していないユーザでも、容易にレコーダの設定の変更を行うことが可能となるという効果が得られる。なお、レコーダに対して行うことが可能な操作は、設定の変更だけではなく、例えば、指示内容情報に録画コンテンツリスト取得を指定すると、レコーダの録画コンテンツリストをＲＦ−ＩＤやサーバ上に登録し、他の機器から参照することも可能となる。さらに、図８４で示されるＲＦ−ＩＤカードを用いると、ＲＦ−ＩＤカードをかざすだけで予約録画が行うことが可能になる。図８４のＩｎｄｅｘ１に対応した変更対象情報を用いると、指示対象情報で指定した“番組ＩＤ”、“録画モード”の設定で予約録画を行うことで、サーバにアクセスすることなしに予約録画を行うことが可能になり、Ｉｎｄｅｘ２に対応した変更対象情報を用いると、指示対象情報で指定した“番組コード”を指定して、サーバから番組ＩＤまたは開始時間と終了時間、チャンネルの情報を取得し、“録画モード”の設定で予約録画を行うことが可能となる。さらに、指示対象情報に“お奨め番組”の指定を行ってサーバから番組ＩＤを取得することで、サーバからお奨めのコンテンツを取得して、予約録画を行うことが可能になる。この機能を用いると、例えば、ＲＦ−ＩＤカードを番組ガイド雑誌の付録として予約録画の手間を軽減するというサービスも考えられる。また、指示内容情報として、ダウンロードを設定し、指示対象情報として、機能限定版の映像やソフトウェアを設定し、通信情報としてダウンロードサイトのＵＲＬを設定したＲＦ−ＩＤカードを用いると、無料配布したＲＦ−ＩＤカードで機能限定のコンテンツを試用し、気に入ったユーザが購入を行うというサービスも考えられる。
【０４８４】
なお、本実施の形態では、レコーダを例に挙げて説明を行ったが、本発明の適用範囲は、レコーダには限らない。
【０４８５】
例えば、ＴＶにＲＦ−ＩＤカードのリーダライタと設定情報処理部を備えることで、電源を入れた直後の初期表示チャンネルや初期音量の設定、アダルト放送や暴力シーンなどを除外したチャイルドロック設定、お気に入りのチャンネルザッピング設定、画面のコントラストや明るさ設定、言語設定、連続使用時間設定などを変更対象情報として登録して、ユーザの使い勝手に応じた設定を行うことが可能になる。また、カーナビゲーションシステム（カーナビ）にＲＦ−ＩＤカードのリーダライタと設定情報処理部を備えた場合には、指示内容情報に“強調表示”を指定し、指示対象情報に“ランドマーク情報”を指定することで、指定したランドマークをカーナビで表示する際に、文字フォントやサイズを変更したり、色を変更するなどの強調表示を行うことが可能になる。なお、ランドマーク情報は、サーバから取得しても良い。これにより、例えば、図８５で示される機器操作情報を記録したＲＦ−ＩＤカードを高速道路のサービスエリアやインターチェンジ、観光地などで配布し、現在イベントが行われているなどの、お奨めのランドマークを強調表示するなどの用途にも用いることが可能になる。さらに、ノートＰＣにＲＦ−ＩＤカードのリーダライタと設定情報処理部を備えると、画面の解像度やデスクトップ上のアイコンなどの配置、壁紙、スクリーンセーバー、常駐ソフトなどのスタートアップ設定、使用する周辺機器、マウスなどの利き手設定などを設定することが可能となり、ＲＦ−ＩＤカードを持ち運ぶだけで、出張先などのＰＣでも、普段使用している設定で作業を行うことが可能になる。また、ゲーム機にＲＦ−ＩＤカードのリーダライタと設定情報処理部を備えて、例えば友人の家などで、指示内容情報として設定変更を設定したＲＦ−ＩＤカードでコントローラのキー配置やメニュー画面構成を設定したり、セーブデータなどを読み込ませることも可能になる。さらに、指示内容情報としてダウンロードを設定したＲＦ−ＩＤカードを雑誌などの付録とし、追加シナリオや希少なアイテムなどのダウンロードを行うといったサービスも考えられる。
【０４８６】
本発明のＲＦ−ＩＤカードは、家庭内の家電がネットワークで接続された際にも、例えば個人の好みに合わせたエアコン温度や風呂の湯沸しの設定などをＲＦ−ＩＤカードに登録しておき、家庭内に備えたＲＦ−ＩＤリーダライタにかざして家電の設定を一括して行うことや、冷蔵庫に保管してある食品の閲覧操作をＲＦ−ＩＤカードに登録しておき、予め食品につけられたタグなどで冷蔵庫のメモリに登録された食品の情報や、冷蔵庫の中をカメラで撮影した映像を取得することで、ＴＶのリーダライタで食品リストを確認することなど、様々な用途での使用が可能である。なお、機器を指定するＲＦ−ＩＤカード（例えば、“暖房”、“冷房”、“ストーブ”、“扇風機”を示す４種類のカード）と、機器の設定を指定するＲＦ−ＩＤカード（例えば、“弱”、“中”、“強”を示す３種類のカード）などを組み合わせる、または、前記機器指定、機器設定指定のそれぞれの機能を持った複数のＲＦタグを１枚のＲＦ−ＩＤカードに備えて、機器の設定をカスタマイズしても良い。
【０４８７】
なお、本発明の適用範囲は、これまでの実施の形態で述べた方法に限定されない。本発明の主旨を逸脱しない範囲で、上記実施の形態における構成要素および特徴を任意に組み合わせて得られる形態や、上記実施の形態に対して当業者が変形を施して得られる形態も、本発明に含まれる。
【０４８８】
例えば、２人のユーザ（ユーザＡとユーザＢする）の間で、写真のやり取りを行う形態では、ユーザＡの撮影した写真をユーザＢが閲覧する方法として、ユーザＢのＴＶの機器ＩＤとユーザＢが所有している中継サーバのＵＲＬが予め格納されているＲＦ−ＩＤ（ＲＦタグＢとする）から生成した情報（機器生成情報Ｂとする）をユーザＡにメールなどで伝えるとともにＲＦタグＢに記録し、ユーザＡが、機器生成情報Ｂに関連付けて中継サーバに写真を登録したサーバのＵＲＬを格納することで、ユーザＢはＲＦタグＢをＴＶのＲＦ−ＩＤリーダライタにかざすだけでユーザＡの撮影した写真を閲覧することが可能となる。なお、タグＢには予めユーザＡのメールアドレスが登録されており、ユーザＢがタグＢをＴＶのＲＦ−ＩＤリーダライタにかざすだけで、タグＢへの機器生成情報Ｂの書き込みと、ユーザＡへの機器生成情報Ｂの通知が自動的に行われる方法を用いると、ユーザＢが機器の使用方法に習熟していない場合でも、写真のやり取りを行うことが可能となる。また、ユーザＡがＵＲＬ、ログインＩＤ、パスワードの少なくとも１つを機器生成情報Ｂで暗号化してＲＦ−ＩＤに登録したハガキを送付することで、写真の閲覧をユーザＢのＴＶに制限することが可能である。さらに、送信用のＲＦ−ＩＤと返信用のＲＦ−ＩＤの２つのＲＦ−ＩＤが付いたハガキをユーザＡからユーザＢに送信する場合には、ユーザＡが予め返信用のＲＦ−ＩＤに自分のＴＶなどから生成した機器生成情報Ａを記録することで、ユーザＢが返信の際にユーザＢが写真を登録するサーバのＵＲＬやログインＩＤやパスワードを機器生成情報Ａで暗号化して返信用のＲＦ−ＩＤに記録したり、写真を登録する際にユーザＢが機器生成情報Ａに関連付けて登録することで、ユーザＢの登録した写真の閲覧を許可する機器を制限することが可能となる。
【０４８９】
なお、郵送物につけられたＲＦ−ＩＤの郵送物固有ＩＤは、複数の郵送物で共通なグループＩＤ部と郵送物毎に設定された固有ＩＤ部とが組み合わせられた構成となっていても良い。サーバの写真を郵送物固有ＩＤ全体に関連付ける代わりに、前記グループＩＤ部と関連付けて登録することで、複数の対象に対して写真と関連付けたＲＦ−ＩＤつきハガキを送付する際に、複数の固有ＩＤの登録を行う手間を省略することが出来る。また、グループＩＤ部と関連付けて登録したサーバの写真を固有ＩＤ部に応じて閲覧許可・禁止を切り替えても良い。それにより、例えば、郵送物にプリンタで宛先住所などの印刷を行う場合は、プリンタにＲＦ−ＩＤリーダライタを備えて郵送物固有ＩＤの固有ＩＤ部を印刷時に読み取ることで、住所録と固有ＩＤ部の対応付けを行うことが可能となり、住所録でサーバ上の写真閲覧の許可・禁止の管理を行うことが可能となる。
【０４９０】
なお、葉書やカードに機能の異なるＲＦタグを複数備え、使用しないＲＦタグの通信を遮断することで、１枚の葉書やカードで複数の機能を切り替えても良い。例えば、葉書の上部に写真をスライドショー表示する機能を持ったＲＦタグを備え、下部に映像を再生する機能を持ったＲＦタグを備えることで、葉書の上部、下部のどちらをＲＦ−ＩＤリーダライタに近づけるかで写真表示と映像再生機能を切り替えることが可能となる。なお、葉書の表裏に備えても良いし、通信を遮断する素材を用いた蓋を備えて、蓋を開けた状態のＲＦタグのみを使用可能としても良い。
【０４９１】
なお、写真を複数のサーバに登録し、それぞれのサーバのＵＲＬをＲＦタグに格納することで、それぞれのサーバにアクセスして写真を取得し、一覧表示を行っても良い。
【０４９２】
なお、ＲＦ−ＩＤリーダライタは、機器に備えているだけでなく、リモコンなどの機器操作を行う入力手段に備えていても良い。例えば、ネットワークなどで複数の機器が接続されている場合には、複数の機器の操作を集中的に行う入力手段にＲＦ−ＩＤリーダライタを備え、それぞれの機器の操作を行っても良い。さらに、リモコンなどの入力手段に指紋認証や顔認証といった生体認証やパスワードなどの個人認証手段を備え、個人認証が完了した場合のみ、ＲＦタグの読み書きを行っても良い。逆に、個人の認証情報をＲＦタグに記録しておき、ＲＦタグによって機器やリモコンなどで個人認証を行っても良い。
【０４９３】
なお本発明の記載に関してＲＦ−ＩＤという用語を多用している。一般的にはＲＦ−ＩＤと言う用語は狭義では「識別情報を不揮発メモリに記録してあるタグ」のことを指し、デュアルインタフェースやセキュリティ機能を持つＲＦ−ＩＤは「ＩＣカード」等の用語が用いられているようである。しかし、本明細書のＲＦ−ＩＤはこの狭義の用語に限定されるものではない。本発明では「個体識別情報を不揮発メモリに記録し、個体識別情報をアンテナを介して外部に送信できる電子回路」との広義の意味で用いている。
【０４９４】
従来は機器操作の未習熟者が機器の複雑な設定を行うためには、機器の販売者や修理者、サービスマンが対象機器のある場所に赴いて設定を行うか、対象機器を遠隔操作する必要があった。つまり、遠隔操作する場合もやはり遠隔操作の設定のために規模ある場所に赴く必要があった。しかし、以上に述べたように、ＲＦ−ＩＤカード２１００を用いれば、レコーダ２０００の設定をユーザが複雑な処理を意識することなく実施することが可能となり、機器の操作に習熟していないユーザでも、容易にレコーダの設定の変更を行うことが可能となるという効果が得られる。
【０４９５】
また、本発明は、画面を有する機器と、前記機器と通信路で接続されたリーダ装置と、前記リーダ装置と近接無線通信を行う通信装置を備える通信システムにおいて、前記通信装置に関する画像を前記機器に提示する画像提示方法として実現したり、通信装置の識別情報とともに当該通信装置内に保存されるプログラムであって、前記通信装置との間で近接無線通信を行う機器が備える仮想マシンによって実行されるコードで記述され、通信ネットワークで接続されたサーバ装置にアクセスするステップと、アクセスした前記サーバ装置に保存された画像のうち、前記識別情報に対応する画像を前記サーバ装置からダウンロードするステップと、ダウンロードした画像を表示するステップとを含むプログラム、あるいは、そのようなプログラムが記録されたＣＤ−ＲＯＭ等のコンピュータ読み取り可能な記録媒体として実現することもできる。
【０４９６】
また、本発明に係る通信装置は、識別情報および仮想マシン用プログラムを格納したＲＦ−ＩＤを備えるあらゆる機器、例えば、カメラ等の電子機器、炊飯器や冷蔵庫等の家電機器、歯ブラシ等の日常品にも、適用できるのは言うまでもない。
【０４９７】
ここで、ＴＶ等のリモコンにＲＦ−ＩＤリーダを搭載した場合の実施の形態を図８６（ａ）、（ｂ）のブロック図と図８６（ｃ）のフローチャートと図８７のフローチャート図を用いて説明する。
【０４９８】
まず、前述のようにカメラなどの子通信機５０５０はメモリ５２とアンテナ２１を持つ。このアンテナ２１にリモコン５０５１のアンテナ５０６３を近づけるとアンテナ５０６３からアンテナ２１に電源が供給され、メモリ５２の中のデータがアンテナ２１よりアンテナ５０６３に送られる。リモコン５０５１側では通信回路５０６４によりデジタルデータに変換してメモリ５０６１に蓄える（ステップ５００１ａ：図８７）。リモコン５０５１の送信部をＴＶ４５に向け、送信スイッチ５０６２を押すと（ステップ５００１ｂ）メモリ５０６１のデータは光出力部５０６２を介して光を用いて、ＴＶの受発光部５０５８に送られＴＶ等の親機４５に送信される（ステップ５００１ｃ）。なお、ここでの通信は光でなく無線でもよい。
【０４９９】
ここで図８６（ｃ）のフローチャートに戻ると、発明は社会的なシステムに用いられるため２０年後、３０年後に対応する必要がある。仮想マシン言語等のプログラムはＪａｖａ（登録商標）等が知られているが、将来、拡張されたり、全く別の効率のよい言語等のプログラムになることが予想される。従って本発明では、ＴＶ等の親機４５に親機の仮想マシン言語等の言語タイプやバージョンを示す親機バージョン情報５０５９、ｎ１が記録されている（ステップ５０６０ｉ：図８６（ｃ））。子機５０５０のメモリ２１には（図８６（ａ））、最初に子機のプログラムの言語等のバージョンを示す子機バージョン情報５０５２、ｎ２が記録されている。その後にプログラム領域５０５３があり、バージョン５０５５ａ、５０５５ｂ、５０５５ｃのプログラム５０５６ａ、５０５６ｂ、５０５６ｃが記録され、その次にデータ領域５０５４がある。
【０５００】
図８６のフローチャートのステップ５０６０ｉで親機４５のバージョン情報ｎ１を入手し、子機のメモリの中のバージョン情報ｎ２を入手し（ステップ５０６０ａ）、ｎ１≧ｎ２の最大値のプログラムｎを選択し（ステップ５０６０ｂ）、その実行プログラムｎを実行し（ステップ５０６０ｃ）、ステップ５０６０ｄでインターネットへの接続がある場合、ステップ５０６０ｅでサーバに接続し、サーバに親機４５に設定されている言語情報５０６５を送り（ステップ５０６０ｆ）、サーバは送られた言語情報５０６５に応じて、その言語、例えばフランス語のプログラムを親機に送り、実行させる。もしくはサーバ上でそのプログラムを実行してもよい。
【０５０１】
インターネットに接続されていない場合はステップ５０６０ｈに戻り、ローカルプログラムを実行して、子機５０５０の属性情報、例えば故障の場合を知らせる情報や記録した写真の枚数等の情報を親機４５の画面に表示する。このように子機のメモリ５２にバージョン情報５０５２が記録され、１０年単位の周期で進化する各世代のプログラムや手順やＵＲＬがバージョン毎に記録されているため、２０年３０年経っても同じフォーマットで動作するという効果がある。図８６（ａ）ではプログラムのバージョン、世代を記録する例を示したが、図８６（ｂ）のようにバージョン５０５５ｄ、５０５５ｅ、５０５５ｆに対応したＵＲＬ等のサーバの中のデータのアドレス、ＵＲＬ５０５７ａ、５０５７ｂ、５０５７ｃを記録することにより同様の効果が得られる。この方式により、将来にわたって、下位互換性を実現できる。例えば今年買った製品にＲＦ−ＩＤが搭載されている場合、バージョンを１とすると、２０年後、３０年後の親機４５には例えばバージョン１、２、３に対応したＪＡＶＡ（登録商標）等の仮想マシン言語などのプログラムが載っているので、子機バージョン情報５０５２を知ることにより、親機はそのバージョンに対応した親機のプログラムに切り換え動作を行う。また３０年後の子機２１ではバージョン１、２、３の全てのプログラムが記録されているため、バージョン３の親機４５では最高の機能を得る。そして、バージョン１の親機４５では古いバージョンの少し限定された機能が得られ、完全な互換性が実現する。
【０５０２】
図８７のフローチャートを説明する。ステップ５００１ａでリモコン５０５１の読み取りスイッチ５０６３を押して、子機５０５０のアンテナ２１に近づけると子機のメモリ５２のデータがリモコン５０５１のメモリ５０６１に蓄積される。次にステップ５００１ｂでリモコン５０５１をＴＶ等の親機４５に向け、送信スイッチ５０６２を押すと（ステップ５００１ｂ）、光により親機へメモリ５０６１のデータが送られる（ステップ５００１ｃ）。本実施の形態ではこのデータをタグデータと便宜上呼ぶ。タグデータから実行プログラムを抽出もしくは選択し（ステップ５００１ｄ）、抽出もしくは選択した実行プログラムを親機の仮想マシン言語を用いて実行し（ステップ５００１ｅ）、親機側のインターネット接続識別用情報を読み込み（ステップ５００１ｆ）、もしステップ５００１まで識別用情報が「インターネットに接続可能」を示さない場合は実行プログラムの中に非接続時用のプログラムを実行し（ステップ５００１ｔ）、親機の画面の実行結果を表示する（ステップ５００１ｕ）。本発明ではメモリ５２にインターネットに接続する情報だけでなく、非接続時に動作する実行プログラムが記録されているため、非接続時に要求される最低の動作が表示を行うことができるという効果がある。
【０５０３】
ステップ５００１ｇに戻り、Ｙｅｓの場合は、上記プログラムの一部を含む接続プログラムを実行する（ステップ５００１ｈ）。
【０５０４】
この場合、タグデータの中の実行プログラムに図８６（ａ）のデータ領域５０５４にサーバのＵＲＬやユーザＩＤやパスワード等のデータを加えて接続プログラムを生成することによりタブデータの中の実行プログラムを拡張することができるとともに、メモリ５２の中の不揮発性メモリの容量を小さくできる。この場合、メモリ５２の接続プログラムをプログラム領域５０５３の書きかえ不能なＲＯＭメモリ等のメモリに記録し、サーバのＵＲＬなどを書きかえ可能なデータ領域５０５４に記録することにより、チップ面積やコストを下げることができる。
【０５０５】
ステップ５００１ｉにおいて特定のＵＲＬのサーバに接続し、ステップ５００１ｊでサーバ側がデータのアップロードを要求するかどうかを判定し、Ｙｅｓならステップ５００１ｐでデータもしくは／かつプログラムをサーバにアップロードする。このデータを用いてサーバでプログラムを実行し（ステップ５００１ｑ）、サーバで実行した結果を親機に送り（ステップ５００１ｒ）、親機の表面に実行した結果等を表示する（ステップ５００１ｓ）。
【０５０６】
ステップ５００１ｊに戻り、Ｎｏの場合、サーバのＵＲＬの中の特定のプログラムを含む情報をダウンロードし（ステップ５００１ｋ）、このダウンロードしたプログラムを親機で実行する（ステップ５００１ｍ）。そして、その結果を親機の画面に表示する。
【０５０７】
消費電力や体積やコストの制約により、ＲＦ−ＩＤや子機側のメモリ容量には限界があり、通常のプログラムは記憶できない。しかし、本発明のように接続プログラムと、サーバを利用することにより、無限に大きなプログラムを動作させることができるという大きな効果がある。
【０５０８】
サーバで巨大なプログラムを実行してもよいし、サーバからダウンロードしたプログラムを実行してもよく、これらは本発明の範疇に入る。
【０５０９】
なお、本発明の図８６を用いた実施の形態では、ＴＶ用のリモコンを想定して説明した。この場合、リモコンは、電池とＴＶチャンネルを切り替えるためのボタン、ＲＦ−ＩＤを読み取るアンテナと通信回路、赤外の発光部から構成される。リモコンに代えて携帯電話を用いても同様の効果が得られる。携帯電話に搭載されている赤外の発光部などを共用できるため導入しやすい。携帯の通信回線をもつため、直接、サーバに接続されるため性能面では、変わらない。しかし、通信費用が発生するため、ユーザーに負担をかけることになる。携帯電話の画面はＴＶに比べると圧倒的に小さい。従って、図８６で示した送信スイッチ５０６２を設け、ＴＶが近くにある場合は、携帯電話の発光部をＴＶの方に向け、前述のメモリ５２の中のタグデータをＴＶに直接送ることにより、解像度の高い大きな画面でデータを見ることができる。また、費用もかからないため、ユーザーにとってメリットが大きい。読み取ったタグデータを用いた携帯電話回線を介しての交信は、この送信スイッチと連動して、中止される。
【０５１０】
この場合には、図８６で説明したリモコンと同様に、ＲＦ−ＩＤ（ＮＦＣ通信部でもよい）の少なくともリーダ部を携帯電話に備える構成とする。今後、ＲＦ−ＩＤなどのリーダ機能を携帯電話に持たせることが予想される。もしＲＦ−ＩＤのリーダが携帯電話に搭載されるようになれば、本発明を実施するに当たって追加するコストは非常に小さくなり、ユーザにとってのメリットは大きい。また、リモコン、携帯電話だけではなく、ＰＤＡ端末、ノートＰＣ、携帯メディアプレーヤなどでも本発明を実現することは容易である。
【産業上の利用可能性】
【０５１１】
本発明によって、サーバへ保存した画像等の情報を簡単な手続きでテレビなどの受信装置で受信することが可能となり、テレビやＰＣ等の表示装置がインターネットを通じて情報を取得する操作を簡略化するシステム全般に有効である。また、本発明に係る通信装置は、識別情報および仮想マシン用プログラムを格納したＲＦ−ＩＤを備えるあらゆる機器、例えば、カメラ等の電子機器、炊飯器や冷蔵庫等の家電機器、歯ブラシ等の日常品にも、適用できる。
【符号の説明】
【０５１２】
１  撮影装置
３  電源スイッチ
６  レンズ
６ａ  表示部
２０  第１アンテナ
２１  第２アンテナ
２２  アンテナカバー
３０  撮像部
３１  映像処理部
３２  記録再生部
３３  第３メモリ
３４  ＩＣカード
３５  第１処理部
３６  暗号部
３７  通信部
３８  送信部
４０  インターネット
４２  サーバ
４５  ＴＶ
４６  ＲＦ−ＩＤリーダライタ
４７  ＲＦ−ＩＤ部
５１  記録再生部
５２  第２メモリ
９０  ＵＲＬ生成部
９１  第２電源部
９５  第２処理部
１００  電池
１０１  第１電源部
１０２  第３電源部
１０５  データ受信部
１０６  記録部
１０７  再生部
１０８  データ転送部
１１０  表示部（ＴＶ）
１１１  メディア識別情報
１１５  サービス内容識別情報
１１６  動作プログラム
１１７  動作プログラムが記録されているサーバ上のディレクトリ情報
１１８  動作プログラム選択情報
１１９  動作プログラム存在識別子
１２０  画像表示方法指示情報が記録されているサーバ上のディレクトリ情報
１２１  画像表示方法指示情報がサーバ上に存在するかの識別子
１２２  表示順序識別子
１２３  全画像表示識別子
１２４  特定ディレクトリの一部の画像情報
１２５  一覧表示識別子
１２６  スライドショー識別子
１２７  画質優先
１２８  速度優先
１２９  表示音声のディレクトリ
１３０  表示音声のディレクトリ
１３１  一部画像
１３２  特定使用者の画像
１３３  特定使用者のパスワード
１３４  画像の入ったディレクトリ
１３５  カメラの機種情報
１３６  強制印刷命令
１３７  印刷対象の画像データのディレクトリ
１３８  ＴＶのＲＦ−ＩＤリーダライタのアンテナ
１３９  ハガキ
１４０  カメラのアイコン
１４１  ハガキのアイコン
１４２  空白画像
１４３  実画像
１７０  起動部
１７１  通信部
１７２  電源検知部
１７３  変調部
１７４  第１メモリ
１７５  変調切り替え部
５００  電子カタログサーバ情報入力機
５０２  電子カタログ通知カード
５０４  ＲＦ−ＩＤリーダ部
５０６  電子カタログサーバ
５０７  電子カタログデータベース
５０８  顧客属性データベース
５２０  キー入力受付部
５２１  ＲＦ−ＩＤ送信入力受付部
５７３  ＵＲＬ生成部
５８４  画像選択部
５８８  ユーザ情報入力部
５８９  操作モード判定部
６０１  顧客属性データ取得部
６０２  電子カタログデータ取得部
６５０  電子カタログ表示画面
６５１  商品データ
６５２  フォーカス表示された電子カタログ操作選択肢
８００  プリンタ
８０１  ＲＦ−ＩＤ付葉書
８１０  葉書送付先情報入力部
８２０  葉書登録画像を選択する表示画面
８２１  葉書印刷画像を選択する表示画面
８２２  葉書挿入メッセージを入力する表示画面
８２３  葉書送付先情報を入力する表示画面
８２４  葉書送付確定を確認する表示画面
８２５  サムネイル画像
８２６  選択中のサムネイル画像
８２７  リモコン
２０００  レコーダ
２００１  チューナ
２００２  入力信号処理部
２００３  出力信号処理部
２００４  システム制御部
２００５  メモリ
２００６  操作入力部
２００７  通信部
２００８  ＨＤＤ
２００９  光ディスクドライブ
２０１０  バス
２０１１  設定情報処理部
２０１２  レコーダＩＤ
２０１３  設定情報
２１００  ＲＦ−ＩＤカード
２１０１  メモリ
２１０２  処理部
２１０３  機器操作情報
２１０４  操作機器識別情報
２１０５  対象機器情報
２１０６  操作指示情報
２１０７  通信情報
２１０９、２１１０、２１１１  操作指示情報データ
２１１２  ＵＲＬ
２１１３  ログインＩＤ
２１１４  パスワード
２２５０  設定情報
２２６０  指示内容情報
２２６１  指示対象情報
２２６２  通信実施情報
２５６０  画像サーバ
２５６１  インターネット
２５６２  撮影装置
２５６３  テレビジョン装置
２５６４  郵送物
２５６５  ＲＦ−ＩＤ
３００１  郵送物
３００２  ＲＦ−ＩＤ部
３００３  メモリ部
３０４５  テレビジョン
３０４６  ＲＦ−ＩＤリーダライタ
３０４７  表示部
５５０１  無線アンテナ
５５０２  通信可能装置検索部
５５０３  受信部
５５０４  復号部
５５０５  ＵＲＬ生成部
５５０６  通信部
５５０７  送信部
５５０８  通信インタフェース
５５０９  受信部
５５１０  データ処理部
５５１１  メモリ部
５５１２  表示部
５５１３  ＣＰＵ
５９４０  撮影装置１からサーバ４２に撮影画像をアップロードする場合のデータフォーマット
５９５０  撮影装置１とＴＶ４５のＲＦ−ＩＤ通信のデータフォーマット
６００５  テレビのプログラム実行環境
６００６  サーバ接続命令
６００７  ダウンロード完了時の処理設定命令
６００８  ダウンロード命令
６００９  ダウンロード完了時命令
６０１０  スライドショー表示命令
６５１２  無線通信装置
６５２０  表示機能付きリモコン
６５２１  無線通信送信部
６５２２  ＲＦ−ＩＤリーダ
６５２３  表示装置
６５２４  入力装置
６５２５  プログラム実行バーチャルマシン
６５３０  表示機能無しリモコン
６５３１  無線通信送信部
６５３２  ＲＦ−ＩＤリーダ
６５３３  入力装置
６５３４  ＬＥＤ
６５３５  メモリ
７０００  強制表示命令格納部
７００１  フォーマット識別情報格納部
７００２  プログラム記憶部
７００３  第２メモリ読み出し部
７００４  ＵＲＬ生成部
７００５  プログラム生成部
７００６  プログラム部品記憶部
７００７  プログラム書き込み部
７００８  製造番号格納部
７００９  言語コード格納部
７０１０  プログラム実行バーチャルマシン
７０２０  使用状況検出部
７０２１  不具合検出部
７０２２  使用電力検出部
【手続補正２】
【補正対象書類名】特許請求の範囲
【補正対象項目名】全文
【補正方法】変更
【補正の内容】
【特許請求の範囲】
【請求項１】
通信路で機器と接続されたリーダ装置との間で近接無線通信を行う通信装置であって、
前記近接無線通信用のアンテナ部と、
前記リーダ装置から供給される入力信号を、前記アンテナ部を介して受信する受信部と、
前記通信装置の使用状況を検出し、検出した前記使用状況を示す使用状況情報を生成する使用状況検出部と、
前記機器または前記機器と通信可能に接続されたサーバ機器によって実行されるプログラムを前記使用状況情報に基づいて生成する、または、前記プログラムで使用されるデータを前記使用状況情報に基づいて生成するプログラム・データ生成部と、
少なくとも前記通信装置を特定するための識別情報を記憶する識別情報記憶部と、
前記プログラム・データ生成部で生成された前記プログラムまたは前記データを記憶する、記憶内容を更新可能な不揮発性のメモリ部と、
前記受信部で受信された入力信号に応じて、前記識別情報記憶部に記憶された前記識別情報と前記メモリ部に記憶された前記プログラムまたは前記データとを、前記アンテナ部を介して前記リーダ装置に送信する送信部と、
前記アンテナ部を介して電力が供給される第１電源と、
前記第１電源と異なる第２電源とを備え、
前記プログラム・データ生成部は、前記使用状況検出部で生成された使用状況情報を前記機器が表示するための前記プログラムまたは前記データを生成し、
少なくとも前記アンテナ部、前記受信部、前記識別情報記憶部および前記送信部は、前記第１電源で動作し、
少なくとも前記メモリ部、前記プログラム・データ生成部は、前記第２電源で動作し、
前記送信部から送信された前記識別情報と前記プログラムまたは前記データとは、前記送信部から、前記アンテナ部、前記リーダ装置および前記通信路を介して、前記機器に転送される
通信装置。
【請求項２】
前記メモリ部は、さらに、前記機器を特定する操作機器識別情報を記憶し、
前記プログラム・データ生成部は、前記操作機器識別情報を基に前記機器の持つ能力または機能を取得し、前記機器の持つ能力または機能に応じて、前記プログラムまたは前記データを生成または更新する請求項１記載の通信装置。
【請求項３】
前記使用状況検出部は、前記通信装置の動作に関する不具合を検出し、
前記使用状況情報は、少なくとも前記不具合を特定するための情報を含む請求項１記載の通信装置。
【請求項４】
前記使用状況検出部は、前記通信装置の動作に関した電力消費量を検出し、
前記使用状況情報は、少なくとも前記電力消費量を示した情報を含む請求項１記載の通信装置。
【請求項５】
前記送信部は、前記識別情報を用いて、前記通信装置と前記機器との間の通信接続認証を行い、前記受信部で受信された入力信号に応じて、前記識別情報記憶部に記憶された前記識別情報と前記メモリ部に記憶された前記プログラムまたは前記データとを、前記アンテナ部を介して前記リーダ装置に送信する
請求項１記載の通信装置。
【請求項６】
操作者から遠隔操作を受け付けるためのリモート・コントローラを備えた機器と、前記機器と通信路で接続されたリーダ装置と、前記リーダ装置と近接無線通信を行う通信装置を備える通信システムであって、
前記通信装置は、
前記近接無線通信用のアンテナ部と、
前記リーダ装置から供給される入力信号を、前記アンテナ部を介して受信する受信部と、
前記通信装置の使用状況を検出し、検出した前記使用状況を示す使用状況情報を生成する使用状況検出部と、
前記機器または前記機器と通信可能に接続されたサーバ機器によって実行されるプログラムを前記使用状況情報に基づいて生成する、または、前記プログラムで使用されるデータを前記使用状況情報に基づいて生成するプログラム・データ生成部と、
少なくとも前記通信装置を特定するための識別情報を記憶する識別情報記憶部と、
前記プログラム・データ生成部で生成された前記プログラムまたは前記データを記憶する、記憶内容を更新可能な不揮発性のメモリ部と、
前記受信部で受信された入力信号に応じて、前記識別情報記憶部に記憶された前記識別情報と前記メモリ部に記憶された前記プログラムまたは前記データとを、前記アンテナ部を介して前記リーダ装置に送信する送信部と、
前記アンテナ部を介して電力が供給される第１電源と、
前記第１電源と異なる第２電源とを備え、
前記プログラム・データ生成部は、前記使用状況検出部で生成された使用状況情報に応じて前記プログラムまたは前記データを生成または更新し、
少なくとも前記アンテナ部、前記受信部、前記メモリ部および前記送信部は、前記第１電源で動作し、
少なくとも前記メモリ部、前記プログラム・データ生成部は、前記第２電源で動作し、
前記リーダ装置は、前記機器を遠隔操作する前記リモート・コントローラに内蔵されており、前記送信部から送信されてきた前記識別情報と前記プログラムまたは前記データとを受信して前記機器に転送し、
前記機器は、前記リーダ装置から転送されてきた前記識別情報と前記プログラムまたは前記データとを受信し、受信した前記プログラムを実行する
通信システム。
【手続補正３】
【補正対象書類名】図面
【補正対象項目名】全図
【補正方法】変更
【補正の内容】
【図１】
2009084243.tif 000090
【図２】
2009084243.tif 000091
【図３】
2009084243.tif 000092
【図４】
2009084243.tif 000093
【図５】
2009084243.tif 000094
【図６】
2009084243.tif 000095
【図７】
2009084243.tif 000096
【図８】
2009084243.tif 000097
【図９】
2009084243.tif 000098
【図１０】
2009084243.tif 000099
【図１１】
2009084243.tif 000100
【図１２】
2009084243.tif 000101
【図１３】
2009084243.tif 000102
【図１４】
2009084243.tif 000103
【図１５】
2009084243.tif 000104
【図１６】
2009084243.tif 000105
【図１７】
2009084243.tif 000106
【図１８】
2009084243.tif 000107
【図１９】
2009084243.tif 000108
【図２０】
2009084243.tif 000109
【図２１】
2009084243.tif 000110
【図２２】
2009084243.tif 000111
【図２３】
2009084243.tif 000112
【図２４】
2009084243.tif 000113
【図２５】
2009084243.tif 000114
【図２６】
2009084243.tif 000115
【図２７】
2009084243.tif 000116
【図２８】
2009084243.tif 000117
【図２９】
2009084243.tif 000118
【図３０】
2009084243.tif 000119
【図３１】
2009084243.tif 000120
【図３２】
2009084243.tif 000121
【図３３】
2009084243.tif 000122
【図３４】
2009084243.tif 000123
【図３５】
2009084243.tif 000124
【図３６】
2009084243.tif 000125
【図３７】
2009084243.tif 000126
【図３８】
2009084243.tif 000127
【図３９】
2009084243.tif 000128
【図４０】
2009084243.tif 000129
【図４１】
2009084243.tif 000130
【図４２】
2009084243.tif 000131
【図４３】
2009084243.tif 000132
【図４４】
2009084243.tif 000133
【図４５】
2009084243.tif 000134
【図４６】
2009084243.tif 000135
【図４７】
2009084243.tif 000136
【図４８】
2009084243.tif 000137
【図４９】
2009084243.tif 000138
【図５０】
2009084243.tif 000139
【図５１】
2009084243.tif 000140
【図５２】
2009084243.tif 000141
【図５３】
2009084243.tif 000142
【図５４】
2009084243.tif 000143
【図５５】
2009084243.tif 000144
【図５６】
2009084243.tif 000145
【図５７】
2009084243.tif 000146
【図５８】
2009084243.tif 000147
【図５９】
2009084243.tif 000148
【図６０】
2009084243.tif 000149
【図６１】
2009084243.tif 000150
【図６２】
2009084243.tif 000151
【図６３】
2009084243.tif 000152
【図６４】
2009084243.tif 000153
【図６５】
2009084243.tif 000154
【図６６】
2009084243.tif 000155
【図６７】
2009084243.tif 000156
【図６８】
2009084243.tif 000157
【図６９】
2009084243.tif 000158
【図７０】
2009084243.tif 000159
【図７１】
2009084243.tif 000160
【図７２】
2009084243.tif 000161
【図７３】
2009084243.tif 000162
【図７４】
2009084243.tif 000163
【図７５】
2009084243.tif 000164
【図７６】
2009084243.tif 000165
【図７７】
2009084243.tif 000166
【図７８】
2009084243.tif 000167
【図７９】
2009084243.tif 000168
【図８０】
2009084243.tif 000169
【図８１】
2009084243.tif 000170
【図８２】
2009084243.tif 000171
【図８３】
2009084243.tif 000172
【図８４】
2009084243.tif 000173
【図８５】
2009084243.tif 000174
【図８６】
2009084243.tif 000175
【図８７】
2009084243.tif 000176
【国際調査報告】
2009084243.tif 000177
2009084243.tif 000178
2009084243.tif 000179
2009084243.tif 000180
2009084243.tif 000181
2009084243.tif 000182
2009084243.tif 000183
2009084243.tif 000184
2009084243.tif 000185